(57)【要約】本発明は、免疫または炎症応答細胞、例えばＴ細胞、の活性化を調節するＢ７関連因子をコードする核酸を提供する。さらに、ＢＳＬ１、ＢＳＬ２およびＢＳＬ３を含む、Ｂ７関連ポリペプチドをコードする核酸を含む発現ベクターおよび融合構築物を提供する。本発明はさらに、単離されたＢ７関連ポリペプチド、Ｂ７関連ポリペプチドを含む単離された融合タンパク質、Ｂ７関連ポリペプチドと特異的には反応する抗体またはその断片を提供する。さらに、本発明は、Ｂ７関連核酸、ポリペプチドまたはぺプチドを用いる分析を提供する。本発明はさらに、ヒトまたは動物の患者の免疫調節に有用な、Ｂ７関連核酸、ポリペプチド、融合タンパク質または抗体の組成物を提供する。
2004500863.tif 000002
【特許請求の範囲】
【請求項１】
配列番号２、７、１１、１３および１５からなる群から選択されるアミノ酸配列を含むポリペプチドをコードする単離された核酸分子。
【請求項２】
ａ）配列番号２の少なくとも２０個の隣接したアミノ酸を含むポリペプチド；ｂ）配列番号７の少なくとも２１０個の隣接したアミノ酸を含むポリペプチド；ｃ）配列番号１１の少なくとも９０個の隣接したアミノ酸を含むポリペプチド；ｄ）配列番号１３の少なくとも１７０個の隣接したアミノ酸を含むポリペプチド；およびｅ）配列番号１５の少なくとも１００個の隣接したアミノ酸を含むポリペプチドからなる群から選択されるポリペプチドをコードする単離された核酸分子。
【請求項３】
配列番号２と少なくとも９０％同一であるアミノ酸配列；ｂ）配列番号７と少なくとも９０％同一であるアミノ酸配列；ｃ）配列番号１１と少なくとも９９％同一であるアミノ酸配列；ｄ）配列番号１３と少なくとも９９．５％同一であるアミノ酸配列；ｅ）配列番号１５と少なくとも９８％同一であるアミノ酸配列からなる群から選択されるアミノ酸配列を含むポリペプチドをコードする単離された核酸分子。
【請求項４】
配列番号１、３、６、１０、１２および１４からなる群から選択されるヌクレオチド配列を含む単離された核酸分子。
【請求項５】
以下、
ａ）配列番号１または配列番号３の少なくとも６０個の隣接したヌクレオチドを含むヌクレオチド配列；
ｂ）配列番号６の少なくとも６３０個の隣接したヌクレオチドを含むヌクレオチド配列；
ｃ）配列番号１０の少なくとも２７０個の隣接したヌクレオチドを含むヌクレオチド配列；
ｄ）配列番号１２の少なくとも４１０個の隣接したヌクレオチドを含むヌクレオチド配列；および
ｅ）配列番号１４の少なくとも３００個の隣接したヌクレオチドを含むヌクレオチド配列
からなる群から選択されるヌクレオチド配列を含む単離された核酸分子。
【請求項６】
以下、
ａ）配列番号１または配列番号３の少なくとも２５個の隣接したヌクレオチドを含むヌクレオチド配列；
ｂ）配列番号６の少なくとも３０５個の隣接したヌクレオチドを含むヌクレオチド配列；
ｃ）配列番号１０の少なくとも２５５個の隣接したヌクレオチドを含むヌクレオチド配列；
ｄ）配列番号１２の少なくとも３１０個の隣接したヌクレオチドを含むヌクレオチド配列；および
ｅ）配列番号１４の少なくとも２４０個の隣接したヌクレオチドを含むヌクレオチド配列
からなる群から選択されるヌクレオチド配列を含む単離された核酸分子。
【請求項７】
請求項１〜５のいずれかに記載の核酸分子の配列に対して相補的な配列を含む単離された核酸分子。
【請求項８】
請求項６に記載の核酸分子の配列に対して相補的な配列を含む単離された核酸分子。
【請求項９】
以下、
ａ）配列番号２、７、１１、１３、および１５からなる群から選択されるアミノ酸配列の細胞外ドメインをコードするヌクレオチド配列；および
ｂ）免疫グロブリンＧのＦｃドメインをコードするヌクレオチド配列
を含む単離された核酸分子。
【請求項１０】
請求項１〜６のいずれかに記載の核酸分子を含むベクター。
【請求項１１】
請求項７〜８のいずれかに記載の核酸分子を含むベクター。
【請求項１２】
請求項９に記載の核酸分子を含むベクター。
【請求項１３】
請求項１０に記載のベクターを含む宿主細胞あって、細菌、酵母、昆虫、哺乳類および植物細胞からなる群から選択される宿主細胞。
【請求項１４】
請求項１１に記載のベクターを含む宿主細胞あって、細菌、酵母、昆虫、哺乳類および植物細胞からなる群から選択される宿主細胞。
【請求項１５】
請求項１２に記載のベクターを含む宿主細胞あって、細菌、酵母、昆虫、哺乳類および植物細胞からなる群から選択される宿主細胞。
【請求項１６】
請求項１〜５のいずれかに記載の核酸分子によってコードされる単離されたポリペプチド。
【請求項１７】
請求項９に記載の核酸分子によってコードされる単離されたポリペプチド。
【請求項１８】
請求項１６に記載のポリペプチドに結合する単離された抗体。
【請求項１９】
モノクローナルである、請求項１８に記載の抗体。
【請求項２０】
請求項１９に記載の抗体を産生するハイブリドーマ細胞。
【請求項２１】
請求項８に記載の核酸分子、および生理学的に許容し得る担体、賦形剤または希釈剤を含有する医薬組成物。
【請求項２２】
請求項１３に記載の宿主細胞、および生理学的に許容し得る担体、賦形剤または希釈剤を含有する医薬組成物。
【請求項２３】
請求項１５に記載のポリペプチド、および生理学的に許容し得る担体、賦形剤または希釈剤を含有する医薬組成物。
【請求項２４】
請求項１６に記載のポリペプチドおよび生理学的に許容し得る担体、賦形剤または希釈剤を含有する医薬組成物。
【請求項２５】
請求項１９に記載の抗体、および生理学的に許容し得る担体、賦形剤または希釈剤を含有する医薬組成物。
【請求項２６】
配列番号２、７、１１、１３および１５からなる群から選択されるアミノ酸配列を含むＢ７関連ポリペプチドに結合するリガンドを同定する方法であって、
ａ）Ｂ７関連ポリペプチドが結合した固体支持体を調製すること；
ｂ）該支持体を生物学的サンプルから得られたポリペプチドと接触させ、Ｂ７関連ポリペプチドに１またはそれ以上のサンプルポリペプチドが会合可能な条件下でインキュベーションすること；および
ｃ）Ｂ７関連ポリペプチドが１またはそれ以上のサンプルポリペプチドと会合しているかどうかについて測定して、Ｂ７関連ポリペプチドに結合するリガンドを同定する
ことを含む方法。
【請求項２７】
配列番号２、７、１１、１３および１５からなる群から選択されるアミノ酸配列を含むＢ７関連ポリペプチドに結合する試験薬剤を同定する方法であって、
ａ）Ｂ７関連ポリペプチドが結合した固体支持体を調製すること；
ｂ）該支持体を試験薬剤と接触させ、Ｂ７関連ポリペプチドに１またはそれ以上の試験薬剤が会合可能な条件下でインキュベーションすること；および
ｃ）Ｂ７関連ポリペプチドが１またはそれ以上の試験薬剤と会合しているかどうかについて測定して、Ｂ７関連ポリペプチドに結合する試験薬剤を同定する
ことを含む方法。
【請求項２８】
患者におけるＴ細胞活性を増大または減少させる方法であって、その患者に請求項２１〜２５のいずれかに記載の医薬組成物を、免疫細胞活性を増大または減少させるのに有効な量で投与することを含む方法。
【請求項２９】
患者がウイルス感染であると診断される、請求項２８に記載の方法。
【請求項３０】
ウイルス感染が、ヒト免疫不全ウイルス、ヒトパピローマウイルス、単純ヘルペスウイルス、ヒト脳炎ウイルス、ヒトライノウイルス 、およびヒトインフルエンザウイルス感染からなる群から選択される、請求項２９に記載の方法。
【請求項３１】
患者が癌であると診断される、請求項２８に記載の方法。
【請求項３２】
患者が、組織拒絶、骨髄拒絶、移植臓器拒絶および移植片対宿主疾患からなる群から選択される状態であると診断される、請求項２８に記載の方法。
【請求項３３】
患者が、炎症に関連する状態であると診断される、請求項２８に記載の方法。
【請求項３４】
前記状態が、乾癬、慢性閉塞性肺疾患、喘息およびアテローム性動脈硬化症からなる群から選択される、請求項３３に記載の方法。
【請求項３５】
患者が、自己免疫疾患であると診断される、請求項２８に記載の方法。
【請求項３６】
自己免疫疾患が、慢性関節リウマチ、多発性硬化症、紅斑性狼瘡、橋本病甲状腺炎、原発性ｍｉｘ水腫、グレーブス病 、悪性貧血、自己免疫性萎縮性胃炎、インスリン依存性糖尿病、Ｇｏｏｄｐａｓｔｕｒｅ症候群、重症筋無力症、天疱瘡、クローン病、交換性眼炎、自己免疫性ブドウ膜炎、自己免疫性溶血性貧血、特発性血小板減少症、原発性胆汁性肝硬変、潰瘍性大腸炎、シェーグレン症候群、多発性筋炎および混合性結合組織病からなる群から選択される、請求項３５に記載の方法。
【請求項３７】
免疫細胞活性の増大に関連する状態を診断する方法であって、
ａ）請求項６〜８のいずれかに記載の単離された核酸と生物学的サンプルとを、その核酸がその生物学的サンプルの核酸とハイブリダイズすることが可能な、ストリンジェンシーの高い条件下で接触させて複合体を形成させること；
ｂ）（ａ）のハイブリダイゼーション複合体を測定すること；および
ｃ）（ａ）のハイブリダイゼーション複合体の量を標準的な生物学的サンプルにおけるハイブリダイゼーション複合体の量と比較することを含み、
標準の量に対する増大がその状態の診断結果を示す、方法。
【請求項３８】
前記状態が、組織拒絶、骨髄拒絶、移植臓器拒絶、および移植片対宿主疾患からなる群から選択される、請求項３７に記載の方法。
【請求項３９】
前記状態が炎症に関連する、請求項３７に記載の方法。
【請求項４０】
前記状態が、乾癬、慢性閉塞性肺疾患、喘息、およびアテローム性動脈硬化症からなる群から選択される、請求項３７に記載の方法。
【請求項４１】
前記状態が自己免疫疾患である、請求項３７に記載の方法。
【請求項４２】
前記自己免疫疾患が、慢性関節リウマチ、多発性硬化症、紅斑性狼瘡、橋本病甲状腺炎、原発性ｍｉｘ水腫、グレーブス病、悪性貧血、自己免疫性萎縮性胃炎、インスリン依存性糖尿病、Ｇｏｏｄｐａｓｔｕｒｅ症候群、重症筋無力症、天疱瘡、クローン病 、交換性眼炎、自己免疫性ブドウ膜炎、自己免疫性溶血性貧血、特発性血小板減少症、原発性胆汁性肝硬変、潰瘍性大腸炎、シェーグレン症候群、多発性筋炎および混合性結合組織病からなる群から選択される請求項４１に記載の方法。
【請求項４３】
免疫細胞活性の増大に関連する状態を診断する方法であって、
ａ）請求項１９に記載の単離された抗体と生物学的サンプルとを、その抗体がその生物学的サンプルのアミノ酸配列と結合することが可能な条件下で接触させることにより複合体を形成させること；
ｂ）（ａ）の複合体を検出すること；および
ｃ）（ａ）の複合体の量を標準的な生物学的サンプルにおける複合体の量と比較することを含み、
標準の量に対する増大がその状態の診断結果を示す、方法。
【請求項４４】
前記状態が、組織拒絶、骨髄拒絶、移植臓器拒絶および移植片対宿主疾患からなる群から選択される、請求項４３に記載の方法。
【請求項４５】
前記状態が炎症に関連している請求項４３に記載の方法。
【請求項４６】
前記状態が、乾癬、慢性閉塞性肺疾患、喘息、およびアテローム性動脈硬化症からなる群から選択される、請求項４５に記載の方法。
【請求項４７】
前記状態が自己免疫疾患である、請求項４３に記載の方法。
【請求項４８】
前記疾患が、慢性関節リウマチ、多発性硬化症、紅斑性狼瘡、橋本病甲状腺炎、原発性ｍｉｘ水腫、グレーブス病、悪性貧血、自己免疫性萎縮性胃炎、インスリン依存性糖尿病、Ｇｏｏｄｐａｓｔｕｒｅ症候群、重症筋無力症、天疱瘡、クローン病 、交換性眼炎、自己免疫性ブドウ膜炎、自己免疫性溶血性貧血、特発性血小板減少症、原発性胆汁性肝硬変、潰瘍性大腸炎、シェーグレン症候群、多発性筋炎および混合性結合組織病からなる群から選択される、請求項４７に記載の方法。
【請求項４９】
ａ）請求項６または８に記載の単離された核酸分子；およびｂ）単離された核酸分子とＢ７関連核酸分子との結合を検出するための少なくとも１つの成分を含む、Ｂ７関連核酸分子を検出するためのキット。
【請求項５０】
ａ）請求項１９の単離された抗体およびｂ）単離された抗体とＢ７関連ポリペプチド配列との結合を検出するための少なくとも１つの成分を含む、Ｂ７関連ポリペプチドを検出するためのキット。
【請求項５１】
請求項１〜６のいずれかに記載の核酸分子を含むトランジェニックマウス。
【請求項５２】
請求項１〜６のいずれかに記載の核酸分子を含む細胞系。
【発明の詳細な説明】
【０００１】
関連出願
本願は、本明細書の一部を構成する、米国特許出願６０／２０９，８１１（出願日２０００年６月６日）および米国特許出願第６０／２７２，１０７（出願日２０００年２月２８日）の優先権を主張するものである。
【０００２】
発明の分野
本発明は、Ｔ細胞等の免疫および炎症反応に重要な細胞を調節する、ＢＳＬ１、ＢＳＬ２、およびＢＳＬ３を含むＢ７関連ポリペプチドをコードする単離された核酸に関する。さらに、Ｂ７関連ポリペプチドをコードする核酸を含む発現ベクターおよび融合構築物に関する。本発明はさらに、単離されたＢ７関連ポリペプチド、Ｂ７関連ポリペプチドを含む単離された融合タンパク質、およびＢ７関連ポリペプチドと特異的に反応する抗体またはその一部に関する。さらに、本発明は、Ｂ７関連ポリペプチドまたは融合タンパク質を利用して、Ｂ７関連ポリペプチドの対応するカウンターレセプターを単離および同定する方法に関する。さらに、Ｂ７関連ポリペプチド、融合タンパク質、同族抗体（ｃｏｇｎａｔｅ 抗ｂｏｄｉｅｓ）またはその一部もしくは誘導体の組成物を投与することによる患者における免疫調節の方法に関する。本発明はさらに、本明細書に開示されたＢ７関連ポリペプチド発現カセットを含む遺伝子操作されたベクターの組成物を投与することによる動物またはヒトの患者の免疫を調節する方法に関する。
【０００３】
発明の背景
Ｔ細胞の活性化、増殖および分化を伴う、Ｔ細胞に対する一次応答は外来抗原に対する免疫応答の開始には必須である。抗原提示細胞（ＡＰＣ）によるＴ細胞の活性化には、少なくとも２つの独立したシグナルが必要である（Ｋ． Ｅ． Ｈｅｌｌｓｔｒｏｍ ｅｔ ａｌ．（１９９６）Ｃａｎｃｅｒ Ｃｈｅｍｏｔｈｅｒ． Ｐｈａｒｍａｃｏｌ． ３８：Ｓ４０−１；Ｎ． Ｋ． Ｄａｍｌｅ ｅｔ ａｌ．（１９９２）Ｊ． Ｉｍｍｕｎｏｌ． １４８：１９８５−９２；Ｊ． Ｍ． Ｇｒｅｅｎ ｅｔ ａｌ．（１９９４）Ｅｕｒ． Ｊ． Ｉｍｍｕｎｏｌ． ２４：２６５−７２；Ｅ． Ｃ． Ｇｕｉｎａｎ ｅｔ ａｌ．（１９９４）Ｂｌｏｏｄ ８４：３２６１−８２；Ｊ． Ｗ． Ｈｏｄｇｅ ｅｔ ａｌ．（１９９５）Ｃａｎｃｅｒ Ｒｅｓ． ５５：３５９８−６０３）。第１のシグナルによってＴ細胞が細胞サイクルに入り、主要組織適合複合体（ＭＨＣ）によって提示された外来抗原により媒介される。副刺激と呼ばれる第２のシグナルは、サイトカイン産生とＴ細胞増殖をもたらすが、抗原特異的でもＭＨＣ制限的でもない（Ｒ． Ｈ． Ｓｃｈｗａｒｔｚ（１９９０）Ｓｃｉｅｎｃｅ ２４８：１３４９−１３５６）。
【０００４】
副刺激は、ＡＰＣによって発現した１またはそれ以上の別個な細胞表面分子の細胞によって媒介されると考えられている（Ｍ． Ｋ． Ｊｅｎｋｉｎｓ ｅｔ ａｌ．（１９８８）Ｊ． Ｉｍｍｕｎｏｌ． １４０：３３２４−３３３０；Ｐ． Ｓ． Ｌｉｎｓｌｅｙ ｅｔ ａｌ．（１９９１）Ｊ． Ｅｘｐ． Ｍｅｄ． １７３：７２１−７３０；Ｃ． Ｄ． Ｇｉｍｍｉ、ｅｔ ａｌ．（１９９１）Ｐｒｏｃ． Ｎａｔｌ． Ａｃａｄ． Ｓｃｉ． ＵＳＡ ８８：６５７５６５７９；Ｊ． Ｗ． Ｙｏｕｎｇ ｅｔ ａｌ．（１９９２）Ｊ． Ｃｌｉｎ． Ｉｎｖｅｓｔ． ９０：２２９−２３７；Ｌ． Ｋｏｕｌｏｖａ ｅｔ ａｌ．（１９９１）Ｊ． Ｅｘｐ． Ｍｅｄ． １７３：７５９−７６２；Ｈ． Ｒｅｉｓｅｒ ｅｔ ａｌ．（１９９２）Ｐｒｏｃ． Ｎａｔｌ． Ａｃａｄ． Ｓｃｉ． ＵＳＡ ８９：２７１−２７５；Ｇ． Ａ． ｖａｎ−Ｓｅｖｅｎｔｅｒ ｅｔ ａｌ．（１９９０）Ｊ． ｌｍｍｕｎｏｌ． １４４：４５７９−４５８６；Ｊ． Ｍ． ＬａＳａｌｌｅ ｅｔ ａｌ．（１９９１）Ｊ． Ｉｍｍｕｎｏｌ． １４７：７７４−８０；Ｍ． Ｉ．　Ｄｕｓｔｉｎ ｅｔ ａｌ．（１９８９）Ｊ． Ｅｘｐ． Ｍｅｄ． １６９：５０３；Ｒ． Ｊ． Ａｒｍｉｔａｇｅ ｅｔ ａｌ．（１９９２）Ｎａｔｕｒｅ ３５７：８０−８２；Ｙ． Ｌｉｕ ｅｔ ａｌ．（１９９２）Ｊ． Ｅｘｐ． Ｍｅｄ． １７５：４３７−４４５）。ＡＰＣ細胞表面タンパク質であるＢ７がそのような副刺激分子の１つであることを示唆する無視できない証拠がある（Ｐ． Ｓ． Ｌｉｎｓｌｅｙ ｅｔ ａｌ．（１９９１）Ｊ． Ｅｘｐ． Ｍｅｄ． １７３：７２１−７３０；Ｃ． Ｄ． Ｇｉｍｍｉ ｅｔ ａｌ．（１９９１）Ｐｒｏｃ． Ｎａｔｌ． Ａｃａｄ． Ｓｃｉ． ｌＪＳＡ ８８：６５７５−６５７９；Ｌ． Ｋｏｕｌｏｖａ ｅｔ ａｌ．（１９９１）Ｊ． Ｅｘｐ． Ｍｅｄ． １７３ ：７５９−７６２；Ｈ． Ｒｅｉｓｅｒ ｅｔ ａｌ．（１９９２）Ｐｒｏｃ． Ｎａｔｌ． Ａｃａｄ． Ｓｃｉ． ＵＳＡ ８９，２７１−２７５；Ｐ． Ｓ． Ｌｉｎｓｌｅｙ ｅｔ ａｌ．（１９９０）Ｐｒｏｃ． Ｎａｔｌ． Ａｃａｄ． Ｓｃｉ． ＵＳＡ ８７：５０３１−５０３５；Ｇ． Ｊ． Ｆｒｅｅｍａｎ ｅｔ ａｌ．（１９９１）Ｊ． Ｅｘｐ． Ｍｅｄ． １７４：６２５−６３１）。
【０００５】
Ｂ７は、ＣＤ２８およびＣＴＬＡ−４と呼ばれる、Ｔ細胞上に発現した２つのカウンターレセプター（リガンド）に結合することが示されている。ＣＤ２８に結合したＢ７は、Ｔ細胞の増殖を誘導し、Ｔ細胞を完全に活性化させるＩＬ−２を分泌させる（Ｐ． Ｓ． Ｌｉｎｓｌｅｙ ｅｔ ａｌ．（１９９１）Ｊ． Ｅｘｐ． Ｍｅｄ． １７３，７２１−７３０；Ｃ． Ｄ． Ｇｉｍｍｉ ｅｔ ａｌ．（１９９１）Ｐｒｏｃ． Ｎａｔｌ． Ａｃａｄ． Ｓｃｉ． ＵＳＡ ８８：６５７５−６５７９；Ｃ． Ｂ． Ｔｈｏｍｐｓｏｎ ｅｔ ａｌ．（１９８９）Ｐｒｏｃ． Ｎａｔｌ． Ａｃａｄ． Ｓｃｉ． ＵＳＡ ８６：１３３３−１３３７；Ｃ． Ｈ． Ｊｕｎｅ ｅｔ ａｌ．（１９９０）Ｉｍｍｕｎｏｌ． Ｔｏｄａｙ １１：２１１−６；Ｆ． Ａ． Ｈａｒｄｉｎｇ ｅｔ ａｌ．（１９９２）Ｎａｔｕｒｅ ３５６：６０７−６０９）。反対に、ＣＴＬＡ−４に結合したＢ７はＴ細胞を下方調節する。Ｂ７：ＣＤ２８／ＣＴＬＡ−４副刺激経路の重要性は、ｉｎ ｖｉｔｒｏおよびいくつかのｉｎ ｖｉｖｏモデル系で実証されている。この経路の遮断は、ネズミおよびヒトの系において、抗原特異的耐性の進展をもたらす（Ｆ． Ａ． Ｈａｒｄｉｎｇ ｅｔ ａｌ．（１９９２）Ｎａｔｕｒｅ ３５６：６０７６０９；Ｄ． Ｊ． Ｌｅｎｓｃｈｏｗ ｅｔ ａｌ．（１９９２）Ｓｃｉｅｎｃｅ ２５７：７８９−７９２；Ｌ． Ａ． Ｔｕｒｋａ ｅｔ ａｌ．（１９９２）Ｐｒｏｃ． Ｎａｔｌ． Ａｃａｄ． Ｓｃｉ． ＵＳＡ ８９：１１１０２−１１１０５；Ｃ． Ｄ． Ｇｉｍｍｉ ｅｔ ａｌ．（１９９３）Ｐｒｏｃ． Ｎａｔｌ． Ａｃａｄ． Ｓｃｉ． ＵＳＡ ９０：６５８６−６５９０）。反対に、Ｂ７ネガティブのネズミ腫瘍細胞におけるＢ７の異所性の発現は、腫瘍拒絶および長期間継続する腫瘍による攻撃に対する保護を伴う、Ｔ細胞介在の特異的な免疫を誘導する（Ｌ． Ｃｈｅｎ ｅｔ ａｌ．（１９９２）Ｃｅｌｌ ７１ ：１０９３−１１０２；Ｓ． Ｅ． Ｔｏｗｎｓ末端 ｅｔ ａｌ．（１９９３）Ｓｃｉｅｎｃｅ ２５９：３６８−３７０；Ｓ． Ｂａｓｋａｒ ｅｔ ａｌ．（１９９３）Ｐｒｏｃ． Ｎａｔｌ． Ａｃａｄ． Ｓｃｉ． ＵＳＡ ９０：５６８７−５６９０）。したがって、Ｂ７：ＣＤ２８／ＣＴＬＡ−４経路の操作は、ヒトにおける免疫応答を刺激または抑制ことに対し非常に有望である。
【０００６】
以前に特徴付けられたＢ７分子（以下Ｂ７−１と称する）に加えて、Ｂ７−１−様分子が同定されている（例えば、Ｍ． Ａｚｕｍａ ｅｔ ａｌ．（１９９３）Ｎａｔｕｒｅ ３６６：７６−７９；Ｃ． Ｃｈｅｎ ｅｔ ａｌ．（１９９４）Ｊ． Ｉｍｍｕｎｏｌ． １５２：４９２９−３６；Ｒ． Ｈ． Ｒｅｅｖｅｓ ｅｔ ａｌ．（１９９７）Ｍａｍｍ Ｇｅｎｏｍｅ ８：５８１５８２；Ｋ． Ｉｓｈｉｋａｗａ ｅｔ ａｌ（１９９８）ＤＮＡ Ｒｅｓ． ５：１６９−１７６；Ｆｒｅｅｍａｎ ｅｔ ａｌ．の米国特許第５，９４２，６０７号（１９９９年８月２４日発行）を参照）。特に、ＰＤ−Ｌ１およびＰＤ−Ｌ２は、Ｔ細胞活性化のインヒビターであると同定されており（Ｇ． Ｊ． Ｆｒｅｅｍａｎ ｅｔ ａｌ．（２０００）Ｊ． Ｅｘｐ． Ｍｅｄ． １９２：１０２７−１０３４；Ｙ． Ｌａｔｃｈｍａｎ ｅｔ ａｌ．，（２００１）Ｎａｔｕｒｅ Ｉｍｍｕｎｏｌｏｇｙ ２：２６１−２６８）、Ｂ７−Ｈ１、Ｂ７−Ｈ３およびＢ７−ＤＣはＴ細胞増殖の副刺激分子として記載されている（Ｈ． Ｄｏｎｇ ｅｔ ａｌ．（１９９９）Ｎａｔｕｒｅ Ｍｅｄｉｃｉｎｅ ５：１３６５−１３６９；Ａ． Ｉ． Ｃｈａｐｏｖａｌ（２００１）Ｎａｔｕｒｅ Ｉｍｍｕｎｏｌｏｇｙ ２ ：２６９−２７４；Ｔｓｅｎｇ ｅｔ ａｌ．（２００１）Ｊ． Ｅｘｐ． Ｍｅｄ． １９３（７）：８３９−４５）。
【０００７】
したがって、Ｔ細胞活性化を調節するＢ７−１に関連する因子のファミリーは増えている（Ｊ． Ｈｅｎｒｙ ｅｔ ａｌ．（１９９９）Ｉｍｍｕｎｏｌ． Ｔｏｄａｙ ２０：２８５−２８８参照）。したがって、Ｂ７関連因子の同定、単離およびキャラクタリゼーションは、動物、特にヒトにおける、正常なおよび病的な状態の両方におけるＴ細胞の活性化と機能をさらに理解するための重要な目標である。したがって、本発明は、ＢＳＬ１、ＢＳＬ２およびＢＳＬ３と呼ばれる３つのＢ７関連因子の発見およびキャラクタリゼーションを開示する。さらに、ＢＳＬ１、ＢＳＬ２およびＢＳＬ３因子を利用する様々な分析および処置を記載する。
【０００８】
発明の要約
本発明の目的は、Ｔ細胞活性化を含む、炎症および免疫反応を調節するＢ７関連ポリペプチドゐジードする単離された核酸を提供する。本発明の範囲に属するＢ７関連ポリペプチドとしては、ＣＤ２８および／またはＣＤ２８関連リガンドに結合可能なＡＰＣの表面上のカウンターレセプターが含まれる。具体的には、Ｂ７関連ポリペプチドとしては、ＢＳＬ１、ＢＳＬ２およびＢＳＬ３ポリペプチド、およびその可溶性断片または誘導体が挙げられる。より具体的には、Ｂ７関連核酸は以下のものである：
ｉ）ＢＳＬ１（配列番号２）、ＢＳＬ２（配列番号７、１１、または１３）、またはＢＳＬ３（配列番号１５）のポリペプチドをコードするヌクレオチド配列の少なくとも断片を含む核酸分子；
ｉｉ）ＢＳＬ１（配列番号２）、ＢＳＬ２（配列番号７、１１、または１３）、またはＢＳＬ３（配列番号１５）ポリペプチドに対して中程度の〜実質的に相同な配列を共有するポリペプチドをコードするヌクレオチド配列を含む核酸分子；
ｉｉｉ）適当な条件（例えば、中〜高いストリンジェンシーのハイブリダイゼーション条件）下で、ＢＳＬ１（配列番号１または３）、ＢＳＬ２（配列番号６、１０、または１２）またはＢＳＬ３（配列番号１４）ヌクレオチド配列またはその断片とハイブリダイズすることが可能な核酸分子；
ｉｖ）遺伝コードの縮重または組換えもしくは化学的修飾のために、ＢＳＬ１（配列番号１または３）、ＢＳＬ２（配列番号６、１０、または１２）、またはＢＳＬ３（配列番号１４）のヌクレオチド配列とは異なる核酸分子；または
ｖ）配列番号１、３、６、１０、１２または１４に記載の核酸と少なくとも実質的な相同性を共有する核酸分子。
【０００９】
さらに、ＢＳＬ１、ＢＳＬ２、およびＢＳＬ３因子を発現するＡＰＣの存在について生物学的サンプルを分析するのに有用な核酸プローブは、本発明に包含される。
【００１０】
本発明の別の目的は、Ｂ７関連ポリペプチドをコードする核酸を含むベクター（例えば、発現ベクター）および融合構築物を提供することである。発現ベクターは、様々な宿主、特に哺乳類および昆虫細胞のカルチャー等の真核細胞、および大腸菌等の原核細胞において、対応するポリペプチドまたはペプチドの合成を指揮する。本発明の範囲に属する発現ベクターは、本明細書に記載されたＢ７関連ポリペプチドの少なくとも１つをコードする核酸配列を含む。１つの態様として、本発現ベクターは、Ｆｃ領域ヒト免疫グロブリンＧ１（ＩｇＧ１）をコードするＤＮＡ配列に融合した、ＢＳＬ１（配列番号２）、ＢＳＬ２（配列番号７、１１、または１３）、またはＢＳＬ３（配列番号 １５）の細胞外ドメインをコードするＤＮＡ配列を含む。そのような発現ベクターは、宿主細胞を形質転換またはトランスフェクトして、それにより本明細書に記載された核酸分子をコードする融合タンパク質またはペプチドを含むポリペプチドまたはペプチドを製造するために使用することができる。
【００１１】
本発明の更なる目的は、ＢＳＬ１、ＢＳＬ２、およびＢＳＬ３ポリペプチドまたはその一部もしくは誘導体を含む単離されたＢ７関連ポリペプチドを提供することである。好ましいＢ７関連ポリペプチドは、ＢＳＬ１（配列番号２）、ＢＳＬ２（配列番号７、１１、または１３）、またはＢＳＬ３（配列番号１５）ポリペプチドまたはその一部のアミノ酸配列を含む。そのようなポリペプチドは、少なくともＢＳＬ１、ＢＳＬ２、およびＢＳＬ３ポリペプチドの成熟形態の部分、および好ましくはこれらポリペプチドの可溶性形態を含む。さらに、本発明は、ポリペプチド、配列番号２、７、１１、１３または１５に記載されたアミノ酸配列と中〜実質的な相同性を共有し、ＢＳＬ１、ＢＳＬ２、またはＢＳＬ３ポリペプチドの天然に存在するアイソフォームまたは修飾された組換えポリペプチドであるポリペプチドを包含する。
【００１２】
本発明の更なる目的は、本明細書に記載されたＢ７関連ポリペプチドまたはその一部もしくは誘導体を含む単離された融合タンパク質を提供することである。１つの態様では、融合タンパク質は、溶解性、精製、結合親和性および／またはＢ７関連ポリペプチドの結合価を変化させる別のポリペプチドと融合したＢ７関連ポリペプチドの細胞外ドメイン部分を含む。好ましくは、、ａ ＤＮＡ ｍｏｌｅｃｕｌｅ ｅｎｃｏｄｉｎｇ ａｎ細胞外ドメイン ｐｏｒｔｉｏｎ ｏｆ ＢＳＬ１、ＢＳＬ２、またはＢＳＬ３ ポリペプチドの細胞外ドメイン部分をコードするＤＮＡ分子は、ヒトＩｇＧ１のＦｃ領域をコードするＤＮＡと連結してＢＳＬ１−Ｉｇ、ＢＳＬ２−Ｉｇ、またはＢＳＬ３−Ｉｇ融合タンパク質をコードするＤＮＡ融合産物を形成することができる。本発明の更なる目的は、本明細書に記載の単離されたＢ７関連ポリペプチド、融合タンパク質または同族抗体を利用して、Ｂ７関連ポリペプチドの対応するカウンターレセプターを単離および同定する方法を提供することである。１つの態様では、単離されたＢＳＬ１、ＢＳＬ２、またはＢＳＬ３ ポリペプチド、またはその一部を、Ｔ細胞等の免疫または炎症応答細胞から得られたタンパク質抽出物とインキュベーションして、ＢＳＬ／レセプター複合体を形成した後、抗ＢＳＬ抗体とインキュベーションしてそのＢＳＬ／レセプター複合体を単離することができる。あるいは、ＢＳＬ１、ＢＳＬ２、またはＢＳＬ３ ポリペプチドを含む融合タンパク質をＴ細胞等の免疫または炎症応答細胞から得られたタンパク抽出物とインキュベーションした後、その融合タンパク質と特異的に反応する抗体とインキュベーションすることができる。Ｂ７関連ポリペプチドと結合するレセプターは、有意の免疫調節活性を有すると期待される。
【００１３】
本発明の別の目的は、核酸、ポリペプチド、抗体またはその機能的断片を含む、本発明のＢ７関連因子を利用する、診断方法およびキットを提供することである。そのような因子を、例えば、診断方法およびＢ７関連因子の発現レベルを測定するためのおよび様々なＢ７に関連する疾患をスクリーンするためのキットに使用することができる。さらに、本明細書に記載のＢ７関連核酸を、ＢＳＬ１、ＢＳＬ２、またはＢＳＬ３に影響を及ぼす染色体異常を同定するため、およびアレル変異体または個人もしくは集団におけるＢＳＬ１、ＢＳＬ２、またはＢＳＬ３の突然変異を同定するために使用することができる。
【００１４】
本発明のさらに別の目的は、本明細書に記載の、Ｂ７関連ポリペプチド、融合タンパク質またはその一部もしくは誘導体と特異的に反応するモノクローナルおよびポリクローナル抗体を含む単離された抗体を提供することである。好ましくは、モノクローナル抗体を、ＢＳＬ１（配列番号２）、ＢＳＬ２（配列番号７、１１、または１３）、またはＢＳＬ３（配列番号１５）ポリペプチド、またはその一部もしくは誘導体と特異的に反応するように調製する。
【００１５】
本発明の別の目的は、本明細書に記載の、Ｂ７関連ポリペプチド、融合タンパク質、またはその一部もしくは誘導体の組成物を投与することによる、ヒトまたは動物の患者における免疫調節の方法を提供することである。そのような組成物は、免疫または炎症応答細胞（例えばＴ細胞）の活性を上方調節または下方調節すると期待される。例えば、組成物中のＢ７関連ポリペプチドは、ＣＤ２８と相互作用することによって免疫細胞活性を上方調節し得る。あるいは、組成物中のＢ７関連ポリペプチドは、ＣＴＬＡ−４ト相互作用することによって免疫細胞活性を下方調節し得る。１つの態様では、ＢＳＬ１−Ｉｇ、ＢＳＬ２−Ｉｇ、およびＢＳＬ３−Ｉｇ、融合タンパク質の組成物を、例えば、注射により、患者に投与して全身的な免疫抑制または免疫刺激をもたらす。そのような組成物は、単独でまたは１またはそれ以上の免疫調節分子と組み合わせて投与することができる。
【００１６】
本発明の別の目的は、本明細書に記載の、Ｂ７関連ポリペプチド、融合タンパク質、またはその一部もしくは誘導体と特異的に反応する抗体の組成物を投与することによる、ヒトまたは動物の患者の免疫調節の方法を提供することである。そのような組成物は、Ｂ７関連ポリペプチドの副刺激活性をブロックし、したがって免疫または炎症応答細胞（例えばＴ細胞）を下方調節すると期待し得る。１つの態様では、ＢＳＬ１（配列番号２）、ＢＳＬ２（配列番号７、１１、または１３）、またはＢＳＬ３（配列番号１５）ポリペプチドまたはその断片と特異的に反応するモノクローナル抗体の組成物を、例えば注射により、患者に投与して免疫調節または耐性の誘導をもたらす。そのような組成物は、単独でまたは１またはそれ以上の免疫調節分子と組み合わせて投与することができる。本明細書に記載の耐性を誘導するための方法は、移植の拒絶（臓器および骨髄）や移植片対宿主疾患、特に自家骨髄移植における免疫応答を予防するために予防的に使用することができる。そのような方法はまた、自己免疫疾患、移植の拒絶および患者において確立した移植片対宿主疾患の処置において、有用な治療であり得る。
【００１７】
本発明の更なる目的は、本明細書に記載されたＢ７関連ポリペプチド発現カセットを含む遺伝子操作されたベクターまたは細胞の組成物を投与することによる、ヒトまたは動物の患者の免疫調節の方法を提供することである。好ましい態様では、細胞は、ＢＳＬ１（配列番号２）、ＢＳＬ２（配列番号７、１１、または１３）、またはＢＳＬ３（配列番号１５）ポリペプチドまたはその断片もしくは誘導体を含む１またはそれ以上のＢ７関連ポリペプチドの発現が可能なようにトランスフェクトまたは形質導入され、次いで、例えば移植により受容者に導入される、マクロファージ等の抗原提示細胞である。本発明と一致して、ＢＳＬ１、ＢＳＬ２、またはＢＳＬ３ ポリペプチドをコードする遺伝子は、単独で、または他の免疫刺激分子をコードする遺伝子と組み合わせてトランスフェクトまたは形質導入することができる。
【００１８】
更なる目的および本発明によって得られる効果は、以下に記載する詳細な説明と例示から明らかであろう。
【００１９】
図面の説明
添付の図面は、本発明をさらに説明し、様々な態様を明確にすることで本発明の理解を助けるものである。本発明の図面では、ヌクレオチドおよびアミノ酸配列を１文字標記で表する。
【００２０】
図１Ａ〜１Ｃは、ＢＳＬ１のヌクレオチドおよび推定アミノ酸配列を示す。図１Ａは、ＴＮＦ−αで処置されたヒト微小血管内皮細胞から調製したｃＤＮＡライブラリーから単離された完全長クローンから決定した、ＢＳＬ１（配列番号１）のヌクレオチド配列を示す。；ヌクレオチド１−９２は５’−非翻訳領域を含み；ヌクレオチド９３−９５は、翻訳開始部位（ＡＴＧ）を含み；ヌクレオチド９３−９６２はタンパクコード領域をコードし；ヌクレオチド９６３−９６５は、翻訳終止シグナル（ＴＡＡ）を含み；ヌクレオチド９６３−１５７６は３’非翻訳領域を含み；およびヌクレオチド１５７７−１６０５はポリ（Ａ）＋ＲＮＡ尾部を含む。図１Ｂは、ＢＳＬ１（配列番号２）の推定アミノ酸配列を示す；アミノ酸１−２４０は、推定細胞外ドメイン（ＥＣＤ）を含む。図１Ｃは、分化型ヒト単球から調製したｃＤＮＡライブラリーから単離された完全長クローンから決定した、ＢＳＬ１（配列番号３）のヌクレオチド配列を示す。；ヌクレオチド１−９２は５’非翻訳領域を含み；ヌクレオチド９３−９５は、翻訳開始シグナル（ＡＴＧ）を含み；ヌクレオチド９３−９６２はタンパクコード配列を含み；ヌクレオチド９６３−９６５は、翻訳終止シグナル（ＴＡＡ）を含み；およびヌクレオチド９６３−３６２１ ３’非翻訳領域（独特配列を太字で示す）を含む。
【００２１】
図２Ａ〜２Ｂは、ＢＳＬ１−Ｉｇ融合構築物のヌクレオチドおよび推定アミノ酸配列を示す。図２Ａは、ＢＳＬ１−Ｉｇ融合構築物（配列番号４）のヌクレオチド配列を示す；ヌクレオチド１−７２は、推定ＣＤ５シグナル配列をコードし；ヌクレオチド７３−７８はＳｐｅｌ開裂部位を含み；ヌクレオチド７８−７２９は推定ＢＳＬ１ ＥＣＤをコードし；ヌクレオチド７３０−１４４０は、ヒトＩｇＧ１のＦｃ部分をコードし；およびヌクレオチド１４４１−１４４３は、翻訳終止シグナル（ＴＧＡ）を含む。図２ＢはＢＳＬ１−Ｉｇ推定アミノ酸配列（配列番号５）を示す。
【００２２】
図３Ａ〜３Ｆは、ＢＳＬ２クローンのヌクレオチドおよび推定アミノ酸配列を示す。図３Ａは、ＢＳＬ２−４６１６８１１クローンのヌクレオチド配列（配列番号６）を示す；ヌクレオチド１−１２はベクター配列を含み；ヌクレオチド１２１−１２３は翻訳開始シグナル（ＡＴＧ）を含み、ヌクレオチド２０４−２０５は推定シグナルペプチド開裂部位であり；ヌクレオチド１５１６−１５８７は、推定膜貫通ドメインをコードし；ヌクレオチド１７２３−１７２５は、翻訳終止シグナル（ＴＧＡ）を含む。図３Ｂは、ＢＳＬ２４６１６８１１クローンの推定アミノ酸配列を示す（配列番号７）；アミノ酸（１−４６５）は推定ＥＣＤを含む。図３ＣはＢＳＬ２−Ｌ１６５−２１クローンのヌクレオチド配列（配列番号１０）を示す；ヌクレオチド１−３は翻訳開始シグナル（ＡＴＧ）をコードし；ヌクレオチド８４−８５は推定シグナルペプチド開裂部位であり；ヌクレオチド７４２−８１３は推定膜貫通ドメインをコードし；ヌクレオチド９４９−９５１は翻訳終止シグナル（ＴＧＡ）を含む。図３Ｄは、ＢＳＬ２ Ｌ１６５−２１クローンの推定アミノ酸配列（配列番号 １１）を示す；アミノ酸１−２４７は推定ＥＣＤを含む。図３ＥはＢＳＬ２−Ｌ１６５−３５ｂクローンのヌクレオチド配列（配列番号１２）を示し；ヌクレオチド１−３は翻訳開始シグナル（ＡＴＧ）をコードし；ヌクレオチド８４−８５は推定シグナルペプチド開裂部位であり；ヌクレオチド７４２−８１３は推定膜貫通ドメインをコードし；ヌクレオチド９４９−９５１は、翻訳終止シグナル（ＴＧＡ）を含む。図３ＦはＢＳＬ２ Ｌ１６５−３５ｂクローンの推定アミノ酸配列（配列番号１３）を示す；アミノ酸１−２４７は推定ＥＣＤを含む。
【００２３】
図４Ａ〜４Ｂは、ＢＳＬ２−４６１６８１１−Ｉｇ融合構築物のヌクレオチドおよび推定アミノ酸配列を示す。図４Ａは、ＢＳＬ２−４６１６８１１−Ｉｇクローンのヌクレオチド配列（配列番号８）を示す：ヌクレオチド１−３は翻訳開始シグナル（ＡＴＧ）を含み；ヌクレオチド１−１３９４は天然ＢＳＬ２−４６１６８１１配列をコードし；ヌクレオチド１３９５は融合タンパク質の構築を促進するために導入されたサイレントな突然変異であり；ヌクレオチド１３９６−２０９７は、ヒトＩｇＧ１のＦｃ部分をコードし；ヌクレオチド２０９５−２０９７は翻訳終止シグナル（ＴＧＡ）を含む。図４Ｂは、ＢＳＬ２−４６１６８１１−Ｉｇ融合タンパク質の推定アミノ酸配列（配列番号９）を示す；アミノ酸１−４６５はＢＳＬ２−４６１６８１１の天然配列を含み；アミノ酸４６６−６９８はヒトＩｇＧのＦｃ部分を含む。
【００２４】
図５Ａ〜５ＢはＢＳＬ３のヌクレオチドおよび推定アミノ酸配列を示す。図５ＡはＢＳＬ３のヌクレオチド配列（配列番号１４）を示す：ヌクレオチド１−３２６は５’非翻訳領域を含み；ヌクレオチド３２７−３２９は翻訳開始シグナル（ＡＴＧ）を含み；ヌクレオチド９８１−１０５５は推定膜貫通ドメインをコードし；ヌクレオチド１１４６−１１４８は翻訳終止シグナル（ＴＧＡ）を含む。図５ＢはＢＳＬ３推定アミノ酸配列を示す（アミノ酸１−２７３）（配列番号１５）；アミノ酸１−２１９は推定ＥＣＤを含む。
【００２５】
図６Ａ−６Ｂは、ＢＳＬ３−Ｉｇ融合構築物のヌクレオチドおよび推定アミノ酸配列を示す。図６Ａは、ＢＳＬ３−Ｉｇ（Ｌ２３２−６）（配列番号１６）のヌクレオチド配列を示す：ヌクレオチド１−３は翻訳開始シグナル（ＡＴＧ）を含み；ヌクレオチド１−６５１は、天然ＢＳＬ３配列をコードし；ヌクレオチド６５２−６５４は、構築の間に導入された人口配列をコードし；ヌクレオチド６５５−１３５６はヒトＩｇＧのＦｃドメインをコードする。図６Ｂは、ＢＳＬ３−Ｉｇ（Ｌ２３２−６）（配列番号１７）の推定アミノ酸配列を示す；アミノ酸１−２１７は天然ＢＳＬ３配列を示し；アミノ酸２１８は構築中に導入された人工配列を含み；アミノ酸２１９−４５１はヒトＩｇＧのＦｃドメインを含む。
【００２６】
図７Ａ−７Ｈは、試薬およびＢＳＬ１、ＢＳＬ２およびＢＳＬ３について行った発現分析の結果を示す。図７Ａは、ノーザンブロット分析に使用したＢＳＬ１プローブ（配列番号１８）のヌクレオチド配列を示す。図７Ｂは、ノーザンブロット分析に使用したＢＳＬ２プローブ（配列番号１９）のヌクレオチド配列を示す。図７Ｃは、ＢＳＬ３プローブ（配列番号２０）のヌクレオチド配列を示す。図７Ｄは、ノーザンブロット分析によって決定された様々な細胞において観察されたＢＳＬ１、ＢＳＬ３、およびＢＳＬ３ｍＲＮＡのレベルを示す；「ＰＢＴ」は、末梢血Ｔ細胞を示し；「ＣＤ３／ＣＤ２８」は抗ＣＤ３および抗ＣＤ２８抗体による刺激を示す；「ＰＭＡ」はホルボール１２ミリステート１３アセテートによる刺激を示す；「ＬＰＳ」はリポ多糖による刺激を示す；「ＰＢＭ」は、末梢血単球を示す；「ＰＨＡ」はフィトヘマグルチニンによる刺激を示す；「ＧＭ−ＣＳＦ／ＩＬ−４」はＧＭ−ＣＳＦおよびＩＬ−４による刺激を示す；「ＨＭＶＥＣ」はヒト血管微小血管内皮細胞を示す；「ＴＮＦα」はＴＮＦ−αによる刺激を示す；および「Ｈ２９２（飢餓状態）」は血清飢餓Ｈ２９２細胞を示す。図７Ｅは、放射性同位元素で標識したＢＳＬ３／Ｋｐｎｌ＋Ｘｂａｌプローブを用いて、商業的に入手可能なブロットのノーザン分析によって決定された様々な種類の組織における、ＢＳＬ３発現レベルを示す。図７Ｆは、放射性同位元素で標識した ＢＳＬ３／Ｋｐｎｌ＋Ｘｂａｌプローブを用いて、商業的に入手可能なマイクロアレイのハイブリダイゼーション分析によって決定された様々な種類の組織における、ＢＳＬ３発現レベルを示す。図７Ｇは、定量的ＰＣＲによって決定された様々な種類の組織におけるＢＳＬ１発現レベルを示す。図７Ｈは、定量的ＰＣＲによって決定された様々な種類の組織におけるＢＳＬ３発現レベルを示す。
【００２７】
図８Ａ−８Ｅは、ＰＣＲ分析を行い、刺激有りまたは無しでの、種々のタイプの細胞におけるＢＳＬ２−４６１６８１１またはＢＳＬ２ Ｌ１６５−３５ｂ転写物の相対的レベルを決定した結果を示す。上の矢印はＢＳＬ２−４６１６８１１転写物を表するバンドを示している；下の矢印はＢＳＬ２−Ｌ１６５−３５ｂ転写物を表するバンドを示している。図８Ａは、ＰＭＡおよびイノマイシン刺激有りまたは無しでの、Ｒａｊｉ、Ｒａｍｏｓ、ＰＭ−ＬＣＬ、およびＰＬ ＬＣＬ細胞タイプについての結果を示す。図８Ｂは、刺激有りまたは無しでの、ＣＥ−ＬＣＬ細胞、ＨＬ６０、Ｔｈｐ１、およびＨＵＶＥＣ細胞タイプについての結果を示す。図８Ｃは、ＰＭＡおよびイノマイシン刺激有りまたは無しでの、末梢血Ｔ細胞についての結果を示す。２人の別々のドナー（ドナー０７９およびドナー１２４）から単離された細胞の結果を示す。図８Ｄは、ＰＭＡおよびイノマイシン刺激有りまたは無しでの、ＣＥＭおよびＨＵＴ７８細胞についての結果を示す。図８Ｅは、テンプレートとしてＢＳＬ２−４６１６８１１プラスミドを用いたＰＣＲ反応の結果を示す。レーン１：λＢｓｔＥＩＩ ＤＮＡラダー；レーン２：ＰＣＲ産物。上の矢印は、ＢＳＬ２−４６１６８１１転写物からのＰＣＲ産物のサイズを示す。下の矢印は、ＢＳＬ２ Ｌ１６５−３５ｂ転写物についての推定ＰＣＲ産物のサイズを示す。結果は、フォワードプライマーが、ＢＳＬ２−４６１６８１１の第２の可変折り曲げ部におけるホモローガス部位よりも第１の可変折り曲げ部における特異的結合部位に優先的に結合することを示している。
【００２８】
図９Ａ−９Ｆは、ＢＳＬ１、ＢＳＬ２、およびＢＳＬ３モノクローナル抗体を用いて行った蛍光細胞分析分離装置（ＦＡＣＳ）の結果を示す。図９Ａは、ＢＳＬ１モノクローナル抗体を用いたＡ５４９上皮肺細胞のＦＡＣＳ分析を示す。カラム１：モノクローナル抗体なし；カラム２：アイソタイプ対照；カラム３：ＢＳＬ１ハイブリドーマ上清３２図９Ｂは、ＢＳＬ２４６１６８１１モノクローナル抗体を用いたＡ５４９上皮肺細胞のＦＡＣＳ分析を示す。カラム１：モノクローナル抗体なし；カラム２：アイソタイプ対照；カラム３：ＢＳＬ２ ＭＡｂ １Ｆ７Ｇ２；カラム４：ＢＳＬ２ Ｍａｂ ２Ｂ１０Ｄ７；カラム５：ＢＳＬ２ Ｍａｂ ３Ｅ６Ｄ３；カラム６：ＢＳＬ２ Ｍａｂ ４Ｃ２Ｃ６；カラム７：ＢＳＬ２ Ｍａｂ ５Ｄ７Ｅ２。図９Ｃは、ＢＳＬ３モノクローナル抗体を用いた種々の細胞タイプのＦＡＣＳ分析を示す。図９Ｄは、ＴＮＦ−α刺激有りまたは無しでの、ＢＳＬ３モノクローナル抗体を用いた、ヒト臍静脈内皮細胞（ＨＵＶＥＣ）のＦＡＣＳ分析を示す。図９Ｅ−９Ｆは、ＢＳＬ３モノクローナル抗体を用いた、ＧＭ−ＣＳＦ／ＩＬ４またはＰＨＡ有りまたは無しでの、末梢血単核球（ＰＢＭＣｓ）のＦＡＣＳ分析を示す。図９Ｅは、ドナー１２６から単離された細胞の結果を示す；図９Ｆは、ドナー１４５から単離された細胞の結果を示す。
【００２９】
図１０Ａ−１０Ｅは、ＣＤ３ モノクローナル抗体の存在下で、ＢＳＬ２−４６１６８１ １−Ｉｇ（ＢＳＬ２ｖｃｖｃｉｇ）およびＢＳＬ３−Ｉｇ融合タンパク質を用いた末梢血Ｔ細胞の副刺激を示す。Ｌ６−Ｉｇ融合タンパク質をネガティブコントロールとして使用する。図１０Ａは、ドナー０１０から単離された細胞の結果を示す。図１０Ｂは、ドナー１２７から単離された細胞の結果を示す。図１０Ｃ−１０Ｄは、ドナー７８から単離された細胞の結果を示す。図１０Ｅ−１０Ｆは、ドナー１２４から単離された細胞の結果を示す。図１０Ｇ−１０Ｊは、ＢＳＬ２またはＢＳＬ３モノクローナル抗体を用いた末梢血Ｔ細胞の副刺激の遮断を示す。図１０Ｇおよび１０１は、ＣＤ３モノクローナル抗体およびＢＳＬ２４６１６８１１−Ｉｇ（ＢＳＬ２ｖｃｖｃｉｇ）で刺激されＢＳＬ２モノクローナル抗体で遮断された細胞の結果を示す。カラム１：ＢＳＬ２−１Ｆ７Ｇ２ ＭＡｂ；カラム２：ＢＳＬ２−２Ｂ１０Ｄ７ ＭＡｂ；カラム３：ＢＳＬ２−３Ｅ６Ｄ３ ＭＡｂ；カラム４：ＢＳＬ２−５Ｄ７Ｅ２ ＭＡｂ；およびカラム５：アイソタイプ対照抗体。図１０Ｇは、ドナー０１０から単離された細胞の結果を示す；図１０１は、ドナー１２７から単離された細胞の結果を示す。図１０Ｈおよび１０Ｊは、ＣＤ３モノクローナル抗体およびＢＳＬ３−Ｉｇ融合タンパク質で刺激されＢＳＬ３モノクローナル抗体で遮断された細胞の結果を示す。カラム １：ＢＳＬ３−１Ａ４Ａ１ ＭＡｂ；カラム２：ＢＳＬ３−２Ｂ６Ｈ７ ＭＡｂ；およびカラム３：アイソタイプ対照抗体。図１０Ｈは、ドナー０１０から単離された細胞の結果を示す。；図１０Ｊは、ドナー１２７から単離された細胞の結果を示す。
【００３０】
発明の詳細な記載
本発明の方法による、Ｂ７関連因子の同定、ＢＳＬ１、ＢＳＬ２、およびＢＳＬ３と称する３つのＢ７関連因子、は同定されており、特徴付けられている。このようなＢ７関連因子は、異なる時に、異なる病気および疾患の状態において、Ｔ細胞等の免疫または炎症応答細胞の活性化の分子の基礎を提供し得る。 さらに、開示したＢ７関連因子は、本明細書に詳細に記載された方法を持ちいて、Ｔ細胞等の免疫または炎症応答細胞の活性を調節することによる特定の疾患の予防または処置に利用することができる。このような方法を、以下に詳細に記載する癌または免疫関連疾患の予防または処置として使用することができる。
【００３１】
ｃＤＮＡライブラリーからのＢ７関連遺伝子の同定：Ｂ７関連因子を同定するために、いくつかの十分確立された技術を用いて、ｃＤＮＡライブラリーを構築し分析することができる。メッセンジャーＲＮＡは、Ｂ７−１および／またはＢ７関連因子を発現している細胞から得ることができる。例えば、ｍＲＮＡを分化したヒト末梢血単核球細胞から得ることができる。あるいは、ｍＲＮＡは、非ホジキンリンパ腫の患者から単離された腫瘍細胞等の腫瘍性Ｂ細胞の種々のサブセットから得ることができる（Ｌ． Ｃｈａｐｅｒｏｔ ｅｔ ａｌ．（１９９９）Ｅｘｐ． Ｈｅｍａｔｏｌ．　２７：４７９−８８）。そのような細胞は、Ｂ７−１を発現することが知られており、したがって、Ｂ７関連因子を発現し得、さらにｃＤＮＡライブラリーの構築のためのｍＲＮＡの供給源として供し得る。
【００３２】
全細胞ｍＲＮＡは、例えば、グアニジン−チオシアネイト抽出法（Ｊ． Ｍ． Ｃｈｉｒｇｗｉｎ ｅｔ ａｌ．（１９７９）Ｂｉｏｃｈｅｍｉｓｔｒｙ １８：５２９４−５２９９；Ｃｈｏｍｃｚｙｎｓｋｉ ｅｔ ａｌ．（１９８７）Ａｎａｌ． Ｂｉｏｃｈｅｍ．　１６２ ：１５６−９）などの、様々な技術によって単離することができる。単離した後、ポリ（Ａ）＋ＲＮＡをオリゴ（ｄＴ）セルロースを用いて精製することができる。精製したポリ（Ａ）＋ＲＮＡは、次に、逆転写酵素ポリメラーゼ連鎖反応を用いて、ｃＤＮＡ合成のためのテンプレートとして用いることができる（ＲＴ−ＰＣＲ；ｓｅｅ Ｃ． Ｒ． Ｎｅｗｔｏｎ ｅｔ ａｌ．（１９９７）ＰＣＲ ２ｎｄ Ｅｄ、Ｓｃｉｅｎｔｉｆｉｃ Ｐｕｂｌｉｓｈｅｒｓ、Ｏｘｆｏｒｄ、Ｅｎｇｌおよび）。逆転写の後、慣用の技術（Ｈ． Ｏｋａｙａｍａ ｅｔ ａｌ．（１９８２）Ｍｏｌ． Ｃｅｌｌ． Ｂｉｏｌ． ２：１６１；Ｕ． Ｇｕｂｌｅｒ ｅｔ ａｌ．（１９８３）Ｇｅｎｅ ２５：２６３参照）を用いてｃＤＮＡを２本鎖ＤＮＡに変換することができる。
【００３３】
２本鎖ｃＤＮＡのクローニングは、当分野で周知の技術を用いて行うことができる（Ｊ． Ｓａｍｂｒｏｏｋ ｅｔ ａｌ． （１９８９）Ｍｏｌｅｃｕｌａｒ クローニング、Ａ Ｌａｂｏｒａｔｏｒｙ Ｍａｎｕａｌ、Ｃｏｌｄ Ｓｐｒｉｎｇ Ｈａｒｂｏｒ Ｐｒｅｓｓ、Ｐｌａｉｎｖｉｅｗ、ＮＹ；Ｆ． Ｍ． Ａｕｓｕｂｅｌ ｅｔ ａｌ．（１９８９）Ｃｕｒｒｅｎｔ Ｐｒｏｔｏｃｏｌｓ ｉｎ Ｍｏｌｅｃｕｌａｒ Ｂｉｏｌｏｇｙ、Ｊｏｈｎ Ｗｉｌｅｙ ＆ Ｓｏｎｓ、Ｎｅｗ Ｙｏｒｋ、ＮＹ参照）１またはそれ以上の制限酵素でｃＤＮＡを切断する必要を未然に取り除くために、クローニングの前に合成アダプターを使用することは、特に好ましい（例えば、Ｅ． Ｃ． Ｂｏｔｔｇｅｒ（１９８９）Ｂｉｏｔｅｃｈｎｉｑｕｅｓ ７：９２５−６，９２８−９０を参照）この方法を使用して、ベクターとの連結の前に、非自己相同的な、キネースドアダプターをＤＮＡに付加することができる。実質的には、任意のアダプターを使用することができる。
【００３４】
適当なプロモーターを供給するベクターにおいてセンス方向に配置するとｃＤＮＡライブラリー配列が発現し得る。ベクターはまた、複製起点および種々のエンハンサー配列、スプライスアクセプター／ドナー配列、およびポリアデニル化配列を含み得る。ベクターは、ベクター構築物を含む細胞の選択を可能にするマーカーをさらに含み得る。マーカーは、誘発性でも非誘発性遺伝子でもよく、一般的に誘導下または非誘導下それぞれで陽性の選択が可能にするものである。マーカー遺伝子の例には、ネオマイシン、ジヒドロ葉酸還元酵素、グルタミン合成酵素等が挙げられる。特に、好ましいｃＤＮＡライブラリーは種々の商業的な供給源から得ることができる（例えば、Ｉｎｃｙｔｅ Ｇｅｎｏｍｉｃｓ、Ｉｎｃ．、Ｓｔ． Ｌｏｕｉｓ、ＭＯ；Ｓｔｒａｔａｇｅｎｅ、Ｌａ Ｊｏｌｌａ、ＣＡ）。
【００３５】
ｃＤＮＡライブラリーは、発現クローニング技術を利用して、Ｂ７関連因子をクローニングするために使用することができる（Ｂ． Ｓｅｅｄ ｅｔ ａｌ．（１９８７）Ｐｒｏｃ． Ｎａｔｌ．　Ａｃａｄ． Ｓｃｉ． ＵＳＡ ８４：３３６５−３３６９；Ａ． Ａｒｕｆｆｏ ｅｔ ａｌ．（１９８７）Ｐｒｏｃ． Ｎａｔｌ． Ａｃａｄ． Ｓｃｉ．　ＵＳＡ ８４：８５７３−８５７７を参照）。１つの態様では、プラスミドＤＮＡを周知のトランスフェクションの方法により細胞系に導入し（例えば、ＤＥＡＥ−デキストラン）、ｃＤＮＡ挿入物を複製および発現させる。抗Ｂ７−１ モノクローナル抗体（例えば１３３およびＢ１． １）および抗ネズミＩｇＧおよびＩｇＭコートされた免疫磁気ビーズを用いてトランスフェクトされた細胞からＢ７−１抗原を減少させる。Ｂ７関連因子を発現するトランスフェクション体をＣＴＬＡ−４−ＩｇおよびＣＤ２８−Ｉｇとインキュベーションした後、抗ヒトＩｇ免疫グロブリンでパンニングすることにより陽性として選択する。パンニングの後、エピソームＤＮＡをパンニングした細胞から取り出し、コンピテント細菌宿主、好ましくは大腸菌（Ｅ． ｃｏｌｉ）内へトランスフェクトする。次いで、プラスミドＤＮＡをその細胞系に再導入し、発現とパンニングのサイクルを少なくとも２回繰り返す。最後のパンニングサイクルの後、プラスミドＤＮＡを個々のコロニーから調製し、細胞系内でトランスフェクトし、ＣＴＬＡ−４ｌｇおよびＣＤ２８−Ｉｇを用いる間接免疫蛍光法によりＢ７関連ポリペプチドの発現について分析する。 クローニングの後、ＣＴＬＡ−４−Ｉｇとの反応性が強いコロニーからプラスミドを調製した後、慣用の配列決定技術を用いて配列を決定する（Ｇ． Ｗ． Ｓｌａｔｅｒ ｅｔ ａｌ．（１９９８）電気泳動 １９：１５２５−４１を参照）。
【００３６】
タンパク配列データベースにおけるＢ７関連遺伝子の同定：別法として、Ｂ７関連因子を入手可能な配列データベースをスクリーニングすることによって同定することができる。以前に同定されたＢ７因子をコードするポリペプチド（例えば、Ｂ７−１、Ｂ７−２またはＢ７−Ｈ１）または本明細書に記載のＢ７関連因子（例えば、ＢＳＬ１、ＢＳＬ２、またはＢＳＬ３）は、様々なタンパク データベースのポリペプチド配列と比較することができる。公に入手可能なタンパク配列データベース、例えば、ＧｅｎＢａｎｋ、ＧｅｎＰｅｐｔ、ＳＷＩＳＳ ＰＲＯＴ、Ｐｒｏｔｅｉｎ Ｄａｔａ Ｂａｎｋ（ＰＤＢ）、Ｐｒｏｔｅｉｎ Ｉｎｆｏｒｍａｔｉｏｎ Ｒｅｓｏｕｒｃｅ（ＰＩＲ）、Ｈｕｍａｎ ＵｎｉＧｅｎｅ（Ｎａｔｉｏｎａｌ Ｃｅｎｔｅｒ ｆｏｒ Ｂｉｏｔｅｃｈｎｏｌｏｇｙ Ｉｎｆｏｒｍａｔｉｏｎ）を、さらなるＢ７関連因子が哺乳類、好ましくはヒトに存在するかどうかを調べるために使用することができる。あるいは、私有のタンパク配列データベース、例えばＩｎｃｙｔｅ Ｇｅｎｏｍｉｃｓ配列データベース（Ｉｎｃｙｔｅ Ｇｅｎｏｍｉｃｓ）を使用してＢ７関連因子を同定することができる。比較的重複の少ない配列を有するデータベース、例えばＰＩＲまたはＳＷＩＳＳ−ＰＲＯＴデータベース、を使用して配列の一致の統計的有意性を高めることができる。但し、より包括的で新しいデータベース例えば、ＧｅｎＢａｎｋ、ＧｅｎＰｅｐｔおよびＩｎｃｙｔｅ Ｇｅｎｏｍｉｃ配列データベース（Ｉｎｃｙｔｅ Ｇｅｎｏｍｉｃｓ）が好ましい。
【００３７】
当分野における任意の方法を使用して並べ、タンパク質配列データベースにあるこれまでに同定されたＢ７因子配列と比較することができる。好ましくは、ＢＬＡＳＴプログラムを用いる（Ｓ． Ｆ． Ａｌｔｓｃｈｕｌ ｅｔ ａｌ．（１９９０）Ｊ． Ｍｏｌ． Ｂｉｏｌ． ２１５：４０３−４１０；Ｓ． Ｋａｒｌｉｎ ｅｔ ａｌ．（１９９０）Ｐｒｏｃ． Ｎａｔｌ． Ａｃａｄ． Ｓｃｉ． ＵＳＡ ８７：２２６４−６８；Ｓ． Ｋａｒｌｉｎ ｅｔ ａｌ．（１９９３）Ｐｒｏｃ． Ｎａｔｌ． Ａｃａｄ． Ｓｃｉ． ＵＳＡ ９０：５８７３−７）。ＢＬＡＳＴは以前に同定されたタンパク質の配列とデータベースのタンパク質の配列との間の局所的なアライメントを同定し、変化によって生じる局所的なアライメントの可能性を推定する。オリジナルのＢＬＡＳＴプログラムはギャップのない局所的なアライメントを用いているが、ＷＵ−ＢＬＡＳＴ２／ＢＬＡＳＴ ｖ２．０（Ｓ． Ｆ． Ａｌｔｓｃｈｕｌ ｅｔ ａｌ．（１９９６）Ｍｅｔｈｏｄｓ Ｅｎｚｙｍｏｌ． ２６６，４６０−４８０）、ＳＳＥＡＲＣＨ（Ｔ． Ｆ． Ｓｍｉｔｈ ｅｔ ａｌ．（１９８１）Ｊ． Ｍｏｌ． Ｂｉｏｌ． １４７：１９５−１９７）やＦＡＳＴＡプログラム（Ｗ． Ｒ． Ｐｅａｒｓｏｎ（１９９０）Ｍｅｔｈｏｄｓ Ｅｎｚｙｍｏｌ． １８３：６３−９８）のような、より最近になって開発されたＢＬＡＳＴプログラムは、に類似したギャップのある局所的なアライメントを取り込むよう修正されている。さらに、弱いが生物学的に関連のある配列類似性を同定するために、位置特異的累次積分ＢＬＡＳＴ（ＰＳＩ ＢＬＡＳＴ）プログラムが開発されている（Ｓ． Ｆ． Ａｌｔｓｃｈｕｌ ｅｔ ａｌ．（１９９７）核酸ｓ Ｒｅｓ． ２５：３３８９−３４０２）。さらに、関連性の低いタンパク質が共有している特異的なパターンまたは配列モチーフを同定するためのパターン−ヒット−主導ＢＬＡＳＴ（ＰＨＩ−ＢＬＡＳＴ）プログラムが設計されている（Ｚ． Ｚｈａｎｇ ｅｔ ａｌ．（１９９８）核酸ｓ Ｒｅｓ． ２６：３９８６−３９９０）。特色を有するＢＬＡＳＴプログラムは、またヒト、微生物およびマラリアゲノム配列の調査並びにベクター、免疫グロブリンおよび推定ヒトコンセンサス配列（Ｎａｔｉｏｎａｌ Ｃｅｎｔｅｒ ｆｏｒ Ｂｉｏｔｅｃｈｎｏｌｏｇｙ ｉｎｆｏｒｍａｔｉｏｎ（ＮＣＢＩ）、Ｂｅｔｈｅｓｄａ、ＭＤ）の調査を行うために利用可能である。
【００３８】
ＦＡＳＴＡおよびＢＬＡＳＴプログラムはいずれも、対象の配列とデータベースの配列との間の非常に短い正確な配列の合致を同定し、最善の短い配列一致（「ヒット」）を解析して、配列相同性を有するより長い鎖が存在するかどうかを判断し、ついでその最善のヒットを動的計画法により最適化する（Ｓ． Ｆ． Ａｌｔｓｃｈｕｌ ｅｔ ａｌ．（１９９０）Ｊ． Ｍｏｌ． Ｂｉｏｌ． ２１５：４０３−４１０；Ｗ． Ｒ． Ｐｅａｒｓｏｎ前掲）。対照的に、ＳＳＥＡＲＣＨプログラムは、対象の配列をデータベースのすべての配列と二つ一組の比較で比較する（Ｔ． Ｆ． Ｓｍｉｔｈ ｅｔ ａｌ．前掲）。このように、ＳＳＥＡＲＣＨプログラムは、ＢＬＡＳＴやＦＡＳＴＡプログラムよりも感度が高いと考えられるが、かなり遅い。ＢＬＡＳＴおよびＦＡＳＴＡプログラムは、検索速度を上げるためにいくつかの近似を用いており、感度および選択性を上げてＳＳＥＡＲＣＨプログラムのパフォーマンスに近づけるために統計的パラメータ（以下参照）を用いている。特定の配列アライメントプログラムは、配列検索が必要とするものまたは個人的な好みに基づいて選択することができる。場合によっては、アライメント検索の結果を確認するためまたは不明瞭な検索結果を解明するために、１以上のアライメント検索プログラムを用いる必要があるかもしれない。
【００３９】
典型的には、ＢＬＡＳＴ解析は、
（ｉ）各残基に対して重み付けをしたホモロジー値を割り当てるスコアリングマトリックス（例えば、ＢＬＯＳＳＵＭ ６２またはＰＡＭ １２０）および
（ｉｉ）反復度の高い配列を認識して計算から除外するフィルタリングプログラム（例えばＳＥＧまたはＸＮＵ）を用いる。次いで、（スコアリングマトリックスとフィルタリングプログラムを用いて）ＢＬＡＳＴ比較を行うことにより、関連することが知られている配列間で適当なホモロジーカットオフを決める。カットオフを本明細書に記載するとおりに校正すれば、他の適当なスコアリングマトリックスおよびフィルタリングプログラムを使用してもよいということは理解されるであろう。即ち、特定のカットオフポイントは、異なった標準パラメータを使用する場合に変更してもよいが、関連性の高い配列をそれらの特定のパラメータを用いて比較するときに示すＰ（Ｎ）スコアに対応する。
【００４０】
Ｂ７関連核酸
本発明の１つの態様は、ＢＳＬ１（配列番号１または３）、ＢＳＬ２（配列番号６、１０、または１２）、またはＢＳＬ３（配列番号１４）またはそれらの断片等のヌクレオチド配列を有する単離された核酸に関する。本発明の核酸分子は、ＤＮＡまたはＲＮＡであってよい。好ましい核酸はヒトＢＳＬ１（配列番号２）、ＢＳＬ２（配列番号７、１１、または１３）、またはＢＳＬ３（配列番号１５）、または断片ｓまたは機能的等価物ｓ ｔｈｅｒｅｏｆをコードするＤＮＡである。このような核酸は、少なくとも、１５、２０、２５、５０、６０、１００、２００、２４０、２５５、２７０、３００、３０５、３１０、４１０、５００、６３０、７００、または１０００個の隣接したヌクレオチドを含み得る。
【００４１】
本願において「単離された」なる語は、細胞の物質または培地を実質的に含まない、Ｂ７関連核酸、ポリペプチド、ペプチド，タンパク融合物、または抗体を意味する。単離されたまたは実質的に精製された分子は、５０％未満、好ましくは約２５％未満、および最も好ましくは約１０％未満の、その分子と会合した細胞成分を含む。
【００４２】
「機能的等価物」は、機能的に等価なＢ７関連因子をコードするヌクレオチド配列を包含するものと意図する。Ｂ７関連タンパクの機能的等価物には、Ｂ７関連タンパクの少なくとも１つの特徴的な機能（例えば、リガンド結合、抗原性、細胞内または細胞間の活性）を示す断片または変異体が包含される．例えば、Ｂ７関連因子のヌクレオチド配列内の、特にコドンの３つの塩基における、ＤＮＡ配列多型は、遺伝コードの縮重のために、コードされたタンパク質のアミノ酸配列に影響を及ぼさない「サイレントな」突然変異を生じ得る。
【００４３】
好ましい態様には、ＢＳＬ１（配列番号１または３）、ＢＳＬ２（配列番号６、１０、または１２）、またはＢＳＬ３（配列番号１５）のポリヌクレオチド配列と、少なくとも６０、７０、８０、８５、９０、９５、９７、９８、９９、９９．５、または１００％の配列同一性を共有する単離された核酸を包含する。このポリヌクレオチド配列は同一であってもよいＢＳＬ１（配列番号１および３）、ＢＳＬ２（配列番号６、１０、または１２）、またはＢＳＬ３（配列番号１４）のヌクレオチド配列と同一であってよく、または参照配列と比較して、ヌクレオチドの変化をある整数個まで含んでいてもよい
【００４４】
当分野で知られている「同一性」は、配列を比較することによって決定されるような、２またはそれ以上のポリペプチド配列間のまたは２またはそれ以上のポリヌクレオチド配列間の関連性である。当分野では、「同一性」は、場合によっては、そのような配列の配列間の一致によって決定されるような、ポリペプチドまたはポリヌクレオチド間の程度も意味する。「同一性」および「類似性」は、以下の文献に記載の方法が挙げられるがこれらに限定されない、周知の方法により容易に計算することができる（Ｃｏｍｐｕｔａｔｉｏｎａｌ Ｍｏｌｅｃｕｌａｒ Ｂｉｏｌｏｇｙ、Ｌｅｓｋ、Ａ． Ｍ．、ｅｄ．、Ｏｘｆｏｒｄ Ｕｎｉｖｅｒｓｉｔｙ Ｐｒｅｓｓ， Ｎｅｗ Ｙｏｒｋ、１９８８；Ｂｉｏｃｏｍｐｕｔｉｎｇ． ＩｎｆｏｒｍａｔｉｃｓおよびＧｅｈｏｍｅ Ｐｒｏｊｅｃｔｓ、Ｓｍｉｔｈ、Ｄ． Ｗ．、ｅｄ．、Ａｃａｄｅｍｉｃ Ｐｒｅｓｓ、Ｎｅｗ Ｙｏｒｋ、１９９３；コンピュータ 解析 ｏｆ 配列を解析しａｔａ、Ｐａｒｔ Ｉ、Ｇｒｉｆｆｉｎ、Ａ． Ｍ．、およびＧｒｉｆｆｉｎ、Ｈ． Ｇ．、ｅｄｓ．、ヒトａ Ｐｒｅｓｓ、Ｎｅｗ Ｊｅｒｓｅｙ、１９９４；配列解析 ｉｎ Ｍｏｌｅｃｕｌａｒ Ｂｉｏｌｏｇｙ、ｖｏｎ Ｈｅｉｎｊｅ、Ｇ．， Ａｃａｄｅｍｉｃ Ｐｒｅｓｓ、１９８７；および配列解析 プライマー、Ｇｒｉｂｓｋｏｖ、Ｍ．および Ｄｅｖｅｒｅｕｘ、Ｊ．、ｅｄｓ．、Ｍ Ｓｔｏｃｋｔｏｎ Ｐｒｅｓｓ、Ｎｅｗ Ｙｏｒｋ、１９９１；およびＣａｒｉｌｌｏ、Ｈ．、およびＬｉｐｍａｎ、Ｄ．、ＳＩＡＭ Ｊ． Ａｐｐｌｉｅｄ Ｍａｔｈ．、４８：１０７３（１９８８）。
【００４５】
核酸について、配列の同一性は、ＢＬＡＳＴＮ２アルゴリズム（Ｓ． Ｆ． Ａｌｔｓｃｈｕｌ ｅｔ ａｌ．、１９９７、Ｎｕｃｌ Ａｃｉｄｓ Ｒｅｓ．、２５：３３８９−３４０２）を用いて、対象の配列を公に入手可能な配列データベース（ＮＣＢＩ）の配列と比較することによって決定することができる。典型的な検索用パラメータ：Ｅ＝ ０．０５、ｖ＝ ５０、Ｂ＝ ５０（ここで、Ｅは期待される可能性のあるスコアカットオフであり、Ｖは結果報告に回帰するデータベースエントリーの数であり、Ｂは、結果報告に回帰する配列アライメントの数である（Ｓ． Ｆ． Ａｌｔｓｃｈｕｌ ｅｔ ａｌ．、１９９０、Ｊ． Ｍｏｌ． Ｂｉｏｌ．、２１５：４０３−４１０））。
【００４６】
別の手段では、ヌクレオチド配列の同一性を次式を用いて計算する：同一性（％）＝（同一なヌクレオチドの数）／（ヌクレオチドの配列の長さ）×１０００。この式に関して、配列の長さに内部ギャップも含まれるが末端のギャップは含まない。あるいは、ヌクレオチド配列の同一性を以下に記載する特定のハイブリダイゼーション条件を用いて実験的に求めることができる。
【００４７】
本発明によれば、核酸の変化は、少なくとも１つのヌクレオチド欠失、転位およびトランスバージョンを含む置換、挿入または修飾（例えば、ＲＮＡまたはＤＮＡアナログ、脱リン酸化、メチル化または標識による）からなる群から選択される。変化は、参照ヌクレオチド配列の５’または３’末端の位置またはそれら末端の位置の間の、参照配列におけるヌクレオチドのうちの個々に散らばった、または参照配列内の１またはそれ以上の隣接した群における任意の場所で生じ得る。ＢＳＬ１（配列番号１および３）、ＢＳＬ２（配列番号６、１０、または１２）またはＢＳＬ３（配列番号１４）の核酸配列の変化は、コード配列において、ナンセンス、ミスセンスまたはフレームシフト突然変異を生じ得、それによりその核酸によってコードされるポリペプチドを改変する。
【００４８】
本発明はさらに、ＢＳＬ１（配列番号１および３）、ＢＳＬ２（配列番号６、１０、または１２）、またはＢＳＬ３（配列番号１４）核酸配列から誘導されるスプライス変異体も包含する。本明細書に記載の、「スプライス変異体」なる語は、ゲノムＤＮＡの一次転写物の分化したプロセシングによって生じた変異体のＢ７関連核酸およびポリペプチドを意味する。別のスプライス変異体は、例えば、本明細書に記載のＢＳＬ２（配列番号６、１０、または１２）のいずれか１つを含み得る。別のスプライス変異体にはさらに、ＢＳＬ１、ＢＳＬ２、またはＢＳＬ３のイントロン／エクソンの他の組合せも含まれ得、これは当業者が決定することができる。別のスプライス変異体は、実験的に、例えば細胞ＲＮＡを単離、分析することにより（例えば、サザンブロッティングまたはＰＣＲ）、またはＢ７関連核酸プローブまたは本明細書に記載のプライマーを用いてｃＤＮＡライブラリーをスクリーニングすることにより決定することができる。別の手段では、当業者が入手可能な種々の方法、コンピュータプログラムまたはコンピュータシステムを用いて別のスプライス変異体を推定することができる。
【００４９】
スプライス部位の推定の一般的方法は、Ｎａｋａｔａ、１９８５、核酸ｓ Ｒｅｓ． １３：５３２７−５３４０に記載されている。さらに、スプライス部位を例えばＧＲＡＩＬ（Ｅ． Ｃ． Ｕｂｅｒｂａｃｈｅｒ および Ｒ． Ｊ． Ｍｕｒａｌ、１９９１、Ｐｒｏｃ． Ｎａｔｌ． Ａｃａｄ． Ｓｃｉ． ＵＳＡ、８８：１１２６１−１１２６５；Ｅ． Ｃ． Ｕｂｅｒｂａｃｈｅｒ、１９９５、Ｔｒ末端 Ｂｉｏｔｅｃｈ．、１３ ：４９７−５００；ｈｔｔｐ ：／／ｇｒａｉｌ． ｌｓｄ． ｏｒｎｌ． ｇｏｖ／ｇｒａｉｌｅｘｐ）；ＧｅｎＶｉｅｗ（Ｌ． Ｍｉｌａｎｅｓｉ ｅｔ ａｌ．、１９９３、　Ｐｒｏｃｅｅｄｉｎｇｓ ｏｆ Ｓｅｃｏｎｄ Ｉｎｔｅｒｎａｔｉｏｎａｌ Ｃｏｎｆｅｒｅｎｃｅ ｏｎ Ｂｉｏｉｎｆｏｒｍａｔｉｃｓ、Ｓｕｐｅｒｃｏｍｐｕｔｉｎｇ、およびＣｏｍｐｌｅｘ Ｇｅｎｏｍｅ 解析、Ｈ． Ａ． Ｌｉｍ ｅｔ ａｌ．（ｅｄｓ）、Ｗｏｒｌｄ Ｓｃｉｅｎｔｉｆｉｃ Ｐｕｂｌｉｓｈｉｎｇ、Ｓｉｎｇａｐｏｒｅ、ｐｐ． ５７３−５８８；ｈｔｔｐ ：／／１２５． ｉｔｂａ． ｍｉ． ｃｎｒ． ｉＶ￣ｗｅｂｇｅｎｅ／ｗｗｗｇｅｎｅ￣ｈｅｌｐ． ｈｔｍｌ）；ＳｐｌｉｃｅＶｉｅｗ（ｈｔｔｐ ：／／ｗｗｗ． ｉｔｂａ． ｍｉ． ｃｎｒ． ｉｔ／ｗｅｂｇｅｎｅ）；およびＨＳＰＬ（Ｖ． Ｖ． Ｓｏｌｏｖｙｅｖ ｅｔ ａｌ．、１９９４、核酸ｓ Ｒｅｓ． ２２：５１５６−５１６３；Ｖ． Ｖ． Ｓｏｌｏｖｙｅｖ ｅｔ ａｌ．、１９９４，”Ｐｒｅｄｉｃｔｉｏｎ ｏｆ ヒトＥｘｏｎｓ ｂｙ オリゴヌクレオチドＣｏｍｐｏｓｉｔｉｏｎおよびＤｉｓｃｒｉｍｉｎａｎｔ 解析 ｏｆ Ｓｐｌｉｃｅａｂｌｅ Ｏｐｅｎ Ｒｅａｄｉｎｇ Ｆｒａｍｅｓ，”Ｒ． Ａｌｔｍａｎ ｅｔ ａｌ．（ｅｄｓ）、Ｓｅｃｏｎｄ Ｉｎｔｅｒｎａｔｉｏｎａｌ ｃｏｎｆｅｒｅｎｃｅ ｏｎ Ｉｎｔｅｌｌｉｇｅｎｔ ｓｙｓｔｅｍｓ ｆｏｒ Ｍｏｌｅｃｕｌａｒ Ｂｉｏｌｏｇｙ、ＡＡＡＩ Ｐｒｅｓｓ、Ｍｅｎｌｏ Ｐａｒｋ、ＣＡ、ｐｐ． ３５４−３６２；Ｖ． Ｖ． Ｓｏｌｏｖｙｅｖ ｅｔ ａｌ．、１９９３，”Ｉｄｅｎｔｉｆｉｃａｔｉｏｎ Ｏｆ ヒトＧｅｎｅ Ｆｕｎｃｔｉｏｎａｌ Ｒｅｇｉｏｎｓ Ｂａｓｅｄ Ｏｎ オリゴヌクレオチドＣｏｍｐｏｓｉｔｉｏｎ，”Ｌ． Ｈｕｎｔｅｒ ｅｔ ａｌ．（ｅｄｓ）、Ｉｎ Ｐｒｏｃｅｅｄｉｎｇｓ ｏｆ Ｆｉｒｓｔ Ｉｎｔｅｒｎａｔｉｏｎａｌ ｃｏｎｆｅｒｅｎｃｅ ｏｎ Ｉｎｔｅｌｌｉｇｅｎｔ Ｓｙｓｔｅｍ ｆｏｒ Ｍｏｌｅｃｕｌａｒ Ｂｉｏｌｏｇｙ、Ｂｅｔｈｅｓｄａ、ｐｐ． ３７１−３７９）コンピュータ ｓｙｓｔｅｍｓを用いて推定することができる。
【００５０】
さらに、ＧｅｎｅＰａｒｓｅｒ（Ｅ． Ｅ． ＳｎｙｄｅｒおよびＧ． Ｄ． Ｓｔｏｒｍｏ、１９９５、Ｊ． Ｍｏｌ． Ｂｉｏｌ． ２４８：１−１８；Ｅ． Ｅ． ＳｎｙｄｅｒおよびＧ． Ｄ． Ｓｔｏｒｍｏ、１９９３、Ｎｕｃｌ． Ａｃｉｄｓ Ｒｅｓ． ２１（３）：６０７−６１３；ｈｔｔｐ ：／／ｍｃｄｂ． ｃｏｌｏｒａｄｏ． ｅｄｕ／−ｅｅｓｎｙｄｅｒ／ ＧｅｎｅＰａｒｓｅｒ． ｈｔｍｌ）；ＭＺＥＦ（Ｍ． Ｑ． Ｚｈａｎｇ、１９９７、Ｐｒｏｃ． Ｎａｔｌ． Ａｃａｄ． Ｓｃｉ． ＵＳＡ、９４：５６５−５６８；ｈｔｔｐ：／／ａｒｇｏｎ． ｃｓｈｌ． ｏｒｇ／ｇｅｎｅｆｉｎｄｅｒ）；ＭＯＲＧＡＮ（Ｓ． Ｓａｌｚｂｅｒｇ ｅｔ ａｌ．、１９９８、Ｊ． Ｃｏｍｐ． Ｂｉｏｌ． ５：６６７−６８０；Ｓ． Ｓａｌｚｂｅｒｇ ｅｔ ａｌ．（ｅｄｓ）、１９９８、Ｃｏｍｐｕｔａｔｉｏｎａｌ Ｍｅｔｈｏｄｓ ｉｎ Ｍｏｌｅｃｕｌａｒ Ｂｉｏｌｏｇｙ、Ｅｌｓｅｖｉｅｒ Ｓｃｉｅｎｃｅ、Ｎｅｗ Ｙｏｒｋ、ＮＹ、ｐｐ． １８７２０３）；ＶＥＩＬ（Ｊ． Ｈ末端ｅｒｓｏｎ ｅｔ ａｌ．、１９９７、Ｊ． Ｃｏｍｐ． Ｂｉｏｌ． ４：１２７−１４１）；ＧｅｎｅＳｃａｎ（Ｓ． Ｔｉｗａｒｉ ｅｔ ａｌ．、１９９７、ＣＡＢＩＯＳ（Ｂｉｏｌｎｆｏｒｍａｔｉｃｓ）１３：２６３−２７０）；ＧｅｎｅＢｕｉｌｄｅｒ（Ｌ． Ｍｉｌａｎｅｓｉ ｅｔ ａｌ．、１９９９、Ｂｉｏｉｎｆｏｒｍａｔｉｃｓ １５：６１２−６２１）；Ｅｕｋａｒｙｏｔｉｃ ＧｅｎｅＭａｒｋ（Ｊ． Ｂｅｓｅｍｅｒ ｅｔ ａｌ．、１９９９、Ｎｕｃｌ． Ａｃｉｄｓ Ｒｅｓ． ２７：３９１１−３９２０）；およびＦＥＸＨ（Ｖ． Ｖ． Ｓｏｌｏｖｙｅｖ ｅｔ ａｌ．、１９９４、核酸ｓ Ｒｅｓ． ２２：５１５６−５１６３）等のコンピュータプログラム。さらに、例えばＲＮＡＳＰＬ（Ｖ． Ｖ． Ｓｏｌｏｖｙｅｖ ｅｔ ａｌ．、１９９４、核酸ｓ Ｒｅｓ． ２２：５１５６−５１６３）；またはＩＮＴＲＯＮ（Ａ． Ｇｌｏｂｅｋ ｅｔ ａｌ．、１９９１、ＩＮＴＲＯＮ ｖｅｒｓｉｏｎ １．１ ｍａｎｕａｌ、Ｌａｂｏｒａｔｏｒｙ ｏｆ Ｂｉｏｃｈｅｍｉｃａｌ Ｇｅｎｅｔｉｃｓ、ＮＩＭＨ、Ｗａｓｈｉｎｇｔｏｎ、Ｄ． Ｃ．）プログラムを用いて、ｃＤＮＡ配列におけるスプライス部位（即ち、以前のまたは可能性のあるスプライス部位）を推定することができる。
【００５１】
本発明はさらに、ＢＳＬ１（配列番号１および３）、ＢＳＬ２（配列番号６、１０、または１２）、またはＢＳＬ３（配列番号１４）の天然の存在する多型を包含する。すべての生物のゲノムは、遺伝子配列の変異体を生じる継続的な進化の過程で自然発生的な突然変異を受けることは当業者は理解するであろう（Ｇｕｓｅｌｌａ、１９８６、Ａｎｎ． Ｒｅｖ． Ｂｉｏｃｈｅｍ． ５５：８３１−８５４）。制限断片長多型（ＲＦＬＰｓ）には、配列の制限断片の長さを変えるＤＮＡ配列における変異が含まれる（Ｂｏｔｓｔｅｉｎ ｅｔ ａｌ．、１９８０、Ａｍ． Ｊ． Ｈｕｍ． Ｇｅｎｅｔ． ３２，３１４−３３１（１９８０））。ＲＦＬＰｓは、ヒトおよび動物の遺伝子解析において広く用いられている（ＷＯ ９０／１３６６８；ＷＯ ９０／１１３６９；Ｄｏｎｉｓ−Ｋｅｌｌｅｒ、１９８７、Ｃｅｌｌ ５１ ：３１９−３３７；Ｌおよびｅｒ ｅｔ ａｌ．、１９８９、Ｇｅｎｅｔｉｃｓ １２１：８５−９９を参照）。短鎖反復配列（ＳＴＲｓ）には、縦列のジ−、トリ−およびテトラヌクレオチド反復モチーフが含まれ、繰り返し配列数多型（ＶＮＴＲ）とも呼ばれる。ＶＮＴＲｓは、身元確認や父子鑑定（米国特許第５，０７５，２１７号；Ａｒｍｏｕｒ ｅｔ ａｌ．、１９９２、ＦＥＢＳ Ｌｅｔｔ． ３０７：１１３−１１５；Ｈｏｒｎ ｅｔ ａｌ．、ＷＯ ９１／１４００３；Ｊｅｆｆｒｅｙｓ、ＥＰ ３７０，７１９）、および多くの遺伝地図作製の研究において使用されている。
【００５２】
一塩基多型（ＳＮＰｓ）は、ＲＦＬＰＳ、ＳＴＲｓ、およびＶＮＴＲｓよりもさらに頻繁である。ＳＮＰｓはタンパクのコード配列（例えばエクソン）、または非コード配列（例えばイントロン、５’ＵＴＲ、３’ＵＴＲ）において生じ得る。タンパクコード領域におけるＳＮＰｓはタンパク質のアミノ酸配列に影響を及ぼさないサイレントな突然変異を含み得る。あるいは、タンパク質コード領域におけるＳＮＰｓは、以下に詳述する、保存的なまたは非保存的なアミノ酸変化を生じ得る。場合によっては、ＳＮＰｓは、欠陥のあるまたは遺伝病を引き起こすかもしれない他の変異タンパク質の発現を惹起することもある。例えば、ｐ−グロビン（鎌状赤血球貧血）および ＣＦＴＲ（嚢胞性線維症）遺伝子において、タンパク質コード配列内のＳＮＰｓは遺伝病を引き起こし得る。非コード配列では、ＳＮＰｓは欠陥のあるタンパク質の発現ももたらし得る（例えば、欠陥のあるスプライシングの結果として）。他の一塩基多型は表現型に対する影響は及ぼさない。
【００５３】
一塩基多型はＲＦＬＰｓおよびＶＮＴＲｓと同様に用いることができるが、 いくつかの効果を発揮する。一塩基多型は、高い頻度で起こる傾向があり、他の多型と比較して、概してゲノムにわたってより均等な間隔で存在する。さらに、他の多型のタイプと比較して、異なるＳＮＰｓを区別しやすいことが多い（例えば、対立遺伝子特異的なハイブリダイゼーションプローブまたはプライマーを用いる分析の使用によって）。本発明の１つの態様では、ＢＳＬ１、ＢＳＬ２、またはＢＳＬ３核酸は少なくとも１つのＳＮＰを含む。これらＳＮＰｓの様々な組合せもまた本発明によって包含される。好ましい態様では、Ｂ７関連ＳＮＰは、本明細書に詳述されている障害のような免疫系の障害に関連している。
【００５４】
さらに、本発明は、ＢＳＬ１（配列番号１および３）、ＢＳＬ２（配列番号６、１０、または１２）、またはＢＳＬ３（配列番号１４）核酸配列と中程度のホモロジーを共有し、適度にストリンジェントなハイブリダイゼーション条件下でＢＳＬ１、ＢＳＬ２、またはＢＳＬ３核酸分子とハイブリダイズする核酸分子を包含する。より好ましくは、ＢＳＬ１、ＢＳＬ２、またはＢＳＬ３核酸配列と実質的な相同性を共有し、ストリンジェンシーの高い条件下でＢＳＬ１、ＢＳＬ２、またはＢＳＬ３核酸分子とハイブリダイズする核酸分子である。本明細書に記載の、「中程度の相同性」とは、参照配列に対し少なくとも６０％の配列同一性を共有する配列を意味し（例えば、ＢＳＬ１、ＢＳＬ２またはＢＳＬ３）、「実質的な相同性」とは、参照配列に対し少なくとも９０％の配列同一性を共有する配列を意味する。但し、スプライス変異体として生じる、または保存的なアミノ酸置換（または縮重コドンの置換）によって修飾される、上記よりも低い相同性のレベルを含むポリペプチドおよびそのようなポリペプチドをコードする核酸は本発明の範囲に属すると解釈されるということは認識される。
【００５５】
本明細書において用いられる「ハイブリダイゼーション条件」は、２本鎖の核酸ハイブリッドが２本の１本鎖の核酸から形成して、安定に保たれる条件を意味する。当業者に知られているように、ハイブリッド配列の安定性はハイブリッドの融解温度（Ｔｍ）に反映される（Ｆ． Ｍ． Ａｕｓｕｂｅｌ ｅｔ ａｌ．、Ｅｄｓ，（１９９５）Ｃｕｒｒｅｎｔ Ｐｒｏｔｏｃｏｌｓ ｉｎ Ｍｏｌｅｃｕｌａｒ Ｂｉｏｌｏｇｙ、Ｊｏｈｎ ＷｉｌｅｙおよびＳｏｎｓ、Ｉｎｃ．、Ｎｅｗ Ｙｏｒｋ、ＮＹを参照）。Ｔｍは、配列の相同性が１％減少するごとに約０．５〜１．５℃下がる。一般に、ハイブリッド配列の安定性はそのハイブリッドの長さとグアニン／シトシン含量、ナトリウムイオン濃度およびインキュベーション温度の関数である。概して、ハイブリダイゼーション反応を、ストリンジェンシーの低い条件下で開始した後、洗液をストリンジェンシーの高いものに変える。ハイブリダイゼーションのストリンジェンシーの基準は、このような洗浄条件に関係する。
【００５６】
本発明によれば、「高いストリンジェンシー」条件は、例えば、４０℃にて、５０％ホルムアミド、５×Ｄｅｎｈａｒｄｔ’ｓ 溶液、５×ＳＳＰＥ、および０．２％ＳＤＳ中のハイブリダイゼーション、次いで６５℃での０．１×ＳＳＰＥおよび０． １ ％ ＳＤＳ中での洗浄によってもたらされる。対照的に、「中程度のストリンジェンシー」は、例えば、４２℃での、５０％ホルムアミド、５×Ｄｅｎｈａｒｄｔ’ｓ溶液、５×ＳＳＰＥ、および０．２％ ＳＤＳ中のハイブリダイゼーション、次いで６５℃での０．２×ＳＳＰＥおよび０．２％ ＳＤＳ中での洗浄によってもたらされる。さらに、「低いストリンジェンシー」条件は、例えば、４２℃での、１０％ホルムアミド、５×Ｄｅｎｈａｒｄｔ’ｓ溶液、６×ＳＳＰＥ、および０．２％ ＳＤＳ中でのハイぶりだいざーション、次いで５０℃での１×ＳＳＰＥおよび０．２％ ＳＤＳ中での洗浄によってもたらされる。これらの条件は、当業者に周知の種々の緩衝液および温度を用いて変更することができるということは理解される。
【００５７】
本発明の好ましい態様において、核酸は、Ｂ７関連因子の少なくとも一部をコードするＤＮＡである。新規のＢ７関連因子をコードする核酸分子は、活性化されたＢリンパ球に存在するｍＲＮＡから得ることができる。Ｂ細胞ゲノムＤＮＡからＢ７関連因子をコードする核酸分子を得ることも可能である。したがって、Ｂ７関連因子をコードする核酸は、本明細書に詳細に記載したプロトコルにしたがってｃＤＮＡまたはゲノムライブラリーのいずれかからクローニングすることができる。新規のＢ７関連因子をコードする核酸は、本明細書において提供される核酸配列情報にしたがって、確立されたポリメラーゼ連鎖反応（ＰＣＲ）技術（ｓｅｅ Ｋ． Ｍｕｌｌｉｓ ｅｔ ａｌ．（１９８６）Ｃｏｌｄ Ｓｐｒｉｎｇ Ｈａｒｂｏｒ Ｓｙｍｐ． Ｑｕａｎｔ． Ｂｉｏｌ． ５１：２６０；Ｋ． Ｈ． Ｒｏｕｘ（１９９５）ＰＣＲ Ｍｅｔｈｏｄｓ Ａｐｐｌ． ４：Ｓ１８５）を用いて、ゲノムＤＮＡまたはｃＤＮＡからクローニングすることもできる。本発明の核酸分子またはその断片は、標準的な技術を用いて化学的に合成することもできる。ペプチド合成のように、商業的に入手可能なＤＮＡ合成装置において完全に自動化された固相合成法を含め、ポリデオキシヌクレオチドを化学的に合成する様々な方法が、知られている（例えば、Ｉｔａｋｕｒａ らの米国特許第４，５９８，０４９号；Ｃａｒｕｔｈｅｒｓらの米国特許第４，４５８，０６６；Ｉｔａｋｕｒａの米国特許第４，４０１，７９６号および同第４，３７３，０７１号を参照）。
【００５８】
新規のＢ７関連因子をコードする核酸分子の１またはそれ以上のヌクレオチドにおける変異（ヌクレオチドの約３〜４％まで）が、天然の対立遺伝子の変異に起因する集団における個人の間で存在し得るということは、当業者には明らかであろう。任意のおよびすべてのそのようなヌクレオチド変異および生じるアミノ酸多型は本発明の範囲内である。さらに、１またはそれ以上のアイソフォームまたは関連した、本明細書に記載のＢ７関連因子のファミリーの交差反応するメンバーもあり得る。そのようなアイソフォームまたはファミリーのメンバーは、Ｂ７関連因子（例えば、ＢＳＬ１、ＢＳＬ２、またはＢＳＬ３）に対して機能およびアミノ酸配列において関連するポリペプチドであると定義されるが、異なる位置で遺伝子によってコードされる。
【００５９】
ＤＮＡ配列の突然変異は、単純な欠失または挿入、塩基の一群の系統的な欠失、挿入または置換、または１個の塩基の置換を作製するための方法を含む、数多くの方法のうちのいずれか１つによって、Ｂ７関連因子をコードする核酸に導入して、所望の変異体を作製することができる。アミノ酸置換または欠失を作製するためのＢ７関連核酸分子の突然変異は、部位特異的突然変異誘発により好ましく得ることができる。部位特異的突然変異誘発は当業者によく知られており、商業的な供給元から入手することができる（例えば、Ａｍｅｒｓｈａｍ Ｐｈａｒｍａｃｉａ Ｂｉｏｔｅｃｈ、Ｉｎｃ．、Ｐｉｓｃａｔａｗａｙ、ＮＪを参照）。どのアミノ酸を、生物学的または免疫学的活性を損なうことなく、置換、挿入または欠失し得るかの判断の指針は、当分野で周知のコンピュータプログラム、例えば、ＤＮＡＳＴＡＲソフトウエア（ＤＮＡＳＴＡＲ、Ｉｎｃ．、Ｍａｄｉｓｏｎ、ＷＩ）を用いて見出すことができる。ＢＳＬ１、ＢＳＬ２、またはＢＳＬ３核酸分子の突然変異体は、発現したポリペプチドまたはペプチドが免疫または炎症細胞（例えば、Ｔ細胞）を調節することが可能である場合は、本発明の範囲内にと考えられる。
【００６０】
新規のＢ７関連因子をコードする核酸配列の断片は、Ａ断片 ｏｆ 核酸 ｍｏｌｅｃｕｌｅ ｅｎｃｏｄｉｎｇ ａ ｎｏｖｅｌＢ７ｒｅｌａｔｅｄ ｆａｃｔｏｒ ｉｓ ｄｅｆｉｎｅｄ ａｓ ａ ヌクレオチド配列ｈａｖｉｎｇ ｆｅｗｅｒ ヌクレオチドｔｈａｎ ヌクレオチド配列ｅｎｃｏｄｉｎｇ ｅｎｔｉｒｅアミノ酸配列ｏｆ ｔｈｅＢ７関連因子の全アミノ酸配列をコードするヌクレオチド配列よりも少ないヌクレオチドを有するヌクレオチド配列として定義される。． 核酸断片 ｗｈｉｃｈ ｅｎｃｏｄｅ ポリペプチド ｗｈｉｃｈ ｒｅｔａｉｎ ａｂｉｌｉｔｙ ｔｏ ｂｉｎｄ ｔｏ ｔｈｅｉｒ ｎａｔｕｒａｌ リガンド（ｓ）ｏｎ Ｔ細胞等の免疫または炎症応答細胞の天然のリガンドに結合する能力を保持しているポリペプチドをコードする核酸断片、および免疫応答を増幅またはブロックする（例えば、一次活性化シグナルを受け取ったＴ細胞によるリンホカイン産生および／または増殖によって確認される）は、本発明の範囲内に入ると考えられる。例えば、ＣＤ２８および／またはＣＤ２８関連リガンドに結合しＴ細胞に対する副刺激を送達する能力を保持するＢ７関連因子のポリペプチドまたはペプチドをコードする核酸断片は、本発明の範囲に入る。一般に、Ｂ７関連因子の断片をコードする核酸分子は、成熟タンパク質のコード配列から選択される。しかし、場合によっては、リーダー配列を含むコード領域の断片のすべてまたは一部を選択することが望ましいこともある。
【００６１】
本発明の１つの態様では、ＢＳＬ１、ＢＳＬ２、またはＢＳＬ３ 核酸配列はｃａｎ ｂｅ ｕｓｅｄ ａｓ ａプローブ ｆｏｒ ａｓｓａｙｉｎｇ ａ ｂｉｏｌｏｇｉｃａｌ ｓａｍｐｌｅ ｆｏｒ 発現 ｏｆ １またはそれ以上のＢ７関連因子の発現のための生物学的サンプルを分析するためのプローブとして、またはＤＮＡスクリーニングまたはＰＣＲ増幅のためのプライマーとして用いることができる。好ましくは、このような断片は、少なくとも８個の隣接したヌクレオチドの長さ、より好ましくは少なくとも１２個の隣接したヌクレオチドの長さ、さらに好ましくは１５個の隣接したヌクレオチドの長さおよびさらに好ましくは少なくとも２０個の隣接したヌクレオチドの長さである。本発明の範囲に属する核酸分子はさらに、リンカー配列、修飾制限エンドヌクレアーゼ部位、および組換えタンパク質またはその断片の分子のクローニング、発現または精製に有用なその他の配列を含む。本発明の核酸分子は、さらに放射性同位元素、または化学発光物質、傾向物質またはその他の標識化合物と結合させてもよい（例えば、ジゴキシゲニン）。さらに、本ａＰＣｈツ名の核酸分子は、核酸修飾酵素、例えば、キナーゼまたはホスファターゼによって修飾されていてもよい。核酸分子のこれらのおよび他の修飾は当分野においてよく知られている。
【００６２】
さらに、Ｂ７関連因子または生物学的に活性なその断片をコードする核酸分子、は、融合タンパク質（キメラタンパク質とも呼ばれる）をコードするためにヘテロローガスな配列と連結することができる。例えば、本明細書に記載のＢ７関連因子およびヒトＩｇＧのＦｃドメインを含む融合タンパク質をコードする核酸を構築するのに有用であろう。得られるＢＳＬ１−Ｉｇ、ＢＳＬ２−ＩｇおよびＢＳＬ３−Ｉｇ融合タンパク質は、次に宿主細胞内で発現させ、免疫調節に有用な医薬組成物を製造するために使用することができる（以下参照）。Ｂ７関連ポリペプチドを含む融合タンパク質は、Ｂ７関連ポリペプチドまたは抗体の単離や精製に使用することもできる（以下参照）。さらに、融合タンパク質は、ＢＳＬ１、ＢＳＬ２、またはＢＳＬ３の細胞のリガンドまたは結合パートナーを同定するために用いることができる（以下参照）。
【００６３】
Ｂ７関連核酸発現ベクター
本発明の更なる態様は、本明細書に記載の、少なくとも１つの調節配列に作動可能なように連結した、少なくとも１つのＢ７関連因子をコードする核酸を含む発現ベクターに関する。「作動可能なように」は、ヌクレオチド配列がそのヌクレオチド配列の発現が可能になるように調節配列に連結していることを意味する。調節配列は当分野に知られており、適当な宿主細胞における目的タンパク質の発現を指揮するように選択する。したがって、調節配列の用語には、プロモーター、エンハンサーおよびその他の発現調節エレメントが含まれる（Ｄ． Ｖ． Ｇｏｅｄｄｅｌ（１９９０）Ｍｅｔｈｏｄｓ Ｅｎｚｙｍｏｌ． １８５：３−７を参照）。発現ベクターの設計は、形質転換される宿主細胞の選択および／または発現させる所望のポリペプチド等の因子に依存し得るということは理解される。
【００６４】
本発明で使用するのに適当な宿主細胞としては、細菌、真菌、酵母、植物、昆虫、および動物細胞、特に哺乳類およびヒト細胞が挙げられる。好ましい複製および遺伝系としては、Ｍ１３、ＣｏｌＥ１、ＳＶ４０、バキュロウイルス、ラムダ、アデノウイルス、ＣＥＮ ＡＲＳ、２μｍＡＲＳなどが挙げられる。いくつかの調節エレメント（例えばプロモーター）は単離されており、様々な宿主においてへテロローガスなタンパク質の転写および翻訳に有効であることが示されている。そのような調節領域、単離の方法、操作のやり方などは、当分野に知られている。細菌プロモーターの非限定的な例としては、β−ラクタマ−ゼ（ペニシリナーゼ）プロモーター；ラクトースプロモーター；トリプトファン（ｔｒｐ）プロモーター；ａｒａＢＡＤ（アラビノース）オペロンプロモーター；λ−由来Ｐ１プロモーターおよびＮ遺伝子リボース結合部位および、ｔｒｐおよびｌａｃＵＶ５プロモーターの配列由来のハプロイドｔａｃプロモーターが挙げられる。酵母プロモーターの非限定的な例としては、３−ホスホグリセリン酸キナーゼプロモーター、グリセルアルデヒド−３−リン酸デヒドロゲナーゼ（ＧＡＰＤＨ）プロモーター、ガラクトキナーゼ（ＧＡＬ１）プロモーター、ガラクトピメラーゼプロモーター、およびアルコール脱水素酵素（ＡＤＨ１）プロモーターが挙げられる。哺乳類細胞に適したプロモーターとしては、シミアンウイルス４０（ＳＶ４０）、ラウス肉腫ウイルス（ＲＳＶ）、アデノウイルス（ＡＤＶ）、およびウシ乳頭腫ウイルス（ＢＰＶ）等に由来のウイルスプロモーターが挙げられるがこれらに限定されない。．
【００６５】
真核細胞はさらに、遺伝子発現を調節する、ターミネーター配列、ポリアデニル化配列およびエンハンサー配列を必要とするかもしれない。遺伝子の増幅を引き起こす配列も望ましいかもしれない。これらの配列は等分野においてよく知られている。さらに、シグナル配列および／またはプレタンパクもしくはプロタンパク配列等の、細菌、酵母および動物細胞が含まれるがこれに限定されない細胞からの組換え産物の分泌を促進する配列を含んでいてもよい。そのような配列は等分野において十分に記載されている。
【００６６】
適当な発現ベクターとしては、ｐＵＣ、ｐＢｌｕｅｓｃｒｉｐｔ（Ｓｔｒａｔａｇｅｎｅ）、ｐＥＴ（Ｎｏｖａｇｅｎ、Ｉｎｃ．、Ｍａｄｉｓｏｎ、ＷＩ）、およびｐＲＥＰ（Ｉｎｖｉｔｒｏｇｅｎ）プラスミドが挙げられるがこれに限定されない。ベクターは、クローニングまたは発現のための１またはそれ以上の複製および遺伝系、宿主における選択のための１またはそれ以上のマーカー、例えば抗生物質耐性、および１またはそれ以上の発現カセットを含む。挿入されたコード配列は、標準的な方法により合成し、天然の供給源から単離し、またはハイブリッドとして調製することができる。コード配列の転写調節エレメント（例えば、プロモーター、エンハンサー、および／またはインシュレーター）および／またはその他のアミノ酸コード配列への連結は、確立された方法を用いて実施することができる。
【００６７】
１つの態様において、発現ベクターは、ＢＳＬ１、ＢＳＬ２、またはＢＳＬ３ ポリペプチドの少なくとも一部をコードする核酸を含む。別の態様では、発現ベクターは、Ｂ７関連因子をコードするＤＮＡ配列および別のＢ７関連因子またはヘテロローガスなポリペプチドまたはペプチドをコードするＤＮＡ配列を含む。そのような発現ベクターは、宿主細胞をトランスフェクトして、それによって以下に記載の核酸分子によってコードされる融合タンパク質またはペプチドを含む、ポリペプチドまたはペプチドを産生させるために使用することができる。
【００６８】
Ｂ７関連ポリペプチド
本発明の更なる態様は、Ｂ７関連ポリペプチドおよびＢ７関連ペプチドを単離する方法に関する。本明細書に用いられる、「タンパク質」および「ポリペプチド」は同義である。ペプチドは、タンパク質またはポリペプチドの断片または一部、好ましくは、完全なタンパク質と同じまたは等価な機能または活性を有する断片または一部でとして定義される。Ｂ７関連ポリペプチドまたはペプチドの天然に存在する形態および組換え形態は、本発明の分析および処置に用いることができる。細胞内または細胞外リゼート等の天然の供給源からのポリペプチドまたはペプチドを直接単離および精製するための方法は、当分野においてよく知られている（Ｅ． Ｌ． Ｖ． ＨａｒｒｉｓおよびＳ． Ａｎｇａｌ、Ｅｄｓ．（１９８９）Ｐｒｏｔｅｉｎ精製カラムＭｅｔｈｏｄｓ ：Ａ ＰｒａｃｔｉｃａｌＡｐｐｒｏａｃｈ、ＩＲＬ Ｐｒｅｓｓ、Ｏｘｆｏｒｄ、Ｅｎｇｌおよび）。そのような方法として、調製用ディスクゲル電気泳動、等電点フォーカシング、高速液体クロマトグラフィー（ＨＰＬＣ）、逆相ＨＰＬＣ、ゲル濾過、イオン交換および分配クロマトグラフィー、および向流分配、およびその組合せが挙げれられるがこれらに限定されない。天然に存在するポリペプチドは、多くの可能な供給源、例えば、血漿、体細胞および組織または体液を精製することができる。
【００６９】
組換えＢ７関連ポリペプチドまたはペプチドを製造するために、Ｂ７関連ポリペプチドまたはペプチドをコードするＤＮＡ配列を、インタクトな宿主細胞または無細胞の翻訳系における発現に適当なベクター内にクローニングする（例えば、Ｊ． Ｓａｍｂｒｏｏｋ ｅｔ ａｌ．前掲）。原核および真核ベクターおよび宿主細胞を用いることができる。ベクター、宿主細胞、または翻訳系の具体的な選択は、本発明を実施するのには重要ではない。所望であれば、与えられた生物におけるより効率的な発現のために、ＤＮＡ配列を最適化することができる。例えば、コドンを変更して、当業者が常套的に行っている技術を用いて与えられた宿主細胞または無細胞翻訳系における好ましいコドンの使用に適合させることができる。
【００７０】
目的によっては、ペプチドまたはポリペプチドが精製を容易にするための更なる配列タグを有している組換え系においてペプチドまたはポリペプチドを産生させることが好ましいかもしれない。そのようなマーカーとしては、エピトープタグおよびタンパク質タグが含まれる。エピトープタグの非限定的な例としては、ｃ−ｍｙｃ、ヘマグルチニン（ＨＡ）、ポリヒスチジン（６Ｘ−ＨＩＳ）、ＧＬＵ−ＧＬＵ、およびＤＹＫＤＤＤＤＫ（ＦＬＡＧ（登録商標））エピトープタグが挙げられる。エピトープタグは、数多くの確立された方法によってペプチドに付加することができる。エピトープタグのＤＮＡ配列は、ＰＣＲ増幅において使用するオリゴヌクレオチドまたはスループライマーとして、ペプチドコード配列内へ挿入することができる。別法として、ペプチドコード配列は、エピトープタグを有する融合物を作出する特定のベクター内、例えば、ｐＲＳＥＴベクター（Ｉｎｖｉｔｒｏｇｅｎ Ｃｏｒｐ．、Ｓａｎ Ｄｉｅｇｏ、ＣＡ）、へクローニングすることができる。タンパク質タグの非限定的な例としては、グルタチオン−Ｓ−トランスフェラーゼ（ＧＳＴ）、緑色蛍光タンパク質（ＧＦＰ）、およびマルト−ス結合タンパク質（ＭＢＰ）が挙げられる。タンパク質タグをいくつかの周知の方法によってペプチドまたはポリペプチドに結合する。１つの方法では、ポリペプチドまたはペプチドのコード領域をそのポリペプチドまたはペプチドと目的のタンパク質タグとの融合物を作出するベクター内へクローニングすることができる。適当なベクターとしては、典型的なプラスミド、ｐＧＥＸ（Ａｍｅｒｓｈａｍ Ｐｈａｒｍａｃｉａ Ｂｉｏｔｅｃｈ、Ｉｎｃ．、Ｐｉｓｃａｔａｗａｙ、ＮＪ）、ｐＥＧＦＰ（ＣＬＯＮＴＥＣＨ Ｌａｂｏｒａｔｏｒｉｅｓ、Ｉｎｃ．、Ｐａｌｏ Ａｌｔｏ、ＣＡ）、およびＰＭＡＬ （登録商標）（Ｎｅｗ Ｅｎｇｌおよび ＢｉｏＬａｂｓ、Ｉｎｃ．、Ｂｅｖｅｒｌｙ、ＭＡ）が挙げられるが、これに限定されない。発現後、エピトープまたはタンパク質タグを有するポリペプチドまたはペプチドを、適当な固相マトリックスでのクロマトグラフィーにより翻訳系の粗製リゼートまたは宿主細胞から精製することができる。場合によっては、精製後に、エピトープまたはタンパク質タグ（プロテアーゼ開裂により）を除去してもよい。
【００７１】
本発明に従う使用に適当な無細胞発言系としては、ウサギ網状赤血球リゼート、小麦麦芽抽出物、イヌ膵臓ミクロソーム膜、大腸菌Ｓ３０抽出物、およびカップリングした転写／翻訳系（Ｐｒｏｍｅｇａ Ｃｏｒｐ．、Ｍａｄｉｓｏｎ、ＷＩ）が挙げられる。これらの系は、クローニングベクター、コード領域および適当なプロモーターエレメントを含むＤＮＡ断片またはＲＮＡ配列の添加によって組換えポリペプチドまたはペプチドの発現が可能になる。
【００７２】
組換えクローニングベクターのための宿主細胞としては、細菌、ａｒｃｈｅ細菌、真菌、植物、昆虫および動物細胞、特に哺乳類細胞が挙げれれる。特に、興味深いのは、大腸菌、Ｂ． ｓｕｂｔｉｌｉｓ、Ｓ． ａｕｒｅｕｓ、Ｓ． ｃｅｒｅｖｉｓｉａｅ、Ｓ． ｐｏｍｂｅ、Ｎ． ｃｒａｓｓａ、ＳＦ９、Ｃ１２９，２９３、ＮＩＨ ３Ｔ３、ＣＨＯ、ＣＯＳ、およびＨｅＬａ細胞である。このような細胞は、エレクトロポレーション、ＣａＣｌ２−、ＬｉＣｌ−、ＬｉＡｃ／ＰＥＧ−、スフェロプラスティング、Ｃａ−ホスフェート、ＤＥＡＥ−デキストラン、リポソ−ム化したＤＮＡ取り込み、インジェクション、マイクロインジェクション、マイクロインジェクタイルボンバードメント、またはその他の確立された方法を含むいずれかの適当な方法によって、必要に応じて、形質転換、トランスフェクトまたは形質導入することができる。
【００７３】
Ｉｎ ｏｒｄｅｒ ｔｏ ｉｄｅｎｔｉｆｙ ｈｏｓｔ細胞 ｔｈａｔ ｃｏｎｔａｉｎ 発現ベクター、ａ ｇｅｎｅ ｔｈａｔ ｃｏｎｔａｉｎｓ ａ ｓｅｌｅｃｔａｂｌｅ ｍａｒｋｅｒ ｉｓ ｇｅｎｅｒａｌｌｙ ｉｎｔｒｏｄｕｃｅｄ ｉｎｔｏ ｈｏｓｔ細胞 ａｌｏｎｇ ｗｉｔｈ ｇｅｎｅ ｏｆ ｉｎｔｅｒｅｓｔ． Ｐｒｅｆｅｒｒｅｄ ｓｅｌｅｃｔａｂｌｅ ｍａｒｋｅｒｓ ｉｎｃｌｕ発現ベクターを含む宿主細胞を同定するために、選択可能なマーカーを含む遺伝子は、目的の遺伝子と共に宿主細胞内へ遺伝子導入する。好ましい選択可能マーカーとしては、例えばＧ４１８、ハイグロマイシン、メトトレキセートまたはアンピシリンなどの薬物に対する耐性を与えるものが挙げられる。選択可能マカーは、目的遺伝子と同じプラスミドに導入することができる。薬物耐性マーカーを有する細胞は、対応する薬物を含む培地で生存するので、目的遺伝子を含む宿主細胞は薬物選択によって同定する。
【００７４】
生存細胞を組換えＢ７関連ポリペプチドまたはペプチドまたはその融合物の産生についてスクリーニングすることができる。１つの態様では、組換えポリペプチドは細胞表面に分泌され、およびＢ細胞抗原に対するリガンド（例えば、ＣＤ２８−Ｉｇ）で細胞表面染色により同定することができる。別の態様では、組換えポリペプチドは、宿主細胞の細胞質に保持され、抗Ｂ７関連ポリペプチド抗体を用いる細胞抽出物において同定することができる。さらに別の態様では、か用性組換えポリペプチドは培地に分泌され、抗Ｂ７関連ポリペプチド抗体で培地をスクリーニングすることにより同定される。可溶性の、分泌された組換えＢ７ポリペプチドは、細胞質および／または膜貫通領域を含まない、ポリペプチドの細胞外ドメインまたはその任意の断片を含む。細胞表面および細胞質組換えＢ７関連ポリペプチドは、細胞質のタンパク質の溶解および抽出の後、単離することができ、そのこで、分泌した組換えＢ７関連ポリペプチドを標準的な技術によって培地から単離することができる（Ｉ． Ｍ． Ｒｏｓｅｎｂｅｒｇ、Ｅｄ．（１９９６）Ｐｒｏｔｅｉｎ 解析および精製カラム ：Ｂｅｎｃｈｔｏｐ Ｔｅｃｈｎｉｑｕｅｓ、Ｂｉｒｋｈａｕｓｅｒ、Ｂｏｓｔｏｎ、Ｃａｍｂｒｉｄｇｅ、ＭＡ参照）。
【００７５】
抗体ベースの方法は、天然のまたは組換えにより産生したＢ７関連ポリペプチドまたはペプチドを精製するために用いることができる。そこから得られるこれらのポリペプチドまたはペプチドを認識する抗体は、当分野で知られ実施されている方法を用いて製造および単離することができる（以下参照）。Ｂ７関連ポリペプチドまたはペプチドを、抗体を結合させた固相マトリックスを用いてクロマトグラフィーにより粗製のリゼートから精製することができる（Ｅ． ＨａｒｌｏｗおよびＤ． Ｌａｎｅ、１９９９、Ｕｓｉｎｇ 抗ｂｏｄｉｅｓ ：Ａ Ｌａｂｏｒａｔｏｒｙ Ｍａｎｕａｌ、Ｃｏｌｄ Ｓｐｒｉｎｇ Ｈａｒｂｏｒ Ｌａｂｏｒａｔｏｒｙ、Ｃｏｌｄ Ｓｐｒｉｎｇ Ｈａｒｂｏｒ、ＮＹを参照）。当分野で知られているその他の方法も利用することができる。
【００７６】
Ｂ７関連因子を細胞表面上に発現する形質転換した宿主細胞（例えば、ＢＳＬ１、ＢＳＬ２、および／またはＢＳＬ３）またはその一部は、本発明の範囲に属する。例えば、肉腫、メラノーマ、白血病、リンパ腫、悪性腫瘍または神経芽細胞腫等の腫瘍細胞を少なくとも１つのＢ７関連因子の発現を指揮する発現ベクターにより形質転換することができる。そのような形質転換細胞は、本明細書に詳細に記載された腫瘍免疫を処置するのに使用することができる。
【００７７】
Ｂ７関連ポリペプチド
本発明の更なる態様は、Ｂ７関連ポリペプチドを単離することに関する。本発明は、ＢＳＬ１（配列番号２）、ＢＳＬ２（配列番号７、１１、または１３）、またはＢＳＬ３（配列番号１５）ポリペプチド、およびその断片および機能的等価物を包含する。そのようなポリペプチドは、少なくとも５、１２、２０、３０、５０、１００、１７０、２００、２１０、３００、または５００個の隣接したアミノ酸残基を含む。好ましくは、ＢＳＬ１（配列番号 ２）、ＢＳＬ２（配列番号７、１１、または１３）、またはＢＳＬ３（配列番号 １５）ポリペプチドと中程度の相同性を共有するポリペプチドである。より好ましくは、ＢＳＬ１（配列番号 ２）、ＢＳＬ２（配列番号７、１１、または１３）、またはＢＳＬ３（配列番号１５）と実質的な相同性を共有するポリペプチドである。
【００７８】
「機能的等価物」なる語は、アミノ酸配列が与えられたＢ７関連ポリペプチド、例えばＢＳＬ１（配列番号２）、ＢＳＬ２（配列番号７、１１、または１３）、またはＢＳＬ３（配列番号１５）ポリペプチドの配列、とは異なるタンパク質を包含するものと意図されるが、そのような相違が、少なくとも１つのＢ７関連ポリペプチドの特徴的な機能（例えば、リガンド結合、抗原性、細胞間または細胞内活性）を示す修飾タンパク質をもたらすようなタンパク質を包含するものと意図する。例えば、ＢＳＬ１、ＢＳＬ２、またはＢＳＬ３ポリペプチドは、このポリペプチドの機能（即ち、Ｔ細胞増殖を副刺激するこれらポリペプチドの能力）に直接関与しないアミノ酸残基の置換、付加または欠失などの修飾を有していてもよい。さらに、ＣＤ２８および／またはＣＤ２８関連リガンドに結合することが可能なＢ７関連ポリペプチドの非天然のアナログは、機能的等価物と考えられる。Ｂ７関連ポリペプチドの機能的等価物を産生させるための、これらポリペプチドの様々な修飾は本明細書に詳細に記載されている。
【００７９】
溶解性を増大させる、治療または予防効果（反応性）、または安定性（例えば、生体外での保管期限および生体内でのタンパク質分解に対する耐性）を高める目的等のために、Ｂ７関連ポリペプチドの構造を修飾することも可能である。そのような修飾タンパク質は、本明細書に記載のＢ７関連ポリペプチドの機能的等価物であると考えられる。好ましくは、Ｂ７関連ポリペプチドを、Ｔ細胞増殖を副刺激する能力を保持するように修飾する。Ｔ細胞上のＣＤ２８またはＣＤ２８関連リガンドと相互作用するのに必須であることが示されている残基は、必須のアミノ酸を、その存在によってレセプターの相互作用が増大、減少はするが、相互作用の消失や誘起はもたらさないことが分かっている別のアミノ酸、好ましくは類似のアミノ酸残基（保存的置換）で置換することによって修飾することができる。さらに、レセプター相互作用に必須であるそれらのアミノ酸残基を修飾することができる。そのアミノ酸を導入することによって反応性が増大、減少し得るが、反応性は誘起しない別のアミノ酸で置換することにより修飾することができる。例えば、Ｂ７関連ポリペプチドをシステイン残基を、アラニン、セリン，トレとニン、ロイシンまたはグルタミン酸等の他のアミノ酸で置換することにより修飾して、ジスルフィド結合による二量体化を防止することができる。さらに、本発明のＢ７関連ポリペプチドのアミノ酸側鎖を化学的に修飾することができる。また、Ｂ７関連ポリペプチドをアミノ酸配列の環化によって修飾することができる。
【００８０】
安定性および／または反応性を増大させるために、Ｂ７関連ポリペプチドを改変して１またはそれ以上の多型をアミノ酸配列に組み込むことができる。さらに、Ｄ−アミノ酸、非天然のアミノ酸または非アミノ酸アナログを置換または付加して修飾ポリペプチドを製造することができる。さらに、本明細書に記載のＢ７関連ポリペプチドをポリエチレングリコール（ＰＥＧ）を用いて、既知の方法（Ｗｉｅ ｅｔ ａｌ．前掲）により修飾してＰＥＧが結合したタンパク質を製造することができる。さらに、ＰＥＧをタンパク質の化学合成の間に付加することができる。その他の可能な修飾としては、還元／アルキル化（Ｔａｒｒ（１９８６）Ｍｅｔｈｏｄｓ ｏｆ Ｐｒｏｔｅｉｎ Ｍｉｃｒｏｃｈａｒａｃｔｅｒｉｚａｔｉｏｎ、Ｊ． Ｅ． Ｓｉｌｖｅｒ、Ｅｄ．、ヒトａ Ｐｒｅｓｓ、Ｃｌｉｆｔｏｎ、ＮＪ、ｐｐ． １５５−１９４）；アシル化（Ｔａｒｒ前掲）；適当な担体との化学的カップリング（ＭｉｓｈｅｌｌおよびＳｈｉｉｇｉ、Ｅｄｓ．（１９８０）Ｓｅｌｅｃｔｅｄ Ｍｅｔｈｏｄｓ ｉｎ Ｃｅｌｌｕｌａｒ Ｉｍｍｕｎｏｌｏｇｙ、Ｗ Ｈ Ｆｒｅｅｍａｎ、Ｓａｎ Ｆｒａｎｃｉｓｃｏ、ＣＡ；米国特許第４，９３９，２３９；またはＢ７関連ポリペプチドの温和なホルマリン処理（Ｍａｒｓｈ（１９７１）Ｉｎｔ Ａｒｃｈ． ｏｆ ＡｌｌｅｒｇｙおよびＡｐｐｌ． Ｉｍｍｕｎｏｌ． ４１：１９９−２１５）が挙げられる。
【００８１】
修飾されたポリペプチドは保存的変化を有し、置換されたアミノ酸が同様の構造または化学的特性を有する。例えばロイシンのイソロイシンによる置換。時には、修飾されたポリペプチドは、非保存的変化を有することができる。例えば、トリプトファンによるグリシンの置換。生物学的または免疫学的活性を損なうことなく、どのアミノ酸残基を置換挿入または欠失するかの判断の指針は、当分野で周知のコンピュータプログラム、例えば、ＤＮＡＳＴＡＲソフトウエア（ＤＮＡＳＴＡＲ、Ｉｎｃ．， Ｍａｄｉｓｏｎ、ＷＩ）を用いて見出すことができる。
【００８２】
非限定的な例として、Ｂ７関連アミノ酸配列の保存的置換は、以下の表にしたがって行うことができる：
2004500863.tif 000003
【００８３】
機能または免疫における実質的変化は、上記の表に示されているものよりも保存性の低い置換を選択することによって作製することができる。例えば、変更する領域、例えば、α−ヘリックスルまたはβ−シート構造；標的部位での分子の電荷または疎水性；または側鎖のかさ高さにおいて、より有意の影響をポリペプチドの構造に及ぼす非保存的置換を行うことができる。ｓｕｂｓｔｉｔｕｔｉｏｎｓ ｗｈｉｃｈ ｇｅｎｅｒａｌｌｙ ａｒｅ ｅｘｐｅｃｔｅｄ ｔｏ ｐｒｏｄｕｃｅ ｇｒｅａｔｅｓｔ ｃｈａｎｇｅｓ ｉｎ ポリペプチドの特性の大きな変化をもたらすと一般に予想される置換は、１）疎水性残基、例えば、セリルまたはトレオニルで（を）、疎水性残基、例えばロイシル、イソロイシル、フェニルアラニル、バリルまたはアラニルを（で）置換する；２）システインまたはプロリンで（を）任意の他の残基を（で）置換する；３）正に荷電した側鎖を有する残基、例えばリシル、アルギニル、またはヒスチジルで（を）負に荷電した残基、例えばグルタミルまたはアスパルチルを（で）置換する；または４）かさ高い側鎖を有する残基、例えばフェニルアラニンで（を）側鎖を持たない残基、例えばグリシンを（で）置換する。
【００８４】
好ましいポリペプチドの態様は、さらに、ＢＳＬ１（配列番号２）、ＢＳＬ２（配列番号７、１１、または１３）、またはＢＳＬ３（配列番号１５）のアミノ酸配列と少なくとも６０，７０，８０、８５，９０，９５，９７，９８，９９，９９．５または１００％を同一性を共有するアミノ酸配列を含む単離されたポリペプチドを包含する。このポリペプチド配列は配列ｏｆ ＢＳＬ１（配列番号２）、ＢＳＬ２（配列番号７、１１、または１３）、またはＢＳＬ３（配列番号１５）の配列と同一、または参照配列との比較である特定の整数個のアミノ酸変化まで含んでいてもよい。
【００８５】
配列同一性の百分率は、コンピュータプログラムを用いて計算するかまたは配列を直接比較することができる。２つの配列間の同一性を決定するための好ましいコンピュータプログラム法としては、ＧＣＧプログラムパッケージ、ＦＡＳＴＡ、ＢＬＡＳＴＰ、およびＴＢＬＡＳＴＮ（例えばＤ． Ｗ． Ｍｏｕｎｔ、２００１、Ｂｉｏｉｎｆｏｒｍａｔｉｃｓ ：配列およびＧｅｎｏｍｅ 解析、Ｃｏｌｄ Ｓｐｒｉｎｇ Ｈａｒｂｏｒ Ｌａｂｏｒａｔｏｒｙ Ｐｒｅｓｓ、Ｃｏｌｄ Ｓｐｒｉｎｇ Ｈａｒｂｏｒ、ＮＹを参照）が挙げられるがこれに限定されない。ＢＬＡＳＴＰおよびＴＢＬＡＳＴＮプログラムは、ＮＣＢＩおよびその他の供給元から公に入手可能である。周知のＳｍｉｔｈ Ｗａｔｅｒｍａｎアルゴリズムを用いて同一性を決定してもよい。
【００８６】
アミノ酸配列の比較のためのパラメータの例としては、以下のものが挙げられる：１）ＮｅｅｄｌｅｍａｎおよびＷｕｎｓｃｈ、１９７０、Ｊ Ｍｏｌ、Ｂｉｏｌ． ４８：４４３−４５３のアルゴリズム；２）ＨｅｎｔｉｋｏｆｆおよびＨｅｎｔｉｋｏｆｆ、１９９２、Ｐｒｏｃ． Ｎａｔｌ． Ａｃａｄ． Ｓｃｉ． ＵＳＡ ８９：１０９１５−１０９１９のＢＬＯＳＳＵＭ６２比較マトリックス；３）ギャップペナルティ＝１２；および４）ギャップ長ペナルティ＝４。これらのパラメータに関して有用なプログラムは、「ギャップ」プログラムとして公に入手可能である（Ｇｅｎｅｔｉｃｓ Ｃｏｍｐｕｔｅｒ Ｇｒｏｕｐ、Ｍａｄｉｓｏｎ、ＷＩ）。後述のパラメータは、ポリペプチド比較のためのデフォルトのパラメータである（末端のギャップにはペナルティなし）。
【００８７】
あるいは、次式を用いてポリペプチド配列同一性を計算することができる：％同一性＝（同一の残基の数）／（アミノ酸残基のアライメントの長さ）×１００ 。この計算に関して、アライメントの長さには内部ギャップを含めるが末端のギャップは含めない。
【００８８】
本発明によれば、ポリペプチド配列は、配列ｏｆ ＢＳＬ１（例えば配列番号２），ＢＳＬ２（例えば配列番号７、１１、または１３）またはＢＳＬ３（例えば配列番号１５）の配列と同一であっても、特定の整数の数のアミノ酸の変更までを含んでいてもよい。ポリペプチドの変更は、保存的および非保存的な置換または挿入を含む、少なくとも１つのアミノ酸の欠失、置換からなる群から選択される。変化は、参照ポリペプチド配列のアミノまたはカルボキシ末端の位置で、またはそれら末端の間の任意の位置で、参照配列におけるアミノ酸または参照配列内の１またはそれ以上の隣接したアミノ酸の群において個々に分散して生じ得る。具体的な態様では、ポリペプチド変異体は、一塩基多型および／または別のスプライス変異体を含むＢＳＬ１、ＢＳＬ２、またはＢＳＬ３核酸によってコードされる。ポリペプチドはさらに、例えば、リン酸化、硫酸化またはアシル化によって修飾してもよい。それらは、放射性同位元素および蛍光化合物を含むがこれに限定されない、直接または間接的に検出可能なシグナルを提供することが可能な標識で修飾してもよい。
【００８９】
本発明はさらに、本明細書に記載の、ＢＳＬ１（例えば配列番号２）、ＢＳＬ２（例えば配列番号７、１１、または１３）、またはＢＳＬ３（例えば配列番号１５）タンパクまたはポリペプチドの、単離された、合成されたおよび／または組換えにより製造された部分または断片に関する。ポリペプチド断片（即ち、ペプチド）は、自身で完全なまたは部分的な機能を有するように、またはお互いに混合すると（完全に、部分的に、または単独で機能しない）、１またはそれ以上の他のポリペプチドと自律的に集まって、本発明のＢＳＬ１、ＢＳＬ２、またはＢＳＬ３タンパク質の少なくとも１つの機能的な特性を有するタンパク質を再構成するように、製造することができる。さらに、Ｂ７関連ポリペプチド断片は、例えば、本明細書に記載の１またはそれ以上のポリペプチドのドメイン（例えば膜貫通または細胞外ドメイン）を含んでいてもよい。
【００９０】
機能保存的な変異体を含め、本発明のポリペプチドは、野生型のまたは突然変異細胞（例えばヒト細胞または細胞系）から、ヘテロローガスな生物または細胞（例えば細菌、酵母、昆虫、植物、および哺乳動物細胞）から、またはタンパクコード配列が導入され発現する無細胞翻訳系（例えば小麦麦芽、ミクロソーム膜または細菌抽出物）から単離することができる。さらに、ポリペプチドは、組換え融合タンパク質の一部であってよい。ポリペプチドはまた、化学合成により有利に製造することができる。ポリペプチドはにより化学的に合成してもポリペプチド、独占的固相合成法、部分的固相合成法、断片、条件または古典的な液中合成を含むが、これに限定されない、商業的に入手し得る自動化された手法によって、化学的に合成することができる。本発明のポリペプチドの天然の形態および組換え体はいずれも、結合活性について化合物をスクリーニングするために使用することができる。本発明のポリペプチドは、本明細書に詳細に記載される、治療用剤、並びに抗体を製造するための抗原成分として使用される。
【００９１】
Ｂ７関連ポリペプチドに対する抗体
本発明の別の態様は、Ｂ７関連ポリペプチドまたはペプチド、好ましくはＢＳＬ１、ＢＳＬ２、またはＢＳＬ３ ポリペプチド、またはそれらから誘導される断片を特異的に認識する抗体を包含する。本明細書において使用される、「抗体」は、エピトープ決定基と結合することが可能な、インタクトな分子、並びにＦａｂ、Ｆ（ａｂ）２、およびＦｖ等のその断片を意味する。Ｂ７関連ポリペプチド、好ましくはＢＳＬ１（配列番号２）、ＢＳＬ２（配列番号７、１１、または１３）、またはＢＳＬ３（配列番号１５）ポリペプチド、と結合する抗体は、単離されたＢ７関連ポリペプチドまたはペプチド断片を、免疫原または免疫抗原として用いて当分野で知られた方法によって製造することができる（Ｉ． Ｌｅｆｋｏｖｉｔｓ、Ｅｄ．，（１９９６）Ｉｍｍｕｎｏｌｏｇｙ Ｍｅｔｈｏｄｓ Ｍａｎｕａｌ Ａｃａｄｅｍｉｃ Ｐｒｅｓｓ、Ｉｎｃ．、Ｓａｎ Ｄｉｅｇｏ、ＣＡを参照）。当業者によって理解されるように、特に短いペプチドを用いる場合、所望であれば、免疫原をキャリアータンパク質に結合させて免疫原性を増大させることができる。ペプチドに化学的に結合させるのに一般に使用されているキャリアーとしては、血清アルブミン、例えばウシ、ヒツジ、ヤギまたは魚類血清アルブミン、サイログロブリンおよびキーホールリンペットヘモシニアンが挙げられる。次いで、結合させた免疫原キャリアーを受容動物（例えばマウス、ラット、ヒツジ、ヤギまたはウサギ）を免疫するのに用いる。
【００９２】
「抗原決定基」なる語は、特定の抗体と接触する分子の断片（即ちエピトープ）を意味する。Ｂ７−ポリペプチドまたはペプチド断片を宿主動物を免疫するために使用する場合、ポリペプチドまたはペプチド断片の多くの領域が、そのポリペプチドまたはペプチドの与えられた領域または三次元構造に特異的に結合する抗体の産生を誘導し得る。そのような領域または構造は、抗原決定基またはエピトープと呼ばれる。抗原決定基は、抗体に対する結合に関してインタクトな抗原（即ち、免疫応答を惹起するのに使用する免疫原）と拮抗し得る。ＢＳＬ１（配列番号２）、ＢＳＬ２（配列番号７、１１、または１３）、またはＢＳＬ３（配列番号１５）ポリペプチドまたはペプチドに特異的な抗原決定基が好ましい。Ｂ７関連ポリペプチドまたはペプチド由来の免疫原は、上記の技術を用いて得ることができる。例えば、Ｂ７関連ポリペプチドまたはペプチド断片を天然または組換えの供給源から単離することができ、ゲル、特にＳＤＳ−ＰＡＧＥゲルからポリペプチドまたはペプチドを切取ることにより精製することができる。
【００９３】
本発明のＢＳＬ１−、ＢＳＬ２−、またはＢＳＬ３−特異的抗体としては、ポリクローナルおよびモノクローナル抗体が挙げられる。抗体は、Ｂ７関連ポリペプチド由来の免疫原成分で免疫することによって宿主動物において惹起するか、または免疫細胞のインビトロ免疫（感作）によって形成することができる。抗体の産生を惹起するための免疫原として使用する免疫原成分は、 血漿から得るか、組換えにより産生させるか、または化学的合成することができる。抗原はさらに、適当な抗体コードＤＮＡでプログラムされた組換え系において産生させることもできる。あるいは、抗体を精製された重鎖および軽鎖の生化学的な再構成により構築することができる。抗体としては、ハイブリッド抗体、キメラ抗体、ヒト化抗体（例えば、Ｃ． Ｊ． Ｑｕｅｅｎ ｅｔ ａｌ．の米国特許第５，５８５，０８９を参照）および一価抗体が挙げられる。抗体のＦａｂ断片断片、Ｆａｂ’およびＦ（ａｂ）２断片も含まれる。とりわけ、Ｂ７関連因子の、分泌された細胞表面形態または細胞質内の可溶性形態を特異的に認識する抗体を単離することができる。
【００９４】
本発明の免疫原成分に対するモノクローナル抗体を産生するハイブリドーマは、周知の技術によって製造することができる。ハイブリドーマは、不死化細胞系と所望の抗体を産生するＢリンパ球との融合によって産生することができる。あるいは、抗体産生細胞系を作製するための非融合法も可能であり、本発明の範囲に含まれる（Ｃａｓａｌｉ ｅｔ ａｌ．（１９８６）Ｓｃｉｅｎｃｅ ２３４：４７６参照）。不死化細胞系は典型的には形質転換した哺乳類細胞、特にげっ歯類、ウシおよびヒト起源のミエローマ細胞である。最も頻繁には、便宜上、およびラットまたはマウスミエローマ細胞系を用いる。ハイブリドーマを選択するために、ＨＡＴ（ヒポキサンチン−アミノプテリン−チミジン）選択等の標準的な手順を使用することができる。イムノブロッティンング、ＥＬＩＳＡ（酵素免疫測定吸着法；Ｅ． Ｅｎｇｖａｌｌ ｅｔ ａｌ．（１９７１）Ｉｍｍｕｎｏｃｈｅｍｉｓｔｒｙ、８：８７１−４；およびＤ． Ｊ． Ｒｅｅｎ（１９９４）Ｍｅｔｈｏｄｓ Ｍｏｌ． Ｂｉｏｌ． ３２：４６１−６）、ＲＩＡ（ラジオイムノアッセイ）、または比較分析等の標準的なイムノアッセイによって細胞の培地を分析することにより、所望のモノクローナル抗体を分泌するハイブリドーマを選択することができる。抗体は、標準的なタンパク精製技術を用いて培地から回収することができる（Ｔｉｊｓｓｅｎ（１９８５）ＰｒａｃｔｉｃｅおよびＴｈｅｏｒｙ ｏｆ Ｅｎｚｙｍｅ Ｉｍｍｕｎｏａｓｓａｙｓ、Ｅｌｓｅｖｉｅｒ、Ａｍｓｔｅｒｄａｍを参照）。
【００９５】
１つの態様では、Ｂ７関連ポリペプチドまたはペプチド断片と反応する抗体は生物学的サンプルにおけるＢ７関連ポリペプチドまたはペプチド断片を同定または単離するための本発明の方法にしたがって使用する。Ｂ７関連ポリペプチドをサンプルから単離するあｔめに、Ｂ７関連ポリペプチドまたはペプチド断片を特異的に認識し結合する抗体を固体の指示体に結合させ、この抗体結合した固体の支持体をサンプルまたはそのサンプルのアリコートとインキュベーションし、交代と結合したポリまたはペプチドを固体の支持体から溶出する。サンプルにおけるＢ７関連ポリペプチドまたはペプチド断片を検出するために、サンプルを、Ｂ７関連ポリペプチドまたはペプチド断片を特異的に認識し結合する抗体とを、その抗体とそのポリペプチドまたはペプチド断の結合が可能な条件下でインキュベーションし、抗体のＢ７関連ポリペプチドまたはペプチド断片との結合を測定する。
【００９６】
Ｂ７関連核酸またはポリペプチドを用いる分析
Ｂ７関連因子の発現解析：いくつかの十分に確立された技術を使用して、Ｂ７関連因子の発現レベル、パターンおよび細胞型特異性を調べることができる。例えば、ｍＲＮＡレベルを、ノーザンブロット解析（Ｊ． Ｃ． Ａｌｗｉｎｅ ｅｔ ａｌ．（１９７７）Ｐｒｏｃ． Ｎａｔｌ． Ａｃａｄ． Ｓｃｉ． ＵＳＡ ７４：５３５０−５３５４；Ｉ． Ｍ． Ｂｉｒｄ（１９９８）Ｍｅｔｈｏｄｓ Ｍｏｌ． Ｂｉｏｌ． １０５：３２５−３６．）を利用して測定することができ、それにより、ポリ（Ａ）＋ＲＮＡが細胞から単離され、ゲル電気泳動によって分離され、支持体表面にブッロッティングされ（例えばニトロセルロースまたはＩｍｍｏｂｉｌｏｎ−Ｎｙ＋（Ｍｉｌｌｉｐｏｒｅ Ｃｏｒｐ．、Ｂｅｄｆｏｒｄ、ＭＡ））、および目的のｍＲＮＡとハイブリダイズすることが可能な標識された（例えば蛍光標識されたまたは放射性同位元素で標識された）オリゴヌクレオチドプローブとインキュベーションされる。あるいは、ｍＲＮＡレベルを定量的（Ｗ． Ｍ． Ｆｒｅｅｍａｎ ｅｔ ａｌ．（１９９９）Ｂｉｏｔｅｃｈｎｉｑｕｅｓ ２６：１１２−１２２を参照）ＲＴ−ＰＣＲ解析または半定量的ＲＴ−ＰＣＲ解析（Ｒｅｎ ｅｔ ａｌ． Ｍｏｌ． 脳 Ｒｅｓ． ５９：２５６−６３）によって測定することができる。この技術によって、ポリ（Ａ）＋ＲＮＡが細胞から単離され、ｃＤＮＡ合成に用いられ、そして得られたｃＤＮＡをテンプレートとハイブリダイズすることが可能なＰＣＲプライマーとインキュベーションし、目的のｍＲＮＡの細胞内レベルに近いＰＣＲ産物のレベルを産生するテンプレート配列を増幅する。別の技術、即ち ｉｎ ｓｉｔｕ ハイブリダイゼーションは、ｍＲＮＡレベルを測定するために使用される（ｒｅｖｉｅｗｅｄ ｂｙ Ａ． Ｋ． Ｒａａｐ（１９９８）Ｍｕｔａｔ． Ｒｅｓ． ４００：２８７−２９８を参照）。Ｉｎ ｓｉｔｕ ハイブリダイゼーション法は、細胞を、目的のｍＲＮＡとハイブリダイズすることが可能な標識された（例えば蛍光標識されたまたはジゴキシゲニン標識された）オリゴヌクレオチドプローブとインキュベーションした後、その細胞を顕微鏡で観察することにより、細胞内のｍＲＮＡの可視化された検出が可能となるものである。
【００９７】
Ｂ７関連遺伝子の染色体地図作成：Ｂ７関連遺伝子の染色体の位置は、当分野で周知の様々な方法によって決定することができる。例えば、高分解能染色体染色法を用いることができる（Ｍ． Ｒｏｎｎｅ（１９９０）Ｉｎ Ｖｉｖｏ ４：３３７−６５を参照）。抗分解能染色法は、ＤＮＡ合成阻害剤（例えばメトトレキセートまたはチミジン）またはＤＮＡ結合剤（例えば臭化エチジウム）を用いて同期させた有糸分裂初期の細胞から得た伸張された染色体を用いる。但し、これらの方法は、染色体の比較的大きな領域（約３Ｍｂ）に遺伝子をマッピングするためにのみ使用することができる。より正確な遺伝子地図作製のためには、蛍光ｉｎ ｓｉｔｕ ハイブリダイゼーション法（ＦＩＳＨ）を使用することができる。特に、高解像度ＦＩＳＨ法（Ａ． Ｐａｌｏｔｉｅ ｅｔ ａｌ．（１９９６）Ａｎｎ． Ｍｅｄ． ２８：１０１−１０６）は、遊離のクロマチン、ＤＮＡ線維、または機械的に伸張させた染色体を用いて、数ｋｂ〜３００ ｋｂのサイズの範囲の遺伝子配列をマップする。あるいは、遺伝子の染色体の位置を適当なゲノムデータベース、例えば、Ｅｎｔｒｅｚ Ｇｅｎｏｍｅ ウェブサイト（ｈｔｔｐ：／／ｗｗｗ． ｎｃｂｉ． ｎｌｍ． ｎｉｈ． ｇｏｖ：８０／ ｅｎｔｒｅｚ／ｑｕｅｒｙ． ｆｃｇｉ？ ｄｂ＝Ｇｅｎｏｍｅ；Ｎａｔｉｏｎａｌ Ｃｅｎｔｅｒ ｆｏｒ Ｂｉｏｔｅｃｈｎｏｌｏｇｙ Ｉｎｆｏｒｍａｔｉｏｎ、Ｂｅｔｈｅｓｄａ、ＭＤ）で入手可能なヒトゲノムデータベースから決定することができる。
【００９８】
Ｔ細胞リガンドの同定：本明細書に記載のＢ７関連ポリペプチドまたはペプチドは、Ｔ細胞等の免疫または炎症応答細胞（即ち、ＣＤ２８−またはＣＴＬＡ−４−関連リガンド）上の同族のリガンドを同定するために使用することができる。候補のリガンドまたはそれらから由来する断片は、当分野で周知の多くの方法によって同定し解析することができる（Ｔ． Ｅ． Ｃｒｅｉｇｈｔｏｎ、Ｅｄ．、１９９７、Ｐｒｏｔｅｉｎｓ Ｓｔｒｕｃｔｕｒｅ ：Ａ Ｐｒａｃｔｉｃａｌ Ａｐｐｒｏａｃｈ、ＩＲＬ Ｐｒｅｓｓ ａｔ Ｏｘｆｏｒｄ Ｐｒｅｓｓ、Ｏｘｆｏｒｄ、Ｅｎｇｌおよび参照）。例えば、Ｂ７関連ポリペプチドまたはペプチドに結合するＴ細胞リガンドは、動物、好ましくはヒトの免疫または炎症応答細胞（例えばＴ細胞）からえら得られた抽出物またはリゼートから同定することができる。これらの供給源から得られたタンパク質をドデシル硫酸ナトリウム−ポリアクリルアミドゲル電気泳動（ＳＤＳ−ＰＡＧＥ）を用いてバンドに分離し、エレクトロブロッテリングにより、例えば、適当な固相の支持体または膜（例えばニトロセルロースまたはフッ化ポリビニリデン（ＰＶＤＦ））へ移すことができる。次いで、固相の支持体または膜は、標識されたＢ７関連ポリペプチドまたはペプチドとの特異的な結合を示すバンドに対応したＢ７関連ポリペプチドまたはペプチド、例えばＢＳＬ１、ＢＳＬ２、またはＢＳＬ３タンパクの、標識された形態とインキュベーションし、同定し、単離し、精製し、およびアミノ酸解析および／またはエドマン分解により解析して、それらに由来するペプチドの配列を決定することができる。
【００９９】
別法として、Ｂ７関連ポリペプチドを含む融合タンパク質を、固相の支持体に結合させて、適当なｃＤＮＡライブラリーでトランスフェクトされた細胞、例えばＣＨＯまたはＣＯＳ細胞などから得られた抽出物とインキュベーションすることができる。例えば、ｃＤＮＡライブラリーは、休止または活性化された不死化ヒトＴ細胞系、例えばＣＥＭ、ＨＵＴ７８、またはＪｕｒｋａｔ細胞系など、または末梢血、扁桃、脾臓、胸腺または他の特定にリンパ組織から得られた休止または活性化トＴ細胞から構築することができる。このような細胞は、抗ＣＤ３および抗ＣＤ２８モノクローナル抗体、フィトヘマグルチニン（ＰＨＡ）、またはホルボール１２−ミリステート−１３−アセテート（ＰＭＡ）とイノマイシンの添加によって活性化することができる。ｃＤＮＡライブラリー構築物は、融合タンパク質とは異なる除去可能なエピトープタグ（上記参照）を含んで、その融合タンパク質と会合したライブラリー発現産物の精製を容易にすることができる。ついで、単離されたライブラリー発現産物を単離して特徴付けることができる。さらに、Ｂ７関連ポリペプチドを含む融合タンパク質を固相の支持体（例えばａ カラム ｃｏｍｐｒｉｓｉｎｇ ｂｅａｄｓ ｔｈａｔ ｓｐｅｃｉｆｉｃａｌｌｙ ｂｉｎｄ ｔｏ 融合タンパク質）に結合させ、Ｔ細胞のような、欠くことのできない膜タンパク質に富む細胞から得られたリゼートとインキュベーションすることができる。融合タンパク質と会合した細胞内のタンパク質は、ＭＡＬＤＩ−ＴＯＦ解析（Ｍａｔｒｉｘ Ａｓｓｉｓｔｅｄ Ｌａｓｅｒ Ｄｅｓｏｒｐｔｉｏｎ Ｉｏｎｉｚａｔｉｏｎ Ｔｉｍｅ Ｏｆ Ｆｌｉｇｈｔ 解析；ｒｅｖｉｅｗｅｄ ｂｙ Ｙａｔｅｓ ＪＲ ３ｒｄ．（１９９８）Ｊ． Ｍａｓｓ Ｓｐｅｃｔｒｏｍ． ３３：１−１９；Ｐ． Ｃｈａｕｒおよび ｅｔ ａｌ．（１９９９）Ｊ． Ａｍ． Ｓｏｃ． Ｍａｓｓ Ｓｐｅｃｔｒｏｍ． １０：９１−１０３）を用いて、単離し、特徴付けることができる。融合タンパクとしては、例えば、ＦＬＡＧ（登録商標）（Ｂ． Ｌ． Ｂｒｉｚｚａｒｄ ｅｔ ａｌ．（１９９４）Ｂｉｏｔｅｃｈｎｉｑｕｅｓ １６：７３０−７３５）、６Ｘ−ＨＩＳ、およびＧＳＴ標識融合タンパク質（上記参照）が挙げられ、これらは、ｗｈｉｃｈ ｃａｎ ｂｅ ａｔｔａｃｈｅｄ ｔｏ ｓｏｌｉｄ ｓｕｐｐｏｒｔｓ ｔｈａｔ ａｒｅ コンジュゲート ｗｉｔｈ 抗ＦＬＡＧ（登録商標）抗体、ニッケル、またはグルタチオン分子それぞれが結合した固体の支持体に結合している。このような融合タンパク質を産生させ精製する方法は、当業者には周知である。
【０１００】
別の適当なリガンド結合分析は、酵母ツーハイブリッドシステムである（Ｆｉｅｌｄｓ ｅｔ ａｌ．（１９８９）Ｎａｔｕｒｅ ３４０：２４５−２４６；米国特許第５，２８３，１７３）。ツーハイブリッドシステムは、タンパク質間相互作用を介して転写活性化因子のＤＮＡ結合ドメインおよび転写活性化ドメインの会合によって転写活性化の活性の再構成することによるものである。酵母ＧＡＬ４転写活性化因子をこの方方に用いることができるが、他の転写因子を使用することができ、当分野においてよく知られている。ツーハイブリッドシステムを行うためには、ＧＡＬ４ＤＮＡ結合ドメインおよびＧＡＬ４転写活性化ドメインを、目的ポリペプチドへの融合物として、別々に発現させる。例えば、ある１つの融合タンパク質を、ＧＡＬ４ＤＮＡ結合ドメインに融合したＢ７関連ポリペプチドと比較する。他方の融合タンパク質は、例えば、ＧＡＬ４転写活性化ドメインに融合したポリペプチドをコードするＴ細胞ｃＤＮＡライブラリーと比較することができる。もし、２つの、同時発現した融合タンパク質が宿主細胞の核に於いて相互作用すれば、レポーター遺伝子（例えばＬａｃＺ）は活性化されて検出可能な表現型を生じる。ツーハイブリッド相互作用を示す宿主細胞は、ｃＤＮＡライブラリーを含むプラスミドを単離するために用いることができる。これらのプラスミドは、解析して、候補のＴ細胞リガンドの核酸配列および推定ポリペプチド配列を決定することができる。
【０１０１】
スリーハイブリッド（Ｌｉｃｉｔｒａ ｅｔ ａｌ．（１９９６）Ｐｒｏｃ． Ｎａｔｌ． Ａｃａｄ． Ｓｃｉ． ＵＳＡ ９３：１２８１７−１２８２１）、およびリーバースツーハイブリッド（Ｖｉｄａｌ ｅｔ ａｌ．（１９９６）Ｐｒｏｃ． Ｎａｔｌ． Ａｃａｄ． Ｓｃｉ． ＵＳＡ ９３：１０３１５−１０３２０）システムのような、 ｉｎ ｖｉｖｏ の関連の方法も、別の手段として供し得る。ＣＬＯＮＴＥＣＨ Ｍａｔｃｈｍａｋｅｒ（登録商標）システムおよびプロトコル（ＣＬＯＮＴＥＣＨ、Ｐａｌｏ Ａｌｔｏ、ＣＡ）などの、商業的に入手可能なツーハイブリッドシステムも使用することができる。（Ａ． Ｒ． Ｍ末端ｅｌｓｏｈｎ ｅｔ ａｌ．（１９９４）Ｃｕｒｒ． Ｏｐ． Ｂｉｏｔｅｃｈ． ５：４８２；Ｅ． Ｍ． Ｐｈｉｚｉｃｋｙ ｅｔ ａｌ．（１９９５）Ｍｉｃｒｏｂｉｏｌｏｇｉｃａｌ Ｒｅｖ． ５９：９４；Ｍ． Ｙａｎｇ ｅｔ ａｌ．（１９９５）核酸ｓ Ｒｅｓ． ２３：１１５２；Ｓ． Ｆｉｅｌｄｓ ｅｔ ａｌ．（１９９４）Ｔｒ末端 Ｇｅｎｅｔ． １０：２８６；および米国特許第６，２８３，１７３および５，４６８，６１４なども参照）
【０１０２】
リガンド結合分析から得られたリガンド配列は、ＧｅｎＰｅｐｔ、ＳＷＩＳＳ−ＰＲＯＴ、およびＩｎｃｙｔｅ Ｇｅｎｏｍｉｃｓ データベース（Ｉｎｃｙｔｅ Ｇｅｎｏｍｉｃｓ）などが挙げられるがこれに限定されない、利用可能なデータベースの対象となる配列と比較することができる。例えば、ＢＬＡＳＴ解析（上記参照）を用いて、以前に同定されたおよび注釈付きの配列を含むこれらのデータベース、を完全長のポリペプチドおよび遺伝子配列について検索することができる。リガンドの完全長の配列が分からない場合は、伸張したまたは重複した部分的なクローンを当分野において慣用的に知られ実施されている技術によって得ることができる。そのような技術の非限定的な例としては、ゲノムＤＮＡまたはｃＤＮＡのプラスミドまたはファージとハイブリダイゼーション；Ｂ７関連因子プライマーを用いる同じライブラリーからのＰＣＲ；またはゲノムＤＮＡまたはｃＤＮＡへの直接的なハイブリダイゼーションまたはＰＣＲが挙げられる。次いで、断片配列整列プログラム（ＰＨＲＡＰ；Ｎｉｃｋｅｒｓｏｎ ｅｔ ａｌ．（１９９７）核酸ｓ Ｒｅｓ． ２５：２７４５−２７５１）を用いて、これらのクローンの配列を解析し、完全長の遺伝子を構築することができる。
【０１０３】
Ｂ７関連因子活性の解析：本明細書に記載の特徴的なＢ７関連ポリペプチド活性を保持している断片、突然変異体または変異体のスクリーニングは、いくつかの異なる分析の１またはそれ以上を用いて行うことができる。例えば、ＣＨＯ細胞等の適当な細胞を、クローニングされた変異体でトランスフェクトした後、間接的な免疫蛍光およびフローサイトメトリーによって細胞表面の表現型について解析することができる。トランスフェクトされた細胞の細胞表面の発現は、細胞表面型のＢ７関連因子と選択的に反応し得るモノクローナル抗体を用いて評価することができる（上記参照）。分泌型のＢ７関連因子の産生は、Ｂ７関連因子と特異的に反応するモノクローナル抗体を用いた免疫沈降によって評価することができる。
【０１０４】
より好ましくは、他の分析は、Ｂ７関連因子の機能的な特徴を利用する。上記に記載したように、Ｂ７関連因子のそのＴ細胞リガンドへの結合によって、細胞が増大したレベルのリンホカイン、特にインターロイキン−２を産生する。即ち、Ｂ７関連因子の機能は、インターロイキン−２または他の新規なおよびまだ同定されていないサイトカインのような、リンホカインの合成を測定することにより、および／または初期の活性化シグナルを受け取ったＣＤ２８＋ Ｔ細胞によるＴ細胞増殖を分析することにより、評価することができる。インターロイキン−２に関するいくつかの慣用的な分析のいずれかを用いることができる（Ｃ． Ｂ． Ｔｈｏｍｐｓｏｎ（１９８９）Ｐｒｏｃ． Ｎａｔｌ． Ａｃａｄ． Ｓｃｉ． ＵＳＡ ８６：１３３３参照）。
【０１０５】
同じ基本的機能分析をＢ７関連ポリペプチド、ペプチド、融合タンパク質、またはＴ細胞活性化をブロックする抗体をスクリーニングするためにも使用することができる。正常な共刺激シグナルをブロックし、アネルギーの状態を誘導するタンパク質の活性は、細胞表面Ｂ細胞活性化抗原Ｂ７を発現し、抗原を提示する抗原提示細胞を用いるＴ細胞を活性化への後の試みを用いて測定することができる。Ｔ細胞が活性化の試みに対して反応しないならば、、ＩＬ−２合成およびＴ細胞増殖によって決定されるように、アネルギーの状態は、等分野において既知の方法によって誘導され測定することができる（Ｒ． Ｈ． Ｓｃｈｗａｒｔｚ（１９９０）Ｓｃｉｅｎｃｅ ２４８：１３４９−１３５６参照）。
【０１０６】
Ｂ７関連因子の調節物質
ＢＳＬ１、ＢＳＬ２、およびＢＳＬ３ポリペプチド、ポリヌクレオチド、変異体またはその断片は、対応するＢ７関連ポリペプチドのレベルまたは活性を調節する試験物質をスクリーニングするために使用することができる（例えばアゴニスト、アンタゴニスト、またはインヒビター）。さらに、Ｂ７関連分子をは、細胞内のＢＳＬ１、ＢＳＬ２、またはＢＳＬ３ポリペプチドまたはポリヌクレオチドに結合する内因的調節物質を同定するために使用することができる。本発明の１つの態様では、完全長のＢＳＬ１（例えば配列番号２）、ＢＳＬ２（例えば配列番号７、１１、または１３）、またはＢＳＬ３（例えば配列番号１５）ポリペプチドは、調節物質を同定するために使用する。あるいは、ＢＳＬ１、ＢＳＬ２、またはＢＳＬ３ポリペプチドの変異体または断片を使用する。そのような断片としては、例えば、本明細書に記載の、Ｂ７関連ポリペプチドの１またはそれ以上のドメイン（例えば細胞外および膜貫通ドメイン）が挙げられる。特に興味深いのは、ヒト細胞において比較的毒性の低いレベルを有する物質を同定するスクリーニング分析である。 この目的のために、ｉｎ ｖｉｔｒｏ タンパク−タンパク結合分析、電気泳動度シフト分析、イムノアッセイなどを含め、広く様々な分析法を用いることができる。
【０１０７】
本明細書に用いられる「調節物質」なる用語は、ＢＳＬ１、ＢＳＬ２、およびＢＳＬ３ ポリペプチドの生理学的機能、安定性またはレベルを直接的にまたは間接的に変化させることが可能な、任意の試験物質、分子、タンパク質、ペプチド、または化合物をいう。本明細書に詳細に記載するように、本発明のＢ７関連ポリペプチドまたはポリヌクレオチドに結合する調節物質は、診断的応用および／または医薬組成物に有用である可能性を示している。調節物質として有用な試験物質には数多くの化学的なクラスが包含されるが、典型的には、有機分子、好ましくは５０〜約２５００ダルトンの分子量を有する小さい有機分子である。そのような分子は、タンパク質との構造的な相互作用、好ましくは水素結合、に必要な官能基を含むことができ、典型的には。少なくともアミン、カルボニル、ヒドロキシルまたはカルボキシル基、好ましくは官能基の少なくとも２つを含むことができる。調節物質として使用することができる試験物質は、しばしば１またはそれ以上の上記の官能基で置換された、環状の炭素またはヘテロ環および／または芳香族または多環芳香族構造を含む。試験物質はまた、ペプチド、糖類、脂肪酸、ステロイド、プリン、ピリミジン、それらの誘導体、構造的同族体または組合せを含む生物分子も包含し得る。
【０１０８】
調節物質として用い得る試験物質としては、例えば、以下のものが挙げられる：１）ペプチド、例えばＩｇ−ｔａｉｌｅｄ融合ペプチドおよびコンビナトリアルケミストリーによってＤ−および／またはＬ−立体配置のアミノ酸から得られるランダムペプチドライブラリーのメンバー（例えばＬａｍ ｅｔ ａｌ．（１９９１）Ｎａｔｕｒｅ ３５４：８２−８４；Ｈｏｕｇｈｔｅｎ ｅｔ ａｌ．（１９９１）Ｎａｔｕｒｅ ３５４：８４−８６参照）などの可溶性ペプチド；２）ホスホペプチド（例えばランダムおよび部分的変性志向のホスホペプチドライブラリーのメンバー、、例えばＳｏｎｇｙａｎｇ ｅｔ ａｌ．，（１９９３）Ｃｅｌｌ ７２ ：７６７−７７８参照）；３）抗体（例えばポリクローナル、モノクローナル、ヒト化、抗イディオタイプ、キメラおよび１本鎖抗体並びに抗体のＦａｂ、Ｆ（ａｂ’）２、Ｆａｂ発現ライブラリー断片およびエピトープ結合断片）；および４）小さい有機および無機分子。
【０１０９】
試験物質および調節物質は、合成または天然の化合物の幅広い供給源から得ることができる。合成化合物ライブラリーは、例えば、Ｍａｙｂｒｉｄｇｅ Ｃｈｅｍｉｃａｌ Ｃｏ．（Ｔｒｅｖｉｌｌｅｔ、Ｃｏｒｎｗａｌｌ、ＵＫ）；Ｃｏｍｇｅｎｅｘ（Ｐｒｉｎｃｅｔｏｎ、ＮＪ）、Ｂｒおよびｏｎ Ａｓｓｏｃｉａｔｅｓ（Ｍｅｒｒｉｍａｃｋ、ＮＨ）、およびＭｉｃｒｏｓｏｕｒｃｅ（Ｎｅｗ Ｍｉｌｏｒｄ、ＣＴ）から商業的に入手することができる。Ａｌｄｒｉｃｈ Ｃｈｅｍｉｃａｌ Ｃｏｍｐａｎｙ、Ｉｎｃ．（Ｍｉｌｗａｕｋｅｅ、ＷＩ）から希少なライブラリーを入手することができる。細菌、真菌、植物、または動物抽出物を含む天然化合物のライブラリーは、例えば、Ｐａｎ Ｌａｂｏｒａｔｏｒｉｅｓ（Ｂｏｔｈｅｌｌ、ＷＡ）から入手することができる。さらに、ランダムかされたオリゴヌクレオチドの発現を含め、ランダム化および目的化された幅広い有機化合物の合成および生物分子のために数多くの手段が利用可能である。
【０１１０】
別法として、細菌、真菌、植物および動物抽出物の形態の天然化合物のライブラリーは容易に作製することができる。分子ライブラリーの合成方法は、容易に利用可能である（例えば、ＤｅＷｉｔｔ ｅｔ ａｌ．（１９９３）Ｐｒｏｃ． Ｎａｔｌ． Ａｃａｄ． Ｓｃｉ． ＵＳＡ ９０：６９０９；Ｅｒｂ ｅｔ ａｌ．（１９９４）Ｐｒｏｃ． Ｎａｔｌ． Ａｃａｄ． Ｓｃｉ． ＵＳＡ ９１：１１４２２；Ｚｕｃｋｅｒｍａｎｎ ｅｔ ａｌ．（１９９４）Ｊ． Ｍｅｄ． Ｃｈｅｍ． ３７：２６７８；Ｃｈｏ ｅｔ ａｌ．（１９９３）Ｓｃｉｅｎｃｅ ２６１：１３０３；Ｃａｒｅｌｌ ｅｔ ａｌ．（１９９４）Ａｎｇｅｗ． Ｃｈｅｍ． Ｉｎｔ． Ｅｄ． Ｅｎｇｌ． ３３：２０５９；Ｃａｒｅｌｌ ｅｔ ａｌ．（１９９４）Ａｎｇｅｗ． Ｃｈｅｍ． Ｉｎｔ． Ｅｄ． Ｅｎｇｌ． ３３：２０６１；およびｉｎ Ｇａｌｌｏｐ ｅｔ ａｌ．（１９９４）Ｊ． Ｍｅｄ． Ｃｈｅｍ． ３７：１２３３参照）。さらに、天然および合成化合物のおよびライブラリーは、慣用的な、化学的、物理的および生化学的手段によって容易に修飾することができ（例えばＢｏｎｄｅｌｌｅ ｅｔ ａｌ．（１９９６）Ｔｒ末端 ｉｎ Ｂｉｏｔｅｃｈ． １４：６０参照）、コンビナトリアルライブラリーを作製するのに用いることができる。別の手段では、以前に同定された薬理学的物質を、アシル化、アルキル化、エステル化、アミジン化（ａｍｉｄｉｆｉｃａｔｉｏｎ）等の直接的なまたはランダムな化学修飾に付し、そのアナログをＢＳＬ１、ＢＳＬ２、およびＢＳＬ３調節活性についてスクリーニングすることができる。
【０１１１】
生物学的ライブラリーを含む、コンビナトリアルライブラリーを作成するための数多くの方法が当分野で知られている。；空間的に接近可能な並列の固相または溶液相のライブラリー；デコンヴォルーションを必要とする合成ライブラリー；「１ビーズ１化合物」ライブラリー法；およびアフェニティークロマトグラフィー選択を用いた合成ライブラリー法。生物学的ライブラリー法はポリペプチドライブラリーに限定されるが、他の４つの方法は、ポリペプチド、非ペプチドオリゴマー、または化合物の小さい分子ライブラリーに対して利用可能である（Ｋ． Ｓ． Ｌａｍ、１９９７、抗ｃａｎｃｅｒ Ｄｒｕｇ Ｄｅｓ． １２：１４５）。
【０１１２】
ライブラリーは、溶液中（例えばＨｏｕｇｈｔｅｎ，（１９９２）Ｂｉｏｔｅｃｈｎｉｑｕｅｓ １３：４１２−４２１）、またはビーズ（Ｌａｍ，（１９９１）Ｎａｔｕｒｅ ３５４：８２−８４）、チップ（Ｆｏｄｏｒ，（１９９３）Ｎａｔｕｒｅ ３６４：５５５−５５６）、細菌または胞子（Ｌａｄｎｅｒ 米国特許第５，２２３，４０９）、プラスミド（Ｃｕｌｌ ｅｔ ａｌ．（１９９２）Ｐｒｏｃ． Ｎａｔｌ． Ａｃａｄ． Ｓｃｉ． ＵＳＡ ８９：１８６５−１８６９）、またはファージ（ＳｃｏｔｔおよびＳｍｉｔｈ，（１９９０）Ｓｃｉｅｎｃｅ ２４９：３８６−３９０；Ｄｅｖｌｉｎ、１９９０、Ｓｃｉｅｎｃｅ ２４９：４０４−４０６；Ｃｗｉｒｌａ ｅｔ ａｌ．（１９９０）Ｐｒｏｃ． Ｎａｔｌ． Ａｃａｄ． Ｓｃｉ． ＵＳＡ ９７：６３７８−６３８２；Ｆｅｌｉｃｉ，（１９９１）Ｊ． ＭｏＬ Ｂｉｏｌ． ２２２：３０１−３１０；Ｌａｄｎｅｒ前掲）上でスクリーニングすることができる。
【０１１３】
スクリーニング分析が結合分析である場合、ＢＳＬ１、ＢＳＬ２、およびＢＳＬ３ポリペプチド、ポリペプチドヌクレオチド、アナログ、またはその断片は、標識と結合させることができ、その標識は直接的または間接的に検出可能なシグナルを生じることができる。様々な標識としては、放射性同位元素、蛍光、化学発光、酵素、特異的に結合する分子、粒子、例えば磁性粒子等が挙げられる。特異的に結合する分子としては、ビオチンとストレプタビジン、ジゴキシンとアンチジゴキシンの組などが挙げられる。特異的な結合メンバーについては、通常、周知の手順に従い、その相補的なメンバーを検出に供する分子で標識する。
【０１１４】
様々な他の物質をスクリーニング分析に組み込むことができる。これらには、最適なタンパク質−タンパク質結合を促進し、および／または非特異的なまたはバックグラウンドの相互作用を減少させるために用いられる、塩、天然のタンパク質、例えばアルブミン、界面活性剤などが含まれる。分析の効率を高める試薬、例えば、プロテアーゼ阻害剤、ヌクレアーゼ阻害剤、抗菌剤等を、使用することができる。これらの成分は必要な結合を生じる任意の順序で加える。インキュベーションは、最適な活性を促進する任意の温度、典型的には４〜４０℃で行う。インキュベーション時間は最適な活性について選択するが、迅速な高性能スクリーニングを促進するように最適化する。通常、０．１〜１時間出十分であろう。一般に、これらの濃度に対する異なった応答を得るために、複数の分析混合物を、種々の物質濃度と平行して分析にかける。典型的には、これら濃度のうちの１つネガティブコントロール、即ち、濃度０または検出レベルよりも低くする。
【０１１５】
無細胞スクリーニング分析を行うために、ＢＳＬ１、ＢＳＬ２、またはＢＳＬ３ポリペプチド、ポリペプチドヌクレオチドまたは断片のいずれかを表面に固定化して、これら分子に結合する調節物質の同定を促進し、分析の自動化に適合させることが望ましいかもしれない。例えば、ＢＳＬ１、ＢＳＬ２、またはＢＳＬ３ ポリペプチドおよびアフィニティータグを含む融合タンパク質を、本明細書に詳細に記載するよるように製造することができる。ある１つの態様では、ＢＳＬ１、ＢＳＬ２、またはＢＳＬ３ ポリペプチドを含むＧＳＴ融合タンパク質をグルタチオンセファロースビーズまたはグルタチオン誘導体化マイクロタイタープレート上に吸着させる（Ｓｉｇｍａ Ｃｈｅｍｉｃａｌ、Ｓｔ． Ｌｏｕｉｓ、ＭＯ）。細胞リゼート（例えば３５Ｓ−標識ポリペプチドを含む）を、複合体形成を可能にする条件下（例えば、塩および ｐＨについての生理学的条件）で、ポリペプチド被覆ビーズに加える。インキュベーション後、ポリペプチド被覆ビーズを洗浄して結合しなかったポリペプチドを除去し、固定化された放射性同位元素標識の量を測定する。あるいは、複合体を解離し、上清中に存在する放射性同位元素標識を測定する。別の方法では、ビーズをＳＤＳ−ＰＡＧＥにより解析してＢＳＬ１、ＢＳＬ２、またはＢＳＬ３結合ポリペプチドを同定する。
【０１１６】
様々な結合分析を用いてＢＳＬ１、ＢＳＬ２、またはＢＳＬ３ ポリペプチドの機能またはレベルを変化させるアゴニストまたはアンタゴニストを同定することができる。そのような分析は、試験物質と、ＢＳＬ１、ＢＳＬ２、またはＢＳＬ３ポリペプチド、ポリペプチドヌクレオチド、機能的等価物との相互作用を検出するように設計する。相互作用は、結合の直接測定により検出することができる。あるいは、相互作用を、タンパク構造の安定化／不安定化、または生物学的機能の活性化／阻害等の、結合の間接的なインジケーターにより検出することができる。有用な結合分析の非限定的な例は以下に記載する。
【０１１７】
調節物質ｓ ｔｈａｔ ｂｉｎｄ ｔｏ ＢＳＬ１、ＢＳＬ２、またはＢＳＬ３ ポリペプチド、ポリペプチドヌクレオチド、機能的等価物またはその断片に結合する調節物質は、リアルタイムの二分子相互作用解析（ＢＩＡ；Ｓｊｏｌおよびｅｒ ｅｔ ａｌ．（１９９１）Ａｎａｌ． Ｃｈｅｍ． ６３：２３３８−２３４５；Ｓｚａｂｏ ｅｔ ａｌ．（１９９５）Ｃｕｒｒ． Ｏｐｉｎ． Ｓｔｒｕｃｔ． Ｂｉｏｌ． ５：６９９−７０５；例えばＢｌＡｃｏｒｅＴ””；ＬＫＢ Ｐｈａｒｍａｃｉａ、Ｓｗｅｄｅｎ）を用いて同定することができる。さらに、調節物質はシンチレーション近似解析（ＳＰＡ、ｄｅｓｃｒｉｂｅｄ ｉｎ 米国特許第４，５６８，６４９）によって解析することもできる。ミトコンドリア標的シグナルを用いた結合分析（Ｈｕｒｔ ｅｔ ａｌ．（１９８５）ＥＭＢＯ Ｊ． ４：２０６１−２０６８；ＥｉｌｅｒｓおよびＳｃｈａｔｚ，（１９８６）Ｎａｔｕｒｅ ３２２：２２８−２３１）固体の基材上で合成される多くの定義されたポリマーもまた利用することができる。
【０１１８】
ツーハイブリッドシステムを使用して調節物質を同定することができる（例えば米国特許第５，２８３，３１７号；Ｚｅｒｖｏｓ ｅｔ ａｌ．（１９９３）Ｃｅｌｌ ７２ ：２２３−２３２；Ｍａｄｕｒａ ｅｔ ａｌ．（１９９３）Ｊ． Ｂｉｏｌ． Ｃｈｅｍ． ２６８：１２０４６−１２０５４；Ｂａｒｔｅｌ ｅｔ ａｌ．（１９９３）Ｂｉｏｔｅｃｈｎｉｑｕｅｓ １４：９２０−９２４；Ｉｗａｂｕｃｈｉ ｅｔ ａｌ．（１９９３）Ｏｎｃｏｇｅｎｅ ８：１６９３−１６９６；およびＢｒｅｎｔ ＷＯ ９４／１０３００を参照）。あるいは、スリーハイブリッド（Ｌｉｃｉｔｒａ ｅｔ ａｌ．（１９９６）Ｐｒｏｃ． Ｎａｔｌ． Ａｃａｄ． Ｓｃｉ． ＵＳＡ ９３：１２８１７−１２８２１）、およびリバースツーハイブリッド（Ｖｉｄａｌ ｅｔ ａｌ．（１９９６）Ｐｒｏｃ． Ｎａｔｌ． Ａｃａｄ． Ｓｃｉ． ＵＳＡ ９３：１０３１５−１０３２０）システムを使用することができる。商業的に入手可能なツーハイブリッドシステム、例えばＣＬＯＮＴＥＣＨ Ｍａｔｃｈｍａｋｅｒ（登録商標）システムおよびプロトコル（ＣＬＯＮＴＥＣＨ Ｌａｂｏｒａｔｏｒｉｅｓ、Ｉｎｃ．、Ｐａｌｏ Ａｌｔｏ、ＣＡ）（Ａ．Ｒ． Ｍ末端ｅｌｓｏｈｎ ｅｔ ａｌ．（１９９４）Ｃｕｒｒ． Ｏｐ． Ｂｉｏｔｅｃｈ． ５：４８２；Ｅ．Ｍ． Ｐｈｉｚｉｃｋｙ ｅｔ ａｌ．（１９９５）Ｍｉｃｒｏｂｉｏｌｏｇｉｃａｌ Ｒｅｖ． ５９：９４；Ｍ． Ｙａｎｇ ｅｔ ａｌ．（１９９５）核酸ｓ Ｒｅｓ． ２３：１１５２；Ｓ． Ｆｉｅｌｄｓ ｅｔ ａｌ．（１９９４）Ｔｒ末端 Ｇｅｎｅｔ． １０：２８６；および米国特許第６，２８３，１７３および５，４６８，６１４も参照）もまた有用である。
【０１１９】
ここ数年、短期間で数万もの試験物質のスクリーニングを可能にする、自動化された分析のいくつかの方法が開発されている。高性能スクリーニング法は、本発明での使用に特に好ましい。本明細書に記載の結合分析は、高性能スクリーニングに適合させることができる、または代わりのスクリーニングを利用してもよい。例えば、少なくとも１つの多孔性マトリックスを用いる連続式高性能スクリーニング（ＣＦ−ＨＴＳ）によって、研究者は、大量の試験物質を幅広生物学的または生化学的活性について試験することができる（Ｂｅｕｔｅｌらの米国特許第５，９７６，８１３号を参照）。さらに、ＣＦ−ＨＴＳを使用して多段階分析を行うことができる。
【０１２０】
診断
本発明の別の態様によれば、Ｂ７関連ポリヌクレオチドまたはその断片は、診断目的で使用することができる。使用することができるＢ７関連ポリヌクレオチドとしては、オリゴヌクレオチド配列、相補的ＲＮＡおよびＤＮＡ分子、およびＰＮＡｓが挙げられる。ポリヌクレオチドを使用して、ＢＳＬ１、ＢＳＬ２、およびＢＳＬ３ ポリヌクレオチドの発現（過少または過剰発現）が疾患と関連し得る生物学的サンプルにおける、ＢＳＬ１、ＢＳＬ２、およびＢＳＬ３ｍＲＮＡのレベルを検出し、定量することができる。診断的分析は、ＢＳＬ１、ＢＳＬ２、およびＢＳＬ３の発現の不在、存在、増加および減少を区別し、治療的処置または介入の間のＢＳＬ１、ＢＳＬ２、およびＢＳＬ３ ポリヌクレオチドレベルの調節をモニターするために用いることができる。
【０１２１】
１つの態様では、ＰＣＲプローブを用いて、ＢＳＬ１、ＢＳＬ２、およびＢＳＬ３ゲノムＤＮＡ配列、およびＢＳＬ１−、ＢＳＬ２−、およびＢＳＬ３−関連核酸配列を含むＢ７関連ポリヌクレオチド配列を検出することができる。そのプローブの選択性、即ち、選択性の高い領域から作製されたものかどうか、例えば５’調節領域の少なくとも８〜１０または１２〜１５個の隣接したヌクレオチド、または選択性の低い領域、例えば特に３’コード領域、およびハイブリダイゼーションまたは増幅のストリンジェンシー（最大、高い、中程度のまたは低い）は、そのプローブがＢ７関連ポリペプチド、そのアレルまたは関連する配列をコードする天然に存在する配列のみを同定するかどうかを決定する。
【０１２２】
プローブは、ＢＳＬ１−、ＢＳＬ２−、およびＢＳＬ３−関連配列の検出にも用いることができ、ＢＳＬ１、ＢＳＬ２、およびＢＳＬ３ポリヌクレオチドまたは相補的配列、またはその断片と、少なくとも６０％、好ましくは９０％以上の同一性を含む。本発明のプローブは、ＤＮＡまたはＲＮＡであってよく、プローブはＢＳＬ１（配列番号２）、ＢＳＬ２（配列番号７、１１、または１３）、またはＢＳＬ３（配列番号１５）のヌクレオチド配列の全部または断片またはその相補的な配列を含んでいてもよく、天然に存在するＢＳＬ１、ＢＳＬ２、またはＢＳＬ３ ポリペプチドヌクレオチドのプロモーター、エンハンサーエレメント、およびイントロンを含んでいてもよい。
【０１２３】
Ｍｅｔｈｏｄｓ ｆｏｒ ｐｒｏｄｕｃｉｎｇ ｓｐｅｃｉｆｉｃプローブｓ ｆｏｒ Ｂ７関連ポリヌクレオチドのための特異的なプローブを作製する方法としては、ＢＳＬ１（配列番号２）、ＢＳＬ２（配列番号７、１１、または１３）、またはＢＳＬ３（配列番号１５）またはその断片の核酸配列の、ｍＲＮＡプローブの作製のためのベクター中へのクローニングが挙げられる。そのようなベクターは当分野において知られており、商業的に入手可能で、適当なＲＮＡポリペプチドポリメラーゼと適当な標識されたヌクレオチドの添加によって ｉｎ ｖｉｔｒｏ でＲＮＡプローブを合成するために用いることができる。ハイブリダイゼーションプローブは、様々なディテクター／レポーター群、例えば３２Ｐまたは３５Ｓ等の放射性ヌクレオチド、または、例えばアビジン／ビオチンカップリングシステムによってプローブにカップリングしたアルカリホスファターゼ等の酵素標識、によって標識することができる。
【０１２４】
様々な標識および結合方法が当業者に知られ、用いられており、様々な核酸およびアミノ酸分析に用いられている。ＢＳＬ１、ＢＳＬ２、またはＢＳＬ３ ポリペプチドをコードするポリヌクレオチドに関連する配列を検出するための、標識されたハイブリダイゼーションまたはＰＣＲプローブの製造方法には、オリゴー標識、ニック翻訳、末端標識、または標識されたヌクレオチドを用いるＰＣＲ増幅がある。あるいは、ＢＳＬ１、ＢＳＬ２、またはＢＳＬ３ポリヌクレオチド配列、またはその一部またはその断片は、ｍＲＮＡプローブの産生のためのベクター中へクローニングすることができる。そのようなベクターは当分野で知られており、商業的に入手可能であり、Ｔ７、Ｔ３、またはＳＰ（６）などの適当なＲＮＡポリメラーゼおよび標識されたヌクレオチドの添加により ｉｎ ｖｉｔｒｏ でＲＮＡプローブを合成するために使用することができる。これらの手順は、様々な商業的に入手可能なキット（例えばｆｒｏｍ Ａｍｅｒｓｈａｍ Ｐｈａｒｍａｃｉａ Ｂｉｏｔｅｃｈ、Ｉｎｃ．、Ｐｉｓｃａｔａｗａｙ、ＮＪ；Ｐｒｏｍｅｇａ Ｃｏｒｐ．、Ｍａｄｉｓｏｎ ＷＩ；およびＵ． Ｓ． Ｂｉｏｃｈｅｍｉｃａｌ Ｃｏｒｐ．、Ｕ． Ｓ． Ｂｉｏｃｈｅｍｉｃａｌ Ａｍｅｒｓｈａｍ、Ｃレベルおよび、ＯＨ）を用いて行うことができる。使用できる適当なレポーター分子または標識としては、放射性ヌクレオチド、酵素、蛍光、化学発光または発色物質、並びに基質、コファクター、インヒビター、磁性粒子などが挙げられる。
【０１２５】
Ｂ７関連ポリヌクレオチド配列、またはその断片もしくは相補配列は、サザンまたはノーザン分析、ドットブロットまたは他のメンブレンをベースとする方法において； ＰＣＲ法において；またはディップスティック、ピン、ＥＬＩＳＡまたはバイオチップ分析において、患者の生体の体液または組織を用いて患者の状態、例えばＢＳＬ１、ＢＳＬ２、またはＢＳＬ３のレベルまたは発現、または変化したＢＳＬ１、ＢＳＬ２、またはＢＳＬ３発現を検出することができる。そのような定性または定量方法は、当分野においてよく知られている（Ｇ． Ｈ． ＫｅｌｌｅｒおよびＭ． Ｍ． Ｍａｎａｋ、１９９３、ＤＮＡプローブｓ、２ｎｄ Ｅｄ、Ｍａｃｍｉｌｌａｎ Ｐｕｂｌｉｓｈｅｒｓ Ｌｔｄ．、Ｅｎｇｌおよび；Ｄ． Ｗ． ＤｉｅｆｆｅｎｂａｃｈおよびＧ． Ｓ． Ｄｖｅｋｓｌｅｒ、１９９５、ＰＣＲ プライマー． ：Ａ Ｌａｂｏｒａｔｏｒｙ Ｍａｎｕａｌ、Ｃｏｌｄ Ｓｐｒｉｎｇ Ｈａｒｂｏｒ Ｐｒｅｓｓ、Ｐｌａｉｎｖｉｅｗ、ＮＹ；Ｂ． Ｄ． ＨａｍｅｓおよびＳ． Ｊ． Ｈｉｇｇｉｎｓ、１９８５、Ｇｅｎｅプローブｓ １、２、ＩＲＬ Ｐｒｅｓｓ ａｔ Ｏｘｆｏｒｄ Ｕｎｉｖｅｒｓｉｔｙ Ｐｒｅｓｓ、Ｏｘｆｏｒｄ、Ｅｎｇｌおよび）。
【０１２６】
ＢＳＬ１、ＢＳＬ２、およびＢＳＬ３ オリゴヌクレオチドは、化学的に合成、酵素的に作製または組換え供給源から産生され得る。オリゴマーは、特定の遺伝子または状態の同定に最適化された条件下で用いる、好ましくは２つのヌクレオチド配列を含む、１つはセンス方向を有する（５’から３’）であり他方はアンチセンス方向（３’から５’’）。同一の２つのオリゴマー、入れ子になったオリゴマーのセット、またはさらにはオリゴマーの縮重プールを、密接に関連するＤＮＡまたはＲＮＡ配列の検出および／または定量のため、ストリンジェンシーの低い条件下で用いる。．
【０１２７】
Ｂ７関連因子の発現を定量するのに適当な方法には、放射性同位元素の標識またはビオチン化ヌクレオチド、対照の核酸の同時増幅、および実験結果がそれに基づいて補間される標準曲線（Ｐ． Ｃ． Ｍｅｌｂｙ ｅｔ ａｌ．（１９９３）Ｊ． Ｉｍｍｕｎｏｌ． Ｍｅｔｈｏｄｓ １５９：２３５−２４４；およびＣ． Ｄｕｐｌａａ ｅｔ ａｌ．（１９９３）Ａｎａｌ． Ｂｉｏｃｈｅｍ． ２２９−２３６）が含まれる。複数のサンプルを定量する速度は、目的のオリゴマーが様々な異なる希釈率で存在し、分光学的または比色応答が迅速な定量をもたらす、ＥＬＩＳＡ法において分析を実行することによって促進される。
【０１２８】
特定の態様では、Ｂ７関連ポリペプチドヌクレオチドまたはその断片に対する核酸配列の相補性は、特に本明細書に記載されるような異常な免疫応答に関連する疾患を検出する分析において有用であり得る。ＢＳＬ１、ＢＳＬ２、および／またはＢＳＬ３ポリヌクレオチドは、標準的な方法によって標識することができ、ハイブリダイゼーション複合体の形成に適当な条件下で患者から得た生物学的サンプルに加えることができる。適当なインキュベーション期間の後、サンプルを洗浄してシグナルを定量し、標準値と比較することができる。試験サンプル中のシグナルの量が、比較されるネガティブコントロールの（正常な）サンプルから有意に変化しているならば、ＢＳＬ１、ＢＳＬ２、および／またはＢＳＬ３ ヌクレオチド配列の変化したレベルを、関連する疾患の存在と関連付けることができる。そのような分析はさらに、動物実験、臨床実験または個人の患者について、特定の予防または治療的レジメの効果を評価するために用いることができる。
【０１２９】
１またはそれ以上のＢ７関連因子の変化した発現に関連する疾患の診断の基礎を提供するために、発現に関する正常なまたは標準的なプロファイルを確立する。これは、正常な患者、動物またはヒト、から採取した生物学的サンプルを、ハイブリダイゼーションまたは増幅に適した条件下で、ＢＳＬ１、ＢＳＬ２、ＢＳＬ３ ポリペプチドヌクレオチド、またはその断片に相補的な配列とインキュベーションすることにより達成することができる。標準的なハイブリダイゼーションは、正常な患者から得られた数値を、実質的に精製されたポリヌクレオチドの既知の量を用いた実験から得られた数値と比較することにより定量することができる。正常なサンプルから得られた標準値は、その疾患について症状を発症している患者から得られた数値と比較することができる。標準値と対象（患者）との間の偏差をその状態の存在を確定するために用いる。
【０１３０】
その疾患が診断され治療プロトコルが開始されれば、ハイブリダイゼーション分析を定期的に繰り返して、その患者における発現のレベルが正常な人において観察されるレベルに近づき始めているかどうかについて評価する。継続的な分析から得られた結果は、数日から数ヶ月の期間にわたる治療の効果を示すために用いることができる。
【０１３１】
過剰に活性の高いまたは過剰に活性の低い免疫反応が関与する疾患について、、個体から得られた生物学的サンプル（例えば、体液、細胞、組織抽出物）におけるＢ７関連転写物の異常なレベル（減少したまたは増加した）の存在は、疾患の発症の素因を示し得るか、または実際の臨床的症状が出現する前にその疾患を検出する手段を提供し得る。このタイプのより確実な診断によって、保険の専門家は、より早期に予防的措置または積極的治療を行うことが可能で、それにより、その疾患の発症または更なる進行を防止することができる。
【０１３２】
１つの特定の態様では、ＢＳＬ１、ＢＳＬ２、およびＢＳＬ３オリゴヌクレオチドをＰＣＲベースの診断のために使用することができる。例えば、ＰＣＲを使用して、公開された方法にしたがって（Ｔ． Ｔ． Ｎｉｋｉｆｏｒｏｖ ｅｔ ａｌ．（１９９４）核酸ｓ Ｒｅｓ． ２２（２０）：４１６７−７５；Ｔ． Ｔ． Ｎｉｋｉｆｏｒｏｖ ｅｔ ａｌ．（１９９４）ＰＣＲ Ｍｅｔｈｏｄｓ Ａｐｐｌ． ３（５）：２８５−９１）、ＢＳＬ１、ＢＳＬ２、および／またはＢＳＬ３の遺伝子ビット解析（ＧＢＡ）を行うことができる。ＰＣＲベースのＧＢＡでは、多型部位を含むゲノムＤＮＡ配列の特定の断片を、１つの修飾されていないプライマーと１つのホスホロチオエート修飾されたプライマーを用いてＰＣＲにより最初に増幅する。２本鎖のＰＣＲ産物を１本鎖にした後、マルチウェルプレートのウェル中で固定化したオリゴヌクレオチドプライマーをハイブリダイズさせる。とりわけ、プライマーは、目的の多型部位に隣接するようにアニールするように設計する。プライマーの３’末端は、個々に標識したジデオキシヌクレオチド三リン酸の混合物を用いて伸張させる。次いで、伸張した塩基上の標識を読取る。好ましくは、半自動化されたＥＬＩＳＡまたはバイオチップ方式（例えばＳ． Ｒ． Ｈｅａｄ ｅｔ ａｌ．（１９９７）核酸ｓ Ｒｅｓ． ２５（２４）：５０６５−７１；Ｔ． Ｔ． Ｎｉｋｉｆｏｒｏｖ ｅｔ ａｌ．（１９９４）核酸ｓ Ｒｅｓ． ２２（２０）：４１６７−７５を参照）でＧＢＡを行う。
【０１３３】
本発明の別の態様では、オリゴヌクレオチド、または本明細書に記載のＢ７関連ポリヌクレオチド配列の少なくとも１つから得られるより長い断片は、マイクロアレー（例えばバイオチップ）システムの標的として用いることができる。マイクロアレイは、 大量の遺伝子の発現レベルを同時にモニターして（転写イメージを作製し）、遺伝子による変異体、突然変異体および多型を同定するのに用いることができる。この情報は、遺伝子の機能を決定し、疾患の遺伝子的根拠を理解し、疾患を診断し、治療剤または予防剤の活性を提示させモニターするために用いることができる。マイクロアレイの製造および使用は、Ｃｈｅｅ ｅｔ ａｌ．のＷＯ ９５／１１９９５；Ｄ． Ｊ． Ｌｏｃｋｈａｒｔ ｅｔ ａｌ．（１９９６）Ｎａｔｕｒｅ Ｂｉｏｔｅｃｈｎｏｌｏｇｙ １４：１６７５１６８０；Ｍ． Ｓｃｈｅｎａ ｅｔ ａｌ．（１９９６）Ｐｒｏｃ． Ｎａｔｌ． Ａｃａｄ． Ｓｃｉ． ＵＳＡ ９３：１０６１４−１０６１９；米国特許第６，０１５，７０２ ｔｏ Ｐ． Ｌａｉ ｅｔ ａｌ．；Ｊ． Ｗｏｒｌｅｙ ｅｔ ａｌ．（２０００）マイクロアレイ Ｂｉｏｃｈｉｐ Ｔｅｃｈｎｏｌｏｇｙ、Ｍ． Ｓｃｈｅｎａ、ｅｄ．、Ｂｉｏｔｅｃｈｎｉｑｕｅｓ Ｂｏｏｋ、Ｎａｔｉｃｋ、ＭＡ、ｐｐ． ６５−８６；Ｙ． Ｈ． Ｒｏｇｅｒｓ ｅｔ ａｌ．（１９９９）Ａｎａｌ． Ｂｉｏｃｈｅｍ． ２６６（１）：２３−３０；Ｓ． Ｒ． Ｈｅａｄ ｅｔ ａｌ．（１９９９）Ｍｏｌ． Ｃｅｌｌ．プローブｓ． １３（２）：８１−７；Ｓ． Ｊ． Ｗａｔｓｏｎ ｅｔ ａｌ．（２０００）Ｂｉｏｌ． Ｐｓｙｃｈｉａｔｒｙ ４８（１２）：１１４７−５６に記載されている。
【０１３４】
本発明の１つの態様ではＢ７関連ポリヌクレオチド配列のアレイを含むマイクロアレイを用いて、個人におけるＢ７関連因子の発現レベルを測定することができる。特に、変化した特に、ｔｏ ｄｉａｇｎｏｓｅ ａｎ ｉｎｄｉｖｉｄｕａｌ ｗｉｔｈ ａ ｃｏｎｄｉｔｉｏｎまたはｄｉｓｅａｓｅ ｃｏｒｒｅｌａｔｅｄ ｗｉｔｈ ａｌｔｅｒｅｄ ＢＳＬ１、ＢＳＬ２、および／またはＢＳＬ３発現レベルに関連した状態または疾患を有する個人を診断するために、ヒトまたは動物から得たサンプル（例えばｍＲＮＡを含む）を、ＢＳＬ１、ＢＳＬ２、および／またはＢＳＬ３ ポリペプチドヌクレオチド（例えばＤＮＡ）を減少する濃度（例えば１ ｎｇ、０．１ ｎｇ、０．０１ ｎｇ、など）で含むアレイを含むバイオチップ上でプローブとして用いることができる。試験サンプルを、疾患を有するおよび正常なサンプルから得られたサンプルと比較する。バイオチップは、集団における、欠失、挿入およびミスマッチが含まれるがこれに減退されない、ＢＳＬ１、ＢＳＬ２、およびＢＳＬ３突然変異または多型を同定するために用いることもできる。例えば、突然変異は、（ｉ）本発明のＢ７関連ポリヌクレオチドをバイオチップ上に配置すること；（ｉｉ）試験サンプルをとり（例えばｍＲＮＡを含む）、そのサンプルをバイオチップに加えること；（ｉｉｉ）試験サンプルがそのチップ上に結合しているＢ７関連ポリヌクレオチドと、種々のハイブリダイゼーション条件下で、ハイブリダイズするかどうか測定すること（例えばＶ． Ｒ． Ｃｈｅｃｈｅｔｋｉｎ ｅｔ ａｌ．（２０００）Ｊ． Ｂｉｏｍｏｌ． Ｓｔｒｕｃｔ． Ｄｙｎ． １８（１）：８３−１０１参照）によって同定することができる。あるいは、マイクロアレイ配列解析を行うことができる（例えばＥ． Ｐ． Ｄｉａｍおよびｉｓ（２０００）Ｃｌｉｎ． Ｃｈｅｍ． ４６（１０）：１５２３−５参照）。
【０１３５】
本発明の別の態様では、Ｂ７関連核酸配列、またはその相補的配列または断片は、天然のゲノム配列をマッピングするのに有用なプローブとして用いることができる。配列は、特定の染色体、染色内の特定の領域、または人工的染色体構築物（ＨＡＣｓ）、酵母人工染色体（ＹＡＣｓ）、細菌人工染色体（ＢＡＣｓ）、細菌ＰＩ構築物または単一の染色体ｃＤＮＡライブラリーにマッピングすることができる（Ｃ． Ｍ． Ｐｒｉｃｅ（１９９３）Ｂｌｏｏｄ Ｒｅｖ．、７：１２７−１３４およびｂｙ Ｂ． Ｊ． Ｔｒａｓｋ（１９９１）Ｔｒ末端 Ｇｅｎｅｔ． ７：１４９−１５４参照）。
【０１３６】
本発明の更なる態様では、ＢＳＬ１、ＢＳＬ２、またはＢＳＬ３ ポリペプチドに特異的に結合する抗体を、ＢＳＬ１、ＢＳＬ２、またはＢＳＬ３ ポリペプチドヌクレオチドまたはポリペプチドの過少発現または過剰発現によって特徴づけられる状態または疾患の診断、またはＢＳＬ１、ＢＳＬ２、またはＢＳＬ３ ポリペプチドまたはペプチド、またはＢＳＬ１、ＢＳＬ２、またはＢＳＬ３ アゴニスト、アンタゴニスト、またはインヒビターで処置される患者をモニターするための分析において用いることができる。診断目的に有用な抗体は、本明細書に記載の、治療方法における使用するための抗体と同じようにして製造することができる。ＢＳＬ１、ＢＳＬ２、またはＢＳＬ３ ポリペプチドについての診断分析には、抗体および生物学的サンプル（例えばヒト体液、細胞、組織または細胞または組織の動物抽出物）におけるタンパクを検出するための標識を利用する方法が含まれる。抗体は、修飾有りまたは無しで用いることができ、それらにレポーター分子が、共有結合または非共有結合のいずれかで連結することにより標識されていてもよい。当分野で知られている様々なレポーター分子を用いることができ、そのいくつかを本明細書に記載する。
【０１３７】
数多くの蛍光物質が知られており、Ｂ７関連ポリペプチドまたはそれに結合する抗体を標識するために用いることができる。これらには、例えば、フルオレセイン、ローダミン、オーラミン、テキサスレッド、ＡＭＣＡブルーおよびルシファーイエローが含まれる。具体的な検出物質は、ヤギにおいて調製し、イソチオシアネートでフルオレセインと結合させた抗ウサギ抗体である。Ｂ７関連ポリペプチドまたはそれに対する抗体を放射性エレメントまたは酵素で標識することもできる。放射能レベルは、現在利用可能な計測方法のいずれかによって検出することができる。好ましい放射性同位元素としては、３Ｈ、１４Ｃ、３２Ｐ、３５Ｓ、３６Ｃｌ、Ｃｒ、５７Ｃｏ、５８Ｃｏ、５９Ｆｅ、９０Ｙ、１２５Ｉ、１３１Ｉおよび１８６Ｒｅが挙げられる。酵素標識が同様に有用であり、現在用いられている熱量分析、分光学的分析、電流滴定またはガス定量法のいずれかによって検出することができる。酵素は、カルボジイミド、ジイソシアネート、グルタルアルデヒドなどの架橋分子との反応により結合させることができる。これらの方法に用いることができる、多くの酵素が知られており利用することができる。好ましいのは、ペルオキシダーゼ、グルクロニダーゼ、ｐ−Ｄ−グルコシダーゼ、−Ｄ−ガラクトシダーゼ、ウレアーゼ、グルコースオキシダーゼ＋ペルオキシダーゼ、およびアルカリホスファターゼ（例えば米国特許第３，６５４，０９０号；同第３，８５０，７５２号；および同第４，０１６，０４３号を参照）。
【０１３８】
抗体ベースの診断およびそれらの応用は、当業者にはよく知られており、本発明にしたがって用いることができる。非限定的な例として、「拮抗的な」（米国特許第３，６５４，０９０号および同第３，８５０，７５２号）、「サンドウィッチ」（米国特許第４，０１６，０４３）、および「二重抗体」または「ＤＡＳＰ」分析も用いることができる。ＥＬＩＳＡ、ＲＩＡ、およびＦＡＣＳを含む、Ｂ７関連ポリペプチドレベルを測定するための方法は、当分野において知られており、変化したまたは異常なレベルのＢ７関連ポリペプチド発現を診断するための基礎を提供する。Ｎｏｒｍａｌまたはｓｔおよびａｒｄ ｖａｌｕｅｓ ｆｏｒ Ｂ７関連ポリペプチド発現の正常なまたは標準的な数値は、正常な患者、好ましくはヒト、から採取した生物学的サンプルを、Ｂ７関連ポリペプチドに対する抗体と、複合体形成に適当な条件下でインキュベーションすることによって確定することができる。標準的な複合体形成の量は、様々な方法によって定量することができる；測光的方法が好ましい。対象のサンプルにおいて発現したＢ７関連ポリペプチドのレベル、ネガティブコントロール（正常な）サンプル、およびポジティブコントロール（疾患の）サンプルを標準値と比較する。標準値と対象の数値との間の偏差によって疾患を診断するためのパラメータを確定する。
【０１３９】
特に、Ｂ７関連ポリヌクレオチドまたはポリペプチドは、疾患に関連するまたは疾患のなりやすさ、特に本明細書に記載する免疫系の障害に関係しているので、更なる態様において、本発明は、Ｂ７関連ポリヌクレオチドまたはポリペプチドを検出するための診断用キットに関する。そのようなキットは異化の１またはそれ以上を含む：
（ａ）Ｂ７関連ポリペプチドヌクレオチド、好ましくはＢＳＬ１（配列番号１または３）、ＢＳＬ２（配列番号６、１０、または１２）、またはＢＳＬ３（配列番号１４）、またはその断片のヌクレオチド配列；または
（ｂ）（ａ）の配列に相補的なヌクレオチド配列；または
（ｃ）Ｂ７関連ポリペプチド、好ましくはＢＳＬ１（配列番号２）、ＢＳＬ２（配列番号７、１１、または１３）、またはＢＳＬ３（配列番号１５）、またはその断片の配列のポリペプチド；または
（ｄ）Ｂ７関連ポリペプチドに対する抗体、好ましくはＢＳＬ１（配列番号２）、ＢＳＬ２（配列番号７、１１、または１３）、またはＢＳＬ３（配列番号１５）のポリペプチドに対する抗体、またはその断片に結合可能な抗体。そのような任意のキットにおいて、（ａ），（ｂ），（ｃ）または（ｄ）は実質的な成分および使用説明書を含むことができる。本キットはさらに、緩衝剤や安定化剤等の重要ではない成分を含むこともできる。
【０１４０】
本発明は、さらにＢ７関連因子における突然変異を同定するために利用することができる遺伝子スクリーニングのための試験キットを包含し得る。患者を突然変異ＢＳＬ１、ＢＳＬ２、および／またはＢＳＬ２ＤＮＡによって同定し、その突然変異をＢＳＬ１、ＢＳＬ２、およびＢＳＬ３における既知の突然変異、特定の状態または疾患を含むデータベースと比較することによって、特定の状態または疾患の同定および／または確認ができる。したがって、そのようなキットは、特異的なプライマーで患者のｍＲＮＡを転写すること、および別のセットのプライマーを用いて得られたｃＤＮＡを増幅すること、を含むＰＣＲベースの試験を含む。増幅された産物は、ゲル電気泳動で検出でき、ＢＳＬ１、ＢＳＬ２、および／またはＢＳＬ３についての既知の標準とそれぞれ比較することができる。好ましくは、このキットは、患者の血液、血清、唾液サンプルを用い、ＤＮＡは、標準的な技術を用いて抽出する。次いで、既知の突然変異に連結するプライマーをＢＳＬ１、ＢＳＬ２、および／またはＢＳＬ３の断片を増幅するために用いる。次いで、増幅された部分の配列を解析し、突然変異の存在を調べる。
【０１４１】
治療
医薬組成物：本発明は、本明細書に詳述する、Ｂ７関連核酸、ポリペプチド、抗体、リガンド、調節物質（例えばアゴニスト、アンタゴニスト、またはインヒビター）、またはその断片もしくは機能的変異体、および生理学的に許容し得る担体、賦形剤、賦形剤、または希釈剤を含有する組成物に関する。本発明はさらに、本発明の治療方法を実施するのに有用な医薬組成物に関する。好ましくは、医薬組成物には、添加剤、製薬的に許容し得る賦形剤（担体）および、活性成分として、１またはそれ以上の本明細書に記載の、Ｂ７関連ポリペプチド、核酸、リガンド、調節物質、抗体、またはその断片または機能的等価物を含有する。Ｂ７関連ポリペプチドまたはペプチドは天然に存在する細胞成分なので、望ましくない免疫学的合併症の危険を最小限にして個人の循環系に投与することができる。
【０１４２】
活性成分として生物学的な試薬を含有する医薬組成物の製造は、当分野において十分理解されている。典型的には、そのような成分を注射可能なように、液体の溶液または懸濁液として製造するが、注射前の液体中の溶液または懸濁液のために固体の形態でも製造することができる。これらの調製物をエマルションとすることもできる。活性な治療剤は、しばしば製薬的に許容し得る、活性成分と適合し得る賦形剤と混合する。適当な賦形剤は、例えば、水、食塩水、デキストロース、グリセロール、エタノールなど、およびそれらの組合せである。さらに、所望ならば、組成物は、活性成分の有効性を高める、湿潤剤または乳化剤、 ｐＨ緩衝剤等の少量の補助物質を含有することができる。
【０１４３】
医薬組成物は、製造して、処置される障害または疾患によって確立された方法にしたがい、治療プロトコルにおいて用いることができる（例えば、Ｐ． Ｄ． Ｍａｙｎｅ（１９９６）Ｃｌｉｎｉｃａｌ Ｃｈｅｍｉｓｔｒｙ ｉｎ ＤｉａｇｎｏｓｉｓおよびＴｒｅａｔｍｅｎｔ、６ｔｈ ｅｄ．、Ｏｘｆｏｒｄ Ｕｎｉｖｅｒｓｉｔｙ Ｐｒｅｓｓ、Ｏｘｆｏｒｄ、Ｅｎｇｌおよび；Ｇｉｌｍａｎ ｅｔ ａｌ．、Ｅｄｓ．（１９９０）ＧｏｏｄｍａｎおよびＧｉｌｍａｎ’ｓ ：Ｐｈａｒｍａｃｏｌｏｇｉｃａｌ Ｂａｓｉｓ ｏｆ Ｔｈｅｒａｐｅｕｔｉｃｓ、８ｔｈ ｅｄ．、Ｐｅｒｇａｍｏｎ Ｐｒｅｓｓ；Ａｖｉｓ ｅｔ ａｌ．、Ｅｄｓ．（１９９３）Ｐｈａｒｍａｃｅｕｔｉｃａｌ Ｄｏｓａｇｅ Ｆｏｒｍｓ ：Ｐａｒｅｎｔｅｒａｌ Ｍｅｄｉｃａｔｉｏｎｓ、Ｄｅｋｋｅｒ、Ｎｅｗ Ｙｏｒｋ、ＮＹ；およびＬｉｅｂｅｒｍａｎ ｅｔ ａｌ．、Ｅｄｓ．（１９９０）Ｐｈａｒｍａｃｅｕｔｉｃａｌ Ｄｏｓａｇｅ Ｆｏｒｍｓ ：Ｄｉｓｐｅｒｓｅ Ｓｙｓｔｅｍｓ、Ｄｅｋｋｅｒ、Ｎｅｗ Ｙｏｒｋ、ＮＹ）。
【０１４４】
医薬組成物は、中性または塩の形態として製造することができる。塩は、塩酸、硫酸、酢酸、乳酸、酒石酸、リンゴ酸およびコハク酸が挙げられるがこれに限定されない、多くの酸と形成することができる。組成物は、溶液、懸濁液錠剤、丸剤、カプセル剤、徐放化合物、または粉末剤の形態を取ることができる。そのような製剤は、１０％〜９５％（ｗ／ｗ）、好ましくは２５％−７０％（ｗ／ｗ）の活性成分を含有することができる。活性化合物を注射により投与する場合、例えば、１投与単位ごとに、１μｇ〜３ｍｇおよび好ましくは約２０μｇ〜５００μｇの活性化合物（例えばＢ７関連関連ポリペプチド）を投与することができる。医薬調製物および組成物はさらに１またはそれ以上の生理学的に許容し得る担体、賦形剤、希釈剤、崩壊剤、滑沢剤、流動化剤、充填剤、着色剤、投与ビークル、吸収増強剤、安定化剤、または抗菌剤を含有することができる。そのような組成物および調製物の製造および形成は、当分野において知られ実施されている方法によって行われる。
【０１４５】
製剤例は以下の通りである：
注射用製剤Ｉ：
2004500863.tif 000004
注射用製剤ＩＩ：
2004500863.tif 000005
注射用製剤ＩＩＩ：
2004500863.tif 000006
注射用製剤ＩＶ：
2004500863.tif 000007
【０１４６】
本明細書に用いられる、「ｐｇ」は、ピコグラム、「ｎｇ」はナノグラム、「ｍＬ」はミリグラム、および「ｌ」はリットルを意味する。
【０１４７】
医薬組成物の製造後、適当な容器に入れ、表示された状態の処置のためにラベルが付す。そのようなラベルに、投与方法を記載することが多い。調製物は、経口または非経口経路で全身的に投与することができる。非限定的な非経口投与経路としては、皮下、筋肉内、腹腔内、静脈内、経皮、吸入、鼻内、動脈内、鞘内、経腸、舌下または直腸が挙げられる。
【０１４８】
１またはそれ以上のＢ７関連ポリペプチド、融合タンパク質、ペプチド断片、またはこれらの成分と特異的に結合する抗体を含む、医薬組成物の治療上有効な量は、Ｔ細胞等の免疫または炎症応答細胞の変化した活性化レベルに関連した疾患または障害を減少、改善または取り除くのに十分な量である。有効な量を、１回の投与でまたは投与の繰り返しで処置される個人に導入することができる。治療的投与は予防的投与の後、疾患の処置の後に行うことができる。予防的に有効な量は、疾患を防止するのに有効な量であり、具体的な病気と患者に依存するであろう。治療上有効な量は、最初に、例えば、細胞カルチャー分析または動物モデル、例えばマウス、ラット、ウサギ、ヒツジ、ヤギ、ブタ、または非ヒト霊長類など、において見積もることができる。動物モデルは、最大許容用量および適当な投与経路を決定するために用いることができる。そして、そのような情報をヒトにおける有用な投与量および投与経路を決定するために用いることができる。
【０１４９】
患者に対する本発明の治療組成物の投与は、知られている方法を用いて、所望の結果を達成するのに有用な用量と期間で行うことができる。例えば、Ｂ７関連ポリペプチド、融合タンパク質、ペプチド、またはこれらの化合物と反応する抗体の治療上活性な量は、その人の年齢、性別、および体重、およびその人において所望の応答を引き出す処置の能力に依存して変わり得る。投与量は、最適な治療応答をもたらすように調製し得る。例えば、何回かの投与を連続して毎日投与するか、または治療状況の緊急性に応じて比例して減少させることができる。
【０１５０】
さらに、遺伝子導入治療：Ｂ７関連ポリペプチド、融合タンパク質、またはＢＳＬ１（配列番号 ２）、ＢＳＬ２（配列番号７、１１、または１３）、またはＢＳＬ３（配列番号１５）ポリペプチド配列を含む断片を含むペプチド断片をコードする遺伝子を有するように遺伝子操作された宿主細胞を免疫調節を必要とする人に導入することができる。宿主細胞によるＢ７関連ポリペプチドまたはペプチドの発現と産生の後、産生したＢ７関連ポリペプチド、融合タンパク質、またはペプチドは、ＣＤ２８および／またはＣＤ２８関連リガンドと結合して受容者における免疫または炎症応答細胞（例えばＴ細胞）の活性化を調節するように作用し得る。宿主細胞は、当業者に知られた様々な分子の技術および方法、例えば、トランスフェクション、感染、または形質導入により遺伝子操作することができる。本明細書において用いる形質導入は、一般に、外来のまたはヘテロローガスな遺伝子を含むように遺伝子操作された細胞を、ウイルスまたは非ウイルスベクターの細胞への導入することをいう。さらに一般的には、形質導入は、プラスミドまたは非ウイルスベクターに組み込まれた外来遺伝子を含むように遺伝子操作された細胞をいう。宿主細胞は、種々のベクターによってトランスフェクトまたは形質導入することができ、このようにして発現した産物を筋肉内に輸送するための遺伝子送達ビークルとして供することができる。
【０１５１】
ウイルスベクターは、遺伝子導入治療には好ましいが、当分野で知られた様々な方法によって、所望の遺伝子産物をコードする核酸配列を含むように細胞を遺伝子操作することができる。例えば、融合、トランスフェクション、リポソー無の使用によるリポフェクション、エレクトロポレーション、ＤＥＡＥ−デキストランまたはリン酸カルシウムによる沈殿、または核酸で被覆した粒子（例えば金粒子）による粒子衝撃（ｂｉｏｌｉｓｔｉｃｓ）、マイクロインジェクション、または遺伝子操作された微生物（Ｋ． Ｙａｚａｗａ ｅｔ ａｌ．（２０００）Ｃａｎｃｅｒ Ｇｅｎｅ Ｔｈｅｒ． ７：２６９−２７４）によって細胞を遺伝子操作することができる。活性な生物活性産物の発現のための、ヘテロローガスな（即ち外来の）核酸（ＤＮＡまたはＲＮＡ）の筋肉細胞内への導入のためのベクターは、当分野においてよく知られている。そのようなベクターは、プロモーター 配列、好ましくは細胞特異的で発現させる配列の上流に配置させたプロモーターを有する。ベクターはさらに、場合により、トランスフェクションの成功およびベクターに含まれた核酸配列の発現の指標としての発現のための、１またはそれ以上の発現可能なマーカー遺伝子を含むことができる。さらに、ベクターは、望ましくない免疫原性が最小限になるよう、および所望の遺伝子産物の長期間の発現が最大限になるよう最適化することができる（Ｎａｂｅｌ（１９９９）Ｐｒｏｃ． Ｎａｔｌ． Ａｃａｄ． Ｓｃｉ． ＵＳＡ ９６：３２４−３２６参照）。さらに、処置の対象となる細胞のタイプに基づいてベクターを選択することができる。例えば、腫瘍または癌細胞の処置のためのベクターが記載されている（Ｐ． Ｌ． Ｈａｌｌｅｎｂｅｃｋ ｅｔ ａｌ．（１９９９）Ｈｕｍ． Ｇｅｎｅ Ｔｈｅｒ． １０：１７２１−１７３３；Ｔ． Ｓｈｉｂａｔａ ｅｔ ａｌ．（２０００）Ｇｅｎｅ Ｔｈｅｒ． ７：４９３−４９８；Ｍ． Ｐｕｈｉｍａｎｎ ｅｔ ａｌ．（２０００）Ｃａｎｃｅｒ Ｇｅｎｅ Ｔｈｅｒ． ７：６６−７３；Ｎ． Ｋｒａｕｚｅｗｉｃｚ ｅｔ ａｌ．（２０００）Ａｄｖ． Ｅｘｐ． Ｍｅｄ． Ｂｉｏｌ． ４６５：７３−８２）。
【０１５２】
宿主細胞のトランスフェクションまたは感染のためのベクター構築物の例としては、複製欠陥ウイルスベクター、ＤＮＡウイルスまたはＲＮＡウイルス（レトロウイルス）ベクター、例えばアデノウイルス、単純ヘルペスウイルス、およびアデノ−随伴ウイルスベクターが挙げられる。アデノ−随伴ウイルスベクターは、単一の標準であり、複数の核酸のコピーを細胞の核へ効率的に送達することが可能である。好ましいのは、アデノウイルスベクターである。ベクターは、通常実質的に原核生物のＤＮＡは含まず、数多くの異なる機能的な核酸配列を含むことができる。そのような機能的な配列の例は、誘導プロモーター（例えば強力なプロモーター、誘導的プロモーターなど）および宿主細胞を活性化するエンハンサーを含め、転写および翻訳開始および終止調節配列を含むＤＮＡ配列であり得る。機能的配列の一部として、目的のタンパク質をコードするオープンリーディング配列（ポリヌクレオチド配列）も含まれ得る。フランキング配列もまた、部位特異的な組込みのために含むことができる。一例として、状況によっては、５’フランキング配列の相同的組換えが可能で、これにより転写開始領域の性質が変化し、誘導的または非誘導的な転写をもたらして翻訳を増大または減少させる。
【０１５３】
一般に、コードされ発現するＢ７関連因子を細胞内に存在し得る、即ち、細胞質、核または細胞のオルガネラに保持され得る、または細胞によって分泌され得る。分泌について、Ｂ７関連構造遺伝子に存在する天然のシグナル配列は保持され得る。ポリペプチドまたはペプチドが、大きなＢ７関連因子の断片である場合、分泌されプロセシング部位でプロセシングされると、所望のタンパク質が天然配列を有するように、シグナル配列を調製することができる。本発明に従って使用するための、目的のコード配列の具体的な例としては、ＢＳＬ１（配列番号２）、ＢＳＬ２（配列番号 ：７、１１、または１３）、またはＢＳＬ３（配列番号１５）ポリペプチドコード配列が挙げられる。以前に言及したように、ベクター構築物を含む細胞の選択のためのマーカーを存在させることができる。マーカーは、誘導的かまたは非誘導的遺伝子であり、一般に誘導条件下または誘導無し、それぞれポシティブな選択が可能である。マーカー遺伝子の例としては、ネオマイシン、ジヒドロ葉酸還元酵素、グルタミン合成酵素等が挙げられる。
【０１５４】
用いられるベクターは、一般に、複製の起点および当業者に慣用的に用いられている宿主細胞における複製に必要なその他の遺伝子も含む。一例として、特定のウイルスによってコードされる複製起点および複製に関連するタンパク質を含む複製系は、構築物の一部として含まれ得る。複製系は、複製に必要な遺伝子コード産物が細胞を結果的に形質転換しないよう選択しなければならない。そのような複製系は、複製欠陥アデノウイルス（Ｇ． Ａｃｓａｄｉ ｅｔ ａｌ．（１９９４）Ｈｕｍ． Ｍｏｌ． Ｇｅｎｅｔ． ３：５７９−５８４）およびＥｐｓｔｅｉｎ−Ｂａｒｒウイルスによって示される。複製欠陥ベクター、特に複製欠陥のレトロウイルスベクターの例は、ＢＡＧである（ｓｅｅ Ｐｒｉｃｅ ｅｔ ａｌ．（１９８７）Ｐｒｏｃ． Ｎａｔｌ． Ａｃａｄ． Ｓｃｉ． ＵＳＡ、８４：１５６；Ｓａｎｅｓ ｅｔ ａｌ．（１９８６）ＥＭＢＯＪ．、５：３１３３）。最終的な遺伝子構築物が、１またはそれ以上の目的の遺伝子、例えば、生物活性な代謝分子をコードする遺伝子を含み得ることは理解されよう。さらに、当業者に知られ実施されている方法およびプロトコルを用いて、ｃＤＮＡ、合成により製造されるＤＮＡまたは染色体ＤＮＡを用いることができる。
【０１５５】
遺伝子治療の１つの方法によれば、Ｂ７関連因子をコードするベクターを受容者の細胞内へ直接注入する（ｉｎ ｖｉｖｏ 遺伝子治療）。あるいは、目的の受容者から得られた細胞を外植し、Ｂ７関連因子をコードするように遺伝子を修飾し、そのドナーへ再移植する（ｅｘ ｖｉｖｏ 遺伝子治療）。ｅｘ ｖｉｖｏ 法は、効率的なウイルス遺伝子の導入に有利であり、ｉｎ ｖｉｖｏ 遺伝子導入法よりも優れている。ｅｘ ｖｉｖｏ 遺伝子治療によれば、宿主細胞を、Ｂ７関連遺伝子産物をコードする少なくとも１つのＢ７関連遺伝子を含む操作されたウイルスベクターで最初に感染させ、食塩水またはリン酸緩衝食塩水等の、生理学的に許容し得る担体または賦形剤中で懸濁させた後、宿主に投与する。所望の遺伝子産物を注入した細胞によって発現させ、この遺伝子産物を宿主へ導入する。それにより、導入された遺伝子産物は、免疫または炎症応答細胞（例えばＴ細胞）の活性化の変化したレベルに関連する疾患を処置または改善するために用いることができる。
【０１５６】
免疫調節の方法：本発明によれば、ＢＳＬ１、ＢＳＬ２、およびＢＳＬ３核酸およびポリペプチド配列を、免疫応答（例えばＴ細胞活性化）を上方調節（増幅）または下方調節（抑制）する能力を有する治療剤の開発において用いることができる。特に、Ｂ７関連ポリペプチドは、ＣＤ２８と相互作用しそれにより免疫細胞の活性を上方調節し得る。あるいは、Ｂ７関連ポリペプチドは、ＣＴＬＡ−４と相互作用して、免疫細胞の活性を下方調節し得る。例えば、ＣＤ２８および／またはＣＤ２８関連リガンドに結合するがＴ細胞に対する共刺激シグナルを生じない、可溶性の、二量体の形態のＢ７関連ポリペプチドは、Ｔ細胞活性化をブロックするために用いることができ、それにより、患者の寛容を誘導する特異的な手段がもたらされる。同様に、１またはそれ以上のＢ７関連因子に対する抗体を用いてＢ７関連因子およびその同族リガンドとの間の相互作用をブロックし、それにより免疫または炎症応答細胞（例えばＴ細胞）の活性化を阻止することができる。さらに、ＩｇＧ分子の少なくともＦｃドメインに融合したＢ７関連因子（例えばＴ細胞）の少なくとも断片を含む融合タンパク質は、Ｂ７関連因子の同族リガンドを発現する細胞を上方調節または下方調節するために用いることができる。さらに、１またはそれ以上のＢ７関連Ｂ因子のヌクレオチド配列に結合するアンチセンスまたは３本鎖オリゴヌクレオチドを使用して、これら因子の発現を減少させることができる。対照的に、ＣＤ２８および／またはＣＤ２８関連リガンドに結合し、Ｔ細胞等の免疫または炎症応答細胞に共刺激シグナルをもたらす、細胞表面、Ｂ７関連因子の多価形態を用いてこれら細胞の活性化を増大させることができる。動物またはヒトの患者において、免疫または炎症細胞（例えばＴ細胞）の活性を上方調節または下方調節するために、１以上のＢ７関連因子、融合タンパク質、抗体、または治療上活性なその断片を用いることができる。
【０１５７】
さらに具体的には、本明細書に記載のＢ７関連因子の与えられた構造および機能を用いて、多くの方法によりＢ７関連因子の機能を上方調節または下方調節することができる。１またはそれ以上のＢ７関連因子機能の下方調節または阻止（即ち、活性化されたＴ細胞による高いレベルのリンパ球合成の阻止）は、慢性関節リウマチ、多発性硬化症、紅斑性狼瘡、橋本病甲状腺炎、原発性ｍｉｘ水腫、グ レ ー ブ ス 病 、悪性貧血、自己免疫性萎縮性胃炎、インスリン依存性糖尿病、Ｇｏｏｄｐａｓｔｕｒｅ症候群、重症筋無力症、天疱瘡、クローン病 、交換性眼炎、自己免疫性ブドウ膜炎、自己免疫性溶血性貧血、特発性血小板減少症、原発性胆汁性肝硬変，潰瘍性大腸炎、シェーグレン症候群、多発性筋炎および混合性結合組織病等の自己免疫疾患の処置に有用である。乾癬、慢性閉塞性肺疾患、喘息、およびアテローム性動脈硬化症に関連する炎症の処置のためにＢ７関連因子を上方調節してもよい。さらに、組織、骨髄、および臓器移植、および移植片対宿主疾患の処置のためにＢ７関連因子を下方調節してよい。例えば、Ｔ細胞機能のブロックは、組織移植における組織破壊の減少をもたらす。典型的には、組織移植において、移植片の拒絶は、その組織を外来の物質と認識することによって開始され、それに続いてその移植片を破壊する免疫反応が起きる。本発明のＢ７関連分子は、以下に詳細に記載する癌を処置または阻止するためにも用いることができる。
【０１５８】
本発明によって提供されるＢ７関連核酸分子は、１またはそれ以上のＢ７関連因子の機能をブロックするための治療を設計するために用いることができる。特に、アンチセンスまたは３本鎖オリゴヌクレオチドを投与してＢＳＬ１、ＢＳＬ２、および／またはＢＳＬ３因子の発現を阻止することができる。例えば、ＢＳＬ１、ＢＳＬ２、および／またはＢＳＬ３ｍＲＮＡにハイブリダイズするオリゴヌクレオチド（例えばＤＮＡ オリゴヌクレオチド）は、ｍＲＮＡをＲｎａｓｅＨ消化の標的とするために用いることができる。あるいは、ＢＳＬ１（配列番号１または３）、ＢＳＬ２（配列番号６、１０、または１２）、またはＢＳＬ３（配列番号１４）ｍＲＮＡの翻訳開始部位とハイブリダイズするオリゴヌクレオチドはｍＲＮＡの翻訳を阻止するために用いることができる。別の方法では、ＢＳＬ１、ＢＳＬ２、および／またはＢＳＬ３遺伝子の２本鎖ＤＮＡに結合するオリゴヌクレオチドを投与することができる。そのようなオリゴヌクレオチドは、３本鎖の構築物を形成することができ、標的とするＢ７関連因子をコードするＤＮＡの巻き戻しと翻訳を阻止する。いずれの場合も、適当なオリゴヌクレオチドを合成し、医薬組成物として製剤化することができ、患者に投与することができる。ｓｙｎｔｈｅｓｉｓおよびｕｔｉｌｉｚａｔｉｏｎ ｏｆ アンチセンスおよび３本鎖オリゴヌクレオチドの合成および利用は以前から記載されている（例えばＨ． Ｓｉｍｏｎ ｅｔ ａｌ．（１９９９）アンチセンス 核酸 Ｄｒｕｇ Ｄｅｖ． ９：５２７−３１；Ｆ． Ｘ． Ｂａｒｒｅ ｅｔ ａｌ．（２０００）Ｐｒｏｃ． Ｎａｔｌ． Ａｃａｄ． Ｓｃｉ． ＵＳＡ ９７：３０８４−３０８８；Ｒ． Ｅｌｅｚ ｅｔ ａｌ． （２０００）Ｂｉｏｃｈｅｍ． Ｂｉｏｐｈｙｓ． Ｒｅｓ． Ｃｏｍｍｕｎ． ２６９：３５２−６；Ｅ． Ｒ． Ｓａｕｔｅｒ ｅｔ ａｌ． （２０００）Ｃｌｉｎ． Ｃａｎｃｅｒ Ｒｅｓ． ６：６５４−６０）。
【０１５９】
本発明によれば、アンチセンスオリゴヌクレオチドは、天然に存在するオリゴヌクレオチド種または天然に存在するサブユニットから形成された合成種またはそれらに近い同族体である。アンチセンスオリゴヌクレオチドは、オリゴヌクレオチドと同様に機能する部分を含んでいてもよいが、天然に存在しない部分を有する。即ち、アンチセンスオリゴヌクレオチドは、変化した糖部分または糖と糖との間の結合を有していてもよい。これらの例としては、ホスホロチオエートおよび当分野で知られているその他の硫黄含有基である。
【０１６０】
好ましい態様では、アンチセンスオリゴヌクレオチドの少なくとも１つのホスホジエステル結合は、その活性を調節するべきＲＮＡが存在している細胞の領域内へその組成物を浸透させる能力を増大するように機能する構造で置換されている。そのような置換に、ホスホロチオエート結合、メチルホスホネート結合または短いアルキル鎖またはシクロアルキル構造が含まれることが好ましい。その他の好ましい態様によれば、ホスホジエステル結合は実質的に非イオン性で非キラルな構造で１回、またはキラルおよびエナンチオマー特異的な構造で置換する。当業者は、本発明において用いるためにその他の結合を選択することができるであろう。
【０１６１】
アンチセンスオリゴヌクレオチドは、少なくともいくつかの修飾された塩基の形態を含む種を含んでいてもよい。即ち、もともと天然に通常存在するもの以外のプリンおよびピリミジンを用いることができる。同様に、ヌクレオチドサブユニットのフラノシル部分の修飾もまた、本発明の信条にしたがう限り、引き起こすことができる。そのような修飾の例としては２’−Ｏ−アルキル−および２’−ハロゲン−置換 ヌクレオチドである。本発明に有用な糖部分の２’位での修飾の非限定的な例としては、ＯＨ、ＳＨ、ＳＣＨ３、Ｆ、ＯＣＨ３、ＯＣＮ、Ｏ（ＣＨ２）ｎ ＮＨ２およびＯ（ＣＨ２）ｎ ＣＨ３（ここで、ｎは１〜約１０である）が挙げられる。そのようなアンチセンスオリゴヌクレオチドは、天然のオリゴヌクレオチドまたは天然の構造と１またはそれ以上の異なる相違を有する合成されたオリゴヌクレオチドと機能的に交換可能である。そのようなアナログはすべて、効果的に機能してＢＳＬ１、ＢＳＬ２、またはＢＳＬ３ ＤＮＡまたはＲＮＡとハイブリダイズしてその機能を阻害するかぎり、本発明に包含される。
【０１６２】
アンチセンス治療について、本発明に従うオリゴヌクレオチドは好ましくは、約３〜約５０のサブユニットを含む。そのようなオリゴヌクレオチドおよびアナログが約８〜約２５のサブユニットを含む、さらには約１２〜約２０サブユニットを有することがより好ましい。本明細書に定義されるように、「サブユニット」は、ホスホジエステルまたは他の結合によって隣接するサブユニットに適切に結合した塩基と糖の組合せである。
【０１６３】
アンチセンスオリゴヌクレオチドは、標準的な技術によって製造することができる（例えばＳｈｅｗｍａｋｅｒ ｅｔ ａｌ．、米国特許第５，１０７，０６５参照）。本発明にしたがって用いられるオリゴヌクレオチドは、固相合成の周知技術によって便利におよび常套的に製造することができる。そのような合成のための装置は、ＰＥ Ａｐｐｌｉｅｄ Ｂｉｏｓｙｓｔｅｍｓ（Ｆｏｓｔｅｒ Ｃｉｔｙ、ＣＡ）を含め、いくつかの製造販売元から入手可能である。そのような合成のためのその他の方法も用いることができるが、オリゴヌクレオチドの実際の合成は、十分に当業者の能力の範囲内である。ホスホロチオエートおよびアルキル化誘導体などの他のオリゴヌクレオチドの製造もよく知られている。
【０１６４】
本発明のオリゴヌクレオチドは、ＢＳＬ１、ＢＳＬ２、またはＢＳＬ３ ＲＮＡ（例えばｍＲＮＡ）またはＤＮＡにハイブリダイズ可能なように設計することができる。例えば、Ｂ７関連ｍＲＮＡにハイブリダイズするオリゴヌクレオチド（例えばＤＮＡオリゴヌクレオチド）をＲｎａａｓｅＨ消化にＲＮＡを標的化するために用いることができる。あるいは、Ｂ７関連ｍＲＮＡの翻訳開始部位にハイブリダイズするオリゴヌクレオチドは、ｍＲＮＡの翻訳を阻止するために用いることができる。別の態様では、ＢＳＬ１、ＢＳＬ２、またはＢＳＬ３の２本鎖のＤＮＡに結合するオリゴヌクレオチドを投与することができる。そのようなオリゴヌクレオチドは、３本鎖の構築物を形成することができ、ＢＳＬ１、ＢＳＬ２、またはＢＳＬ３ ポリペプチドをコードするＤＮＡの転写を阻害する。三重らせんのペアリングは、二重らせんが、ポリメラーゼ、翻訳因子または調節分子の結合が可能になるほどに十分開くのを阻止する。３本鎖ＤＮＡを用いた最近の治療の進歩は記載されている（例えば、Ｊ． Ｅ． Ｇｅｅ ｅｔ ａｌ．（１９９４） ＭｏｌｅｃｕｌａｒおよびＩｍｍｕｎｏｌｏｇｉｃ Ａｐｐｒｏａｃｈｅｓ、Ｆｕｔｕｒａ Ｐｕｂｌｉｓｈｉｎｇ Ｃｏ．、Ｍｔ． Ｋｉｓｃｏ、ＮＹ参照）。
【０１６５】
非限定的な例として、アンチセンスオリゴヌクレオチドを位かの領域とハイブリダイズするように標的化することができる：：ｍＲＮＡキャップ領域；翻訳開始部位；転写終止部位；転写開始部位；翻訳終止部位；ポリアデニル化配列シグナル；３’非翻訳領域；５’非翻訳領域；５’コード領域；ｍｉｄコード領域；および３’コード領域。好ましくは、５’コード配列に位置するいずれかの約１５−３５ ヌクレオチドを含む、ＢＳＬ１、ＢＳＬ２、またはＢＳＬ３の最も独特な５’配列とハイブリダイズするように相補的なオリゴヌクレオチドを設計することができる。オリゴソフトウエア（Ｍｏｌｅｃｕｌａｒ Ｂｉｏｌｏｇｙ Ｉｎｓｉｇｈｔｓ、Ｉｎｃ．、Ｃａｓｃａｄｅ、ＣＯ；ｈｔｔｐ ：／／ｗｗｗ． オリゴ． ｎｅｔ）を用いて適当なオリゴヌクレオチドを設計することができる。
【０１６６】
本発明によれば、アンチセンスオリゴヌクレオチドを合成し、医薬組成物として製剤化し、患者に投与することができる。アンチセンスおよび３本鎖オリゴヌクレオチドの合成および利用は以前から記載されている（例えばＨ． Ｓｉｍｏｎ ｅｔ ａｌ．（１９９９）アンチセンス 核酸 Ｄｒｕｇ Ｄｅｖ． ９：５２７−３１；Ｆ． Ｘ． Ｂａｒｒｅ ｅｔ ａｌ．（２０００）Ｐｒｏｃ． Ｎａｔｌ． Ａｃａｄ． Ｓｃｉ． ＵＳＡ ９７：３０８４−３０８８；Ｒ． Ｅｌｅｚ ｅｔ ａｌ． （２０００）Ｂｉｏｃｈｅｍ． Ｂｉｏｐｈｙｓ． Ｒｅｓ． Ｃｏｍｍｕｎ． ２６９：３５２−６；Ｅ． Ｒ． Ｓａｕｔｅｒ ｅｔ ａｌ． （２０００）Ｃｌｉｎ． Ｃａｎｃｅｒ Ｒｅｓ． ６：６５４−６０）。あるいは、レトロウイルス、アデノウイルス、ヘルペスまたはワクシニアウイルス、または種々の細菌プラスミドから得られた発現ベクターを標的器官、組織または細胞集団へ送達するために使用することができる。当業者によく知られた方法を用いて、ＢＳＬ１、ＢＳＬ２、またはＢＳＬ３ ポリペプチドをコードする核酸配列に相補的な核酸配列を発現する組換えベクターを構築することができる。これらの技術は、Ｓａｍｂｒｏｏｋ ｅｔ ａｌ．（１９８９）および ｉｎ Ａｕｓｕｂｅｌ ｅｔ ａｌ．（１９９２）に記載されている。例えば、高レベルの翻訳不能なセンスまたはアンチセンス配列を発現する発現ベクターで細胞または組織を形質転換することにより、ＢＳＬ１、ＢＳＬ２、またはＢＳＬ３発現を誘導することができる。 ＤＮＡへの組込みが存在しない場合でも、そのようなベクターは、内因的な核によりそれらが無効にされるまで、ＲＮＡ分子を転写し続ける。非複製ベクターによる一過性発現は１ヶ月またはそれ以上続き、ベクター系に適当な複製エレメントが含まれているとさらに長くなる。
【０１６７】
ＢＳＬ１、ＢＳＬ２、またはＢＳＬ３ 発現を阻害する特異的なアンチセンスオリゴヌクレオチドの能力を試験するために様々な分析を用いることができる。例えば、ｍＲＮＡレベルをノーザンブロット解析（Ｓａｍｂｒｏｏｋ ｅｔ ａｌ．（１９８９）；Ａｕｓｕｂｅｌ ｅｔ ａｌ．（１９９２）；Ｊ． Ｃ． Ａｌｗｉｎｅ ｅｔ ａｌ．（１９７７）Ｐｒｏｃ． Ｎａｔｌ． Ａｃａｄ． Ｓｃｉ． ＵＳＡ ７４：５３５０−５３５４；Ｉ． Ｍ． Ｂｉｒｄ（１９９８）Ｍｅｔｈｏｄｓ Ｍｏｌ． Ｂｉｏｌ． １０５：３２５３６）、定量的または半定量的ＲＴ−ＰＣＲ解析（ｓｅｅ、例えばＷ． Ｍ． Ｆｒｅｅｍａｎ ｅｔ ａｌ．（１９９９）Ｂｉｏｔｅｃｈｎｉｑｕｅｓ ２６：１１２−１２２；Ｒｅｎ ｅｔ ａｌ．（１９９８）Ｍｏｌ． 脳 Ｒｅｓ． ５９：２５６−６３；Ｊ． Ｍ． Ｃａｌｅ ｅｔ ａｌ．（１９９８）、Ｍｅｔｈｏｄｓ Ｍｏｌ． Ｂｉｏｌ． １０５：３５１７１）、またはｉｎ ｓｉｔｕ ハイブリダイゼーション（ｒｅｖｉｅｗｅｄ ｂｙ Ａ． Ｋ． Ｒａａｐ（１９９８）Ｍｕｔａｔ． Ｒｅｓ． ４００：２８７−２９８）により分析することができる。あるいは、例えばウェスタンブロット解析、間接免疫蛍光法、免疫沈降法（例えばＪ． Ｍ． Ｗａｌｋｅｒ（１９９８）Ｐｒｏｔｅｉｎ Ｐｒｏｔｏｃｏｌｓ ｏｎ ＣＤ−ＲＯＭ、ヒトａ Ｐｒｅｓｓ、Ｔｏｔｏｗａ、ＮＪ参照）によって、ＢＳＬ１、ＢＳＬ２、またはＢＳＬ３ ポリペプチドのレベルを測定することにより、アンチセンスオリゴヌクレオチドを分析することができる。
【０１６８】
本発明によって提供されるＢ７関連ポリペプチド配列は、免疫応答細胞（例えばＴ細胞）の活性をブロックまたは増強するための治療剤を設計するのに有用である。例えば、ヒトＩｇＧのＦｃドメインに結合したＢ７関連ポリペプチドの可溶性部分を含む融合タンパク質は、上記の標準的な組換え法により構築することができる。ＢＳＬＩ−Ｉｇ、ＢＳＬ２−Ｉｇ、および／またはＢＳＬ３−Ｉｇ、融合タンパク質は、医薬組成物として製造することができ患者に投与することができる。ＢＳＬ１−Ｉｇ、ＢＳＬ２−Ｉｇ、および／またはＢＳＬ３−Ｉｇ融合タンパク質は、特異的なＴ細胞を破壊するために標的化し、それにより全体の細胞活性化を減少させることができる。そのような処置法は、心臓同種移植を阻止するためにＣＴＬＡ−４−Ｉｇを用いた動物実験においてモデル化することができる（Ｔｕｒｋａ ｅｔ ａｌ．前掲）。このような方法をヒトにおける使用、および種々の移植および自己免疫疾患を含む、他の状態における使用に適応させ得ることは当業者に理解されよう。あるいは、ＢＳＬ１−Ｉｇ、ＢＳＬ２−Ｉｇ、および／またはＢＳＬ３−Ｉｇ融合タンパク質をＴ細胞活性化を増強するために使用することができる。例えば、ＢＳＬ２−ＩｇおよびＢＳＬ３−Ｉｇ融合タンパク質は、本明細書に記載の共刺激分子として使用することができる。
【０１６９】
別法として、Ｂ７関連ポリペプチドまたはペプチドと特異的に反応する抗体を用いて免疫または炎症応答細胞（例えばＴ細胞）の活性をブロックすることができる。ＢＳＬ１（配列番号２）、ＢＳＬ２（配列番号７、１１、または１３）、またはＢＳＬ３（配列番号 ：１５）配列を含むペプチドまたはポリペプチドに結合する抗体または関連する抗体断片を医薬組成物として製剤化し、単独または組み合わせて患者に投与することができる。次いで、そのような抗体は、Ｂ７関連ポリペプチドとＣＤ２８および／またはＣＤ２８関連リガンドとの相互作用を阻害し、それによりＴ細胞活性化を阻止することができる。Ｂ７関連因子に対する抗体を用いる処置は、ＣＤ２８、Ｂ７−１、またはＢ７−２に対する抗体（Ｄ． Ｊ． Ｌｅｎｓｈｏｗ ｅｔ ａｌ．（１９９５）Ｔｒａｎｓ植物ａｔｉｏｎ ６０：１１７１−１１７８；Ｙ． Ｓｅｋｏ ｅｔ ａｌ．（１９９８） Ｃｉｒｃ． Ｒｅｓ． ８３：４６３−４６９；Ａ． Ｈａｃｚｋｕ ｅｔ ａｌ．（１９９９）Ａｍ． Ｊ． Ｒｅｓｐｉｒ． Ｃｒｉｔ． Ｃａｒｅ Ｍｅｄ． １５９：１６３８−１６４３）を用いる動物実験でモデル化することができる。当業者は、そのような方法を、ヒトにおける使用および炎症または移植が関与する様々な状態での使用に適合させることができる。
【０１７０】
非ヒトの供給源から産生した抗体ベースの治療は、ヒトの患者において、望ましくない免疫応答を引き起こし得ることに注意しなければならない。この問題を最小限にするために、キメラ抗体誘導体を製造することができる。キメラ抗体は、非ヒト動物の可変領域とヒトの定常領域を結合したものである。キメラ抗体は、当分野で知られている方法にしたがって構築することができる（Ｍｏｒｒｉｓｏｎ ｅｔ ａｌ． （１９８５）Ｐｒｏｃ． Ｎａｔｌ． Ａｃａｄ． Ｓｃｉ． Ｕ． ＳＡ ８１ ：６８５１；Ｔａｋｅｄａ ｅｔ ａｌ．（１９８５）Ｎａｔｕｒｅ ３１４：４５２；米国特許第４，８１６，５６７ ｏｆ Ｃａｂｉｌｌｙ ｅｔ ａｌ．；米国特許第４，８１６，３９７ ｏｆ Ｂｏｓｓ ｅｔ ａｌ．；Ｅｕｒｏｐｅａｎ Ｐａｔｅｎｔ Ｐｕｂｌｉｃａｔｉｏｎ ＥＰ １７１４９６；ＥＰ ０１７３４９４；Ｕｎｉｔｅｄ Ｋｉｎｇｄｏｍ Ｐａｔｅｎｔ ＧＢ ２１７７０９６Ｂ参照）。さらに、当分野で知られた方法のいずれかにより抗体をさらに「ヒト化」することができる（例えばＴｅｎｇ ｅｔ ａｌ．（１９８３）Ｐｒｏｃ． Ｎａｔｌ． Ａｃａｄ． Ｓｃｉ． ＵＳＡ ８０：７３０８−７３１２；Ｋｏｚｂｏｒ ｅｔ ａｌ． （１９８３）Ｉｍｍｕｎｏｌｏｇｙ Ｔｏｄａｙ ４：７２７９；Ｏｌｓｓｏｎ ｅｔ ａｌ．（１９８２）Ｍｅｔｈ． Ｅｎｚｙｍｏｌ． ９２：３−１６；国際特許出願ＷＯ ９２／０６１９３；ＥＰ ０２３９４００）。ヒト化抗体は、商業的な供給源から得ることもできる（例えばＳｃｏｔｇｅｎ Ｌｉｍｉｔｅｄ、Ｍｉｄｄｌｅｓｅｘ、Ｇｒｅａｔ Ｂｒｉｔａｉｎ）。ヒト化抗体による免疫治療は、慢性疾患の状況の処置または繰り返しの抗体処置を必要とする状況に対して増加した有効性を長期間もたらし得る。
【０１７１】
別の更なる方法において、Ｂ７関連因子の単離されたリガンドを、免疫または炎症応答細胞（例えばＴ細胞）の活性を下方調節するために使用することができる。例えば、本明細書に詳細に記載した方法にしたがって、Ｂ７関連因子リガンドを含む可溶性の融合タンパク質を製造し、単離し、医薬組成物を製造するために使用することができる。次いで、この医薬組成物を、上に記載したように、患者に投与して、１またはそれ以上の内因的Ｂ７関連因子に結合させ、免疫または炎症応答細胞（例えばＴ細胞）の活性化をブロックすることができる。
【０１７２】
Ｂ７関連因子の上方調節は治療において有用でもある。なぜなら、ウイルス感染は細胞傷害性Ｔ細胞によって取り除かれるので、より迅速なまたは完全な感染性ウイルスの除去が動物またはヒトの患者において有益である場合には、細胞傷害活性の増大が治療上有用であろう。とりわけ、Ｂ７−１は、同族リガンドとの相互作用によりＴ細胞の細胞傷害性を増大するように作用する。即ち、Ｂ７関連ポリペプチドの可溶性の活性な形態は、免疫不全（例えばＨＩＶ）、乳頭腫（例えばＨＰＶ）、ヘルペス（例えばＨＳＶ）、脳炎、インフルエンザ（例えばヒトインフルエンザウイルスＡ）、および風邪（例えばヒトライノウイルス ）ウイルス感染等の、局所的なまたは全身的なウイルス感染の処置のために投与することができる。例えば、活性な多価Ｂ７関連因子の医薬製剤を局所的に投与して、ヘルペス病変または帯状疱疹または陰部疣贅等のウイルス性の皮膚病を処置することができる。あるいは、活性な多価Ｂ７関連因子の医薬組成物を全身投与して、ＡＩＤＳ、インフルエンザ、風邪または脳炎等の全身性のウイルス疾患を処置することができる。
【０１７３】
さらに、Ｂ７関連因子機能の調節は、腫瘍免疫の誘導において有用であり得る。例えば、腫瘍細胞（例えば肉腫、メラノーマ、リンパ腫、白血病、神経芽細胞腫、または癌腫細胞）を、少なくとも１つのＢ７関連因子、例えばＢＳＬ１（配列番号２）、ＢＳＬ２（配列番号７、１１、または１３）、またはＢＳＬ３（配列番号１５）の少なくとも断片ををコードする核酸を有するように遺伝子操作し、患者に投与して患者における腫瘍特異的寛容を阻止することができる。とりわけ、Ｂ７−１ ｉｎＢ７ネガティブマウス腫瘍細胞におけるＢ７−１の異所性の発現は、マウスにおいて、腫瘍拒絶を伴うＴ細胞介在の特異的免疫および腫瘍の攻撃に対する長期間の保護を誘導することが示されている（Ｌ． Ｃｈｅｎ ｅｔ ａｌ．前掲；Ｓ． Ｔｏｗｎｓ末端 ｅｔ ａｌ．前掲；Ｓ． Ｂａｓｋａｒ ｅｔ ａｌ．前掲）。Ｂ７関連因子を用いる腫瘍または癌細胞遺伝子治療は、動物実験においてモデル化することができる（Ｋ． Ｄｕｎｕｓｓｉ−Ｊｏａｎｎｏｐｏｕｌｏｓ ｅｔ ａｌ．（１９９７）Ｊ． Ｐｅｄｉａｔｒ． Ｈｅｍａｔｏｌ． Ｏｎｃｏｌ． １９：３５６−３４０；Ｋ． Ｈｉｒｏｉｓｈｉ ｅｔ ａｌ．（１９９９） Ｇｅｎｅ Ｔｈｅｒ． ６：１９８８−１９９４；Ｂ． Ｋ． Ｍａｒｔｉｎ ｅｔ ａｌ．（１９９９）Ｊ． Ｉｍｍｕｎｏｌ． １６２：６６６３６６７０；Ｍ． Ｋｕｉｐｅｒ ｅｔ ａｌ．（２０００）Ａｄｖ． Ｅｘｐ． Ｍｅｄ． Ｂｉｏｌ． ４６５：３８１−３９０）、または遺伝子導入治療にＢ７−１またはＢ７−２遺伝子を用いるヒト第Ｉ相臨床試験（Ｈ． Ｌ． Ｋａｕｆｍａｎ ｅｔ ａｌ．（２０００）Ｈｕｍ． Ｇｅｎｅ Ｔｈｅｒ． １１：１０６５−１０８２）。様々な腫瘍または癌細胞での使用にそのような方法を適合させることができることは理解されよう。さらに、腫瘍免疫は、免疫細胞を直接刺激するＢ７関連融合タンパク質の投与によって達成することができる（例えばＶ． Ｌｉｎｇ らの国際特許出願第 ＷＯ ０１／２１７９６号を参照）。
【０１７４】
薬理遺伝学：本発明のＢ７関連ポリペプチドおよびポリヌクレオチドは薬理遺伝学分析、即ち個人の遺伝子型と治療組成物または薬物に対するその人の応答との関係の試験、においても有用である。例えば、Ｅｉｃｈｅｌｂａｕｍ、Ｍ．（１９９６）Ｃｌｉｎ． Ｅｘｐ． Ｐｈａｒｍａｃｏｌ． Ｐｈｙｓｉｏ． ２３（１０−１１）：９８３９８５、およびＬｉｎｄｅｒ、Ｍ． Ｗ．（１９９７）Ｃｌｉｎ． Ｃｈｅｍ． ４３（２）：２５４−２６６を参照。個人の遺伝子型は、身体に対する治療様式または身体の治療剤の代謝様式を決定し得る。さらに、薬物代謝酵素の活性は、治療活性の強度および持続時間の両方に影響を及ぼす。治療剤の活性または代謝における相違は、重篤な毒性または治療の破綻を招き得る。したがって、医師または臨床医は、Ｂ７関連ポリペプチド、ポリペプチドヌクレオチド、機能的等価物、断片、または調節物質を投与するかどうかの決定、並びに用量および／またはＢ７関連ポリペプチド、ポリペプチドヌクレオチド、機能的等価物、断片、または調節物質による治療または予防的処置のレジメの計画において、関係する薬理遺伝学試験から得られた知識の適用を考慮することができる。
【０１７５】
一般に、２つのタイプの薬理遺伝学的状態を識別することができる。遺伝子の状態は、身体に対する薬物作用の様式を変化させる（変化した薬物作用）、または薬物を代謝する身体の様式を変化させる（改変された薬物代謝）１つの因子に起因し得る。これらの状態は、稀有な欠陥としてまたは天然に存在する多型として起こり得る。例えば、グルコース−６−リン酸デヒドロゲナーゼ欠損（Ｇ６ＰＤ）は一般的な遺伝性酵素異常症であり、オキシダント薬の服用（抗マラリア薬、スルホンアミド、鎮痛薬、ニトロフラン）およびソラマメの摂取後に貧血をもたらす。
【０１７６】
薬物代謝酵素（例えばＮ−アセチルトランスフェラーゼ ２（ＮＡＴ ２）およびシトクロームＰ４５０酵素ＣＹＰ２Ｄ６およびＣＹＰ２Ｃ１９）の遺伝子多型の発見によって、患者が期待した薬理効果を得られない、または過大な薬物応答や重篤な毒性を標準的で安全な用量で服用した後に示す理由が明らかになった。これらの多型は、集団において２つの表現型、高代謝能（ＥＭ）および低代謝能（ＰＭ）としてで発現される。ＰＭの罹患率は、異なる集団の間で異なる。ｇｅｎｅ ｃｏｄｉｎｇ ｆｏｒ ＣＹＰ２Ｄ６をコードする遺伝子は、高多型性であり、いくつかの突然変異がＰＭにおいて同定されており、すべて機能的なＣＹＰ２Ｄ６の不在につながっている。低代謝能は、標準的用量で服用した場合に、過大な薬物応答や副作用に遭遇することが非常に多い。代謝物が活性な治療部分であれば、ＰＭは治療的応答を示さない。このことは、コデイン介在の鎮痛作用について、そのＣＹＰ２Ｄ６により形成した代謝物のモルヒネにより実証されている。他の極端な、超急速代謝能は、標準的用量で応答することができない。最近の研究によって、超急速代謝能はＣＹＰ２Ｄ６遺伝子の増幅に依存していることが示されている。
【０１７７】
類推するに、遺伝子多型または突然変異は、様々な活性を有する集団における、ＢＳＬ１、ＢＳＬ２、および／またはＢＳＬ３のアレル変異につながり得る。それにより、ＢＳＬ１、ＢＳＬ２、および／またはＢＳＬ３ポリペプチドまたはポリヌクレオチドは、臨床医が処置のやり方に影響を及ぼし得る遺伝素質を確認することを可能にする。即ち、ＢＳＬベースの処置では、多型または突然変異によって、処置に対する反応が大きいまたは少ない個人が生じる。したがって、用量は、多型を含む集団内で治療効果を最大限にするために修正する必要があろう。遺伝子型特定に変わるものとして、特定の多型ポリペプチドまたはポリヌクレオチドを同定することができる。
【０１７８】
薬物応答を予測し得る遺伝子を同定するために、いくつかの薬物遺伝学的方法を用いることができる。１つの薬物遺伝学的方法である、「ゲノムワイド相関」は、主としてヒトゲノムの高分解能染色体マップによるものである。この高分解能マップはこれまでに同定された遺伝子関連マーカー（例えば、ヒトゲノムにおいて６０，０００−１００，０００の多型または可変部位からなり、その各々が２つの変異体を有する、「ビ−アレル」遺伝子マーカーマップ）を示している。高分解能遺伝子地図を、第ＩＩ相／第ＩＩＩ相の薬理試験に参加している統計的に有意の数の患者のそれぞれのゲノムのマップと比較して、特定の観察された薬物応答または副作用に関連するマーカーを同定することができる。あるいは、高分解能マップをヒトゲノムにおける数千万の既知の一塩基多型（ＳＮＰｓ）の組合せから作成することができる。本明細書において用いられる「ＳＮＰ」は、ＤＮＡ鎖の１個のヌクレオチド塩基において起きた共通の変化である。例えば、ＳＮＰはＤＮＡ１０００塩基あたり１回起こり得る。ＳＮＰは、疾患の過程に関与することがあるが、大部分は疾患とは無関係である。そのようなＳＮＰの発生に基づいて遺伝子地図を作成し、個人を、個々のゲノムにおけるＳＮＰの特定のパターンによって、遺伝子のカテゴリーにグループ分けすることができる。この方法では、遺伝子的に類似したヒトの間で共通する特徴を考慮して、治療レジメをその遺伝子的に類似した人のグループに合わせることができる、例えば、Ｄ． Ｒ． Ｐｆｏｓｔ ｅｔ ａｌ．（２０００）Ｔｒ末端 Ｂｉｏｔｅｃｈｎｏｌ． １８（８）：３３４−８を参照。
【０１７９】
別の例として、「候補遺伝子法」を用いることができる。この方法によれば、薬物の標的をコードする遺伝子が分かっている場合、その遺伝子の共通する変異体すべてを、その集団において適正に容易に同定することができ、他のものに対する１つの遺伝子の変化が特定の薬物応答に関係するかどうかを判断することができる。
【０１８０】
更なる例として「遺伝子発現プロファイリング法」を用いることができる。この方法は、薬物（例えば Ｂ７関連ポリペプチド、ポリペプチドヌクレオチド、機能的等価物、断片、または調節物質）で処置した動物の遺伝子発現を試験して、遺伝子の経路が発生した毒性に関係しているかを判断するものである。
【０１８１】
薬理遺伝学法の１つから得られた情報を用いて、個人における予防的または治療的処置のための適当な用量および処置レジメを決定することができる。投与または薬物の選択に適用する場合、この知識によって有害な反応または治療の失敗を回避することができ、患者をＢ７関連ポリペプチド、ポリペプチドヌクレオチド、機能的等価物、断片、または調節物質で処置するときに、治療的または予防的効果が高まる。
【０１８２】
Ｂ７関連ポリペプチドまたはポリヌクレオチドは、臨床試験およびその他の処置の間の治療効果をモニターするのにも有用である。したがって、Ｂ７関連ポリペプチドまたはポリペプチドヌクレオチドを用いた処置の期間にわたって、遺伝子発現、ポリペプチドレベル、または活性を増大させるまたは減少させるように設計された試薬の治療効果をモニターすることができる。例えば、モニタリングは：（ｉ）薬剤の投与の前に患者から投与前サンプルを得ること；（ｉｉ）投与前サンプルにおけるポリペプチドの発現または活性のレベルを検出すること；（ｉｉｉ）１またはそれ以上の投与後サンプルを患者から得ること；（ｉｖ）投与後サンプル中のポリペプチドの発言のレベルまたは活性を検出すること；（ｖ）投与前サンプルにおけるポリペプチドの発現または活性のレベルを、投与後サンプルにおける発現または活性のレベルを比較すること；および（ｖｉ）薬剤の投与量をしかるべく増加または減少させることによって行うことができる。
【０１８３】
動物モデル
Ｂ７関連ポリヌクレオチドは、遺伝子改変された非ヒト動物またはヒト細胞系を作製するために用いることができる。任意の非 非ヒト動物を用いることができるが、典型的な動物は、マウス、ラットまたはモルモット等のげっ歯類である。遺伝子改変された動物または細胞系は、ポリヌクレオチド配列（例えばエクソン配列）の欠失、置換、挿入または修飾を含むように改変された遺伝子を有することができる。そのような改変によって、遺伝子を機能しないようにして（即ち、 ｎｕｌｌ 突然変異）「ノックアウト」動物または細胞系を作製することができる。さらに、遺伝子操作された動物は、異なる生物（例えばヒト）から得られる、またはごう性または組換え法により製造された、１またはそれ以上の外来または天然に存在しない遺伝子、例えば「外来遺伝子」または「オルソログ」、を含むことができる。遺伝子改変された動物または細胞系を用いてＢＳＬ１、ＢＳＬ２、またはＢＳＬ３機能、調節を試験し、およびＢＳＬ１−、ＢＳＬ２−、またはＢＳＬ３−関連疾患のための処置を開発することができる。特に、ノックアウト動物および細胞系を用いて、ＢＳＬ１−、ＢＳＬ２−、またはＢＳＬ３−関連疾患の解析のための動物モデルおよびｉｎ ｖｉｔｒｏ モデルを確立することができる。さらに、ヒトＢＳＬ１、ＢＳＬ２、またはＢＳＬ３を発現するトランスジェニック動物を薬物発見の取り組みのために用いることができる。
【０１８４】
「トランスジェニック動物」は、標的化された組換えまたはマイクロインジェクションまたは組換えウイルスによる感染等の、細胞以下のレベルでの周到な遺伝子操作によって、改変されたまたは直接的もしくは間接的に受け取られた遺伝子情報を有する１またはそれ以上の細胞を含む任意の動物である。「トランスジェニック動物」は古典的な交配または試験管内受精を包含することを意図せず、むしろ、１またはそれ以上の細胞が組換えＤＮＡ分子により改変されたまたは組換えＤＮＡ分子を受け入れた動物を包含することを意味する。この組換えＤＮＡ分子を特定された遺伝子座に特異的に標的化するか、または染色体内にランダムに組み込ませることができ、あるいは染色体外で複製するＤＮＡであってもよい。
【０１８５】
本明細書において用いられる「オルソログ」は、異なった種に由来する類似の遺伝子またはポリペプチドに対して相同性を有するある種から得られた遺伝子またはポリペプチドを意味する。例えば、ヒトＢＳＬ３（配列番号１５）とマウスＡＦ１４２７８０ ポリペプチドはオルソログである。
【０１８６】
トランスジェニックマウスは、生殖細胞系列または接合体の処置の後に選択することができる。例えば、外因的なＢＳＬ１、ＢＳＬ２、またはＢＳＬ３遺伝子または変異体の発現は、遺伝子を、プロモーターおよび場合によりエンハンサーに作動可能なように連結させ、その構築物を接合体へマイクロインジェクションすることによって達成することができる（例えばＨｏｇａｎ ｅｔ ａｌ．（１９９４）Ｍａｎｉｐｕｌａｔｉｎｇ マウス Ｅｍｂｒｙｏ、Ａ Ｌａｂｏｒａｔｏｒｙ Ｍａｎｕａｌ、Ｃｏｌｄ Ｓｐｒｉｎｇ Ｈａｒｂｏｒ Ｌａｂｏｒａｔｏｒｙ、Ｃｏｌｄ Ｓｐｒｉｎｇ Ｈａｒｂｏｒ、ＮＹ参照）。そのような処置としては、外因的遺伝子および破壊された相同遺伝子の挿入が挙げられる。あるいは、動物の遺伝子を慣用技術を用いて他の遺伝子改変の挿入または欠失突然変異似よって破壊することができる。（例えばＣａｐｅｃｃｈｉ，（１９８９） Ｓｃｉｅｎｃｅ、２４４：１２８８；Ｖａｌａｎｃｕｉｓ ｅｔ ａｌ．（１９９１）Ｍｏｌ． ＣｅｌｌＢｉｏｌ．、１１：１４０２；Ｈａｓｔｙ ｅｔ ａｌ．（１９９１）Ｎａｔｕｒｅ、３５０：２４３；Ｓｈｉｎｋａｉ ｅｔ ａｌ．（１９９２）Ｃｅｌｌ、６８：８５５；Ｍｏｍｂａｅｒｔｓ ｅｔ ａｌ．（１９９２）Ｃｅｌｌ、６８：８６９；Ｐｈｉｌｐｏｔｔ ｅｔ ａｌ．（１９９２）Ｓｃｉｅｎｃｅ、２５６：１４４８；Ｓｎｏｕｗａｅｒｔ ｅｔ ａｌ．（１９９２）Ｓｃｉｅｎｃｅ、２５７：１０８３；Ｄｏｎｅｈｏｗｅｒ ｅｔ ａｌ．（１９９２）Ｎａｔｕｒｅ、３５６：２１５を参照）。
【０１８７】
本発明の１態様では、ＢＳＬ１、ＢＳＬ２、またはＢＳＬ３ノックアウトマウスを周知の方法にしたがって作製することができる（例えばＭ． Ｒ． Ｃａｐｅｃｃｈｉ，（１９８９）Ｓｃｉｅｎｃｅ、２４４：１２８８−１２９２；Ｐ． Ｌｉ ｅｔ ａｌ．（１９９５）Ｃｅｌｌ ８０：４０１−４１１；Ｌ． Ａ． Ｇａｌｌｉ−Ｔａｌｉａｄｏｒｏｓ ｅｔ ａｌ．（１９９５）Ｊ． Ｉｍｍｕｎｏｌ． Ｍｅｔｈｏｄｓ １８１（１）：１−１５；Ｃ． Ｈ． Ｗｅｓｔｐｈａｌ ｅｔ ａｌ．（１９９７）Ｃｕｒｒ． Ｂｉｏｌ． ７（７）：５３０−３；Ｓ． Ｓ． Ｃｈｅａｈ ｅｔ ａｌ．（２０００）Ｍｅｔｈｏｄｓ Ｍｏｌ． Ｂｉｏｌ． １３６：４５５−６３を参照）。ヒトＢＳＬ１、ＢＳＬ２、およびＢＳＬ３クローンを用いてネズミホモローグを単離することができる。そして、ネズミホモローグを用いて、対応する染色体座での相同的組換えにより、マウスにおいてＢＳＬ１、ＢＳＬ２、またはＢＳＬ３を破壊することができる、ネズミＢＳＬ１、ＢＳＬ２、またはＢＳＬ３標的化構築物を調製することができる。この標的化構築物は、天然のマウス遺伝子の機能的断片の場所に挿入する、破壊されたまたは欠失したネズミＢＳＬ１、ＢＳＬ２、またはＢＳＬ３配列を含むことができる。例えば、構築物は、マウスＢＳＬ１、ＢＳＬ２、またはＢＳＬ３タンパク−コード領域にいおいて挿入を含むことができる。
【０１８８】
好ましくは、標的化構築物は、ポジティブンなまたはネガティブな選択両方のためマーカーを含む。ポジティブ選択マーカーは、マーカーを欠いている細胞の選択的排除を可能にするが、ネガティブ選択マーカーはマーカーを有する細胞の排除を可能にする。特に、ポジティブ選択マーカーは、ネオマイシン耐性遺伝子等の抗生物質耐性遺伝子であってよく、マウスＢＳＬ１、ＢＳＬ２、またはＢＳＬ３のコード配列内に位置して機能しなくなるようにするが、同時にその構築物を選択可能にする。単純ヘルペスウイルスチミジンキナーゼ（ＨＳＶ ｔｋ）遺伝子は、それを有する細胞を排除するための二次マーカーとして使用することができる、ネガティブ選択マーカーの一例である。ＨＳＶ ｔｋ 遺伝子を有する細胞は、癌シクロビルの存在下で選択的に死滅する。一例として、ポジティブ選択マーカーは、ＢＳＬ１、ＢＳＬ２、またはＢＳＬ３の座で組み込む構築物の領域内の標的化構築物上に位置付けることができる。したがって、全構築物が細胞内に存在する場合、ポジティブおよびネガティブ選択マーカーの両方が存在するであろう。構築物がゲノム内に組み込まれればポジティブ選択マーカーは存在するが、ネガティブ選択マーカーは消失するであろう。
【０１８９】
例えば胚性幹細胞（ＥＳ）において、標的化構築物を用いることができる。ＥＳ細胞は、試験管内で培養した移植前の胚から得ることができる（Ｍ． Ｊ． Ｅｖａｎｓ ｅｔ ａｌ．（１９８１）Ｎａｔｕｒｅ ２９２：１５４−１５６；Ｍ． Ｏ． Ｂｒａｄｌｅｙ ｅｔ ａｌ．（１９８４）Ｎａｔｕｒｅ ３０９：２５５−２５８；Ｇｏｓｓｌｅｒ ｅｔ ａｌ．（１９８６）Ｐｒｏｃ． Ｎａｆｌ． Ａｃａｄ． Ｓｃｉ． ＵＳＡ ８３：９０６５−９０６９；Ｒｏｂｅｒｔｓｏｎ ｅｔ ａｌ．（１９８６）Ｎａｔｕｒｅ ３２２：４４５−４４８；Ｓ． Ａ． Ｗｏｏｄ ｅｔ ａｌ．（１９９３）Ｐｒｏｃ． Ｎａｔｌ． Ａｃａｄ． Ｓｃｉ． ＵＳＡ ９０：４５８２４５８４）。標的化構築物はＤＮＡトランスフェクションまたはレトロウイルス介在の形質導入等の標準的な方法によってＥＳ細胞内へ効率的に導入することができる。その後、形質転換されたＥＳ細胞を非ヒト動物から得た胚盤胞と混合する。導入されたＥＳ細胞は、胚を形成し、キメラ動物を生じる生殖細胞系をもたらす（Ｒ． Ｊａｅｎｉｓｃｈ，（１９８８）Ｓｃｉｅｎｃｅ ２４０：１４６８−１４７４）。遺伝子標的化されたトランスジェニックマウスにおける遺伝子標的化ＥＳ細胞の使用は、これまでに記載されており（Ｔｈｏｍａｓ ｅｔ ａｌ．（１９８７）Ｃｅｌｌ ５１ ：５０３−５１２）、ほかで概説されている（Ｆｒｏｈｍａｎ ｅｔ ａｌ．（１９８９）Ｃｅｌｌ ５６ ：１４５−１４７；Ｃａｐｅｃｃｈｉ、１９８９、Ｔｒ末端 ｉｎ Ｇｅｎｅｔ． ５：７０−７６；Ｂａｒｉｂａｕｌｔ ｅｔ ａｌ．（１９８９）Ｍｏｌ． Ｂｉｏｌ． Ｍｅｄ． ６：４８１−４９２；Ｗａｇｎｅｒ，（１９９０）ＥＭＢＯ Ｊ． ９：３０２５−３０３２；Ｂｒａｄｌｅｙ ｅｔ ａｌ．（１９９２）ＢｉｏｌＴｅｃｈｎｏｌｏｇｙ １０ ：５３４−５３９）。
【０１９０】
相同的に組換えと起こしたＥＳ細胞を選択するために、いくつかの方法を用いることができる。１つの方法は、形質転換細胞のプールを、相同的挿入について選択するためのＰＣＲおよび、そのあとの個々のクローンのスクリーニングを用いる（Ｋｉｍ ｅｔ ａｌ．（１９８８）核酸ｓ Ｒｅｓ． １６：８８８７−８９０３；Ｋｉｍ ｅｔ ａｌ． （１９９１）Ｇｅｎｅ １０３：２２７−２３３）。別の方法では、相同的挿入が起こったとこにのみ活性であるように構築されたマーカー遺伝子を用い、これらの組換え体が直接選択されるようにする（Ｓｅｄｉｖｙ ｅｔ ａｌ．（１９８９） Ｐｒｏｃ． Ｎａｔｌ． Ａｃａｄ． Ｓｃｉ． ＵＳＡ ８６：２２７−２３１）。例えば、上記のポジティブ−ネガティブ選択（ＰＮＳ）法を用いることができる（例えばＭａｎｓｏｕｒ ｅｔ ａｌ．（１９８８）Ｎａｔｕｒｅ ３３６：３４８−３５２；Ｃａｐｅｃｃｈｉ、１９８９、Ｓｃｉｅｎｃｅ ２４４：１２８８−１２９２；Ｃａｐｅｃｃｈｉ，（１９８９）Ｔｒ末端 ｉｎ Ｇｅｎｅｔ． ５：７０−７６を参照）。特に、ＰＮＳ法は、低レベルで発現する標的化遺伝子に有用である。
【０１９１】
ノックアウトマウスにおける機能的なＢＳＬ１、ＢＳＬ２、またはＢＳＬ３の不在は、例えば、ＲＮＡ解析、タンパク発現解析、および機能性試験により確認することができる。ＲＮＡ解析について、ＲＮＡサンプルをノックアウトマウスの異なる臓器から調製し、ＢＳＬ１、ＢＳＬ２、またはＢＳＬ３転写物をその転写物に特異的なオリゴヌクレオチドプローブを用いるノーザンブロットにおいて検出する。タンパク質発現検出については、ＢＳＬ１、ＢＳＬ２、またはＢＳＬ３ ポリペプチドに特異的な抗体を、例えば、フローサイトメトリー解析、免疫組織化学染色、および活性分析において用いる。あるいは、ノックアウトマウス殻集めた異なるタイプの細胞の調製物を用いて機能解析を行う。
【０１９２】
トランスジェニック動物を作成するためのいくつかの方法を用いることができる。１つの方法では、相同的組換えによりターゲティングベクターをＥＳ細胞に組み込ませ、染色体間の組換え現象を用いて選択可能なマーカーを排除し、そして導入遺伝子のみを残す（Ａ． Ｌ． Ｊｏｙｎｅｒ ｅｔ ａｌ．（１９８９）Ｎａｔｕｒｅ ３３８（６２１１）：１５３−６；Ｐ． Ｈａｓｔｙ ｅｔ ａｌ．（１９９１）Ｎａｔｕｒｅ ３５０（６３１５）：２４３−６；Ｖ． ＶａｌａｎｃｉｕｓおよびＯ． Ｓｍｉｔｈｉｅｓ，（１９９１）Ｍｏｌ． Ｃｅｌｌ Ｂｉｏｌ． １１（３）：１４０２−８；Ｓ． Ｆｉｅｒｉｎｇ ｅｔ ａｌ．（１９９３）Ｐｒｏｃ． Ｎａｔｌ． Ａｃａｄ． Ｓｃｉ． ＵＳＡ ９０（１８）：８４６９−７３）。別の方法では、２またはそれ以上の種を作出する；一方の種は相同的組換えによる遺伝子ノックアウトを含み、他方の１またはそれ以上の種は、導入遺伝子を含む。ノックアウト種をトランスジェニック種を掛け合わせて、元の野生型の対立遺伝子が導入遺伝子で置き換わった（同じ部位ではないが）新しい動物系列を作製する。とりわけ、ノックアウトおよびトランスジェニック動物は、商業的施設によって作製され得る（例えばＬｅｒｎｅｒ Ｒｅｓｅａｒｃｈ Ｉｎｓｔｉｔｕｔｅ、Ｃレベルおよび、ＯＨ；Ｂ ＆ Ｋ Ｕｎｉｖｅｒｓａｌ、Ｉｎｃ．、Ｆｒｅｍｏｎｔ、ＣＡ；ＤＮＸ トランスジェニックＳｃｉｅｎｃｅｓ、Ｃｒａｎｂｕｒｙ、ＮＪ；Ｉｎｃｙｔｅ Ｇｅｎｏｍｉｃｓ、Ｉｎｃ．、Ｓｔ． Ｌｏｕｉｓ、ＭＯ）。
【０１９３】
ヒトＢＳＬ１、ＢＳＬ２、またはＢＳＬ３をコードする核酸分子を含むトランスジェニック動物（例えばマウス）は、ＢＳＬ１、ＢＳＬ２またはＢＳＬ３の改変された発現の効果を調べるために ｉｎ ｖｉｖｏ モデルにおいて用いることができる。そのような動物は、例えば免疫系の障害、疾患または状態を処置するための化合物等の、ＢＳＬ１、ＢＳＬ２、またはＢＳＬ３の活性を阻害または調節するのに有効な化合物を見出すための薬物評価および発見の取り組みにおいても使用することができる。当業者は、標準的な技術を用いて、ヒトＢＳＬ１、ＢＳＬ２、またはＢＳＬ３ ポリペプチドを産生するトランスジェニック動物を作製し、薬物評価および発見のプロジェクトにおいてその動物を用いることができる（例えばＷａｇｎｅｒの米国特許第４，８７３，１９１号； Ｌｅｄｅｒの米国特許第４，７３６，８６６号）。
【０１９４】
本発明の別の態様では、トランスジェニック動物は、ヒトＢＳＬ１、ＢＳＬ２、またはＢＳＬ３をコードするヌクレオチド配列が組織特異的なプロモーターに作動可能なように連結しており、それによってコード配列がその特異的な組織においてのみ発現するような組換え発現ベクターを含むことができる。例えば、組織特異的プロモーターは、哺乳類細胞特異的プロモーターであり、発現した組換えタンパク質は動物の乳から回収される。
【０１９５】
本発明のさらに別の態様では、ａ ＢＳＬ１、ＢＳＬ２、またはＢＳＬ３「ノックアウト」は、内因的なＢＳＬ１、ＢＳＬ２、またはＢＳＬ３ ポリペプチドを特異的に認識する動物の抗体（例えば中和抗体）を投与することによって作製することができる。抗体は、内因的なＢＳＬ１、ＢＳＬ２、またはＢＳＬ３ ポリペプチドの機能を破壊するように作用し、それによってｎｕｌｌ 表現型を生じ得る。１つの具体例では、マウスＢＳＬ１、ＢＳＬ２、またはＢＳＬ３ ポリペプチドまたはペプチドを抗体の作製に用いることができる。そして、これらの抗体をマウスに投与して、対応するマウスのタンパク質の機能を破壊することができる。
【０１９６】
さらに、ＢＳＬ１、ＢＳＬ２、またはＢＳＬ３、およびそれらの関連疾患を調べるために非哺乳類生物を用いることができる。例えば、Ｃ． ｅｌｅｇａｎｓ、Ｄ． ｍｅｌａｎｏｇａｓｔｅｒ、およびＳ． ｃｅｒｅｖｉｓｉａｅ等のモデル生物を用いることができる。ＢＳＬ１、ＢＳＬ２、またはＢＳＬ３ホモローグは、これらのモデル生物において同定することができ、突然変異または欠失させてＢＳＬ１−、ＢＳＬ２−、またはＢＳＬ３欠陥種を作製することができる。そして、ヒトＢＳＬ１、ＢＳＬ２、またはＢＳＬ３を、「相補的な」欠陥種に対する能力について試験することができる。ＢＳＬ１−、ＢＳＬ２−、またはＢＳＬ３−欠陥種は薬物スクリーニングのために使用することもできる。ＢＳＬ１、ＢＳＬ２またはＢＳＬ３ホモローグは、ヒト遺伝子に対応する生物学的機能を理解する助けになり、結合するタンパク質（例えばアゴニストおよびアンタゴニスト）の同定する助けとなる。
【０１９７】
実施例
本明細書に記載する実施例は本発明の様々な態様の説明を意味するものであって、本発明の限定を何ら意図するものではない。
【０１９８】
実施例１：ＢＳＬ１の同定
単球の調製：エルトリエーションによりヒト単球を末梢血単核球細胞から得た。エルトリエーション緩衝液は、１ＬのＲＰＭＩ（ＧｉｂｃｏＢＲＬ／Ｌｉｆｅ Ｔｅｃｈｎｏｌｏｇｉｅｓ Ｉｎｃ．、Ｒｏｃｋｖｉｌｌｅ、ＭＤ；Ｃａｔ． ＃１１８７５−０８５）と２．５ｍＭ ＥＤＴＡおよび１０μｇ／ｍＬポリミキシンＢを含む。この緩衝液をエルトリエーション操作の前日に調製し、室温で保存した。エルトリエーション操作のために、２２５ｍＬのＥＤＴＡ 全血／ドナーを採取し調製した。２０ミリリットルのエルトリエーション緩衝液 を１２本の５０ｍＬ遠心チューブに加え、２２５ｍＬの血液をチューブに等分した。１２ミリリットルのｆｉｃｏｌｌ 溶液（白血球分離媒体）を用いて各チューブ内の混合物の下に敷いた（ＡｃｃｕＰｒｅｐ Ｌｙｍｐｈｏｃｙｔｅｓ、Ａｃｃｕｒａｔｅ Ｓｃｉｅｎｔｉｆｉｃ Ｃｏ．；Ｃａｔ． ＃１０５３９８０）。遠心チューブを１８００ｒｐｍで２５分間遠心した。
【０１９９】
ヒツジ赤血球細胞を以下の手順で調製した。１２ミリリットルのヒツジ Ｂｌｏｏｄ Ａｌｓｅｖｅｒ’ｓ（ＳＲＢＣ；Ｃｏｌｏｒａｄｏ 血清 Ｃｏ．、Ｄｅｎｖｅｒ、ＣＯ；Ｃａｔ． ＃ＣＳ１１１２）を再懸濁し、２０００ｒｐｍで１０分間遠心した。ＳＲＢＣペレットの上部の被膜を除きペレットをエルトリエーション緩衝液で２回洗浄した。それぞれの洗浄の後に、ペレットを２２００ｒｐｍで８分間遠心した。２回目の洗浄の後で、ペレットを５ｍＬのエルトリエーション緩衝液に再懸濁して冷蔵した。
【０２００】
遠心の後、ｆｉｃｏｌｌ下層チューブの上清を吸引して約５ｍＬの界面層を残した。次いで、界面層を、各チューブの赤血球細胞をかき乱さないよう注意深く新しいチューブヘ取り出した。２本の５０ｍＬチューブの界面層を混合し、新しい５０ｍＬチューブヘ移し、合計６本の５０ｍＬチューブを得た。エルトリエーション緩衝液を各チューブに加えて最終体積を各チューブあたり５０ｍＬとした。チューブを１８００ｒｐｍで１０分間遠心し、上清を除いた。各ドナーから得た末梢血単核球を合わせて２つのチューブに分け、およびチューブあたり４０ｍＬのエルトリエーション緩衝液に再懸濁した。チューブ１５００ｒｐｍで１０分間遠心し、上清を吸引してペレットを、チューブあたり３０ｍＬのエルトリエーション緩衝液に再懸濁した。
【０２０１】
この工程の後、３ｍＬの洗浄したＳＲＢＣを各チューブに加え、混合物を１０００ｒｐｍで５分間遠心した。ペレットを氷上で少なくとも１時間インキュベーションし、チューブを逆さにすることにより、各ペレットをしずかに再懸濁した。１２ミリリットルのｆｉｃｏｌｌを用いて混合物を各チューブの下層に沈めた。チューブを２５００ｒｐｍで２０分間遠心し、界面層を前記のとおり新しいチューブに取り出した。界面層を１０ｍＬエルトリエーション緩衝液に懸濁し、エルトリエーション操作の開始まで氷上で保存した。
【０２０２】
単球のエルトリエーション：エルトリエーションは以下の通りに行った。エルトリエーションポンプスピードを約６５ｍＬ／分にセットし、および保存用エタノールを供給ラインから除去した。供給ライン、チャンバー、およびローターを約１００ｍＬの蒸留水で洗浄した。ポンプスピードを５０ｍＬ／分に減速し、エルトリエーション緩衝液を供給ライン、チャンバー、およびローターを通じて通した。供給ラインに気泡がないかチェックし、気泡があれば取り除いた。次いで、遠心スピードを１９５０±１ｒｐｍにセットし、およびポンプ１５ｍＬ／分に修正した。次いで、ポンプスピード１１ｍＬ／分に減速し、チャンバーの栓を閉じた。
【０２０３】
細胞を加えるため、導入シリンジの栓を閉じ、排出口ピペットを、１１ｍＬ／分画分のラベルを付した５０ｍＬサンプルチューブ内へ入れた。細胞を混合して導入シリンジへ加えた。導入しリンジの栓を開き、導入チューブを１０ｍＬエルトリエーション緩衝液でリンスした。５ ｍｌ細胞がシリンジ内に残ったら、エルトリエーション緩衝液を加えてこの工程をもう一回繰り返した。この工程の後、導入シリンジの栓を閉じおよびチャンバーの栓を開いた。
【０２０４】
１１（２画分）、１４、１６、および３６（２画分）ｍＬ／分のポンプスピードで５０ミリリットルの画分を集め、氷上に置いた。これまでの観察に基づけば、単球は、３６ｍＬ／分の画分に存在すると予想される。単球画分を１８００ｒｐｍで８分間遠心し、細胞を、１μｇ／ｍＬポリミキシンＢを添加した１０ｍＬの２５％ウシ胎児血清／ＲＰＭＩに再懸濁した。細胞を計数し、使用するまで氷上で保存した。
【０２０５】
細胞培養条件：単離した末梢血単核球を、ペニシリン／ストレプトマイシン、２ｍＭグルタミン、１％ 非必須アミノ酸、１ｍＭピルビン酸ナトリウム、およびＩＬ−４（７５ ｎｇ／ｍＬ）およびＧＭ−ＣＳＦ（１５ ｎｇ／ｍＬ）サイトカイン（それぞれＧｉｂｃｏＢＲＬより入手）を懸濁した１０％ウシ胎仔血清（Ｈｙｃｌｏｎｅ、Ｌｏｇａｎ、ＵＴ）を含むＲＰＭＩ １６４０培地に再懸濁した。細胞懸濁液（５×１０５細胞／ｍＬ）を組織培養フラスコに移し、３７℃で５％ＣＯ２を含むチャンバー内で７日間インキュベーションした。インキュベーション期間の後、培養細胞を激しくピペッティングして細胞をフラスコから取り出す。ヒト単球性細胞系 ＴＨＰ１を３７℃および５％ＣＯ２にて、ペニシリン／ストレプトマイシンおよび２ｍＭグルタミンを添加したう１０％ウシ胎児血清を含むＲＰＭＩ １６４０培地中で最終濃度５×１０５細胞／ｍＬまで培養した。
【０２０６】
ポリ（Ａ）＋ＲＮＡ単離：ＧＭ−ＣＳＦ／ＩＬ−４分化ヒト末梢血単核球細胞（２×１０８細胞）およびＴＨＰ１ ヒト単球（２×１０８細胞）を４℃にて、ＰＢＳ（ＧｉｂｃｏＢＲＬ）で２回洗浄した。ポリ（Ａ）＋ＲＮＡをＦａｓｔ Ｔｒａｃｋ ２． ０キット（Ｉｎｖｉｔｒｏｇｅｎ Ｃｏｒｐ．、Ｃａｒｌｓｂａｄ、ＣＡ）を用いて直接単離した。
【０２０７】
サブトラクションライブラリー構築：ｃＤＮＡサブトラクションライブラリーは、ＣＬＯＮＴＥＣＨ ＰＣＲ−Ｓｅｌｅｃｔ（登録商標）ｃＤＮＡサブトラクションキット（ＣＬＯＮＴＥＣＨ、Ｐａｌｏ Ａｌｔｏ、ＣＡ）を用いて作製した。製造者のプロトコルに従い、２．０μｇのＧＭ−ＣＳＦ／ＩＬ−４分化ヒト末梢血単球 ポリ（Ａ）＋ＲＮＡをテスターサンプルとして、２．０μｇの休止ＴＨＰ１ 単球 ポリ（Ａ）＋ＲＮＡをドライバーサンプルとして用いた。１０回のセカンダリＰＣＲを一緒にして１．２％アガロースゲル上で行った。約０．３ ｋｂ〜１．５ ｋｂの断片をＱＩＡＧＥＮゲル抽出キット（ＱＩＡＧＥＮ、Ｖａｌｅｎｃｉａ、ＣＡ）を用いてゲル精製し、ＴＡ クローニングベクター、ｐＣＲ２．１（Ｉｎｖｉｔｒｏｇｅｎ）ヘ挿入した。ＴＯＰ１０Ｆ’コンピテントＥ． ｃｏｌｉ（Ｉｎｖｉｔｒｏｇｅｎ）をトランスフェクトして、５０ μｇ／ｍＬアンピシリンを含有するＬａｕｒｉａ−Ｂｅｒｔａｎｉ（ＬＢ）プレートに蒔いた。約３００個のクローンを単離して、同様の濃度のアンピシリンを含有するＬＢ培養液中で培養した。ＱＩＡＧＥＮ ミニプレップスピン（ＱＩＡＧＥＮ）を用いてプラスミドを単離し、ＡＢＩサイクルシクエンサー（ＡＢＩ Ｐｒｉｓｍ、ＰＥ Ａｐｐｌｉｅｄ Ｂｉｏｓｙｓｔｅｍｓ）を用いて配列を解析した。
【０２０８】
完全長クローニング：ＢＳＬ１の５’および３’末端をクローニングするために、ＳＭＡＲＴ ＲＡＣＥ（ｃＤＮＡ末端の迅速増幅）ｃＤＮＡ増幅キット（ＣＬＯＮＴＥＣＨ）を製造者の指示にしたがって用いた。５’および３’ＲＡＣＥ ライブラリーを、ＴＮＦ−αで１時間処理したヒト微小血管 内皮細胞から得た１．０μｇのポリ（Ａ）＋ＲＮＡテンプレートを用いて構築した。５’−ＲＡＣＥ−ＰＣＲ混合物は、合計２５μＬ中に、１．５μＬの５’−ＲＡＣＥ レディｃＤＮＡ、０．４μＭＪＮＦ １５５ プライマー（５’−ＧＧＣＡＴＡＡＴＡＡＧＡＴＧＧＣＴＣＣＣ−３’）（配列番号２１）、１×ユニバーサルプライマーミックス（ＵＰＭ）、２００、μＭｄＮＴＰ、１×Ａｄｖａｎｔａｑ Ｐｌｕｓ ＰＣＲ 緩衝液（ＣＬＯＮＴＥＣＨ）、および１×Ａｄｖａｎｔａｑ Ｐｌｕｓ ポリメラーゼ（ＣＬＯＮＴＥＣＨ）を含有した。３’−ＲＡＣＥ−ＰＣＲ 混合物は、同じ緩衝条件、３’−ＲＡＣＥ レディｃＤＮＡ、および０．４ μＭ ＪＮＦ １５４ プライマー（５’−ＣＡＴＧＡＡＣＴＧＡＣＡＴＧＴＣＡＧＧＣ−３’）（配列番号 ：２２）を含有した。両反応物を伝統的なタッチダウンＰＣＲ法を用いてインキュベーションした：９４℃にて３０秒間、６５℃にて３０秒間、および７２℃にて３分間のインキュベーション５サイクル； ９４℃にて３０秒間、６３℃にて３０秒間、および７２℃にて３分間のインキュベーション５サイクル；および９４℃にて３０秒間、６２℃にて３０秒間、および７２℃にて３分間のインキュベーション１５サイクル。
【０２０９】
ＰＣＲ産物を２．０％ アガロースゲルを用いる電気泳動によって単離し、ＤＮＡを臭化エチジウム染色により可視化した。５’−ＲＡＣＥ反応物の８８８−ｂｐ断片および３’−ＲＡＣＥ反応物の１，１１０−ｂｐ断片をＱＩＡＧＥＮゲル抽出キットを用いて精製し、１０μＬの蒸留水に再懸濁した。６μＬの各断片をｐＣＲ２．１−ＴＡ クローニングベクター（Ｉｎｖｉｔｒｏｇｅｎ）にライゲーションし、ライゲーション混合物を用いてＴＯＰ１０Ｆ’ウルトラコンピテント Ｅ． ｃｏｌｉ細胞（Ｉｎｖｉｔｒｏｇｅｎ）をトランスフェクトした。トランスフェクトした細胞を５０μｇ／ｍＬアンピシリン、４０ ｍｇ／ｍＬＸ−ｇａｌ、および１００ｍＭＩＰＴＧを添加したＬＢプレートに蒔いた。コロニーを単離し、５０μｇ／ｍＬアンピシリンを添加した４ｍＬのＬＢ倍溶液中で３７℃にて一晩培養した。プラスミドをＱＩＡＧＥＮ ミニプレップスピンキット（ＱＩＡＧＥＮ）を用いて単離し、３０μＬの蒸留水に再懸濁し、ＡＢＩサイクルシークエンサー（ＡＢＩ Ｐｒｉｓｍ、ＰＥ Ａｐｐｌｉｅｄ Ｂｉｏｓｙｓｔｅｍｓ）を用いて配列を解析した。
【０２１０】
完全長クローンを作製するために、ＪＮＦ１５５ＲＡＣＥ５．１、ＪＮＦ１５４ＲＡＣＥ３．２、およびｐＣＲ２．１を共にライゲーションした。ＪＮＦ１５５ＲＡＣＥ５．１をＸｈｏｌおよびＨｉｎｄｌｌｌで二重に消化した。ＪＮＦ１５４ＲＡＣＥ３．２ ＨｉｎｄｌｉｌおよびＥｃｏＲｌで二重に消化した。ＴＡ クローニングベクター（Ｉｎｖｉｔｒｏｇｅｎ）をＸｈｏｌおよびＥｃｏＲｌで消化した。各断片をＱＩＡＧＥＮゲル抽出キットで精製し水に再懸濁した。１μＬの各消化断片をＴ４ ＤＮＡリガーゼを用いる同じ反応で共にライゲーションした。 ライゲーション混合物を用いてＴＯＰ１０Ｆ’Ｅ． ｃｏｌｉ ウルトラコンピテント細胞をトランスフェクトし、５０μｇ／ｍＬアンピシリン、４０ ｍｇ／ｍＬＸ−ｇａｌ、および１００ｍＭＩＰＴＧを含むＬＢプレートに蒔いた。コロニープレートから単離し、５０μｇ／ｍＬアンピシリンを含むＬＢ培養液中で３７℃にて培養した。完全長ＢＳＬ１を含むプラスミドをＱＩＡＧＥＮ ミニプレップスピンキット（ＱＩＡＧＥＮ）を用いて精製し、配列を解析した（ＡＢＩサイクルシークエンサー；ＰＥ Ａｐｐｌｉｅｄ Ｂｉｏｓｙｓｔｅｍｓ）。完全長ＢＳＬ１ 配列（ｐＴＡＤＶ：ＢＳＬ１）をコードするＤＮＡを有するプラスミドは、２０００年６月６日にＡｍｅｒｉｃａｎ Ｔｙｐｅ Ｃｕｌｔｕｒｅ Ｃｏｌｌｅｃｔｉｏｎ（ＡＴＣＣ、１０８０１ Ｕｎｉｖｅｒｓｉｔｙ Ｂｌｖｄ．、Ｍａｎａｓｓａｓ、ＶＡ ２０１１０２２０９ ＵＳＡ）にＡＴＣＣ 受託番号ＰＴＡ−１９８９として寄託された。
【０２１１】
実施例２：ＢＳＬ１のキャラクタリゼーション
ＢＳＬ１クローンの配列解析：完全長ＢＳＬ１ ヌクレオチドおよび推定アミノ酸配列は、ＴＮＦ−α処理したヒト微小血管 内皮細胞 ｃＤＮＡ サブトラクションライブラリーから単離されたクローン（図１Ａおよび１Ｂ）およびＧＭ ＣＳＦ／ＩＬ−４分化ヒト単球 ｃＤＮＡライブラリーから単離したクローンから決定した（図１Ｃ）。ＢＳＬ１クローンのためのシークエンシングプライマーを表１に示す。
【０２１２】
表１
2004500863.tif 000008
【０２１３】
両ＢＳＬ１クローンは同一のコード配列を有していたが、分化ヒト単球 ｃＤＮＡライブラリーから得たクローンは、ＢＳＬ１遺伝子の３’非翻訳領域に異なる開裂を含んでいた（図２Ｂ；太字参照）。ＢＳＬ１のヌクレオチドおよび推定アミノ酸配列を図１Ａ−１Ｃに示す。
【０２１４】
ＢＳＬ１をコードするＥＳＴクローンは、公的なデータベース（ＧｅｎＢａｎｋ）およびし民営のデータベース（Ｉｎｃｙｔｅ Ｇｅｎｏｍｉｃｓ）から同定し、表２に示す。
表２
2004500863.tif 000009
＊完全長配列は示さず。
【０２１５】
ＢＳＬ１ コード配列および推定アミノ酸配列は、Ｂ７−Ｈ１およびＰＤ−Ｌ１としても同定されている（Ｈ． Ｄｏｎｇ ｅｔ ａｌ．（１９９９）Ｎａｔｕｒｅ Ｍｅｄ． ５：１３６５−９；ＧｅｎＰｅｐｔ Ａｃｃｅｓｓｉｏｎ Ｎｏ． ＮＰ０５４８６２；Ｇ． Ｊ． Ｆｒｅｅｍａｎ ｅｔ ａｌ．（２０００）Ｊ． Ｅｘｐ． Ｍｅｄ． １９２：１０２７−１０３４）。さらに、Ｂ７−Ｈ１のマウスのホモローグが同定されている（Ｈ． Ｔａｍｕｒａ ｅｔ ａｌ． （２００１）Ｂｌｏｏｄ ９７ ：１８０９−１８１６）。とりわけ、マウスおよびヒトＢ７−Ｈ１因しは共刺激分子として記載されており（Ｈ． Ｄｏｎｇ ｅｔ ａｌ．（１９９９） Ｎａｔｕｒｅ Ｍｅｄ． ５：１３６５−９；Ｈ． Ｔａｍｕｒａ ｅｔ ａｌ．（２００１）Ｂｌｏｏｄ ９７ ：１８０９−１８１６）、ＰＤ−Ｌ１は、Ｔ細胞増殖のインヒビターとして記載されている（Ｇ． Ｊ． Ｆｒｅｅｍａｎ ｅｔ ａｌ．（２０００）Ｊ． Ｅｘｐ． Ｍｅｄ． １９２：１０２７−１０３４）。
【０２１６】
染色体マッピング：ＢＳＬ１は、放射線ハイブリッドマッピングを用いてこれまでにマッピングされている（Ｔ． Ｉｓｈｉｄａ ｅｔ ａｌ．（１９９９）ＣｙｔｏＧｅｎｅｔ． Ｃｅｌｌ Ｇｅｎｅｔ． ８５：２３２−６）。ＧｅｎＢａｎｋ ＥＳＴ ＡＡ３９９４１６ を用いたＮＣＢＩ’ｓ Ｇｅｎｅｍａｐ’９９の解析は、ＢＳＬ１遺伝子がＡＦＭ２７４ｘｅ１−ｓｔＳＧ４６３８９（ＢＳＬ１）−ＡＦＭ２４２ｘｈ６の順序で染色体９ｐ２４に連結していることを示した。
【０２１７】
ＢＳＬ１発現解析：休止末梢血Ｔ細胞、抗ＣＤ３／抗ＣＤ２８抗体で刺激された末梢血Ｔ細胞、ホルボール１２ ミリステート １３アセテート（ＰＭＡ）で刺激された末梢血Ｔ細胞、フィトヘマグルチニン（ＰＨＡ）で刺激された末梢血Ｔ細胞、休止ＴＨＰ１ 単球、リポ多糖（ＬＰＳ）で刺激されたＴＨＰ１、休止末梢血単核球、ＰＨＡで刺激された休止末梢血単核球、ＧＭ−ＣＳＦおよびＩＬ−４で刺激された休止末梢血単核球、ＲＡＪ Ｂ細胞、ＲＡＭＯＳ Ｂ細胞、休止ヒト微小血管内皮細胞（ＨＭＶＥＣ）、ＴＮＦ−αで刺激されたＨＭＶＥＣ、および血清飢餓Ｈ２９２ ヒト肺 上皮細胞を含む、いくつかのタイプの細胞のノーザンブロット解析によりＢＳＬ１発現パターンを決定した。
【０２１８】
細胞培養条件：末梢血Ｔ細胞は、１０％ヒト血清を添加したＲＰＭＩ １６４０（Ｈｙｃｌｏｎｅ）中で３７℃、５％ＣＯ２にて４８時間培養した。抗ＣＤ３および抗ＣＤ２８抗体で刺激した末梢血Ｔ細胞を、１０％ ヒト血清を添加したＲＰＭＩ １６４０中、１μｇ／ｍＬ抗ＣＤ３モノクローナル抗体（Ｐ． Ｓ． Ｌｉｎｓｌｅｙ ｅｔ ａｌ．（１９９３）Ａｎｎ． Ｒｅｖ． Ｉｍｍｕｎｏｌ． １１：１９１−２１２）および１μｇ／ｍＬ抗ＣＤ２８モノクローナル抗体（Ｌｉｎｓｌｅｙ ｅｔ ａｌ．前掲）の存在下で３７℃、５％ＣＯ２にて２４〜７２時間培養した。ＰＭＡおよびイノマイシンで刺激した末梢血Ｔ細胞を１０％ヒト血清を添加したＲＰＭＩ １６４０（Ｈｙｃｌｏｎｅ）中、１ μｍ イノマイシンを添加した３０ ｎｇ／ｍＬＰＭＡの存在下で３７℃、５％ＣＯ２ にて４８時間培養した。ＰＨＡで刺激した末梢血Ｔ細胞を、３μｇ／ｍＬＰＨＡの存在下で１０％ヒト血清を添加したＲＰＭＩ １６４０（Ｈｙｃｌｏｎｅ）中で３７℃、５％ＣＯ２ にて４８時間培養した。不死化ヒト単球性細胞系から得たＴＨＰ１細胞を、１０ ％ウシ胎仔血清を添加したＲＰＭＩ １６４０（Ｈｙｃｌｏｎｅ）中、３７℃、５％ＣＯ２ にて、１００ ｎｇ／ｍＬＬＰＳ有りまたは無しで２時間培養した。末梢血単核球を、テフロンプレートにて、２５％ウシ胎仔血清を添加したＲＰＭＩ １６４０（Ｈｙｃｌｏｎｅ）中、３７℃、５％ＣＯ２で、１μｇ／ｍＬＰＨＡまたは１５ ｎｇ／ｍＬＧＭ−ＣＳＦ＋７５ ｎｇ／ｍＬＩＬ−４有りまたは無しで、７日間培養した。不死化ヒトＢ細胞系から得たＲＡＪＩおよびＲＡＭＯＳ細胞は、１０％ウシ胎仔血清を添加したＲＰＭＩ １６４０（Ｈｙｃｌｏｎｅ）中、３７℃、５％ＣＯ２にて培養した。ＨＭＶＥＣは、１０％ウシ胎仔血清を添加したＤＭＥＭ中、３７℃、５％ＣＯ２にて、１０ ｎｇ／ｍＬＴＮＦα有りまたは無しで１〜２４時間培養した。不死化ヒト肺上皮細胞系から得たＨ２９２細胞は、１０％ウシ胎仔血清を添加したＲＰＭＩ １６４０（Ｈｙｃｌｏｎｅ）中、３７℃、５％ＣＯ２にて培養したのち、血清不含培地中で１６時間培養して回収した。
【０２１９】
ノーザンブロット解析 ：ノーザンブロット解析のために、各細胞タイプから得た０．５μｇの全ポリ（Ａ）＋ＲＮＡを３％ ホルムアルデヒドを含む１．２％アガロースゲルにて分離し、２０×ＳＳＣを移動緩衝液として用いてＨｙｂｏｎｄ−Ｎ＋ ナイロンメンブレン（Ａｍｅｒｓｈａｍ）に一晩移動させたした。
【０２２０】
ついでこのメンブレンを自己架橋させ、４×ＳＳＰＥで洗浄し、風乾した。次いでメンブレンを６５℃にてＥｘｐｒｅｓｓＨｙｂ 溶液（ＣＬＯＮＴＥＣＨ）中、１時間プレハイブリダイゼーションした後、 ［３２Ｐ］ ｄＣＴＰ−放射性同位元素で標識した（ＮＥＮ、Ｂｏｓｔｏｎ、ＭＡ）ランダムプライムドＢＳＬ１ ｃＤＮＡプローブとハイブリダイズさせた。プローブを６６６ｂｐのＢＳＬ１ ＨｉｎｄｌｉｌｌＰｓｔｌ断片（図６Ａ）から得、これをＮｕｃＴｒａｐ精製カラム（Ｓｔｒａｔａｇｅｎｅ）を用いて精製し、放射性同位元素で標識して比活性を２．０×１０６ ｃｐｍ／ｍＬとした。ハイブリダイゼーションの後、メンブレンを０．０５％ ＳＤＳを添加した６５℃の２．０×ＳＳＣで洗浄し、−７０℃で７２時間フィルムに露光した。
【０２２１】
３．８ ｋｂのＢＳＬ１ ｍＲＮＡ転写物をいくつかのタイプの細胞において検出した。特に、ＰＨＡで刺激された末梢血単核球およびＴＮＦαで刺激したＨＭＶＥＣにおいて高レベルのＢＳＬ１ｍＲＮＡが検出された（図７Ｄ）。中程度のレベルのＢＳＬ１ｍＲＮＡは、抗ＣＤ３および抗ＣＤ２８モノクローナル抗体で７２時間刺激した末梢血Ｔ細胞において検出された（図７Ｄ）． 中程度のレベルのＢＳＬ１ｍＲＮＡは、ＬＰＳで刺激したＴＨＰ１細胞においても観察された（図７Ｄ）。しかしながら、ＢＳＬ１ｍＲＮＡは休止ＴＨＰ１細胞、休止ＢＪＡＢ細胞、ＬＰＳ−活性化 ＢＪＡＢ細胞、休止末梢血Ｔ細胞、ＰＢＴ活性化末梢血Ｔ細胞、またはＧＭ−ＣＳＦ／ＩＬ−４−活性化末梢血単核球においては検出されなかった（図７Ｄ）。さらに、ＢＳＬ１ｍＲＮＡは、休止ＲＡＪＩ細胞、休止ＲＡＭＯＳ細胞、または血清飢餓Ｈ２９２細胞においては検出されなかった（図７Ｄ）。
【０２２２】
ＢＳＬ１−Ｉｇ融合構築物：ＢＳＬ１推定細胞外ドメイン（ＥＣＤ；アミノ酸２３−２９０）に対応するＤＮＡ断片は、完全長ＢＳＬ１−ｐＣＲ２．１およびＢＳＬ１ ＥＣＤの５’および ３’末端にハイブリダイズするオリゴヌクレオチドプライマー：ＪＮＦ １８４ フォワードプライマー５’−ＴＣＡＧＧＴＡＣＴＡＧＴＧＴＴＣＣＣＡＡＧＧＡＣＣＴＡＴＡＴＧＴＧＧ−３’）（配列番号３０）；およびＪＮＦ １８５ リバース プライマー（５’−ＧＡＴＴＣＧＡＧＡＴＣＴＣＣＴＣＧＡＧＴＣＣＴＴＴＣＡＴＴＴＧＧＡＧＧＡＴＧＴＧＣＣ−３’（配列番号３１）をテンプレートとして用いてＰＣＲにより増幅した。ＰＣＲは、合計５０μＬ中の約１００ ｎｇのテンプレート ＤＮＡ、０．４μＭの各プライマー、２００μＭ ＤＮＴＰ、１×Ａｄｖａｎｔａｇｅ ２ ＰＣＲ 緩衝液、および１×Ａｄｖａｎｔａｇｅ ２ ポリメラーゼ（ＣＬＯＮＴＥＣＨ）を用いて行った。ＰＣＲ混合物 を９４℃にて３０秒間、６２℃にて３０秒間、および７２℃にて１分間インキュベーションし、これを３０サイクル繰り返した。ＰＣＲ産物を１．２％ アガロースゲル上でゲル電気泳動により分離し、ＤＮＡを臭化エチジウム染色により可視化した。ＢＳＬ１ ＥＣＤに対応する６８０−ｂｐ断片を、ＱＩＡＧＥＮゲル抽出キット（ＱＩＡＧＥＮ）を用いてアガロースゲルから精製し３２μＬの蒸留水に再懸濁した。
【０２２３】
次いで、ＢＳＬ１ ＥＣＤ断片をＳｐｅｌおよびＢｇｌｌｌ制限エンドヌクレアーゼを用いて消化し、５ Ｕ／μＬＴ４ ＤＮＡリガーゼ（ＧｉｂｃｏＢＲＬ）を用いて、ＳｐｅｌｌＢａｍＨｌ消化したＰＤ１９ベクターに一方向にクローニングした。ライゲーション混合物を用いてＤＨ５αコンピテントＥ ｃｏｌｉ細胞（ＧｉｂｃｏＢＲＬ）をトランスフェクトし、トランスフェクトされた細胞を、５０μｇ／ｍＬアンピシリンを含むＬａｕｒｉａ−Ｂｅｒｔａｎｉ（ＬＢ）プレートに蒔いた。プレート３７℃で一晩インキュベーションし、およびコロニー単離し、５０μｇ／ｍＬアンピシリンを含むＬＢ培養液中３７℃で一晩培養した。プラスミドをＱＩＡＧＥＮ ミニプレップスピンキットを用いて単離し、５０μＬの蒸留水にに再懸濁し、ＡＢＩサイクルシークエンサー（ＰＥ Ｂｉｏｓｙｓｔｅｍｓ、Ｆｏｓｔｅｒ Ｃｉｔｙ、ＣＡ）を用いて配列を解析した。プライマー配列は以下のとおりであった：センス ＪＮＦ １８４（５’−ＴＣＡＧＧＴＡＣＴＡＧＴＧＴＴＣＣＣＡＡＧＧＡＣＣＡＴＡＴＧＴＧＧ−３’）（配列番号３２）および アンチセンス ＪＮＦ １８５（５’−ＧＡＴＴＣＧＡＧＡＴＣＴＣＣＴＣＧＡＧＴＣＴＴＴＣＡＴＴＧＧＧＧＡＴＧＴＧＣＣ−３’）（配列番号３３）。
【０２２４】
ＢＳＬ１−Ｉｇ（ｐＤ１９ ：ＢＳＬ１ｌｇ）をコードするＤＮＡを有するプラスミドは、２０００年６月６日に、Ａｍｅｒｉｃａｎ Ｔｙｐｅ Ｃｕｌｔｕｒｅ Ｃｏｌｌｅｃｔｉｏｎ（ＡＴＣＣ、１０８０１ Ｕｎｉｖｅｒｓｉｔｙ Ｂｌｖｄ．、Ｍａｎａｓｓａｓ、ＶＡ ２０１１０−２２０９ ＵＳＡ）にＡＴＣＣ 受託番号 ＰＴＡ−１９９２として寄託された。ＢＳＬ１−Ｉｇのヌクレオチドおよび推定アミノ酸配列を図２Ａおよび２Ｂに示す。
【０２２５】
ＢＳＬ１モノクローナル抗体：ＢＳＬ１−Ｉｇ融合タンパク質は、以下、ＢＳＬ３−Ｉｇについて記載するように、アフィニティー精製カラムにより精製した。次いで、精製した融合タンパク質をＢＳＬ３−Ｉｇについて記載したプロトコルを用いてマウスの免疫に使用した。この後、ハイブリドーマ細胞系を構築しＢＳＬ１モノクローナル抗体（ＭＡｂｓ）を、以下ＢＳＬ３について記載したとおり単離した。さらに、ＢＳＬ１ ＭＡｂｓを全細胞ＥＬＩＳＡにより特異性についてスクリーニングした。全細胞ＥＬＩＳＡのために、ＣＯＳ細胞を完全長ＢＳＬ１（Ｌ１５６−３）で一過性トランスフェクションした。細胞をトランスフェクションから４日後にヴェルセンで取り上げた。細胞をＰＢＳで２回洗浄し、１０％ ＦＢＳを添加したＰＢＳに５．０×１０６細胞／ｍＬの濃度で再懸濁した。次いで、５０μＬの細胞を加え、Ｆａｌｃｏｎ ３９１１ ９６−ウェルプレートの各ウェルに加え、氷上で３０分間インキュベーションした。次いで、推定されるＢＳＬ１ハイブリドーマから得られた上清をウェル毎に加え、氷上で３０分間インキュベーションした。細胞をＰＢＳ中で２回洗浄した。次いで、細胞を、ＰＢＳ中１：１０００に希釈したヤギ抗マウス ＨＲＰ−コンジュゲート二次抗体（Ａｍｅｒｓｈａｍ Ｃａｔ． ＃ＮＡ９３１０）に再懸濁した。細胞を氷上で３０分間インキュベーションし、ＰＢＳで２回洗浄し、１２５μＬのＰＢＳに再懸濁した。その後、、細胞を新しいプレートに移した。細胞をＰＢＳ中で洗浄し、２５μＬのＰＢＳ２懸濁した．次に、１２５μＬのペルオキシダーゼ 溶液 Ｂ（ＫＰＬ、Ｇａｉｔｈｅｒｓｂｕｒｇ、ＭＤ；Ｃａｔ． ＃５０−６５−００）とＴＭＢ ペルオキシダーゼ基質（ＫＰＬ Ｃａｔ． ＃５０−７６−０１）を加えた。発色させた。細胞をペレット化し、および１００μＬの上清をＩｍｍｕｌｏｎ ２プレートに移した。１００μＬの１Ｎ硫酸でクエンチし、プレートをＯＤ４５０／ＯＤ６３０で読み取った。
【０２２６】
実施例３：ＢＳＬ２の同定
データベース検索：ＢＳＬ２は、Ｂ７−１またはＢ７−２ アミノ酸配列を照会配列として用いて、Ｉｎｃｙｔｅ Ｇｅｎｏｍｉｃｓ配列データベース（Ｉｎｃｙｔｅ Ｇｅｎｏｍｉｃｓ）のＢＬＡＳＴおよびＦＡＳＴＡ解析によって同定した。ＢＬＡＳＴ 解析いついては、ＢＬＯＳＳＵＭ−６２ スクアリングマトリックスを用い（Ｓ． Ｈｅｎｉｋｏｆｆ ｅｔ ａｌ．（１９９２）Ｐｒｏｃ Ｎａｔｌ． Ａｃａｄ． Ｓｃｉ． ＵＳＡ ８９：１０９１５−１０９１９）、残りのパラメーターはデフォルトの設定にした。ＦＡＳＴＡ 解析については、すべてのパラメーターをデフォルトの設定にした（Ｗ． Ｒ． Ｐｅａｒｓｏｎ ｅｔ ａｌ．（１９８８）Ｐｒｏｃ． Ｎａｔｌ． Ａｃａｄ． Ｓｃｉ． ＵＳＡ ８５：２４４４−２４４８）。配列データベース検索によって２つの Ｉｎｃｙｔｅ Ｇｅｎｏｍｉｃｓ’テンプレート’ ：２５２８９９．６と可能性のあるスプライス変異体２５２８９９．８（Ｉｎｃｙｔｅ Ｇｅｎｏｍｉｃｓ テンプレートはｍＲＮＡ転写物を示すと考えられるコンセンサス ＥＳＴ 配列である）が同定された。
【０２２７】
ＢＳＬ２ クローンの配列解析：Ｉｎｃｙｔｅ Ｇｅｎｏｍｉｃｓ テンプレート ２５２８９９．８を用いてＩｎｃｙｔｅ Ｇｅｎｏｍｉｃｓ クローン４６１６８１１を同定した。Ｉｎｃｙｔｅ Ｇｅｎｏｍｉｃｓ クローン４６１６８１１は、Ｉｎｃｙｔｅ Ｇｅｎｏｍｉｃｓ ライブラリー ＩＤ Ｎｏ． ＢＲＡＹＤＩＴ０１に属し、もとは病気の視床下部組織に由来するポリ（Ａ）＋ＲＮＡを用いて構築された。Ｉｎｃｙｔｅ Ｇｅｎｏｍｉｃｓ クローン４６１６８１１をＩｎｃｙｔｅ Ｇｅｎｏｍｉｃｓから入手し、表３に示すプライマーを用いて配列解析（ＡＢＩサイクルシークエンサー、ＰＥ Ｂｉｏｓｙｓｔｅｍｓ）に用いた。
表３
2004500863.tif 000010
【０２２８】
とりわけ、Ｉｎｃｙｔｅ Ｇｅｎｏｍｉｃｓ クローン４６１６８１１の推定アミノ酸配列は、２セットのＶ／Ｃ（可変／定常ドメイン）折り畳みを含んでいたが、典型的なＢ７関連アミノ酸配列は、Ｖ／Ｃ 折り畳みを１つのみ含む。Ｓｅｑｗｅｂ Ｇａｐ（Ｇｅｎｅｔｉｃｓ Ｃｏｍｐｕｔａｅｒ Ｇｒｏｕｐ）解析は、ＢＳＬ２−４６１６８１１は、Ｂ７−１、Ｂ７−２、ＢＳＬ１／Ｂ７−Ｈ１ ヌクレオチド配列と５０％未満の配列同一性を共有したが、ＢＳＬ２−４６１６８１１アミノ酸は、Ｂ７−１、Ｂ７−２、およびＢＳＬ１／Ｂ７−Ｈ１アミノ酸配列と３５％未満の配列同一性を共有していた。ＢＳＬ２−４６１６８１１に類似の配列が、Ｇ． Ｗ． Ｂｅｃｋｅｒ ｅｔ ａｌ．の国際特許出願ＷＯ ００／６８２６６においてアミロイド前駆体プロテアーゼとして同定さている。
【０２２９】
Ｉｎｃｙｔｅ Ｇｅｎｏｍｉｃｓ クローン４６１６８１１（ＢＳＬ２−４６１６８１１）のヌクレオチドおよび推定アミノ酸 配列を図３Ａおよび３Ｂにしめす。ＢＳＬ２−４６１６８１１をコードするＤＮＡを有するプラスミド（ｐＩＮＣＹ ：ＢＳＬ２−４６１６８１１）は、２０００年６月６日に、Ａｍｅｒｉｃａｎ Ｔｙｐｅ Ｃｕｌｔｕｒｅ Ｃｏｌｌｅｃｔｉｏｎ（ＡＴＣＣ、１０８０１ Ｕｎｉｖｅｒｓｉｔｙ Ｂｌｖｄ．、Ｍａｎａｓｓａｓ、ＶＡ ２０１１０−２２０９ ＵＳＡ）に、ＡＴＣＣ 受託番号ＰＴＡ−１９９３として寄託された。
【０２３０】
完全長クローニング ： Ｉｎｃｙｔｅ Ｇｅｎｏｍｉｃｓ クローン４６１６８１１の配列を確認するために、ＰＣＲ プライマーを設計して、クローンの推定翻訳開始コドンから推定翻訳終止コドンまでのヌクレオチド配列を増幅した：フォワードプライマーＢＳＬ２−７（５’ ＡＴＧＣＴＧＣＧＴＣＧＧＣＧ−３’）（配列番号５５）；リバースプライマーＢＳＬ２−８（５’− ＴＣＡＧＧＣＴＡＴＴＴＣＴＴＧＴＣＣＡＴＣＡＴＣ−３’）（配列番号５６）。
【０２３１】
ＨＭＶＥＣ ライブラリーは、ＲＡＣＥ反応テンプレートとして、ＴＮＦ−αで１時間処理したヒト微小血管内皮細胞から得たポリ（Ａ）＋ＲＮＡを用い、説明書にしたがってＳＭＡＲＴ ＲＡＣＥ ｃＤＮＡ増幅キット（ＣＬＯＮＴＥＣＨ）を用いて構築した。ＰＣＲ 混合物は、１μＬのＰＣＲ−レディＨＭＶＥＣ ライブラリー、５ μＬのＰＣＲ 緩衝液（ＧｉｂｃｏＢＲＬ）、１．５μＬの５０ｍＭＭｇＣＩ２、１μＬの１０ｍＭｄＮＴＰｓ（Ｂｏｅｈｒｉｎｇｅｒ Ｍａｎｎｈｅｉｍ Ｂｉｏｃｈｅｍｉｃａｌｓ／Ｒｏｃｈｅ Ｍｏｌｅｃｕｌａｒ Ｂｉｏｃｈｅｍｉｃａｌｓ、Ｉｎｄｉａｎａｐｏｌｉｓ、ＩＮ）、２５ ｐＭｏｌのＢＳＬ２−７ プライマー、２５ ｐＭｏｌのＢＳＬ２−８ プライマー、および１μＬのＣＬＯＮＴＥＣＨ Ａｄｖａｎｔａｇｅ Ｅｎｚｙｍｅミックスを全量５０μＬに含有した。ＰＣＲは、ＰＥ Ｂｉｏｓｙｓｔｅｍｓ Ｔｈｅｒｍａｌ Ｃｙｃｌｅｒ ９７００型で行った。ＰＣＲ 混合物を９４℃にて１分間インキュベーションした後、９４℃にて３０秒間、６０℃にて３０秒間、および７２℃にて４５秒間のインキュベーションを３５サイクル、次いで７２℃にて１０分間のインキュベーションを行った。
【０２３２】
１μＬのＰＣＲ混合物を説明書にしたがってｐＣＲ２．１（Ｉｎｖｉｔｒｏｇｅｎ）に直接ライゲーションした。ライゲーション混合物の半分を、説明書にしたがって、Ｍａｘ−Ｅｆｆｉｃｉｅｎｃｙ ＤＨ５αＥ ｃｏｌｉ細胞（ＧｉｂｃｏＢＲＬ）のトランスフェクションに使用した。トランスフェクションされた細胞を、１００μｇ／ｍＬアンピシリンおよび３０ ｐｇ／ｍＬＸ−ｇａｌ を添加したＬＢ寒天プレートに蒔き。３７℃で一晩培養した。白色のコロニーを単離し、１００μｇ／ｍＬアンピシリンを含む５ｍＬのＬＢ培養液中で３７℃で培養した。
【０２３３】
プラスミドＤＮＡは、Ｓｐｉｎ Ｍｉｎｉｐｒｅｐキット（ＱＩＡＧＥＮ）を用い、説明書にしたがって、培養した細菌から単離した。ＤＮＡをＥｃｏＲｌで消化してクローニングされた挿入物を遊離させ、消化混合物を１％ アガロースゲルの電気泳動で解析した。７００ ｂｐより大きい挿入断片の配列を、ベクター−特異的Ｍ１３（５’−ＧＴＴＴＴＣＣＣＡＧＴＣＡＣＧＡＣ−３’）（配列番号５７）および Ｍ１３ リバース（５’ ＣＡＧＧＡＡＡＣＡＧＣＴＡＴＧＡＣ−３’）（配列番号５８）シークエンシングプライマー（ＡＢＩサイクルシークエンサー、ＰＥ Ａｐｐｌｉｅｄ Ｂｉｏｓｙｓｔｅｍｓ）を用いて解析した。
【０２３４】
配列解析によって、ＢＳＬ２の２つのスプライス変異体がクローニングされた ：ＢＳＬ２−Ｌ１６５−２１およびＢＳＬ２−Ｌ１６５−３５ｂ。ＢＳＬ２−Ｌ１６５−２１およびＢＳＬ２−Ｌ１６５−３５ｂスプライス変異体は、１つのＶ／Ｃ折り畳みを含むアミノ酸配列は他方と９５％同一であった。Ｓｅｑｗｅｂ Ｇａｐ 解析（Ｇｅｎｅｔｉｃｓ Ｃｏｍｐｕｔｅｒ Ｇｒｏｕｐ）はまた、ＢＳＬ２−Ｌ１６５−２１およびＢＳＬ２−Ｌ１６５−３５ｂ ヌクレオチドが共有するＢ７−１、Ｂ７−２、およびＢＳＬ１／Ｂ７−Ｈ１ ヌクレオチド配列と５０％未満の配列同一性を共有するが、ＢＳＬ２−Ｌ１６５−２１およびＢＳＬ２−Ｌ１６５−３５ｂアミノ酸は、Ｂ７−１、Ｂ７−２、およびＢＳＬ１／Ｂ７−Ｈ１ アミノ酸配列と３５％未満の配列同一性を共有していた。
【０２３５】
配列解析はさらにＢＳＬ２−Ｌ１６５−２１のアミノ酸およびヌクレオチド配列が、Ｋ． Ｐ． Ｂａｋｅｒらの国際特許出願ＷＯ ９９／４６２８１において報告されたＰＲ０３５２アミノ酸およびヌクレオチド配列とそれぞれ９９％未満の配列同一性を共有するを示した。ＢＳＬ２ Ｌ１６５−３５ｂのアミノ酸およびヌクレオチド配列は、ＰＲ０３５２アミノ酸およびヌクレオチド配列とそれぞれ、９９．５％未満の配列同一性を共有していた。
【０２３６】
ＧＣＧ Ｇａｐ プログラム（ＧＣＧ、Ｍａｄｉｓｏｎ、ＷＩ）を用いたアミノ酸配列アライメントは、ＢＳＬ２−Ｌ１６５−２１およびＰＲ０３５２と同一のアミノ酸残基を共有する最も長い鎖が８８の連続したアミノ酸であることを示した。ＢＳＬ２−Ｌ１６５−３５ｂおよびＰＲ０３５２と共通するアミノ酸残基の最も長い鎖は１６８個の連続するアミノ酸であった。ＢＳＬ２４６１６８１１およびＰＲ０３５２と共通するアミノ酸残基の最も長い鎖は２０６個の連続するアミノ酸であった。
【０２３７】
ヌクレオチド配列アライメントは、ＢＳＬ２−Ｌ１６５−２１およびＰＲ０３５２と共通する塩基の最も長い鎖は２５４個の連続するヌクレオチドであることを示した。。ＢＳＬ２−Ｌ１６５−３５ｂおよびＰＲ０３５２と共通する塩基の最も長い鎖は３０５個の連続するヌクレオチドであった。ＢＳＬ２−４６１６８１１およびＰＲ０３５２と共通する塩基の最も長い鎖は３０２個の連続するアミノ酸であった。とりわけ、ＢＳＬ２−Ｌ１６５− ３５ｂは、Ｔ細胞活性化の共刺激分子であるＢ７−Ｈ３と同一であった（Ａ． Ｉ． Ｃｈａｐｏｖａｌ ｅｔ ａｌ．（２００１）Ｎａｔｕｒｅ Ｉｍｍｕｎｏｌｏｇｙ ２ ：２６９−２７４）。
【０２３８】
ＢＳＬ２−Ｌ１６５−２１スプライス変異体のヌクレオチドおよび推定アミノ酸 配列を図３Ｃおよび３Ｄに示し、ＢＳＬ２−Ｌ１６５−３５ｂのヌクレオチドおよび推定アミノ酸 配列を図３Ｅおよび３Ｆに示す。ＢＳＬ２ Ｌ１６５−２１をコードするＤＮＡを有するプラスミド（ｐＣＲ２．１：ＢＳＬ２−Ｌ１６５−２１）は、２０００年６月６日に、Ａｍｅｒｉｃａｎ Ｔｙｐｅ Ｃｕｌｔｕｒｅ Ｃｏｌｌｅｃｔｉｏｎ（ＡＴＣＣ、１０８０１ Ｕｎｉｖｅｒｓｉｔｙ Ｂｌｖｄ．、Ｍａｎａｓｓａｓ、ＶＡ ２０１１０２２０９ ＵＳＡ）へ、ＡＴＣＣ 受託番号ＰＴＡ−１９８７として寄託された。さらに、ＢＳＬ２−Ｌ１６５−３５ｂをコードするＤＮＡを有するプラスミド（ｐＣＲ２．１：ＢＳＬ２−Ｌ１６５−３５ｂ）は、２０００年６月６日にＡｍｅｒｉｃａｎ Ｔｙｐｅ Ｃｕｌｔｕｒｅ Ｃｏｌｌｅｃｔｉｏｎ（ＡＴＣＣ、１０８０１ Ｕｎｉｖｅｒｓｉｔｙ Ｂｌｖｄ．、Ｍａｎａｓｓａｓ、ＶＡ ２０１１０−２２０９ ＵＳＡ）へ、ＡＴＣＣ 受託番号ＰＴＡ−１９８８として寄託された。
【０２３９】
実施例４：ＢＳＬ２のキャラクタリゼーション
ＢＳＬ２ 発現ｊ解析 ：ＢＳＬ２ 発現パターンは、図６Ｂに示したＢＳＬ２−４６１６８１１−由来プローブとＢＳＬ１（上記参照）について記載した手順を用いて、様々な組織および細胞タイプのノーザンブロット解析により決定した。いくつかの細胞のタイプにおいて３．６ ｋｂのＢＳＬ２ ｍＲＮＡ転写物が検出された。特に、高レベルのＢＳＬ２ｍＲＮＡが、ＴＮＦ−αで刺激されたすべてのＨＭＶＥＣにおいて検出された。中程度のレベルのＢＳＬ２ｍＲＮＡが、休止ＴＨＰ１細胞およびＬＰＳで刺激されたＴＨＰ１細胞において検出された（図７Ｄ）。対照的に、低レベルのＢＳＬ２ｍＲＮＡがＰＨＡまたはＧＭ−ＣＳＦ／ＩＬ−４で刺激された末梢血単核球において検出され、ＢＳＬ２ｍＲＮＡは休止または末梢血Ｔ細胞、または休止ＲＡＪＩ細胞、休止ＲＡＭＯＳ細胞、または血清飢餓Ｈ２９２細胞では検出されなかった（図７Ｄ）。
【０２４０】
ＢＳＬ２−４６１６８１１およびＢＳＬ２−Ｌ１６５−３５ｂの相対存在量を決定するＰＣＲ解析：ＢＳＬ２−４６１６８１１またはＢＳＬ２−Ｌ１６５− ３５ｂが、ＢＳＬ２の支配的な種であるのかどうか、および細胞のタイプおよび／または刺激のタイプに対応しているのかどうかを調べるために、以下の実験法を用いた。ＢＳＬ２のゲノム配列の解析は、その配列がイントロンで分離されたエクソンをいくつか含んでいることを示した。一次転写物がこの配列から産生し、その一次転写物がスプライシングによりＢＳＬ２−４６１６８１１成熟ＲＮＡになったものと考えられる。ＢＳＬ２−４６１６８１１配列の解析は、その配列が以下のものをコードしていることを示した ：５’ＵＴＲ、開始ＡＴＧ、シグナルペプチド配列、可変Ｉｇ 折り畳み（ｖ１）、Ｉｇ 定常折り畳み（ｃ１）、Ｉｇ Ｖ 折り畳み（ｖ２）、 Ｉｇ Ｃ折り畳み（ｃ２）、短いヒンジ推定膜貫通ドメイン、短い細胞質尾部、終止コドンおよび ３’ＵＴＲ。
【０２４１】
ｖ１およびｃ１（ｖ１ｃ１）配列がｖ２およびｃ２（ｖ２ｃ２）配列とアミノ酸レベルで約９５％同一であったので、ＢＳＬ２−４６１６８１１コード配列はヒトゲノムにおいて独特であると思われる。重要なことに、構造上重要な残基のすべてがｖ１ｃ１およびｖ２ｃ２ アミノ酸配列において保存されており、ｖ１ｃ１からｖ２ｃ２への変化の大部分が保存的な変化であった。ＢＳＬ２−Ｌ１６５−２１およびＢＳＬ２−Ｌ１６５− ３５ｂ 配列（１つのみのＶおよびＣ 折り畳みを含んだ）のＢＳＬ２４６１６８１１配列との比較は、それぞれの場合において、ｖ１ からｖ２の正確にホモローガスな場所へのシフトをもたらすスプライシング現象が起こったことを示した。しかし、ＢＳＬ２−Ｌ１６５−２１は、ＢＳＬ２−Ｌ１６５−３５ｂとは異なる場所でｖ１から ｖ２へシフトした。
【０２４２】
ヌクレオチドレベルでｖ１ ｃ１と２ｃ２は９６％ 同一であるにもかかわらず、ＧＣＧ Ｇａｐを用いた２つの領域間の配列の比較は、比較的相同性の低い１つの短い領域を明らかにした。この相同性の低い短い領域を利用してフォワードプライマー指定 ＢＳＬ２−９を設計した。ＢＳＬ２−９を設計して、ｖ１に特異的に結合させた（図８ＥはＢＳＬ２−９ プライマーの特異性を示す）。リバースプライマー、ＢＳＬ２１１ を設計してヒンジ配列にハイブリダイズさせた。
【０２４３】
とりわけ、ＢＳＬ２−４６１６８１１転写物は、ｖ１にＢＳＬ２−９ ｖ１−結合部位およびｖ２にホモローガス部位を両方とも含んでいた。ＢＳＬ２ Ｌ１６５−３５ｂ転写物は、ＢＳＬ２−９ ｖ１ 結合部位のみを含んでいた。ＢＳＬ２ Ｌ１６５−２１転写物は、ｖ２部位のみを含んでいた。したがって、プライマー ＢＳＬ２−９およびＢＳＬ２−１１を用いて行うＰＣＲは以下のものを産生すると期待された：１）ＢＳＬ２−４６１６８１１を代表する約１１５０ ｂｐのＰＣＲ産物；または２）ＢＳＬ２−Ｌ１６５−３５ｂを代表する約５５０ ｂｐのＰＣＲ産物。
【０２４４】
最初に、ＢＳＬ２−４６１６８１１プラスミドを用いてＰＣＲ行い、ＢＳＬ２−９ プライマーの選択性を確認した。２μＬ１０ ｎｇ／ｐＩ ＢＳＬ２−４６１６８１１プラスミドＤＮＡ、５、μＬのＰＣＲ 緩衝液（ＧｉｂｃｏＢＲＬ）、１．５μＬの２５ｍＭＭｇＣＩ２（ＧｉｂｃｏＢＲＬ）、１μＬの１０ｍＭｄＮＴＰｓ（ＧｉｂｃｏＢＲＬ）、２．５ μＬの１０ ｐＭｏｌ／． ｉ ＢＳＬ２−９ プライマー（５’ＴＧＧＴＧＣＡＣＡＧＣＴＴＴＧＣＴ ３’）（配列番号５９）、２．５μＬの１０ ｐＭｏｉ／μＬのＢＳＬ２−１１ プライマー（５’ＴＣＴＧＧＧＧＧＧＡＡＴＧＴＣＡＴ ３’）（配列番号６０）、０．５ μＬの５Ｕ／ｍＬ ＧｉｂｃｏＢＲＬ 白金Ｔａｑ ＤＮＡ ポリメラーゼ（Ｃａｔ． ＃１０９６６−０１８）、および３５ μＬのＨ２０を用いてＰＣＲを行った。ＰＣＲは、以下のサイクル条件を用いてＰＥ Ｂｉｏｓｙｓｔｅｍｓ ９７００にて行った：９４℃にて３０秒間；次いで、９４℃にて３０秒間、６１℃にて３０秒間、７２℃にて６０秒間を３５サイクル；次いで、７２℃にて１０分間。この後、４０ μＬのＰＣＲ反応物をラムダＢｓｔＥｌｌ ＤＮＡラダー（Ｎｅｗ Ｅｎｇｌおよび Ｂｉｏｌａｂｓ Ｂｅｖｅｒｌｙ、ＭＡ；Ｃａｔ． ＃３０１−４Ｓ）の隣で１．２％ アガロースゲルに付した。１１５０ ｂｐのバンドが優性であり、ＢＳＬ２−９ ＰＣＲプライマーがＢＳＬ２−４６１６８１１ 配列に特異的であることを示した（図８Ｅ）。
【０２４５】
Ｒａｊｉ、Ｒａｍｏｓ、ＰＭ−ＬＣＬ、ＰＬ−ＬＣＬ、およびＣＥ−ＬＣＬ Ｂ−様細胞系；ＨＬ−６０およびＴｈｐ１ 単球様細胞系；およびＣＥＭおよびＨｕｔ７８ Ｔ様細胞系を１０％ ＦＢＳおよび１ ％ ＧｉｂｃｏＢＲＬ ペニシリン／ストレプトマイシンを添加したＲＰＭＩ １６４０中、５×１０５細胞／ｍＬの濃度まで培養した。培養物を分けて、Ｂ様およびＴ様培養細胞の半分を３０ ｎｇ／ｍＬＰＭＡおよび１ Ｍ イノマイシンで２４時間刺激した。単球性細胞系を１μｇ／ｍＬＬＰＳで２４時間刺激した。早期ＨＵＶＥＣを９０％コンフルエンスになるまで培養し、培養細胞の半分を１０ｎｇ／ｍＬＴＮＦαで刺激し、６または２４時間後に回収した。刺激されなかったＨＵＶＥＣは２４時間後に回収した。
【０２４６】
２人のドナー由来の末梢血Ｔ細胞を上記のとおり精製した。細胞を（１×１０６細胞／ｍＬ）１０％ ヒト血清および１％ ＧｉｂｃｏＢＲＬ ペニシリン／ストレプトマイシンを添加したＲＰＭＩ １６４０に添加した。次いで、細胞を３７℃、５％ＣＯ２ にて７２時間インキュベーションした。フラスコを、ＰＢＳ中の１μｇ／ｍＬＣＤ３ Ｍａｂ Ｇ１９．４（本明細書に記載）で３７℃にて４時間コーティングした。フラスコＰＢＳで２回洗浄し、１０％ ヒト血清および１ ％ ＧｉｂｃｏＢＲＬ ペニシリン／ストレプトマイシンを添加したＲＰＭＩ １６４０中の細胞（１×１０５細胞／ｍＬ）を添加した。ＣＤ２８ ＭＡｂ ９．３（以前に記載された）を終濃度１μｇ／ｍＬになるように加えた。細胞を３７℃、５％ＣＯ２にて ７２時間培養した。細胞を、１０％ ヒト血清および１％ ＧｉｂｃｏＢＲＬ ペニシリン／ストレプトマイシンを添加したＲＰＭＩ １６４０に加えた（１×１０６細胞／ｍＬ）。ＰＭＡを３０ ｎｇ／ｍＬになるまで加え、イノマイシンを１μＭになるまで加えて、３７℃、５％ＣＯ２ にて４８時間インキュベーションした。刺激されたＴ細胞の増殖が目で確認された。すべてのタイプの細胞をペレット化し、ドライアイス上で乾燥させて使用するまで−７０℃で保存した。
【０２４７】
Ｉｎｖｉｔｒｏｇｅｎ（Ｃａｒｌｓｂａｄ、ＣＡ）ＳＮＡＰ 全ＲＮＡ単離キット（Ｃａｔ． ＃Ｋ１９５０−０１）を用い、説明書にしたがって全ＲＮＡを調製した。オリゴ ｄＴプライミングのために、第１鎖のｃＤＮＡを、ＲＴ−ＰＣＲ用のＧｉｂｃｏＢＲＬ Ｓｕｐｅｒｓｃｒｉｐｔ Ｆｉｒｓｔ−Ｓｔｒａｎｄ Ｓｙｎｔｈｅｓｉｓ Ｓｙｓｔｅｍ（Ｃａｔ． ＃１１９０４−０１８）を用い、説明書にしたがって作製した。ＰＣＲは２μＬの第１鎖 ｃＤＮＡ、５μＬのＰＣＲ 緩衝液（ＧｉｂｃｏＢＲＬ）、１．５μＬの２５ｍＭＭｇＣｌ２（ＧｉｂｃｏＢＲＬ）、１μＬの１０ｍＭｄＮＴＰｓ（ＧｉｂｃｏＢＲＬ）、２．５μＬの１０ ｐＭｏｌ／、μＬのＢＳＬ２−９ プライマー（５’ＴＧＧＴＧＣＡＣＡＧＣＴＴＴＧＣＴ ３’）（配列番号６１）、２．５μＬの１０ｐＭｏｌ／ ＢＳＬ２− １１ プライマー（５’ＴＣＴＧＧＧＧＧＧＡＡＴＧＴＣＡＴ ３’）（配列番号６２）、０．５ μＬの５Ｕ／μＬ ＧｉｂｃｏＢＲＬ白金Ｔａｑ ＤＮＡ ポリメラーゼ（Ｃａｔ． ＃１０９６６−０１８）、および３５ μＬのｄＨ２０を用いて行った。ＰＣＲは、ＰＥ Ｂｉｏｓｙｓｔｅｍｓ ９７００で、以下のサイクル条件を用いて行った： ９４℃にて３０秒間；次いで９４℃にて３０秒間、６１℃にて３０秒間、７２℃にて６０秒間を３５サイクル；次いで７２℃にて１０分間。この後、４０μＬのＰＣＲ反応物を１．２％ アガロースゲルに付した。
【０２４８】
ＰＣＲ 解析は、ある特定の細胞のタイプが、刺激ありまたは無しで、ＢＳＬ２−４６１６８１１転写物を主に含んでいることを示した。刺激されなかったおよび刺激された ＰＬ−ＬＣＬ細胞は、ＢＳＬ２−Ｌ１６５−３５ｂ転写物よりも高いレベルのＢＳＬ２−４６１６８１１転写物を示した（図８Ａ）。刺激されなかったおよび刺激されたＨＵＶＥＣ細胞は、ＢＳＬ２−Ｌ１６５−３５ｂ転写物よりも高いレベルのＢＳＬ２−４６１６８１１転写物（図８Ｂ）を示した。
【０２４９】
対照的に、他のタイプの細胞は、刺激有りまたは無しで、主にＢＳＬ２−Ｌ１６５−３５ｂ転写物を含んでいた。刺激されたＲａｊｉ細胞、および刺激されていない刺激されていないおよび刺激されたＲａｍｏｓ細胞は、ＢＳＬ２−４６１６８１１転写物よりも高いレベルのＢＳＬ２−Ｌ１６５−３５ｂ転写物を示した（図８Ａ）。刺激されていないおよび刺激されたＨＬ６０細胞は、ＢＳＬ２−４６１６８１１転写物よりも高いレベルのＢＳＬ２ Ｌ１６５−３５ｂ転写物を示した（図８Ｂ）。
【０２５０】
さらに、ある特定のタイプの細胞は、活性化によってＢＳＬ２４６１６８１１転写物 レベルの増加を示した。刺激されていないＰＭ−ＬＣＬ細胞は高レベルのＢＳＬ２−４６１６８１１転写物を示し、ＢＳＬ２−Ｌ１６５−３５ｂ転写物と比較して刺激により増加した（図８Ａ）。同様に、刺激されていないＣＥ−ＬＣＬ細胞は、高いレベルのＢＳＬ２４６１６８１１転写物を示し、ＢＳＬ２−Ｌ１６５−３５ｂ転写物と比較して刺激により増加した（図８Ｂ）。刺激されていないＴｈｐ１細胞は、同等のレベルのＢＳＬ２−４６１６８１１およびＢＳＬ２−Ｌ１６５−３５ｂ転写物を示したが、ＢＳＬ２−４６１６８１１転写物のレベルは刺激により増加した（図８Ｂ）。ドナー０７９由来の刺激されていない末梢血Ｔ細胞は、主にＢＳＬ−Ｌ１６５−３５ｂを示したが、刺激によりＢＳＬ２−４６１６８１１優勢にシフトした。ドナー１２４由来の末梢血Ｔ細胞は、刺激により、ＢＳＬ２−Ｌ１６５−３５ｂからＢＳＬ２−４６１６８１１へ劇的にはシフトしなかった（図８Ｃ）。刺激されていないＣＥＭ細胞は、高いレベルのＢＳＬ２ Ｌ１６５−３５ｂ転写物を示したが、活性化によりＢＳＬ２−４６１６８１１転写物が増加した（図８Ｄ）。
【０２５１】
その他のタイプの細胞は、活性化によりＢＳＬ２−Ｌ１６５−３５ｂ レベルの増大を示した。刺激されていないＨＵＴ７８細胞は高いレベルのＢＳＬ２−４６１６８１１転写物を示したが、活性化によりＢＳＬ２−Ｌ１６５−３５ｂ転写物のレベルが増大した（図８Ｄ）。これらの結果は、４つのＩｇ折り畳みすべてにおけるアミノ酸配列の保存、４つのＩｇ折り畳みすべてにおける構造上重要なアミノ酸残基の保存、およびｖ１ｃ１とｖ２ｃ２との間のアミノ酸の相違の保存的性質とあいまって、ＢＳＬ２−Ｌ１６５−３５ｂおよびＢＳＬ２−Ｌ１６５−２１（ＢＳＬ２ｖｃ）とは区別されるＢＳＬ２−４６１６８１１（ＢＳＬ２ｖｃｖｃ）の機能の根拠となっている。
【０２５２】
ＰＣＲ人為的な結果の存在を排除するために、ＴＮＦαで２４時間活性化されたＰＣＲ産物を、Ｉｎｖｉｔｒｏｇｅｎ Ｏｒｉｇｉｎａｌ ＴＡ クローニングキット（Ｃａｔ． ＃Ｋ２０００−０１）を用いて説明書にしたがってクローニングした。構築物を細菌細胞をトランスフェクトするために用い、および２５個の白色のコロニーを単離し、１００ ｐｇ／ｍＬアンピシリンを添加したＬＢにて培養した。ＤＮＡプレップを作製し、配列解析を行った。２５個のクローンのうち、１０個のクローンが挿入物を含んでおらず、３個のクローンが読取可能な配列を産生せず、３個のクローンは広範な欠失を有するＢＳＬ２−関連配列を含み、および残りの９個のクローンがＢＳＬ２−４６１６８１１と一致する配列を産生した。
【０２５３】
注目すべきことに、ＰＣＲ産物 ｃｏｒｒｅｓｐｏｎｄｉｎｇ ｔｏ ＢＳＬ２４６１６８１１またはＢＳＬ２−Ｌ１６５−３５ｂに対応するＰＣＲ産物が、刺激されていないＲａｊｉ細胞において観察されなかった。この結果を確認するために、ＰＣＲを刺激されていないおよび刺激されていないＲａｊｉ細胞について既に記載されているように繰り返した。再度、ＰＣＲ産物が刺激されていないＲａｊｉ細胞において検出されなかった。この後、Ｇ３ＰＤＨ プライマーと刺激されていないおよび刺激されたＲａｊｉ細胞から得られたテンプレートを用いてＰＣＲを行った。サイクル条件は、アニーリング温度を５５℃にし、伸張時間を４５秒間にした以外は上記と同じであった。比較的同じ両のＧ３ＰＤＨ産物が刺激されていないおよび刺激されたＲａｊｉ細胞の両方において検出された。このことは、刺激されていないＲａｊｉ細胞が検出可能なＢＳＬ２転写物を含んでいないという観察結果を更に支持した。
【０２５４】
ＢＳＬ２−４６１６８１１−Ｉｇ融合構築物：ＢＳＬ２４６１６８１１−Ｉｇプラスミドを構築するために、ＢＳＬ２−４６１６８１１細胞外ドメインを第１鎖ｃＤＮＡ（ＧｉｂｃｏＢＲＬ Ｃａｔ． ＃１１９０４−０１８）からＰＣＲ増幅した。ｃＤＮＡは、１００ ｎｇ／ｍＬＬＰＳで２時間刺激されたＴＨＰ１細胞から精製したＲＮＡから調製した。ＲＮＡは、Ｉｎｖｉｔｒｏｇｅｎ ＦａｓｔＴｒａｃｋ ２． ０（Ｃａｔ． ＃Ｋ１５９３０２）を用いて精製した。ＰＣＲ反応物には、１μＬのｃＤＮＡ；５μＬのＧｉｂｃｏＢＲＬ １０×ＰＣＲ 緩衝液；１．５μＬの２５ｍＭＭｇＣｌ２；１μＬの１０ｍＭｄＮＴＰｓ（Ｂｏｅｈｒｉｎｇｅｒ−Ｍａｎｎｈｅｉｍ）；２．５μＬのＢＳＬ２−Ｌ１６５−２１−Ｉｇ−１ プライマー（１０ ｐＭ／μＬ）；２．５μＬのＢＳＬ２−Ｌ１６５−２１−Ｉｇ−２ プライマー（１０ ｐＭ／μＬ）；１μＬのＣＬＯＮＴＥＣＨ Ａｄｖａｎｔａｇｅ ポリメラーゼ（Ｃａｔ． ＃８４１７−１）；および３５．５μＬのｍｉｌｌｉＱ Ｈ２０を含有させた。プライマーは以下の配列を含んでいた：ＢＳＬ２Ｌ１６５−２１−Ｉｇ−１ ：５’ｇｇ ｇｇｔ ａｃｃ ＡＴＧ ＣＴＧ ＣＧＴ ＣＧＧ ＣＧ ３’（配列番号６３）；ＢＳＬ２−Ｌ１６５−２１−Ｉｇ−２ ：５’ｃｇ ｇａａ ｔｔｃ ＴＧＧ ＧＧＧ ＧＡＡ ＴＧＴ ＣＡＴ ＡＧ ３’（配列番号６４）。ＰＣＲサンプルを９４℃にて１分間インキュベーションした後、次いで９４℃にて３０秒間、５９℃にて３０秒間、および７２℃にて４５秒間のインキュベーションを３５サイクル行い、次いで７２℃にて１０分間のインキュベーションを行った。
【０２５５】
次いで、３０μＬのＰＣＲ反応物を１．２％アガロース０．５×ＴＢＥゲルに付した。約１１００ ｂｐのバンドを切り出し、ＱＩＡＧＥＮ Ｇｅｌ 抽出キット（Ｃａｔ． ＃２８７０４）を用いて精製した。１μＬの精製したＰＣＲ産物（Ｌ２５４）を、ＴＡ クローニングキット（Ｉｎｖｉｔｒｏｇｅｎ；Ｃａｔ． ＃Ｋ２０５０−０１）を用いてｐＣＲ２．１へライゲーションした。５μＬのライゲーション混合物をＭＡＸ Ｅｆｆｉｃｉｅｎｃｙ ＤＨ５−αコンピテントバクテリア（ＧｉｂｃｏＢＲＬ；Ｃａｔ． ＃１８２５８−０１２）へトランスフェクトし、トランスフェクトされた細胞を、１００μｇ／ｍＬアンピシリンおよび８００μｇＸ−Ｇａｌを含むＬＢプレートに蒔いた。白色のコロニーを１００μｇ／ｍＬアンピシリンを含む５ｍＬＬＢ培養液に接種し、３７℃にて１８時間培養した。プラスミドＤＮＡをＱＩＡＧＥＮ スピンミニプレップキット（Ｃａｔ． ＃２７１０６）を用いて精製した。プラスミドＤＮＡをＫｐｎｌおよびＥｃｏＲｌを用いて消化した。約１３００ ｂｐの挿入物を含むプラスミドを、Ａｐｐｌｉｅｄ Ｂｉｏｓｙｓｔｅｍｓ 自動化ＤＮＡ シークエンサー（ＡＢＩ ３７００ ｃａｐｉｌｌａｒｙ ａｒｒａｙ シークエンサーｓ）を用いて配列解析した。Ｌ２５４−７は、野生型ＢＳＬ２−４６１６８１１ 配列を含むと決定された。
【０２５６】
ヒトＩｇＧ１のＦｃ部分を、前に記載した０．００１μＬのＢＳＬ１−Ｉｇ； ５μＬのＧｉｂｃｏＢＲＬ ＰＣＲ 緩衝液；１．５μＬ ２５ｍＭｍｇＣｌ２；１μＬの１０ｍＭｄＮＴＰｓ（Ｂｏｅｈｒｉｎｇｅｒ−Ｍａｎｎｈｅｉｍ）；２．５μＬのＩｇ−１ プライマー（１０ ｐＭ／ｌｌ）２．５μＬのＢＳＬ１ｌｇ−２ プライマー（１０ ｐＭ／ ｌ）；１μＬのＣＬＯＮＴＥＣＨ Ａｄｖａｎｔａｇｅ ポリメラーゼ；３６μＬの ｄＨ２Ｏを用いて、ＰＣＲ増幅した。プライマーは以下の配列を含んだ：ＩｇＧ−１ ：５’ｇ ｇａａ ｔｔｃ ＧＡＧ ＣＣＣ ＡＡＡ ＴＣＴ ＴＧＴ ＧＡＣ ＡＡ ３’（配列番号６５）；ＢＳＬ１ Ｉｇ−２ ｇｃ ｇｃ ｔｃｔ ａｇａ ＴＣＡ ＴＴＴ ＡＣＣ ＣＧＧ ＡＧＡ ＣＡＧ Ｇ（配列番号６６）。ＰＣＲサンプルを９４℃にて１分間インキュベーションし；次いで９４℃にて３０秒間、５９℃にて３０秒間、および７２℃にて３０秒間のインキュベーションを２５サイクル行い；次いで７２℃にて１０分間のインキュベーションを行った。
【０２５７】
次いで、３０μＬのＰＣＲ反応物を１．２％アガロース０．５×ＴＢＥゲルに付した。約７００ ｂｐのバンドを切り出し、ＱＩＡＧＥＮ Ｑｉａｑｕｉｃｋゲル抽出キットを用いて精製した。２μＬの精製された断片（Ｌ１７４）を、ＴＡ クローニングキット（Ｉｎｖｉｔｒｏｇｅｎ）を用いてｐＣＲ２．１にライゲーションした。５μＬのライゲーション混合物をＧｉｂｃｏＢＲＬ ＭＡＸ Ｅｆｆｉｃｉｅｎｃｙ ＤＨ５−αコンピテントバクテリアへトランスフェクトし、トランスフェクトされた細胞を、１００μｇ／ｍＬアンピシリンおよび８００μｇＸ−Ｇａｌを含むＬＢプレートに蒔いた。プレートを３７℃で１８時間インキュベーションした。白色のコロニーを１００μｇ／ｍＬアンピシリンを含む５ｍＬＬＢ培養液に接種し、３７℃にて１８時間培養した。プラスミドＤＮＡをＱＩＡＧＥＮ Ｑｉａｐｒｅｐスピンミニプレップキットを用いて精製した。プラスミドＤＮＡをＥｃｏＲｌで消化し、アガロースゲルに付した。約９００ ｂｐの挿入物を含むプラスミドを配列解析した。Ｌ１７４−３は野生型ヒトＩｇＧ１ Ｆｃ 配列を含むと決定された。
【０２５８】
Ｌ１７４−３をＥｃｏＲｌ／Ｘｂａｌで消化し、１．２％アガロース０．５×ＴＢＥゲルで分離した。約７５０ ｂｐのバンドを切り出し、ＱＩＡＧＥＮ ゲル抽出キットを用いて精製した。１０μＬの精製された断片を濃度を見積もるための鎖の隣でアガロースゲルに付した。約２０ ｎｇのＥｃｏＲｌ／Ｘｂａｌ断片は、ＧｉｂｃｏＢＲＬ Ｔ４ ＤＮＡリガーゼ 緩衝液中で希釈しされたＧｉｂｃｏＢＲＬ高濃度Ｔ４ ＤＮＡリガーゼ（５ Ｕ／μＬ）を用いて４０ｎｇのＥｃｏＲｌ／Ｘｂａｌ消化されたｐＣＤＮＡ３．１＋ベクター（Ｉｎｖｉｔｒｏｇｅｎ）へライゲーションした（Ｌｉｇａｔｉｏｎ ２００）。５μＬのライゲーション混合物をＭＡＸ Ｅｆｆｉｃｉｅｎｃｙ ＤＨ５−αコンピテントバクテリア（ＧｉｂｃｏＢＲＬ）へトランスフェクトし、トランスフェクトされた細胞を１００ ｐｇ／ｍＬアンピシリンを含むＬＢプレートに蒔いた。プレートを３７℃にて１８時間インキュベーションした。 コロニーを１００ ｐｇ／ｍＬアンピシリンを含むＬＢ培養液中に接種した。プラスミドＤＮＡをＱＩＡＧＥＮ スピンミニプレップキットを用いて精製し、配列を解析した。Ｌ２００−１配列は、Ｌ１７４−３ 配列と同一であると決定された。
【０２５９】
Ｌ２５４−７ ＢＳＬ２−４１４６８１１構築物をＫｐｎｉｌＥｃｏＲｌで消化した。約１３００ ｂｐのバンドを１．２％アガロース０．５×ＴＢＥゲルから切り出し、Ｋｐｎｌ／ＥｃｏＲｌで消化されたＬ２００−１ Ｆｃ構築物にラーゲーションした。５μＬのライゲーション反応物をＭＡＸ Ｅｆｆｉｃｉｅｎｃｙ ＤＨ５−α細胞へトランスフェクトし１００μｇ／ｍＬアンピシリンを含むＬＢプレートに蒔いた。コロニーを培養し、プラスミド ＤＮＡを上記の通り精製した。プラスミドＤＮＡをＫｐｎｌ／Ｘｂａｌで消化し、上記の通りアガロースゲルで分離した。約２ ｋｂのバンドを含むプラスミドの配列を上記の通り解析した。ＢＳＬ２−４６１６８１１−Ｉｇは野生型ＢＳＬ２−４６１６８１１および野生型ヒトＩｇＧ１ 配列を含むと決定された。ＢＳＬ２−４６１６８１１−Ｉｇのヌクレオチドおよび推定アミノ酸配列を図４Ａおよび４Ｂに示す。
【０２６０】
ＢＳＬ２モノクローナル抗体：ＢＳＬ２−４６１６８１１−Ｉｇ融合タンパク質をアフィニティー精製により、以下ＢＳＬ３−Ｉｇについて記載するように精製した。次いで、精製した融合タンパク質を用いて、４度目のブーストを使用すること以外はＢＳＬ３−Ｉｇについて記載されたプロトコルを用いてマウスを免疫した。この後、ハイブリドーマ細胞系を構築し、ＢＳＬ２ ＭＡｂｓを、以下ＢＳＬ３について記載するように単離した。
【０２６１】
実施例５：ＢＳＬ３の同定
データベース検索：ＢＳＬ３を、照会配列としてＢ７−１またはＢ７−２タンパク、およびＢＳＬ２検索について記載されたパラメーターを用いて、Ｉｎｃｙｔｅ Ｇｅｎｏｍｉｃｓ配列データベース（Ｉｎｃｙｔｅ Ｇｅｎｏｍｉｃｓ）のＢＬＡＳＴおよびＦＡＳＴＡ 解析により同定した。配列データベース検索によって、Ｉｎｃｙｔｅ Ｇｅｎｏｍｉｃｓ’遺伝子’１１７３２７（Ｉｎｃｙｔｅ Ｇｅｎｏｍｉｃｓ 遺伝子は類似の配列でグループ分けされるＥＳＴ配列であり、１つのゲノムの座の産生物を示すと考えられる）を同定した。Ｉｎｃｙｔｅ Ｇｅｎｏｍｉｃｓ遺伝子１７３２７はその後Ｉｎｃｙｔｅ Ｇｅｎｏｍｉｃｓ遺伝子８９９８９８として改名された。二次スクリーニングにおいて、前に記載された検索パラメーターを用いて、ＢＬＡＳＴおよびＦＡＳＴＡプログラムを用いＩｎｃｙｔｅ Ｇｅｎｏｍｉｃｓ配列データベース（Ｉｎｃｙｔｅ Ｇｅｎｏｍｉｃｓ）をマウス ＡＦ１４２７８０遺伝子（１１７３２７遺伝子の潜在的なオルソログ）に関連する配列について検索した。これらの検索によってＩｎｃｙｔｅ Ｇｅｎｏｍｉｃｓ遺伝子 １４３５２２が同定された。
【０２６２】
次いで、１４３５２２および１１７３２７遺伝子を用いて、Ｉｎｃｙｔｅ Ｇｅｎｏｍｉｃｓクローン ３８４４０３１および３２０７８１１をそれぞれ同定した。３８４４０３１ クローンは、Ｉｎｃｙｔｅ Ｇｅｎｏｍｉｃｓ ライブラリー ＩＤ Ｎｏ． ＤＥＮＤＮＴ０１に属しており、はじめに末梢血由来の未処理の樹状細胞から単離されたポリ（Ａ）＋ＲＮＡを用いて構築された。３２０７８１１ クローンは、Ｉｎｃｙｔｅ Ｇｅｎｏｍｉｃｓ ライブラリー ＩＤ Ｎｏ． ＰＥＮＣＮＯＴ０３に属しており、はじめに海綿体組織から単離されたポリ（Ａ）＋ＲＮＡを用いて構築された。３８４４０３１および３２０７８１１クローンをＩｎｃｙｔｅ Ｇｅｎｏｍｉｃｓから得、表４に示すプライマーを用いて、配列を解析した（ＡＢＩサイクルシークエンサー、ＰＥ Ｂｉｏｓｙｓｔｅｍｓ）。
【０２６３】
表４
2004500863.tif 000011
【０２６４】
ＢＳＬ３の完全長クローニング：ＢＳＬ３の５’末端をクローニングするために、ＳＭＡＲＴＴ（登録商標）ＲＡＣＥ（ｃＤＮＡ 末端の迅速増幅）ｃＤＮＡ増幅キット（ＣＬＯＮＴＥＣＨ）を、説明書にしたがって用いた。５’ＲＡＣＥ ライブラリーを、ＴＮＦ−αで１時間処理したヒト微小血管 内皮細胞から得られた１．０μｇのポリ（Ａ）＋ＲＮＡテンプレートを用いて構築した。５’ＲＡＣＥ反応混合物は、２μＬの ＲＡＣＥ−レディｃＤＮＡ、１×ＰＣＲ 緩衝液（ＧｉｂｃｏＢＲＬ）、２００ μＭ のｄＮＴＰ（Ｂｏｅｈｒｉｎｇｅｒ Ｍａｎｎｈｅｉｍ）、１．５ｍＭＭｇＣｌ２、１μＬのＣＬＯＮＴＥＣＨ Ａｄｖａｎｔａｇｅ ｅｎｚｙｍｅミックス、１×ＣＬＯＮＴＥＣＨ ＳＭＡＲＴ プライマー、および２５ ｐＭｏｌ ＢＳＬ３ ３’特異的プライマー（ＢＳＬ３−２ ５’ ＧＡＡＣＡＣＴＧＧＴＧＡＣＣＴＧＧＴＡＧＡＧ−３’）（配列番号８０）を合計５０μＬに含んだ。５’ＲＡＣＥ反応は、ＧｅｎｅＡｍｐ ＰＣＲ Ｓｙｓｔｅｍ ９７００ 装置（ＰＥ Ａｐｐｌｉｅｄ Ｂｉｏｓｙｓｔｅｍｓ）で、９４℃にて１分間の最初の変性工程、次いで９４℃にて３０秒間、６２℃にて３０秒間、７２℃にて３０秒間のインキュベーションを３５サイクル、次いで７２℃にて１０分間でのインキュベーションを用いて行った。
【０２６５】
ＰＣＲ産物は、０．５×ＴＢＥおよび１０μｇ／ｍＬ臭化エチジウム（Ｂｉｏ−Ｒａｄ）を添加した１．２％ アガロースゲル（ＧｉｂｃｏＢＲＬ）を用いたゲル電気泳動により解析した。約８７５ ｂｐの断片をゲルから切り出し、ＱＩＡＧＥＮ Ｑｉａｑｕｉｃｋ Ｇｅｌ 抽出キットを用い、説明書にしたがって精製した。１μＬの精製された断片を、全体積１０μＬ中の２μＬのｐＣＲ２．１ ｐＴＡＤＶ クローニングベクター（ＣＬＯＮＴＥＣＨ）、２ μＬのライゲーションカクテル（ＧｉｂｃｏＢＲＬ）、および４ ＵのＴ４ ＤＮＡリガーゼ（ＧｉｂｃｏＢＲＬ）と混合し、ライゲーション混合物を１４℃にて４時間インキュベーションした。５μＬのライゲーション混合物を用いてＭａｘ−Ｅｆｆｉｃｉｅｎｃｙ ＤＨ５αＥ． ｃｏｌｉ細胞（ＧｉｂｃｏＢＲＬ）を、説明書にしたがって、トランスフェクトし、トランスフェクトされた細胞を１００μｇ／ｍＬアンピシリンおよび３０μｇ／ｍＬＸ−ｇａｌを含むＬＢプレートに蒔いた。白色のコロニーを取り、１００μｇ／ｍＬのアンピシリンを含む５ｍＬのＬＢ培養液中で培養した。Ｑｉａｐｒｅｐ Ｓｐｉｎ Ｍｉｎｉｐｒｅｐキット（ＱＩＡＧＥＮ）を用いて、ＤＮＡをバクテリアから精製した。プラスミドＤＮＡをＥｃｏＲｌで消化し、アガロースゲル電気泳動で解析した。ＥｃｏＲｌ断片を含む約９００ ｂｐのプラスミド単離体を配列解析のために保った（ＡＢＩサイクルシークエンサー、ＰＥ Ｂｉｏｓｙｓｔｅｍｓ）。配列はＳｅｑｗｅｂ Ｇａｐ（Ｇｅｎｅｔｉｃｓ Ｃｏｍｐｕｔｅｒ Ｇｒｏｕｐ）により解析した。
【０２６６】
次いで、５’ＲＡＣＥ ライブラリーをＰＣＲ増幅のためのテンプレートとして用いた。ＰＣＲ 混合物は、合計５０μＬ中に、１μｇの５’ＲＡＣＥ ライブラリーテンプレート、１×ＰＣＲ 緩衝液（ＧｉｂｃｏＢＲＬ）、２００ μＭ ｄＮＴＰ（Ｂｏｅｈｒｉｎｇｅｒ Ｍａｎｎｈｅｉｍ）、１．５ｍＭｍｇＣｌ２、１μＬの ＣＬＯＮＴＥＣＨ Ａｄｖａｎｔａｇｅ 酵素ミックス、２５ ｐＭｏｌ フォワード プライマー（ＢＳＬ３−３：５’−ＣＣＧＧＧＧＴＡＣＣＡＴＧＡＴＣＴＴＣＣＴＣＣＴＧＣＴＡＡＴＧＴＴＧ−３’）（配列番号８１）、および２５ ｐＭｏｌ リバース プライマー（ＢＳＬ３−４：５’ ＧＣＧＣＴＣＴＡＧＡＴＣＡＧＡＴＡＧＣＡＣＴＧＴＴＣＡＣＴＴＣＣＣ−３’）（配列番号８２）を含んだ。ＰＣＲは、 ＧｅｎｅＡｍｐ ＰＣＲ Ｓｙｓｔｅｍ ９７００（ＰＥ Ａｐｐｌｉｅｄ Ｂｉｏｓｙｓｔｅｍｓ）装置で、９４℃にて１分間の最初の変性工程、次いで９４℃にて３０秒間、６０℃にて３０秒間、７２℃にて３０秒間のインキュベーション３０サイクル、および７２℃にて１０分間のインキュベーションを用いて行った。
【０２６７】
約８００ ｂｐのＢＳＬ３ＰＣＲ産物を得た。ＢＳＬ３断片をクローニングするために、１μＬのＰＣＲ産物を２μＬのｐＣＲ２．１ クローニングベクター（Ｉｎｖｉｔｒｏｇｅｎ）、２μＬのライゲーション緩衝液（ＧｉｂｃｏＢＲＬ）、４ Ｕ Ｔ４ ＤＮＡリガーゼ（ＧｉｂｃｏＢＲＬ）、および４μＬのＨ２０と混合した。ライゲーション混合物を１４℃にて４時間インキュベーションし、５μＬの混合物を用いてＭａｘ−Ｅｆｆｉｃｉｅｎｃｙ ＤＨ５αＥ． ｃｏｌｉ細胞（ＧｉｂｃｏＢＲＬ）をトランスフェクトした。トランスフェクトされた細胞を１００μｇ／ｍＬアンピシリンおよび３０、ｕｇ／ｍＬＸ−ｇａｌを含むＬＢ寒天プレートに蒔き、１８個の白色のコロニーを単離し、１００μｇ／ｍＬｏｆ アンピシリンを含む５ｍＬのＬＢ培養液中で培養した。Ｑｉａｐｒｅｐ Ｓｐｉｎ Ｍｉｎｉｐｒｅｐキット（ＱＩＡＧＥＮ）を説明書にしたがって用いて、ＤＮＡを培養細菌から精製した。プラスミドＤＮＡをＥｃｏＲｌで消化し、アガロースゲル電気泳動により解析した。１６個のプラスミド単離体は、約８００ ｂｐのＥｃｏＲＩ断片を含み、ベクター特異的Ｍ１３およびＭ１３リバース プライマー（上記参照）を用いた配列解析（ＡＢＩサイクルシークエンサー、ＰＥ Ｂｉｏｓｙｓｔｅｍｓ）のために保存した。
【０２６８】
Ｓｅｑｗｅｂ Ｇａｐ（Ｇｅｎｅｔｉｃｓ Ｃｏｍｐｕｔｅｒ Ｇｒｏｕｐ）解析は、 ＢＳＬ３ Ｉｎｃｙｔｅ ＧｅｎｏｍｉｃｓクローンおよびＢＳＬ３ ５’ＲＡＣＥ産物の最適なアライメントを示した。Ｓｅｑｗｅｂ Ｇａｐ 解析（Ｇｅｎｅｔｉｃｓ Ｃｏｍｐｕｔｅｒ Ｇｒｏｕｐ）はさらに、ＢＳＬ３ ヌクレオチド配列がＢ７−１、Ｂ７−２、またはＢＳＬ１／Ｂ７−Ｈ１ ヌクレオチド配列に対して５５％未満の配列同一性を共有するが、ＢＳＬ３アミノ酸はＢ７−１、Ｂ７−２、およびＢＳＬ１／Ｂ７−Ｈ１ アミノ酸配列に対して４５％未満の配列同一性を共有することを示した。
【０２６９】
さらに、ＢＳＬ３ Ｃ末端アミノ酸は、１７４アミノ酸にわたって、ＧｅｎＢａｎｋ Ａｃｃｅｓｓｉｏｎ Ｎｏ． ＡＫ００１８７２によってコードされるアミノ酸配列に対して９８％未満の同一性を共有する。ＧＣＧ Ｇａｐ プログラムを用いたアミノ酸配列アライメントは、ＢＳＬ３とＡＫ００１８７２に共通する同一の残基の最も長い鎖が９９個の連続するアミノ酸であることを示した。ＧＣＧ Ｇａｐを用いたヌクレオチド配列アライメントは、ＢＳＬ３とＡＫ００１８７２に共通する同一の塩基の最も長い鎖が２３９個の連続するヌクレオチドであることを示した。とりわけ、ＢＳＬ３のマウス オルソログは、ＧｅｎＢａｎｋ データベースから同定された（Ａｃｃｅｓｓｉｏｎ Ｎｏ． ＡＦ１４２７８０）。ＢＳＬ３ Ｎ末端アミノ酸は、マウス ＡＦ１４２７８０に対応するアミノ酸配列に対して、２５０アミノ酸の鎖にわたって約７０％の配列同一性を共有する。さらに、注目すべきことに、ＢＳＬ３は、Ｔ細胞増殖の明らかなインヒビターであるＰＤ−Ｌ２としても同定されている（Ｙ． Ｌａｔｃｈｍａｎ ｅｔ ａｌ．（２００１）Ｎａｔｕｒｅ Ｉｍｍｕｎｏｌｏｇｙ ２：２６１−２６８）。
【０２７０】
ＢＳＬ３のヌクレオチドおよび推定アミノ酸 配列を図５Ａおよび５Ｂに示す。ＢＳＬ３をコードするＤＮＡを有するプラスミド（ｐＣＲ２．１：ＢＳＬ３）ハ、２０００年６月６日にＡｍｅｒｉｃａｎ Ｔｙｐｅ Ｃｕｌｔｕｒｅ Ｃｏｌｌｅｃｔｉｏｎ（ＡＴＣＣ、１０８０１ Ｕｎｉｖｅｒｓｉｔｙ Ｂｌｖｄ．、Ｍａｎａｓｓａｓ、ＶＡ ２０１１０−２２０９ ＵＳＡ）へ、ＡＴＣＣ 受託番号ＰＴＡ−１９８６として寄託された。
【０２７１】
ＢＳＬ１、ＢＳＬ２、およびＢＳＬ３配列情報を表５にまとめる。
表５
2004500863.tif 000012
【０２７２】
実施例６：ＢＳＬ３のキャラクタリゼーション
ＢＳＬ３ 発現 解析 ：ＢＳＬ３ 発現パターンを、図７Ｃに示したＢＳＬ３プローブおよびＢＳＬ１について記載した手順を用いて、様々なタイプの細胞のノーザンブロット解析により決定した。２．７ ｋｂの ＢＳＬ３ ｍＲＮＡ転写物が様々なタイプの細胞において検出された。特に、高レベルのＢＳＬ３ｍＲＮＡが、ＴＮＦαで刺激されたＨＭＶＥＣのすべてにおいて検出された（図７Ｄ）。中程度のレベルのＢＳＬ３ｍＲＮＡは、ＰＨＡまたはＧＭ−ＣＳＦ／ＩＬ−４で刺激された末梢血単核球において検出された（図７Ｄ）。しかしながら、ＢＳＬ３ｍＲＮＡは、残りのタイプの細胞において検出されなかった（図７Ｄ）。
【０２７３】
さらに、複数の組織ノーザンブロットおよび発現アレイをＣＬＯＮＴＥＣＨ Ｌａｂｏｒａｔｏｒｉｅｓから購入し、Ｐ３２−標識ＢＳＬ３プローブとハイブリダイズした。簡潔に言えば、９００ ｂｐのＢＳＬ３断片（ＢＳＬ３／Ｋｐｎｌ＋Ｘｂａｌ）を、ＫｐｎｌおよびＸｂａｌ制限エンドヌクレアーゼを用いてクローンＬ１６８−２から単離し、１．２％ アガロースゲルに付し、ＱＩＡＧＥＮ Ｇｅｌ 抽出キットを用いて精製した。ランダムプライムＤＮＡ 標識キット（Ｒｏｃｈｅ、Ｉｎｄｉａｎａｐｏｌｉｓ、ＩＮ）を用いて、約３０ ｎｇのＢＳＬ３／Ｋｐｎｌ＋Ｘｂａｌを放射性同位元素で標識した（６０００ Ｃｉ／ｍｍｏｌ Ｐ３２−ＤＣＴＰ）。取りこまれなかったヌクレオチドをＮｕｃＴｒａｐプローブ精製カラム（Ｓｔｒａｔｇｅｎｅ、Ｌａ Ｊｏｌｌａ、ＣＡ）を用いて除去した。放射性同位元素で標識した ＢＳＬ３／Ｋｐｎｌ＋Ｘｂａｌプローブを、ＥｘｐｒｅｓｓＨｙｂ ハイブリダイゼーション溶液（ＣＬＯＮＴＥＣＨ）の３．０×１０６ ｃｐｍ／ｍＬの比活性で加え、６５℃で一晩インキュベーションした。ブロットを０． １×ＳＳＣ／０． １ ％ ＳＤＳで６２℃にて洗浄し、７２時間フィルムに感光した。
【０２７４】
ノーザンブロット解析は、高レベルのＢＳＬ３転写物が脾臓組織に存在すること；中程度のレベルのＢＳＬ３転写物が胸腺、睾丸、および小腸組織に存在すること；および低レベルのＢＳＬ３転写物が心臓、、胎盤、肺、肝臓、骨格筋、前立腺、結腸、リンパ節、気管、および副腎組織、そしてＢｕｒｋｉｔｔ’ｓ リンパ腫 Ｒａｊｉ細胞系（図７Ｅ）に存在することを示した。マイクロアレイ解析は、高レベルのＢＳＬ３転写物が脾臓組織；中程度のレベルのＢＳＬ３転写物が肺、肝臓、胎盤、胎児脾臓脾臓、リンパ節、および胎児 胸腺組織に存在すること；および低レベルのＢＳＬ３転写物が心臓、大動脈、脳梁、左心房 、右心房、空腸、胸腺、胎児肝臓、および乳腺組織に存在することを示した（図７Ｆ）。
【０２７５】
定量的ＰＣＲ：ＢＳＬ１およびＢＳＬ３ 発現パターンを定量的ＰＣＲによって実証した。ヒトの複数の組織ｃＤＮＡ（ＭＴＣＴＭ）パネル（Ｃａｔ． ＃ＰＴ３１５８−１）をＣＬＯＮＴＥＣＨから購入した。各ＰＣＲ反応物につき、ｃＤＮＡ５μＬを用いた。表６に示すように、ヒトおよびマウスＢＳＬ１およびＢＳＬ３ ＰＣＲ プライマーをプライマー３ プログラム（Ｗｈｉｔｅｈｅａｄ Ｉｎｓｔｉｔｕｔｅ ｆｏｒ Ｂｉｏｍｅｄｉｃａｌ Ｒｅｓｅａｒｃｈ；Ｓｔｅｖｅ Ｒｏｚｅｎ、Ｈｅｌｅｎ Ｊ． Ｓｋａｌｅｔｓｋｙ、１９９８、プライマー３）によって設計した。
表６
2004500863.tif 000013
【０２７６】
ＳＹＢＲ Ｇｒｅｅｎ ＰＣＲ Ｃｏｒｅ Ｒｅａｇｅｎｔｓ（Ｃａｔ． ＃４３０６７３６）をＰＥ Ａｐｐｌｉｅｄ Ｂｉｏｓｙｓｔｅｍから購入した。リアルタイムＰＣＲをＡＢＩ Ｐｒｉｓｍ（登録商標） ５７００ Ｓｅｑｕｅｎｃｅ Ｄｅｔｅｃｔｉｏｎ Ｓｙｓｔｅｍ ＰＥ Ａｐｐｌｉｅｄ Ｂｉｏｓｙｓｔｅｍにて行った。ＰＣＲサンプルに対し、９５℃にて１５秒間、５５℃にて２０秒間、および７５℃にて１分間でのインキュベーションを４０サイクル行った。ＢＳＬ１ ＰＣＲ産物は３３４ ｂｐであり；ＢＳＬ３ ＰＣＲ産物は２３５ ｂｐであり；１８Ｓ ｒＲＮＡ ＰＣＲは２０７ ｂｐであった。ＰＣＲおよび収集の後、解離曲線試験を行った。さらに、ＰＣＲサンプルをアガロースゲル電気泳動により解析してＰＣＲ産物のサイズを確認した。
【０２７７】
データ処理および提示：各ＰＣＲ反応物について、限界サイクル数（ＣＴ）を、リアルタイムＰＣＲ装置による読み出しとして作成した。データは、ＡＢＩ Ｐｒｉｓｍｅ ５７００ Ｓｅｑｕｅｎｃｅ Ｄｅｔｅｃｔｉｏｎ Ｓｙｓｔｅｍのマニュアルにしたがって処理した。簡潔に言えば、ＢＳＬ１およびＢＳＬ３のＣＴ を各サンプルにおける１８Ｓ ｒＲＮＡのＣＴに標準化する。次いで、データから最も低い発現レベルを示すサンプルの標準化したＣＴを差し引く。ＢＳＬ１については、最も低い発現レベルは、扁桃組織でみられた。ＢＳＬ３については、最も低い発現レベルは、骨格筋において見られた。最終のデータは、最も低い発現レベルに対して増加した倍数で表す。
【０２７８】
定量的ＰＣＲは、高レベルのＢＳＬ１転写物がリンパ節、脾臓脾臓、肺、および胎盤組織に存在すること；中程度のレベルのＢＳＬ１転写物が胸腺および膵臓 組織に存在すること；および低レベルのＢＳＬ１転写物が心臓、脳、腎臓、成人肝臓、骨格筋、骨髄、白血球、胎児肝臓、および扁桃組織に存在することを示した（図７Ｇ）。ＢＳＬ３については、高レベルの転写物がリンパ節および脾臓 組織に存在し；低レベルのＢＳＬ３転写物が胸腺、肺、扁桃、心臓、膵臓、胎盤、腎臓、骨髄、胎児肝臓、および成人肝臓 組織に存在していた（図７Ｈ）。
【０２７９】
ＢＳＬ３−ｉｇ（Ｌ２３２−６）融合構築物：ＢＳＬ３−Ｉｇ（Ｌ２３２−６）構築物は、以下の手順を用いて作製した。ＢＳＬ３のＥＣＤを上記のとおり、０．０１μＬのｐＣＲ２．１：ＢＳＬ３（Ｌ１４３−４）を用いてＰＣＲにより増幅した；５μＬのＧｉｂｃｏＢＲＬ ＰＣＲ 緩衝液；１．５μＬの２５ｍＭｍｇＣｌ２；１μＬの１０ｍＭｄＮＴＰｓ；２．５μＬのＢＳＬ３−３ プライマー（１０ ｐＭ／Ｉｌｌ）；２．５μＬのＢＳＬ３１ｇ−６ プライマー（１０ ｐＭ／μＬ）；１ μＬのＣＬＯＮＴＥＣＨ Ａｄｖａｎｔａｇｅ ポリメラーゼ；３６μＬのｄＨ２０。プライマーはイかの配列を含んでいた：ＢＳＬ３−３：５’ｃｃ ｇｇ ｇｇｔ ａｃｃ ＡＴＧ ＡＴＣ ＴＴＣ ＣＴＣ ＣＴＧ ＣＴＡ ＡＴＧ ＴＴＧ ３’（配列番号８９）；ＢＳＬ３１ｇ−６ ：５’ｃｇ ｇａａ ｔｔｃ ＧＧＴ ＣＣＴ ＧＧＧ ＴＴＣ ＣＡＴ ＣＴＧ ３’（配列番号９０）。ＰＣＲサンプルを９４℃にて１分間インキュベーションし；次いで９４℃にて３０秒間、５９℃にて３０秒間、および７２℃にて３０秒間のインキュベーションを２０サイクル行い；次いで７２℃にて１０分間インキュベーションした。
【０２８０】
この後、３８μＬのＰＣＲ産物をＫｐｎｌ／ＥｃｏＲｌで消化し１．２％アガロース０．５×ＴＢＥゲルに付した。約６５０ ｂｐのバンドを切取りＱＩＡＧＥＮゲル抽出キットで精製した。１０μＬの精製した断片をサイズ標準の隣でアガロースゲルに付した。１０ｎｇの断片を（Ｌ２３２）２０ｎｇのＫｐｎｌ／ＥｃｏＲｌ消化したＬ２００−１（以前に記載した）にライゲーションした。５μＬのライゲーション混合物をＧｉｂｃｏＢＲＬ ＭＡＸ Ｅｆｆｉｃｉｅｎｃｙ ＤＨ５αコンピテントバクテリアへトランスフェクトし、トランスフェクトされた細胞を１００μｇ／ｍＬアンピシリンを含むＬＢプレートに蒔いた。プレートを３７℃にて１８時間インキュベーションした。コロニーを１００μｇ／ｍＬアンピシリンを含む５ｍＬのＬＢ培養液中に接種し、３７℃で１８時間培養した。ＤＮＡをＱＩＡＧＥＮ スピンミニプレップキットで精製し、Ｐｍｅｌで消化した。消化したサンプルをアガロースゲルに付し、約１５００ ｂｐの断片を含むプラスミドの配列を解析した。Ｌ２３２−６は、野生型ＢＳＬ３ 配列を有すると決定された。ＢＳＬ３−Ｉｇ（Ｌ２３２−６）のヌクレオチドおよび推定アミノ酸配列を図６Ａおよび６Ｂに示す。
【０２８１】
ＢＳＬ３−Ｉａ（Ｌ２７５−１）融合構築物：ＢＳＬ３−Ｉｇ（Ｌ２７５−１）構築物は、以下の手順にしたがって作製した。ＢＳＬ３−Ｉｇを０．００１μＬのＬ２３２−６； ５μＬのＧｉｂｃｏＢＲＬ ＰＣＲ 緩衝液；１．５μＬの２５ｍＭＭｇＣｌ２；１ μＬの１０ｍＭＢｏｅｈｒｉｎｇｅｒ−Ｍａｎｎｈｅｉｍ ｄＮＴＰｓ；２．５μＬのＢＳＬ３−５ プライマー（１０ ｐＭ／μＬ）；２．５μＬのＢＳＬ１ Ｉｇ−２ プライマー（１０ ｐＭ／μＬ）；１μＬのＣＬＯＮＴＥＣＨ Ａｄｖａｎｔａｇｅ ポリメラーゼ；および３５． ５ μＬのｄＨ２Ｏを用いてＬ２３２−６からＰＣＲ増幅した。プライマーは以下の配列を含んでいた：ＢＳＬ３−５：５’ｃｇ ｇｇａ ｔｔｃ ＡＴＧ ＡＴＣ ＴＴＣ ＣＴＣ ＣＴＧ ＣＴＡ ＡＴＧ ＴＴ ３’（配列番号９１）；ＢＳＬ１ Ｉｇ−２ ：５’ｇｃ ｇｃ ｔｃｔ ａｇａ ＴＣＡ ＴＴＴ ＡＣＣ ＣＧＧ ＡＧＡ ＣＡＧ Ｇ ３’（配列番号９２）。ＰＣＲサンプルを９４℃にて１分間インキュベーションし；次いで９４℃にて３０秒間、５８℃にて３０秒間、および７２℃にて１．５分間のインキュベーションを２０サイクル行い；次いで７２℃にて１０分間のインキュベーションを行った。
【０２８２】
この後、２μＬのＰＣＲ反応物を、ＴＡ クローニングキット（Ｉｎｖｉｔｒｏｇｅｎ）を用いてｐＣＲ２．１へライゲーションした（Ｌ２６２）。５μＬのライゲーションをＭＡＸ Ｅｆｆｉｃｉｅｎｃｙ ＤＨ５αコンピテント細胞（ＧｉｂｃｏＢＲＬ）にトランスフェクトし、トランスフェクトされた細胞を１００μｇ／ｍＬアンピシリンおよび８００μｇのＸ−Ｇａｌを含むＬＢプレートに蒔いた。プレートを３７℃にて１８時間インキュベーションした。白色のコロニーを１００μｇ／ｍＬアンピシリンを含む５ｍＬのＬＢ培養液に接種し、３７℃にて１８時間培養した。プラスミドＤＮＡをＱＩＡＧＥＮスピンミニプレップキットを用いて精製した。プラスミドＤＮＡをＢａｍＨｌ／Ｘｂａｌで消化し、アガロースゲルで解析した。約１３００ ｂｐの断片を含むプラスミドの配列を解析した。Ｌ２６２−２は、野生型ＢＳＬ３配列を含んでいると決定された。
【０２８３】
Ｌ２６２−２をＢａｍＨＩ／Ｘｂａｌで消化し、１．２％アガロース０．５×ＴＢＥゲルに付した。約１３００ ｂｐの断片をＱＩＡＧＥＮゲル抽出キットを用いて精製した。１０ｎｇの精製された断片を３０ｎｇのＢａｍＨｌ／Ｘｂａｌ消化したｐＤ１８（ｐＤ１６およびｐＤ１７ プラスミドに関連する、米国特許第６，０５１，２２８に記載）にライゲーションした。５μＬのライゲーションをＧｉｂｃｏＢＲＬ ＭＡＸ Ｅｆｆｉｃｉｅｎｃｙ ＤＨ５αコンピテントバクテリアにトランスフェクトした。トランスフェクトされた細胞を、１００μｇ／ｍＬアンピシリンを含むＬＢプレートに蒔き、３７℃にて１８時間培養した。コロニーを１００ ｐｇ／ｍＬアンピシリンを含む５ｍＬのＬＢ培養液に接種し、３７℃にて１８時間培養した。プラスミドＤＮＡをＱＩＡＧＥＮ スピンミニプレップキットを用いて精製した。プラスミドＤＮＡをＢａｍＨｌ ｐｌｕｓ ＸｂａｌまたはＨｉｎｄｌｌｌで消化し、消化したサンプルをアガロースゲルで解析した。制限地図によって決定されるように、Ｌ２７５−１〜Ｌ２７５−９は正確な構築物を含む。
【０２８４】
ＢＳＬ３−Ｉｇ融合タンパク質の精製：ＢＳＬ３−Ｉｇ（ヒト−ＩｇＧ１）の精製は、１段階のアフィニティー精製によって達成した。ＢＳＬ３−Ｉｇを発現している一過性トランスフェクションされたＣＯＳ細胞の上清を固定化タンパク質Ａのセファロースカラムに適用した。カラムを、２８０ｎｍでの吸光度がベースラインのレベルになるまでＰＢＳで洗浄した。結合したタンパクを免疫純粋のＩｇＧ溶出緩衝液（Ｐｉｅｒｃｅ Ｃｈｅｍｉｃａｌ、Ｒｏｃｋｆｏｒｄ、ＩＬ；Ｃａｔ． ＃２１００４）で溶出した。結合タンパク質を含む画分を１／８ ｖ／ｖの３Ｍリン酸ナトリウム（ ｐＨ）で中和した。得られた調製物をＰＢＳに対して透析し、濾過した（０．２μｍ）。すべての緩衝液は、０．０２％ ｗ／ｖアジ化ナトリウムを含んでいた。
【０２８５】
ＢＳＬ３ ポリペプチドによる免疫：最初の免疫のために、１〜３ヶ月齢のマウスを用いた（ＢａｌｂＣ；Ｈａｒｌａｎ、Ｉｎｄｉａｎａｐｏｌｉｓ、Ｉｎｄｉａｎａ）。ＲＩＢＩアジュバントを以下のように調製した。１つのバイアルに、０．５ ｍｇのＭＰＬ（モノホスホリル脂質Ａ；ＲＩＢＩ Ｉｍｍｕｎｏｃｈｅｍｉｃａｌ Ｒｅｓｅａｒｃｈ、Ｉｎｃ．、Ｈａｍｉｌｔｏｎ、ＭＴ）；０．５ ｍｇ ＴＤＭ（合成トレハロースディコリノマイコレート；ＲＩＢＩ Ｉｍｍｕｎｏｃｈｅｍｉｃａｌ Ｒｅｓｅａｒｃｈ、Ｉｎｃ．）；および４０μＬのスクアレンと０．２％ Ｔｗｅｅｎ ８０を一緒に混合した。混合物を ４０〜４５℃に５〜１０分間加温し２ｍＬのＢＳＬ３ ポリペプチド／ＰＢＳ（１２５μｇ／ｍＬ）を加えた。溶液を数分間激しく攪拌した。次いで、溶液をシリンジに吸い上げ、すぐにマウスに注射した。
【０２８６】
用量は、ＲＩＢＩ Ｉｍｍｕｎｏｃｈｅｍｉｃａｌ Ｒｅｓｅａｒｃｈ、Ｉｎｃ．の推奨に従う。最初の注射について、約１００μｇのＢＳＬ３ ポリペプチドを、ＰＢＳ 中の２５０μＬの１×ＲＩＢＩに再懸濁した。混合物を２１ゲージの針で腹腔内注射した。２回目およびその後の注射については、ブーストは少なくとも３週間の間隔を空ける。注射は半分の用量にした。３回目の注射から少なくとも３週間後に、力価が許容可能なレベルに達したら（以下参照）、動物に最後の追加免疫を行う。最後の注射について、約１ ｍｇ／ｍＬのＢＳＬ３ ポリペプチドをＰＢＳに再懸濁し（ＲＩＢＩは除外）、混合物を尾静脈から静脈内注射した。３〜４日後に動物を回収した。
【０２８７】
力価レベルをモニターするために、血清サンプルを最初の免疫の前（バックグラウンド）、力価モニタリングのための各免疫から７〜１０日後に採取した。り化レベルは、ＥＬＩＳＡにより測定した。血清は、眼出血、または尾部出血により採取した。典型的には、血清試験のために２００μＬの血液を採取した。
【０２８８】
ハイブリドーマ細胞系：以下の試薬を用いてハイブリドーマ細胞系を構築した：Ｉｓｃｏｖｅｓ 修飾Ｄｕｌｂｅｃｃｏ’ｓ培地（ＧｉｂｃｏＢＲＬ；Ｃａｔ． ＃１２４４０−０５３）；５６℃で３９０分間熱不活化したウシ胎仔血清（Ｈｙｃｌｏｎｅ；Ｃａｔ． ＃Ａ１１１５Ｌ、Ｌｏｔ ＃１１１５２５６４）；Ｌ−グルタミン ２００ ｍｍ、１００×（ＧｉｂｃｏＢＲＬ；Ｃａｔ． ＃２５０３０−０８１）；ペニシリン／ストレプトマイシン（ＧｉｂｃｏＢＲＬ；Ｃａｔ． ＃１５１４０−１２２）；ＯＲＩＧＥＮハイブリドーマクローニング因子（Ｉｇｅｎ Ｉｎｔｅｒｎａｔｉｏｎａｌ、Ｉｎｃ．、Ｇａｉｔｈｅｒｓｂｕｒｇ、ＭＤ；Ｃａｔ． ＃ＩＧ５０−０６１５、Ｌｏｔ ＃８０７７）；ＨＴ Ｓｕｐｐｌｅｍｅｎｔ １００×（ＧｉｂｃｏＢＲＬ；Ｃａｔ． ＃１１０６７−０３０）；ＨＡＴ Ｓｕｐｐｌｅｍｅｎｔ １００×（ＧｉｂｃｏＢＲＬ；Ｃａｔ． ＃３１０６２−０３７）；ＰＥＧ １５００，（Ｂｏｅｈｒｉｎｇｅｒ Ｍａｎｎｈｅｉｍ；Ｃａｔ． ＃７８３ ６４１）； Ｌａｂ Ｓｅｒｖｉｃｅｓより入手した赤血球溶解緩衝液（Ｃａｔ． ＃３ＫＬ−４４９）；Ｔｒｙｐａｎｅ Ｂｌｕｅ；７０％ Ｅｔｈａｎｏｌ； ＡＴＣＣより入手したミエローマ細胞（Ｐ３ｘ）。
【０２８９】
以下の実験装置と備品を使用した：層流フード；ＣＯ２インキュベーター；ｍｉｃｒｏｓｃｏｐｅ；３７℃のウォーターバス；遠心機；９６ウェル平底組織培養プレート（Ｃｏｒｎｉｎｇ；Ｃａｔ． ＃２５８６０−９６）；血清診断用ピペットおよび統合型ペトリ皿（Ｆａｌｃｏｎ）；５０ｍＬ遠心チューブ（Ｃｏｒｎｉｎｇ；Ｃａｔ． ＃４３０９２１）；１５ｍＬコニカルチューブ（Ｆａｌｃｏｎ；Ｃａｔ． ＃２０９６）；オーツクレー済みのはさみおよび鉗子；マルチチャンネルピペット；大口径２００μＬピペットチップ（Ｄｅｎｖｉｌｌｅ Ｓｃｉｅｎｔｉｆｉｃ、Ｉｎｃ．、Ｍｅｔｕｃｈｅｎ、ＮＪ；Ｃａｔ． ＃Ｐ１１０５−ＣＰ）；滅菌ピペットチップ（ＶＷＲ、Ｂｕｆｆａｌｏ Ｇｒｏｖｅ、ＩＬ；Ｃａｔ． ＃５３５０８−７９４）。
【０２９０】
ＨＡＴおよびＨＴ培地を以下の通り作製した：
2004500863.tif 000014
【０２９１】
静脈内または腹腔内のＰＢＳ中での融合の３〜４日前にマウスに最終のブーストを行った。ミエローマ細胞を対数増殖（対数期）させ続けた。マウスを安楽死させ、各マウスから脾臓を無菌的に採取した。加温したＦＢＳ不含Ｉｓｃｏｖｅｓ 溶液を含むペトリ皿に脾臓を置いた。脾臓細胞の上清を調製し遠心チューブに入れた。ＨＡＴ−感受性ミエローマ細胞を５０ｍＬの遠心チューブに別々に入れた。脾臓細胞およびミエローマ細胞を４００×ｇで５分間遠心し、上清を吸引した。脾臓から得た赤血球細胞を５ｍＬＲＢＣ溶解緩衝液で１分間溶解し、チューブをＳＦ培地（ハイブリドーマ血清不含培地；ＧｉｂｃｏＢＲＬ；Ｃａｔ． ＃１２０４５−０７６）で満たした。脾臓細胞を５０ｍＬＳＦ培地で洗浄し、脾臓細胞とミエローマ細胞を別の遠心チューブ内で４００×ｇで５分間遠心した。脾臓細胞とミエローマ細胞を計数し、２５ｍＬのＳＦ培地に再懸濁した。ミエローマ細胞を脾臓細胞に１：４の割合で添加した。混合物を４００×ｇで１０分間遠心して硬いペレットを形成し、すべての培地溶液吸引により除去した。
【０２９２】
細胞融合実験のために、ＰＥＧ、ＳＦ培地、およびＨＡＴ培地を３７℃でインキュベーションした。１ｍＬの５０％ ＰＥＧを細胞に１分間加え（ＰＥＧは３０秒間加え細胞を３０秒間攪拌した）。ＰＥＧ 溶液をチューブの側面に加え、ペレットを静かに攪拌した。攪拌しながら、１ｍＬのＳＦ培地を細胞に１分間加え、８ｍＬのＳＦ培地を細胞に２分間加えた。細胞を４００×ｇで １０分間遠心し上清を吸引した。ペレットにピペットが直接向けて攪拌して、細胞を１０ｍＬＨＡＴ選択培地に静かに再懸濁した。さらにＨＡＴ培地を加えて細胞の濃度を５×１０５細胞／ｍＬにした。細胞を９６ウェルの組織カルチャープレートに５×１０４細胞／ウェルで分注した。３日後、ＨＴ培地を１００μＬで加えた。約１０日後、クローンを抗体産物について試験した。陽性のクローン を２４−ウェルプレートの１ウェルに増殖させた。陽性のクローンを再試験し、アイソタイプを決定し、Ｔ２５まで増殖させた（０．２５ ｃｍ２組織 培養フラスコ）。
【０２９３】
ＥＬＩＳＡ解析：陽性クローンを試験するために、ＥＬＩＳＡ 解析を以下の試薬と備品を用いて行った：コーティング用炭酸塩／炭酸水素塩　ｐＨ ９．６（Ｓｉｇｍａ、Ｓｔ． Ｌｏｕｉｓ、ＭＯ；Ｃａｔ． ＃Ｃ−３０４１）； Ｉｍｍｕｌｏｎ ２ ＥＵＳＡ プレート（Ｄｙｎｅｘ、Ｃｈ抗ｌｌｙ、ＶＡ；Ｃａｔ． ＃０１１０１０３４５５）；１×の濃度に調製した１０× ＰＢＳ（ＧｉｂｃｏＢＲＬ）；　１Ｘ ＰＢＳ中にＴｗｅｅｎ ２０（終濃度０．０５％）を含有する洗浄緩衝液；５％ ＮＦＭ脱脂乳を添加した洗浄緩衝液を含むブロック緩衝液／サンプル希釈液；および５０％ ＴＭＢ（Ｋｉｒｋｅｇａａｒｄ ＆ Ｐｅｒｒｙ Ｌａｂｓ Ｇａｉｔｈｅｒｓｂｕｒｇ、ＭＤ；Ｃａｔ． ＃５０−７６−０１）および ５０％ ペルオキシダーゼ（Ｋｉｒｋｅｇａａｒｄ ＆ Ｐｅｒｒｙ Ｌａｂｓ Ｃａｔ． ＃５０− ６５−００）を含む色原体混合物。
【０２９４】
ＥＬＩＳＡのために、カーボネート／ビカーボネート中、プレートを７５μＬ／ウェル（１ ｐｇ／ｍＬ）のＢＳＬ３−Ｉｇで４℃にて一晩コーティングした。プレートをＰＢＳＴｗｅｅｎ ２０（Ｓｋａｔｒｏｎを用いて）で洗浄し、室温で、３００μＬのブロック緩衝液で４５分間ブロックした。プレートを振りながら乾かし、ブロッキング緩衝液中で希釈した７５μＬ／ウェルの血清（血清は１：５０の割合で希釈した後、３の因数で段階希釈した）を室温で４５分間インキュベーションした。次いで、プレートを７５μＬ／ウェルの 抗マウス ＩｇＧブロッキング緩衝液（希釈率１：１００００；ＨＲＰ−標識；Ａｍｅｒｓｈａｍ Ｐｈａｒｍａｃｉａ Ｂｉｏｔｅｃｈ、Ｐｉｓｃａｔａｗａｙ、ＮＪ）中、室温で４５分間インキュベーションし、前記のとおりに洗浄した。その後で、プレートを１００μＬ／ウェルの発色原混合物とインキュベーションして、１５分間まで室温でインキュベーションすることができる。１００μＬの１Ｎ硫酸でシグナルをクエンチし、サンプルを４５０／６３０ ｎｍで読み取った。ＥＬＩＳＡを用いて、ハイブリドーマから得た上清をＢＳＬ３−Ｉｇ融合タンパク質に対して最初にスクリーニングし、次いでＩｇタンパク 単独に対してスクリーニングした。Ｉｇではなく、ＢＳＬ３−Ｉｇに結合する抗体を産生するハイブリドーマは、陽性のクローンとして指定した。
【０２９５】
サブクローニング ：最初の融合プレートから得た陽性クローンを増殖させた。増殖したら、細胞を２ラウンドの単一細胞クローニングに付してそれらがモノクローナルであることを確認した。各ハイブリドーマを９６ウェル組織培養プレートに０．５細胞／ウェルまたはそれ未満で加えた。肉眼で見えるコロニーが形成したら、上清をＥＬＩＳＡによりスクリーニングした。各ハイブリドーマからの陽性クローンの力価をＥＬＩＳＡにより測定した。最も強いシグナルをもたらしたクローンを増殖させて第２ラウンドのクローニングに付した。陽性クローンを再びＥＬＩＳＡによりスクリーニングし、力価を測定した。最も強力なシグナルをもたらしたクローンを増殖させておよび再び凍結した。
【０２９６】
ＥＸＡＭＰＬＥ ７：ＢＳＬモノクローナル抗体を用いる分析
ＢＳＬ１およびＢＳＬ２モノクローナル抗体をを用いる肺上皮細胞のＦＡＣＳ分析：Ａ５４９、肺上皮細胞系を、Ｔ７５ フラスコ（Ｂｅｃｔｏｎ Ｄｉｃｋｉｎｓｏｎ、Ｆｒａｎｋｌｉｎ Ｌａｋｅｓ、ＮＪ；Ｃａｔ． ＃３５３１１１）中、１０％ ＦＢＳ（Ｓｕｍｍｉｔ、Ｆｔ Ｃｏｌｌｉｎｓ、ＣＯ；Ｃａｔ． ＃Ｓ−１００−０５）および １％ ペニシリン−ストレプトマイシン（ＧｉｂｃｏＢＲＬ Ｃａｔ． ＃１５１４０−１２２）を添加したＲＰＭ１ １６４０（ＧｉｂｃｏＢＲＬ Ｃａｔ． ＃１１８７５−００５）にて、３７℃、５％ ＣＯ２で９０％コンフルエンスまで培養した。細胞をヴェルセン（ＧｉｂｃｏＢＲＬ Ｃａｔ． ＃１５０４０−０６６）で取り上げＲＰＭＩ １６４０中で２回洗浄した。細胞を９６ウェルプレート（Ｂｅｃｔｏｎ Ｄｉｃｋｉｎｓｏｎ Ｃａｔ． ＃３５３０７７）（２．５×１０５細胞／ウェル）に加え、Ｂｅｃｋｍａｎ 卓上遠心機で２０００ ＲＰＭで遠心した。次に、細胞を、ＲＰＭＩ １６４０または１μｇのネガティブコントロール抗体（ＭＡｂ １５Ｅ１０ＡＡ３）を添加したＲＰＭ１１６４０またはまたはハイブリドーマ上清に再懸濁し、氷上で３０分間インキュベーションした。ついで細胞をＲＰＭ １６４０で２回洗浄し、ＲＰＭＩ １６４０中で１：５０に希釈したヤギ抗マウス 抗Ｆｃ ＦＩＴＣ コンジュゲート 抗体（ＢｉｏＳｏｕｒｃｅ、Ｃａｍａｒｉｌｌｏ ＣＡ；Ｃａｔ． ＃ＡＭ１４４０８）に再懸濁した。その後、細胞を氷上で３０分間インキュベーションし、ＲＰＭＩ １６４０で２回洗浄し、ＲＰＭＩ １６４０に再懸濁し、Ｂｅｃｔｏｎ Ｄｉｃｋｉｎｓｏｎ ＦＡＣＳｃａｎで解析した。ＦＡＣＳ分析は、ＢＳＬ１ ＭＡｂ ３２Ｆ９Ａ７（図９Ａ）および ＢＳＬ２−４６１６８１１（図９Ｂ）ＭＡｂｓがすべてＡ５４９細胞に結合することを示した。．
【０２９７】
ＢＳＬ３モノクローナル抗体を用いる様々なタイプの細胞のＦＡＣＳ分析：ＢＳＬ３ ポリペプチドが様々なタイプの細胞の表面で発現するかどうかを調べるために、細胞を以下の表７に示す培地中で培養した。ＨＵＴ ７８に２０％ ＦＢＳ（Ｓｕｍｍｉｔ Ｂｉｏｔｅｃｈｎｏｌｏｇｙ、Ｆｔ Ｃｏｌｌｉｎｓ、ＣＯ；Ｃａｔ． ＃Ｓ−１００−０５）を添加した。他のすべての細胞系には、１０％ Ｓｕｍｍｉｔ ＦＢＳを添加した。さらに、すべての細胞系には１％ ペニシリン／ストレプトマイシン（ＧｉｂｃｏＢＲＬ；Ｃａｔ． ＃１５１４０１２２）を添加した。すべての細胞系は３７℃、５％ＣＯ２で培養した。
表７
2004500863.tif 000015
１ＩＭＤＭ ：ＧｉｂｃｏＢＲＬ；Ｃａｔ． ＃１２４４０−０５３
２ＲＰＭＩ １６４０：ＧｉｂｃｏＢＲＬ；Ｃａｔ． ＃１１８７５−００５
【０２９８】
細胞を約５×１０５細胞／ｍＬまで増殖させた。細胞を血清不含ＲＰＭＩ １６４０中で２回洗浄し、再懸濁して２．５×１０６細胞／ｍＬの終濃度にした。抗ＢＳＬ３ ＭＡｂ １Ａ４Ａ１ 抗体またはアイソタイプコントロールＭＡｂ １５Ｅ１０Ａ３ 抗体を５μｇ／ｍＬ加えおよび４℃にて３０分間インキュベーションした。細胞を血清不含ＲＰＭＩ １６４０中で２回洗浄し、ＦＩＴＣに結合した２％ ヤギ抗マウス ＩｇＧを添加した血清不含ＲＰＭＩ １６４０（ＢｉｏＳｏｕｒｃｅ、Ｃａｍａｒｉｌｌｏ、ＣＡ；Ｃａｔ． ＃ＡＭ１４４０８）中に再懸濁した。細胞４℃で３０分間洗浄した。細胞を血清不含ＲＰＭＩ １６４０で２回洗浄し、Ｂｅｃｔｏｎ Ｄｉｃｋｅｎｓｏｎ ＦＡＣＳｃａｎ（Ｂｅｃｔｏｎ Ｄｉｃｋｅｎｓｏｎ、Ｆｒａｎｋｌｉｎ Ｌａｋｅｓ、ＮＪ）で解析した。ＢＳＬ３ ポリペプチドはＡ５４９（肺上皮）、Ｈ２９２（肺上皮）、ＰＭ ＬＣＬ（Ｂ ｌｉｎｅａｇｅ）、ＰＬ ＬＣＬ（Ｂ ｌｉｎｅａｇｅ）、ＣＥ ＬＣＬ（Ｂ ｌｉｎｅａｇｅ）、およびＨＵＴ７８（Ｔ ｌｉｎｅａｇｅ）細胞において発現した（図９Ｃ）。
【０２９９】
ＢＳＬ３モノクローナル抗体を用いるヒト臍静脈 内皮細胞のＦＡＣＳ分析：ＢＳＬ３モノクローナル抗体を使用して、ＴＮＦ−α刺激有りまたは無しで、ヒト臍静脈 内皮細胞におけるＢＳＬ３ ポリペプチドレベルを測定した。ヒト臍静脈 内皮細胞（ＨＵＶＥＣ）は３７℃、５％ＣＯ２にて、ＥＧＭ培地（Ｃｌｏｎｅｔｉｃｓ、Ｗａｌｋｅｒｓｖｉｌｌｅ、ＭＤ；Ｃａｔ． ＃ＣＣ−４１７６）中でコンフルントになるまで培養した。ＴＮＦ−αは添加しないかまたは１０ ｎｇ／ｍＬを２４時間で添加する。細胞をヴェルセン（ＧｉｂｃｏＢＲＬ；Ｃａｔ． ＃１５０４０−０６６）で取り上げ、および 上記の抗ＢＳＬ３ ＭＡｂ １Ａ４Ａ１ 抗体を用いるフローサイトメトトリーをために調製した。対照として、フローサイトメトリーを抗体なしで行った。結果は、ＢＳＬ３ポリペプチドレベルがＴＮＦ−αで刺激されたＨＵＶＥＣにおいて増加することを示した（図９Ｄ）。この増加は、刺激されなかった細胞では観察されなかった（図９Ｄ）。ＢＳＬ３モノクローナル抗体を用いるヒト末梢血単核球のＦＡＣＳ分析：ＢＳＬ３モノクローナル抗体を用いて、ヒト末梢血単核球におけるＢＳＬ３ ポリペプチドレベルを、ＧＭ−ＣＳＦ ＩＬ−４またはＰＨＡ刺激有りまたは無しで測定した。末梢血単核球（ＰＢＭＣｓ）を以下のようにして精製した。血液サンプルを１２５０ｍＬのコニカルチューブに均等に分けた。エルトリエーション緩衝液１体積（室温で）を各サンプルに加えた。サンプルに１０ｍＬＬＳＭ（白血球分離混合物）ｆｉｃｏｌｌ 溶液を敷き、１８００ｒｐｍで２５分間遠心した。上層の赤身がかった物質を取り除き、ＬＳＭ層を新しいチューブに移した（ドナーあたり６ チューブ）。大部分のＰＢＭＣはＬＳＭ層の上層に観察された。エルトリエーション緩衝液（５０ ｍｌ）を各チューブに加え、混合物を １８００ｒｐｍで８分間遠心した。上清を吸引し、ＰＢＭＣを１５ｍＬのエルトリエーション緩衝液に再懸濁した。混合物 を２つの新しい５０ｍＬコニカルチューブに移し（各チューブの全体積４５ｍＬ）、１０００ｒｐｍ で８分間遠心した。上清を吸引し、この操作をさらに２回繰り返した。
【０３００】
ＰＢＭＣを、２％ ＦＢＳを添加したＲＰＭＩ １６４０を含むフラスコに再懸濁し、３７℃、５％ＣＯ２にて１時間培養した。フラスコを２０分間ごとに１回揺り動かした。フラスコを培地で静かに（２回）洗浄し、Ｔ細胞およびＢ細胞を取り出した。次にＲＰＭＩ １６４０ ＋ １０％ ＦＢＳおよび１ ％ ペニシリン／ストレプトマイシンでフラスコを十分に洗浄し、単球を得た。ＰＢＭＣを、１０％ ＦＢＳおよび１ ％ ペニシリン／ストレプトマイシンを添加したＲＰＭＩ １６４０中で２回洗浄した。ＰＢＭＣを再懸濁して５×１０６細胞／ｍＬにし、フラスコに移した。ＰＢＭＣを３７℃、５％ＣＯ２にて、刺激なしで４日間培養した。平行した実験では、ＰＢＭＣをＧＭ−ＣＳＦ（１５ ｎｇ／ｍＬ）および ＩＬ−４（７５ ｎｇ／ｍＬ）と４日間インキュベーションするか、またはＰＢＭＣをＰＨＡ（１μｇ／ｍＬ）と４日間インキュベーションした。フラスコＲＰＭＩ １６４０で十分に洗浄して単球を取り出した。ＰＢＭＣは、上記で様々な細胞系について記載したように、ＲＰＭＩ １６４０中で２回洗浄し、フローサイトメトリーにより試験した。結果は、ＢＳＬ３ ポリペプチドレベルがＧＭ−ＣＳＦ ＩＬ４またはＰＨＡ刺激によって増大することを示した（図９Ｅ−９Ｆ）。この増大は、刺激しなかった細胞においては観察されなかった（図９Ｅ−９Ｆ）。
【０３０１】
末梢血Ｔ細胞共刺激：９６ウェルプレート（Ｂｅｃｔｏｎ Ｄｉｃｋｉｎｓｏｎ Ｃａｔ． ＃３５３０７２）を、ＰＢＳ（ＧｉｂｃｏＢＲＬ Ｃａｔ． ＃１４１９０１４４）中の、示した量の抗 ＣＤ３ ＭＡｂ Ｇ１９．４（前に記載した）でコーティングした。プレートを４℃にて１６時間インキュベーションした。プレートをＰＢＳ中で２回洗浄した。次のタンパク質を加えた：ＰＢＳ中の、ＢＳＬ２−４６１６８１１−Ｉｇ（２０ μｇ／ｍＬ）、ＢＳＬ３−Ｉｇ（１５μｇ／ｍＬ）、またはＣｈｉ Ｌ６（１０ μｇ／ｍＬ）。Ｃｈｉ Ｌ６は、ヒトＩｇＧのＦｃ部分を含むタンパク断片であり、上記のＢＳＬ 融合タンパク質において使用されるＦｃ部分と同一である。種々の濃度のタンパクを用いて、同等のモル濃度にすることができる。プレートは３７℃にて４時間インキュベーションした。プレートをＰＢＳ中で２回洗浄した。末梢血Ｔ細胞は、上記の通りに精製した。１０％ ヒト血清（Ｓｉｇｍａ Ｃａｔ． ＃Ｈ−４５２２）および １％ ペニシリン／ストレプトマイシンを添加したＲＰＭＩ中で細胞を加えた（５×１０４細胞／ウェル）。細胞は３７℃、５％ＣＯ２にて７２時間インキュベーションした。最後の８時間に、細胞を、５０μＣｉ／ｍＬ３Ｈ−チミジン（ＮＥＮ Ｃａｔ． ＃ＮＥＴ−０２７）を含むさらなる５０μＬの培地とインキュベーションした。細胞を、Ｐａｃｋａｒｄ ＧＦ／Ｃ プレート（Ｐａｃｋａｒｄ、Ｍｅｒｉｄｅｎ、ＣＴ；Ｃａｔ． ＃６００５１７４）を用いて、Ｂｒａｎｄｅｌ細胞回収（Ｂｒａｎｄｅｌ、Ｇａｉｔｈｅｒｓｂｕｒｇ、ＭＤ）で集め、およびプレートを一晩風乾した。その後、５０μＬのＭｉｃｒｏｓｃｉｎｔ ２０（Ｐａｃｋａｒｄ Ｃａｔ． ＃６０１３６２１）を加え、および放射性標識をＰａｃｋａｒｄ Ｔｏｐｃｏｕｎｔ ＮＸＴで計測した。
【０３０２】
ＢＳＬ２およびＢＳＬ３モノクローナル抗体を用いた末梢血Ｔ細胞のブロック：９６ウェルプレート（Ｂｅｃｔｏｎ Ｄｉｃｋｉｎｓｏｎ Ｃａｔ． ＃３５３０７２）を、ＰＢＳ（ＧｉｂｃｏＢＲＬ Ｃａｔ． ＃１４１９０−１４４）中の２０μＬ／ｍＬのＭＡｂ Ｇ１９． ４（前に記載した）でコーティングした。プレートを４℃にて１６時間インキュベーションした。プレートをＰＢＳ中で２回洗浄した。以下のタンパク質を加えた：ＰＢＳ中、ＢＳＬ２−４６１６８１１−Ｉｇ（２０ μｇ／ｍＬ）、ＢＳＬ３−Ｉｇ（１５μｇｇ／ｍＬ）、または（１０μｇ／ｍＬ）Ｌ６−Ｉｇ。種々の濃度のタンパクを用いて、同等のモル濃度にすることができる。プレートは３７℃にて４時間インキュベーションした。プレートをＰＢＳ中で２回洗浄した。末梢血Ｔ細胞は、上記の通りに精製した。１０％ ヒト血清（Ｓｉｇｍａ Ｃａｔ． ＃Ｈ−４５２２）および １％ ペニシリン／ストレプトマイシンを添加したＲＰＭＩ中で細胞を加えた（５×１０４細胞／ウェル）。好ましいＢＳＬ２またはＢＳＬ３ ＭＡｂｓまたは対照のアイソタイプ ＭＡｂｓを加えて最終濃度２０μｇ／ｍＬにした。副刺激を分析するために、ＭＡｂｓは加えない。プレートを３７℃、５％ＣＯ２にて７２時間インキュベーションした。最後の８時間に、細胞を、５０μＣｉ／ｍＬ３Ｈ−チミジン（ＮＥＮ Ｃａｔ． ＃ＮＥＴ−０２７）を添加したさらなる５０μＬの培地とインキュベーションした。細胞を、Ｐａｃｋａｒｄ ＧＦ／Ｃ プレート（Ｃａｔ． ＃６００５１７４）を用いて、Ｂｒａｎｄｅｌ細胞回収で集め、およびプレートを一晩風乾した。その後、５０μＬのＭｉｃｒｏｓｃｉｎｔ ２０（Ｐａｃｋａｒｄ Ｃａｔ． ＃６０１３６２１）を加え、および放射性標識をＰａｃｋａｒｄ Ｔｏｐｃｏｕｎｔ ＮＸＴで計測した。
【０３０３】
結果は、ｒｅｓｕｌｔｓ ｉｎｄｉｃａｔｅｄ ｔｈａｔ ＢＳＬ２−４６１６８１１−ＩｇおよびＢＳＬ３−Ｉｇ融合タンパク質が、ＣＤ３ ＭＡｂ Ｇ１９．４とインキュベートした末梢血Ｔ細胞に対する共刺激分子として作用するということを示した（図１０Ａ−１０Ｆ）。このことは、３つの別個な末梢血Ｔ細胞ドナー：ドナー０１０（図１０Ａ）；ドナー１２７（図１０Ｂ）；ドナー０７８（図１０Ｃ−１０Ｄ）；およびドナー１２４（図１０Ｅ−１０Ｆ）について確認された。結果はさらに、ＢＳＬ２およびＢＳＬ３ ＭＡｂｓがＢＳＬ２−４６１６８１１−ＩｇおよびＢＳＬ３−Ｉｇ融合タンパク質の共刺激作用をそれぞれブロックすることを示した（図１０Ｇ−１０Ｊ）。このことは、２つの別個な末梢血Ｔ細胞ドナー：ドナー０１０（図１０Ｇ−１０Ｈ）；およびドナー１２７（図１０１−１０Ｊ）について確認された。本発明の範囲および精神から逸脱することなく、上記の組成物および方法において様々な変更が可能であり、上記の詳細な説明に記載された、添付の図面に示された、または添付の請求の範囲において定義された事項のすべては、説明を目的とするものであって、限定を意味するものではないということを意図する。
【０３０４】
ここに引用されたすべてのすべての特許、特許出願、公開された論文、書籍、リファレンス・マニュアル教科書、および要約の内容は、本発明が関係する技術水準をより完全に記述するために、その全内容が参考のために本明細書に組み込まれる。
【図面の簡単な説明】
【図１Ａ】ＴＮＦ−αで処置されたヒト微小血管内皮細胞から調製したｃＤＮＡライブラリーから単離された完全長クローンから決定した、ＢＳＬ１（配列番号１）のヌクレオチド配列を示す。；ヌクレオチド１−９２は５’−非翻訳領域を含み；ヌクレオチド９３−９５は、翻訳開始部位（ＡＴＧ）を含み；ヌクレオチド９３−９６２はタンパクコード領域をコードし；ヌクレオチド９６３−９６５は、翻訳終止シグナル（ＴＡＡ）を含み；ヌクレオチド９６３−１５７６は３’非翻訳領域を含み；およびヌクレオチド１５７７−１６０５はポリ（Ａ）＋ＲＮＡ尾部を含む。
【図１Ｂ】ＢＳＬ１（配列番号２）の推定アミノ酸配列を示す；アミノ酸１−２４０は、推定細胞外ドメイン（ＥＣＤ）を含む。
【図１Ｃ】分化型ヒト単球から調製したｃＤＮＡライブラリーから単離された完全長クローンから決定した、ＢＳＬ１（配列番号３）のヌクレオチド配列を示す。；ヌクレオチド１−９２は５’非翻訳領域を含み；ヌクレオチド９３−９５は、翻訳開始シグナル（ＡＴＧ）を含み；ヌクレオチド９３−９６２はタンパクコード配列を含み；ヌクレオチド９６３−９６５は、翻訳終止シグナル（ＴＡＡ）を含み；およびヌクレオチド９６３−３６２１ ３’非翻訳領域（独特配列を太字で示す）を含む。
【図２Ａ】ＢＳＬ１−Ｉｇ融合構築物（配列番号４）のヌクレオチド配列を示す；ヌクレオチド１−７２は、推定ＣＤ５シグナル配列をコードし；ヌクレオチド７３−７８はＳｐｅｌ開裂部位を含み；ヌクレオチド７８−７２９は推定ＢＳＬ１ ＥＣＤをコードし；ヌクレオチド７３０−１４４０は、ヒトＩｇＧ１のＦｃ部分をコードし；およびヌクレオチド１４４１−１４４３は、翻訳終止シグナル（ＴＧＡ）を含む。
【図２Ｂ】ＢＳＬ１−Ｉｇ推定アミノ酸配列（配列番号５）を示す。
【図３Ａ】ＢＳＬ２−４６１６８１１クローンのヌクレオチド配列（配列番号６）を示す；ヌクレオチド１−１２はベクター配列を含み；ヌクレオチド１２１−１２３は翻訳開始シグナル（ＡＴＧ）を含み、ヌクレオチド２０４−２０５は推定シグナルペプチド開裂部位であり；ヌクレオチド１５１６−１５８７は、推定膜貫通ドメインをコードし；ヌクレオチド１７２３−１７２５は、翻訳終止シグナル（ＴＧＡ）を含む。
【図３Ｂ】ＢＳＬ２４６１６８１１クローンの推定アミノ酸配列を示す（配列番号７）；アミノ酸（１−４６５）は推定ＥＣＤを含む。
【図３Ｃ】ＢＳＬ２−Ｌ１６５−２１クローンのヌクレオチド配列（配列番号１０）を示す；ヌクレオチド１−３は翻訳開始シグナル（ＡＴＧ）をコードし；ヌクレオチド８４−８５は推定シグナルペプチド開裂部位であり；ヌクレオチド７４２−８１３は推定膜貫通ドメインをコードし；ヌクレオチド９４９−９５１は翻訳終止シグナル（ＴＧＡ）を含む。
【図３Ｄ】ＢＳＬ２ Ｌ１６５−２１クローンの推定アミノ酸配列（配列番号 １１）を示す；アミノ酸１−２４７は推定ＥＣＤを含む。
【図３Ｅ】ＢＳＬ２−Ｌ１６５−３５ｂクローンのヌクレオチド配列（配列番号１２）を示し；ヌクレオチド１−３は翻訳開始シグナル（ＡＴＧ）をコードし；ヌクレオチド８４−８５は推定シグナルペプチド開裂部位であり；ヌクレオチド７４２−８１３は推定膜貫通ドメインをコードし；ヌクレオチド９４９−９５１は、翻訳終止シグナル（ＴＧＡ）を含む。
【図３Ｆ】ＢＳＬ２ Ｌ１６５−３５ｂクローンの推定アミノ酸配列（配列番号１３）を示す；アミノ酸１−２４７は推定ＥＣＤを含む。
【図４Ａ】ＢＳＬ２−４６１６８１１−Ｉｇクローンのヌクレオチド配列（配列番号８）を示す：ヌクレオチド１−３は翻訳開始シグナル（ＡＴＧ）を含み；ヌクレオチド１−１３９４は天然ＢＳＬ２−４６１６８１１配列をコードし；ヌクレオチド１３９５は融合タンパク質の構築を促進するために導入されたサイレントな突然変異であり；ヌクレオチド１３９６−２０９７は、ヒトＩｇＧ１のＦｃ部分をコードし；ヌクレオチド２０９５−２０９７は翻訳終止シグナル（ＴＧＡ）を含む。
【図４Ｂ】ＢＳＬ２−４６１６８１１−Ｉｇ融合タンパク質の推定アミノ酸配列（配列番号９）を示す；アミノ酸１−４６５はＢＳＬ２−４６１６８１１の天然配列を含み；アミノ酸４６６−６９８はヒトＩｇＧのＦｃ部分を含む。
【図５Ａ】図５ＡはＢＳＬ３のヌクレオチド配列（配列番号１４）を示す：ヌクレオチド１−３２６は５’非翻訳領域を含み；ヌクレオチド３２７−３２９は翻訳開始シグナル（ＡＴＧ）を含み；ヌクレオチド９８１−１０５５は推定膜貫通ドメインをコードし；ヌクレオチド１１４６−１１４８は翻訳終止シグナル（ＴＧＡ）を含む。
【図５Ｂ】ＢＳＬ３推定アミノ酸配列を示す（アミノ酸１−２７３）（配列番号１５）；アミノ酸１−２１９は推定ＥＣＤを含む。
【図６Ａ】ＢＳＬ３−Ｉｇ（Ｌ２３２−６）（配列番号１６）のヌクレオチド配列を示す：ヌクレオチド１−３は翻訳開始シグナル（ＡＴＧ）を含み；ヌクレオチド１−６５１は、天然ＢＳＬ３配列をコードし；ヌクレオチド６５２−６５４は、構築の間に導入された人口配列をコードし；ヌクレオチド６５５−１３５６はヒトＩｇＧのＦｃドメインをコードする。
【図６Ｂ】ＢＳＬ３−Ｉｇ（Ｌ２３２−６）（配列番号１７）の推定アミノ酸配列を示す；アミノ酸１−２１７は天然ＢＳＬ３配列を示し；アミノ酸２１８は構築中に導入された人工配列を含み；アミノ酸２１９−４５１はヒトＩｇＧのＦｃドメインを含む。
【図７Ａ】ノーザンブロット分析に使用したＢＳＬ１プローブ（配列番号１８）のヌクレオチド配列を示す。
【図７Ｂ】ノーザンブロット分析に使用したＢＳＬ２プローブ（配列番号１９）のヌクレオチド配列を示す。
【図７Ｃ】ＢＳＬ３プローブ（配列番号２０）のヌクレオチド配列を示す。
【図７Ｄ】ノーザンブロット分析によって決定された様々な細胞において観察されたＢＳＬ１、ＢＳＬ３、およびＢＳＬ３ｍＲＮＡのレベルを示す；「ＰＢＴ」は、末梢血Ｔ細胞を示し；「ＣＤ３／ＣＤ２８」は抗ＣＤ３および抗ＣＤ２８抗体による刺激を示す；「ＰＭＡ」はホルボール１２ミリステート１３アセテートによる刺激を示す；「ＬＰＳ」はリポ多糖による刺激を示す；「ＰＢＭ」は、末梢血単球を示す；「ＰＨＡ」はフィトヘマグルチニンによる刺激を示す；「ＧＭ−ＣＳＦ／ＩＬ−４」はＧＭ−ＣＳＦおよびＩＬ−４による刺激を示す；「ＨＭＶＥＣ」はヒト血管微小血管内皮細胞を示す；「ＴＮＦα」はＴＮＦ−αによる刺激を示す；および「Ｈ２９２（飢餓状態）」は血清飢餓Ｈ２９２細胞を示す。
【図７Ｅ】放射性同位元素で標識したＢＳＬ３／Ｋｐｎｌ＋Ｘｂａｌプローブを用いて、商業的に入手可能なブロットのノーザン分析によって決定された様々な種類の組織における、ＢＳＬ３発現レベルを示す。
【図７Ｆ】放射性同位元素で標識した ＢＳＬ３／Ｋｐｎｌ＋Ｘｂａｌプローブを用いて、商業的に入手可能なマイクロアレイのハイブリダイゼーション分析によって決定された様々な種類の組織における、ＢＳＬ３発現レベルを示す。
【図７Ｇ】定量的ＰＣＲによって決定された様々な種類の組織におけるＢＳＬ１発現レベルを示す。
【図７Ｈ】定量的ＰＣＲによって決定された様々な種類の組織におけるＢＳＬ３発現レベルを示す。
【図８Ａ】ＰＭＡおよびイノマイシン刺激有りまたは無しでの、Ｒａｊｉ、Ｒａｍｏｓ、ＰＭ−ＬＣＬ、およびＰＬ ＬＣＬ細胞タイプについての結果を示す。
【図８Ｂ】刺激有りまたは無しでの、ＣＥ−ＬＣＬ細胞、ＨＬ６０、Ｔｈｐ１、およびＨＵＶＥＣ細胞タイプについての結果を示す。
【図８Ｃ】ＰＭＡおよびイノマイシン刺激有りまたは無しでの、末梢血Ｔ細胞についての結果を示す。２人の別々のドナー（ドナー０７９およびドナー１２４）から単離された細胞の結果を示す。
【図８Ｄ】ＰＭＡおよびイノマイシン刺激有りまたは無しでの、ＣＥＭおよびＨＵＴ７８細胞についての結果を示す。
【図８Ｅ】テンプレートとしてＢＳＬ２−４６１６８１１プラスミドを用いたＰＣＲ反応の結果を示す。レーン１：λＢｓｔＥＩＩ ＤＮＡラダー；レーン２：ＰＣＲ産物。上の矢印は、ＢＳＬ２−４６１６８１１転写物からのＰＣＲ産物のサイズを示す。下の矢印は、ＢＳＬ２ Ｌ１６５−３５ｂ転写物についての推定ＰＣＲ産物のサイズを示す。結果は、フォワードプライマーが、ＢＳＬ２−４６１６８１１の第２の可変折り曲げ部におけるホモローガス部位よりも第１の可変折り曲げ部における特異的結合部位に優先的に結合することを示している。
【図９Ａ】ＢＳＬ１モノクローナル抗体を用いたＡ５４９上皮肺細胞のＦＡＣＳ分析を示す。カラム１：モノクローナル抗体なし；カラム２：アイソタイプ対照；カラム３：ＢＳＬ１ハイブリドーマ上清３２
【図９Ｂ】ＢＳＬ２４６１６８１１モノクローナル抗体を用いたＡ５４９上皮肺細胞のＦＡＣＳ分析を示す。カラム１：モノクローナル抗体なし；カラム２：アイソタイプ対照；カラム３：ＢＳＬ２ ＭＡｂ １Ｆ７Ｇ２；カラム４：ＢＳＬ２ Ｍａｂ ２Ｂ１０Ｄ７；カラム５：ＢＳＬ２ Ｍａｂ ３Ｅ６Ｄ３；カラム６：ＢＳＬ２ Ｍａｂ ４Ｃ２Ｃ６；カラム７：ＢＳＬ２ Ｍａｂ ５Ｄ７Ｅ２。
【図９Ｃ】ＢＳＬ３モノクローナル抗体を用いた種々の細胞タイプのＦＡＣＳ分析を示す。
【図９Ｄ】ＴＮＦ−α刺激有りまたは無しでの、ＢＳＬ３モノクローナル抗体を用いた、ヒト臍静脈内皮細胞（ＨＵＶＥＣ）のＦＡＣＳ分析を示す。
【図９Ｅ】ドナー１２６から単離された細胞の結果を示す。
【図９Ｆ】ドナー１４５から単離された細胞の結果を示す。
【図１０Ａ】ドナー０１０から単離された細胞の結果を示す。
【図１０Ｂ】ドナー１２７から単離された細胞の結果を示す。
【図１０Ｃ】ドナー７８から単離された細胞の結果を示す。
【図１０Ｄ】ドナー７８から単離された細胞の結果を示す。
【図１０Ｅ】ドナー１２４から単離された細胞の結果を示す。
【図１０Ｆ】ドナー１２４から単離された細胞の結果を示す。
【図１０Ｇ】ドナー０１０から単離された細胞の結果を示す。ＣＤ３モノクローナル抗体およびＢＳＬ２４６１６８１１−Ｉｇ（ＢＳＬ２ｖｃｖｃｉｇ）で刺激されＢＳＬ２モノクローナル抗体で遮断された細胞の結果を示す。カラム１：ＢＳＬ２−１Ｆ７Ｇ２ ＭＡｂ；カラム２：ＢＳＬ２−２Ｂ１０Ｄ７ ＭＡｂ；カラム３：ＢＳＬ２−３Ｅ６Ｄ３ ＭＡｂ；カラム４：ＢＳＬ２−５Ｄ７Ｅ２ ＭＡｂ；およびカラム５：アイソタイプ対照抗体。
【図１０Ｈ】ドナー０１０から単離された細胞の結果を示す。ＣＤ３モノクローナル抗体およびＢＳＬ３−Ｉｇ融合タンパク質で刺激されＢＳＬ３モノクローナル抗体で遮断された細胞の結果を示す。カラム １：ＢＳＬ３−１Ａ４Ａ１ ＭＡｂ；カラム２：ＢＳＬ３−２Ｂ６Ｈ７ ＭＡｂ；およびカラム３：アイソタイプ対照抗体。
【図１０Ｉ】ドナー１２７から単離された細胞の結果を示す。ＣＤ３モノクローナル抗体およびＢＳＬ２４６１６８１１−Ｉｇ（ＢＳＬ２ｖｃｖｃｉｇ）で刺激されＢＳＬ２モノクローナル抗体で遮断された細胞の結果を示す。カラム１：ＢＳＬ２−１Ｆ７Ｇ２ ＭＡｂ；カラム２：ＢＳＬ２−２Ｂ１０Ｄ７ ＭＡｂ；カラム３：ＢＳＬ２−３Ｅ６Ｄ３ ＭＡｂ；カラム４：ＢＳＬ２−５Ｄ７Ｅ２ ＭＡｂ；およびカラム５：アイソタイプ対照抗体。
【図１０Ｊ】ドナー１２７から単離された細胞の結果を示す。ＣＤ３モノクローナル抗体およびＢＳＬ３−Ｉｇ融合タンパク質で刺激されＢＳＬ３モノクローナル抗体で遮断された細胞の結果を示す。カラム １：ＢＳＬ３−１Ａ４Ａ１ ＭＡｂ；カラム２：ＢＳＬ３−２Ｂ６Ｈ７ ＭＡｂ；およびカラム３：アイソタイプ対照抗体。
【図７Ｄ】
2004500863.tif 000016
【図７Ｅ】
2004500863.tif 000017
【図７Ｆ】
2004500863.tif 000018
【図７Ｇ】
2004500863.tif 000019
【図７Ｈ】
2004500863.tif 000020
【図８Ａ】
2004500863.tif 000021
【図８Ｂ】
2004500863.tif 000022
【図８Ｃ】
2004500863.tif 000023
【図８Ｄ】
2004500863.tif 000024
【図８Ｅ】
2004500863.tif 000025
【図９Ａ】
2004500863.tif 000026
【図９Ｂ】
2004500863.tif 000027
【図９Ｃ】
2004500863.tif 000028
【図９Ｄ】
2004500863.tif 000029
【図９Ｅ】
2004500863.tif 000030
【図９Ｆ】
2004500863.tif 000031
【図１０Ａ】
2004500863.tif 000032
【図１０Ｂ】
2004500863.tif 000033
【図１０Ｃ】
2004500863.tif 000034
【図１０Ｄ】
2004500863.tif 000035
【図１０Ｅ】
2004500863.tif 000036
【図１０Ｆ】
2004500863.tif 000037
【図１０Ｇ】
2004500863.tif 000038
【図１０Ｈ】
2004500863.tif 000039
【図１０Ｉ】
2004500863.tif 000040
【図１０Ｊ】
2004500863.tif 000041
【国際公開パンフレット】
2004500863.tif 000042
2004500863.tif 000043
2004500863.tif 000044
2004500863.tif 000045
2004500863.tif 000046
2004500863.tif 000047
2004500863.tif 000048
2004500863.tif 000049
2004500863.tif 000050
2004500863.tif 000051
2004500863.tif 000052
2004500863.tif 000053
2004500863.tif 000054
2004500863.tif 000055
2004500863.tif 000056
2004500863.tif 000057
2004500863.tif 000058
2004500863.tif 000059
2004500863.tif 000060
2004500863.tif 000061
2004500863.tif 000062
2004500863.tif 000063
2004500863.tif 000064
2004500863.tif 000065
2004500863.tif 000066
2004500863.tif 000067
2004500863.tif 000068
2004500863.tif 000069
2004500863.tif 000070
2004500863.tif 000071
2004500863.tif 000072
2004500863.tif 000073
2004500863.tif 000074
2004500863.tif 000075
2004500863.tif 000076
2004500863.tif 000077
2004500863.tif 000078
2004500863.tif 000079
2004500863.tif 000080
2004500863.tif 000081
2004500863.tif 000082
2004500863.tif 000083
2004500863.tif 000084
2004500863.tif 000085
2004500863.tif 000086
2004500863.tif 000087
2004500863.tif 000088
2004500863.tif 000089
2004500863.tif 000090
2004500863.tif 000091
2004500863.tif 000092
2004500863.tif 000093
2004500863.tif 000094
2004500863.tif 000095
2004500863.tif 000096
2004500863.tif 000097
2004500863.tif 000098
2004500863.tif 000099
2004500863.tif 000100
2004500863.tif 000101
2004500863.tif 000102
2004500863.tif 000103
2004500863.tif 000104
2004500863.tif 000105
2004500863.tif 000106
2004500863.tif 000107
2004500863.tif 000108
2004500863.tif 000109
2004500863.tif 000110
2004500863.tif 000111
2004500863.tif 000112
2004500863.tif 000113
2004500863.tif 000114
2004500863.tif 000115
2004500863.tif 000116
2004500863.tif 000117
2004500863.tif 000118
2004500863.tif 000119
2004500863.tif 000120
2004500863.tif 000121
2004500863.tif 000122
2004500863.tif 000123
2004500863.tif 000124
2004500863.tif 000125
2004500863.tif 000126
2004500863.tif 000127
2004500863.tif 000128
2004500863.tif 000129
2004500863.tif 000130
2004500863.tif 000131
2004500863.tif 000132
2004500863.tif 000133
2004500863.tif 000134
2004500863.tif 000135
2004500863.tif 000136
2004500863.tif 000137
2004500863.tif 000138
2004500863.tif 000139
2004500863.tif 000140
2004500863.tif 000141
2004500863.tif 000142
2004500863.tif 000143
2004500863.tif 000144
2004500863.tif 000145
2004500863.tif 000146
2004500863.tif 000147
2004500863.tif 000148
2004500863.tif 000149
2004500863.tif 000150
2004500863.tif 000151
2004500863.tif 000152
2004500863.tif 000153
2004500863.tif 000154
2004500863.tif 000155
2004500863.tif 000156
2004500863.tif 000157
2004500863.tif 000158
2004500863.tif 000159
2004500863.tif 000160
2004500863.tif 000161
2004500863.tif 000162
2004500863.tif 000163
2004500863.tif 000164
2004500863.tif 000165
2004500863.tif 000166
2004500863.tif 000167
2004500863.tif 000168
2004500863.tif 000169
2004500863.tif 000170
2004500863.tif 000171
2004500863.tif 000172
2004500863.tif 000173
2004500863.tif 000174
2004500863.tif 000175
2004500863.tif 000176
2004500863.tif 000177
2004500863.tif 000178
2004500863.tif 000179
2004500863.tif 000180
2004500863.tif 000181
2004500863.tif 000182
2004500863.tif 000183
2004500863.tif 000184
2004500863.tif 000185
2004500863.tif 000186
2004500863.tif 000187
2004500863.tif 000188
2004500863.tif 000189
2004500863.tif 000190
2004500863.tif 000191
2004500863.tif 000192
2004500863.tif 000193
2004500863.tif 000194
2004500863.tif 000195
2004500863.tif 000196
2004500863.tif 000197
2004500863.tif 000198
2004500863.tif 000199
2004500863.tif 000200
2004500863.tif 000201
2004500863.tif 000202
2004500863.tif 000203
2004500863.tif 000204
2004500863.tif 000205
2004500863.tif 000206
2004500863.tif 000207
2004500863.tif 000208
2004500863.tif 000209
2004500863.tif 000210
2004500863.tif 000211
2004500863.tif 000212
2004500863.tif 000213
2004500863.tif 000214
2004500863.tif 000215
2004500863.tif 000216
2004500863.tif 000217
2004500863.tif 000218
2004500863.tif 000219
2004500863.tif 000220
【国際公開パンフレット（コレクトバージョン）】
2004500863.tif 000221
【国際調査報告】
2004500863.tif 000222
2004500863.tif 000223
2004500863.tif 000224
2004500863.tif 000225
2004500863.tif 000226